(57)【要約】【課題】遊技者にとって有利度合いが低いポイントの総数となったときでも、有利な状態となることに対し期待感を抱かせることができるスロットマシンを提供することである。【解決手段】付与されたポイントの総数が多い程、高い割合でＡＴに制御されかつより多いナビストック数が付与されるスロットマシンにおいて、付与されたポイントについて、正確に報知するか付与されたポイントよりも少ないポイントを報知するか全く報知しないようにするとともに、ＡＴ中において残りナビストック数に応じて異なる割合で特定演出を実行する。【選択図】図２８
2010268850.tif 000002
【特許請求の範囲】
【請求項１】
１ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシンであって、
前記可変表示装置に表示結果が導出される前に、複数種類の入賞について発生を許容するか否かを決定する事前決定手段と、
前記可変表示装置に表示結果を導出させるための操作を受付ける導出操作受付手段と、
前記事前決定手段の決定結果および前記導出操作受付手段が受付けた操作に応じて、前記可変表示装置に表示結果を導出させる制御を行なう手段であって、前記事前決定手段の決定結果が所定の結果となった場合において、当該所定の結果に対応して予め定められた有利手順で前記導出操作受付手段により操作が受付けられたときには、前記有利手順と異なる手順で前記導出操作受付手段により操作が受付けられたときに導出させる表示結果よりも遊技者にとって有利な有利表示結果を導出させる制御を行なう導出制御手段と、
所定の付与条件が成立したときにポイントを付与するポイント付与手段と、
付与されたポイントを特定するためのポイント特定用情報を記憶するための記憶手段と、
遊技の進行における所定の契機で前記ポイント特定用情報から特定されるポイントの量に応じて遊技者にとって有利度合いが異なる報知条件を設定し、該報知条件にしたがって前記事前決定手段の決定結果が前記所定の結果となったときに当該所定の結果に対応する結果情報を報知する報知期間に制御する報知期間制御手段と、
付与されたポイントの量を示唆するポイント情報として、付与されたポイントの量を正しく特定可能な正確ポイント情報、または、付与されたポイントの量よりも遊技者にとって有利度合いが低い報知条件が前記報知期間制御手段により設定されるポイントの量を特定可能な不正確ポイント情報、を報知するポイント情報報知手段と、
前記報知期間において、前記報知期間制御手段により設定された報知条件にしたがって当該報知期間が終了するまでに消化することを期待できるゲーム数であるゲーム数の期待値に応じて異なる割合に基づいて、特定演出を実行する演出実行手段とを備えることを特徴とする、スロットマシン。
【請求項２】
前記演出実行手段は、前記報知期間において前記事前決定手段の決定結果が前記所定の結果となったときに、当該所定の結果に対応する結果情報を特定するための演出として予め複数種類定められた結果情報演出のうちいずれかを実行する結果情報演出実行手段を含み、
前記結果情報演出実行手段は、前記報知期間において前記事前決定手段の決定結果が前記所定の結果となったときに、前記ゲーム数の期待値に応じた割合で前記複数種類のうち特定種類の結果情報演出を前記特定演出として実行することを特徴とする、請求項１に記載のスロットマシン。
【請求項３】
前記演出実行手段は、前記報知期間において、当該報知期間に制御されていることを示す演出として予め複数種類定められた報知期間中演出のうちいずれかを実行する報知期間中演出実行手段を含み、
前記報知期間中演出実行手段は、前記報知期間において、前記ゲーム数の期待値に応じた割合で前記報知期間中演出の種類を前記複数種類のうち前記特定種類以外の非特定種類から前記特定種類に変化させる演出を前記特定演出として実行することを特徴とする、請求項１または請求項２に記載のスロットマシン。
【請求項４】
前記ポイント情報報知手段は、前記付与条件が成立して付与されたポイント各々について、当該付与されたポイントの量を示唆するポイント情報として、前記正確ポイント情報を報知するか否かを決定する報知決定手段を含み、
前記報知決定手段は、前記正確ポイント情報を報知すると決定する確率が、当該決定の対象となるポイントが付与される以前に前記付与条件が成立して付与されたポイントについて前記正確ポイント情報を報知すると決定したか否かで異なるように、当該決定を行なうことを特徴とする、請求項１〜請求項３のいずれかに記載のスロットマシン。
【請求項５】
前記ポイント情報報知手段は、前記付与条件が成立して付与されたポイント各々について、当該付与されたポイントの量を示唆するポイント情報として、前記正確ポイント情報を報知するか否かを決定する報知決定手段を含み、
前記報知決定手段は、前記正確ポイント情報を報知すると決定する確率が、当該決定以前に報知されたポイント情報から特定されるポイントの量に応じて異なるように、当該決定を行なうことを特徴とする、請求項１〜請求項４のいずれかに記載のスロットマシン。
【請求項６】
前記複数種類の入賞のうち特別入賞が発生したときに、所定の通常状態よりも遊技者にとって有利な特別遊技状態に制御する特別遊技状態制御手段を備え、
前記付与条件は、前記特別遊技状態に制御されている期間において成立し得ることを特徴とする、請求項１〜請求項５のいずれかに記載のスロットマシン。
【発明の詳細な説明】
【技術分野】
【０００１】
本発明は、たとえば、スロットマシンに関する。詳しくは、１ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシンに関する。
【背景技術】
【０００２】
スロットマシンは、一般に、外周部に識別情報としての複数種類の図柄が描かれた複数（通常は３つ）のリールを有する可変表示装置を備えており、各リールは、遊技者がスタートレバーを操作することにより回転を開始し、また、遊技者が各リールに対応して設けられた停止ボタンを操作することにより、その操作タイミングから予め定められた最大遅延時間の範囲内で回転を停止する。そして、全てのリールの回転を停止したときに導出された表示結果に従って入賞が発生する。
【０００３】
入賞となる役の種類としては、小役、特別役、再遊技役といった種類がある。ここで、小役の入賞では、小役の種類毎に定められた数のメダルが払い出されるという利益を遊技者が得ることができる。特別役の入賞では、次のゲームからレギュラーボーナスやビッグボーナスといった遊技者にとって有利な遊技状態へ移行されるという利益を遊技者が得ることができる。再遊技役の入賞では、賭数の設定に新たなメダルを消費することなく次のゲームを行なうことができるという利益を得ることができる。
【０００４】
各役の入賞が発生するためには、一般的には、事前（通常はスタートレバー操作時）に行なわれる内部抽選で当選することが条件となる。そして、内部抽選に当選している役を構成する図柄の組合せを有効なラインに揃えるようにするとともに、内部抽選に当選していない役を構成する図柄の組合せを有効なラインに揃えないようにするリール制御が行なわれる。
【０００５】
このようなスロットマシンにおいては、遊技者にとって有利な状態としてＡＴ（アシストタイム）に制御し、内部抽選で特定の役に当選したときに当該特定の役を入賞させるための操作手順を報知するナビ演出を行なうものがある。また、このようなスロットマシンにおいては、ゲームの進行に応じて付与されるポイントの累計数（総数）に応じて、ＡＴへの制御あるいはナビ演出を実行するもの（たとえば、特許文献１、特許文献２参照）があった。
【先行技術文献】
【特許文献】
【０００６】
【特許文献１】特開２００８−２７２０５７号公報
【特許文献２】特開２００４−２７５５２３号公報
【発明の概要】
【発明が解決しようとする課題】
【０００７】
しかしながら、特許文献１および２のスロットマシンでは、付与されたポイントの総数に応じて、ポイントの総数が多い程高い割合でＡＴに制御あるいは異なる割合でナビ演出が実行される。このため、ポイントの総数が少ない（たとえば０）ときには、ＡＴに制御あるいはナビ演出が実行されることに対し、比較的低い期待感しか遊技者に抱かせることができないため、遊技の興趣を低下させてしまう虞があった。
【０００８】
この発明は、かかる実情に鑑み考え出されたものであり、その目的は、遊技者にとって有利度合いが低いポイントの総数となったときでも、有利な状態となることに対し期待感を抱かせることができるスロットマシンを提供することである。
【課題を解決するための手段の具体例およびその効果】
【０００９】
（１）  １ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記可変表示装置に表示結果を導出させるための操作を受付ける導出操作受付手段（ストップスイッチ８Ｌ〜８Ｒ）と、
前記事前決定手段の決定結果および前記導出操作受付手段が受付けた操作に応じて、前記可変表示装置に表示結果を導出させる制御を行なう手段であって、前記事前決定手段の決定結果が所定の結果（９枚役（１）〜（９）のいずれかに当選、転落リプレイに当選）となった場合において、当該所定の結果に対応して予め定められた有利手順（当選している９枚役の入賞を発生させるための手順、転落リプレイの入賞を回避するための手順）で前記導出操作受付手段により操作が受付けられたときには、前記有利手順と異なる手順で前記導出操作受付手段により操作が受付けられたときに導出させる表示結果よりも遊技者にとって有利な有利表示結果（９枚役の組合せ、リプレイの組合せ）を導出させる制御を行なう導出制御手段（リール回転処理、図８（ａ）参照）と、
所定の付与条件（ポイント付与条件）が成立したときにポイントを付与するポイント付与手段（図１９のＳ１０１、Ｓ１０２、Ｓ１１０参照）と、
付与されたポイントを特定するためのポイント特定用情報（付与ポイント総数）を記憶するための記憶手段（ＲＡＭ９１ｃ）と、
遊技の進行における所定の契機（第１ＡＴ抽選の抽選条件成立）で前記ポイント特定用情報から特定されるポイントの量（付与ポイント総数）に応じて遊技者にとって有利度合いが異なる報知条件（図１７および図１８に示す当選率参照）を設定し、該報知条件にしたがって前記事前決定手段の決定結果が前記所定の結果となったときに当該所定の結果に対応する結果情報（ナビ演出）を報知する報知期間（ＡＴ、ＡＴ準備モード、ＡＲＴ）に制御する報知期間制御手段（サブ制御部９１により実行される第１ＡＴ抽選処理、ＡＴ管理処理）と、
付与されたポイントの量を示唆するポイント情報として、付与されたポイントの量を正しく特定可能な正確ポイント情報、または、付与されたポイントの量よりも遊技者にとって有利度合いが低い報知条件が前記報知期間制御手段により設定されるポイントの量を特定可能な不正確ポイント情報、を報知するポイント情報報知手段（図１９のＳ１０４、Ｓ１０６、Ｓ１０８参照）と、
前記報知期間において、前記報知期間制御手段により設定された報知条件にしたがって当該報知期間が終了するまでに消化することを期待できるゲーム数であるゲーム数の期待値（たとえば、残りのナビストック数）に応じて異なる割合に基づいて、特定演出（図２８に示す９枚役のナビ演出の報知態様Ａ〜ＣのうちＢあるいはＣ、図３２（ｂ）に示すＡＲＴ演出の背景を昼から夕方あるいは夜に変更、変形例（２４）参照）を実行する演出実行手段（サブ制御部９１により実行されるナビ演出実行処理、遊技状態演出実行処理）とを備える。
【００１０】
このような構成によれば、事前決定手段の決定結果が所定の結果となったときに意図的に有利手順で操作し有利表示結果を導出させることができる報知期間には、ポイント特定用情報から特定されるポイントの量に応じて遊技者にとって有利度合いが異なるように設定される報知条件にしたがって制御される。よって、有利度合いが高い報知条件が設定されるポイントの量となることに期待感を抱かせることができる。
【００１１】
また、付与されたポイントの量を示唆するポイント情報として、付与されたポイントの量を正しく特定可能な正確ポイント情報、または、付与されたポイントの量よりも遊技者にとって有利度合いが低い報知条件が報知期間制御手段により設定されるポイントの量を特定可能な不正確ポイント情報、が報知される。このため、ポイント情報から特定されるポイントの量よりも、実際には遊技者にとって有利度合いが高い報知条件が設定されるポイントの量が付与されているかもしれないといった期待感を遊技者に抱かせることができる。その結果、報知期間に制御されることに対し、報知されたポイント情報から特定されるポイントの量よりも大きな期待感を抱かせることができる。また、報知されたポイント情報から遊技者にとって有利度合いが比較的低い報知条件が設定されるポイントの量が特定されたときであっても、当該ポイントの量よりも遊技者にとって有利度合いが高い報知条件が設定されるポイントの量が実際には付与されているかもしれないため、報知期間に制御されることに対する期待感を持続させることができる。
【００１２】
さらに、報知期間において、当該報知期間が終了するまでのゲーム数の期待値に応じて異なる割合に基づき特定演出が実行される。このため、報知期間における特定演出の実行頻度によって、ゲーム数の期待値に対する期待感を異ならせることができる。その結果、報知期間においては、特定演出が実行されるか否かに遊技者を注目させることができる。また、報知されたポイント情報から遊技者にとって有利度合いが比較的低い報知条件が設定されるポイントの量が特定されたときであっても、当該ポイントの量から予想されるゲーム数の期待値よりも実際には大きいか否かを、特定演出の実行頻度から推測できるため、報知期間に制御されることに対する期待感を持続させるとともに、面白味のある遊技を提供することができ興趣を向上することができる。
【００１３】
なお、報知期間制御手段により設定された報知条件にしたがって当該報知期間が終了するまでに消化することを期待できるゲーム数であるゲーム数の期待値とは、たとえば、（ｉ）報知期間において消化したゲーム数が決定された終了ゲーム数に到達したことを条件として当該報知期間への制御を終了するスロットマシンにおいて当該終了ゲーム数（ゲーム数そのもの、あるいはゲーム数を特定するナビストック数など）、（ｉｉ）予め決定された継続確率にしたがい報知期間を継続するか否か抽選を実行し、該抽選で当選したことを条件として報知期間への制御を継続するスロットマシンにおいて当該継続確率（ＡＴ継続率など）、（ｉｉｉ）報知期間において事前決定手段の決定結果が所定の結果となり対応する結果情報が報知された回数が規定回数に到達したことを条件として当該報知期間への制御を終了するスロットマシンにおいて当該規定回数（ナビ演出可能回数）、などであってもよい（変形例（２３）参照）。
【００１４】
（２）  前記演出実行手段は、前記報知期間において前記事前決定手段の決定結果が前記所定の結果となったときに、当該所定の結果に対応する結果情報を特定するための演出として予め複数種類定められた結果情報演出（図２８に示す報知態様Ａ〜Ｃ）のうちいずれかを実行する結果情報演出実行手段（サブ制御部９１により実行されるナビ演出実行処理）を含み、
前記結果情報演出実行手段は、前記報知期間において前記事前決定手段の決定結果が前記所定の結果となったときに、前記ゲーム数の期待値に応じた割合で前記複数種類のうち特定種類の結果情報演出（図２８に示す９枚役のナビ演出の報知態様Ａ〜ＣのうちＢあるいはＣ）を前記特定演出として実行する。
【００１５】
このような構成によれば、報知期間においては、結果情報演出が特定種類で実行されるか否かに遊技者を注目させることができる。また、結果情報演出が特定種類で実行される頻度からゲーム数の期待値を推測するといった面白味のある遊技を提供することができ、興趣を向上することができる。
【００１６】
（３）  前記演出実行手段は、前記報知期間において、当該報知期間に制御されていることを示す演出（ＡＲＴ演出）として予め複数種類定められた報知期間中演出（背景が昼、夕方、夜）のうちいずれかを実行する報知期間中演出実行手段（サブ制御部９１により実行される遊技状態演出実行処理）を含み、
前記報知期間中演出実行手段は、前記報知期間において、前記ゲーム数の期待値に応じた割合で前記報知期間中演出の種類を前記複数種類のうち前記特定種類以外の非特定種類（背景が昼）から前記特定種類に変化させる演出を前記特定演出として実行する（図３２参照）。
【００１７】
このような構成によれば、報知期間においては、報知期間中演出が特定種類に変化するか否かによりゲーム数の期待値を推測するといった面白味のある遊技を提供することができ、報知期間中演出が変化することに対し遊技者を注目させることができ、興趣を向上することができる。
【００１８】
（４）  前記ポイント情報報知手段は、前記付与条件が成立して付与されたポイント各々について、当該付与されたポイントの量を示唆するポイント情報として、前記正確ポイント情報を報知する（付与ポイントを報知する制御）か否かを決定する報知決定手段（図１９のＳ１０４）を含み、
前記報知決定手段は、前記正確ポイント情報を報知すると決定する確率が、当該決定の対象となるポイントが付与される以前に前記付与条件が成立して付与されたポイントについて前記正確ポイント情報を報知すると決定したか否かで異なるように、当該決定を行なう（図２２（ａ）、（ｂ）など参照）。
【００１９】
このような構成によれば、付与条件が成立して付与されたポイント各々について正確ポイント情報を報知すると決定する確率を、当該決定の対象となるポイントが付与される以前に付与条件が成立して付与されたポイントについてすでに正確ポイント情報を報知すると決定したか否か、すなわち正確ポイント情報を報知しないと決定されたか否かで異ならせることができる。これにより、正確ポイント情報を報知しないと決定されたか否かに応じて、該決定の対象となるポイント以降に付与条件が成立して付与されたポイントについて正確ポイント情報を報知すると決定する確率を変化させることができる。
【００２０】
なお、前述した報知決定手段は、正確ポイント情報を報知すると決定する確率が、当該決定の対象となるポイントが付与される以前に前記付与条件が成立して付与されたポイントについて正確ポイント情報を報知すると決定されているときよりも正確ポイント情報を報知すると決定されていないときの方が、高くなるように、当該決定を行なうものであってもよい。
【００２１】
この場合、すでに正確ポイント情報を報知すると決定されているとき（すなわち正確ポイント情報を報知しないと決定されていないとき）よりも正確ポイント情報を報知すると決定されていないとき（すなわち正確ポイント情報を報知しないと決定されているとき）の方が、高い確率で正確ポイント情報を報知すると決定されるため、さらに正確ポイント情報を報知しないと決定されてポイント情報から特定されるポイントの量と実際に付与されたポイントの量との差が大きくなり過ぎてしまうこと、およびポイント情報の信頼性が低下し過ぎてしまうことを防止することができる。
【００２２】
（５）  前記ポイント情報報知手段は、前記付与条件が成立して付与されたポイント各々について、当該付与されたポイントの量を示唆するポイント情報として、前記正確ポイント情報を報知する（付与ポイントを報知する制御）か否かを決定する報知決定手段（図１９のＳ１０６）を含み、
前記報知決定手段は、前記正確ポイント情報を報知すると決定する確率が、当該決定以前に報知されたポイント情報から特定されるポイントの量に応じて異なるように、当該決定を行なう（図２３（ａ）、（ｂ）など参照、変形例（Ｃ）参照）。
【００２３】
このような構成によれば、付与条件が成立して付与されたポイント各々について正確ポイント情報を報知すると決定する確率を、当該決定以前に報知されたポイント情報から特定されるポイントの量に応じて異ならせることができる。これにより、報知されたポイント情報から特定されるポイントの量に応じて、以降に付与条件が成立して付与されたポイントについて正確ポイント情報を報知すると決定する確率を変化させることができる。
【００２４】
なお、前述した報知決定手段は、正確ポイント情報を報知すると決定する確率が、当該決定以前に報知されたポイント情報から特定されるポイントの量が、所定量であるときよりも遊技者にとって有利度合いが低い報知条件が設定されるポイントの量であるときの方が、前記所定量であるときよりも正確ポイント情報を報知すると決定する確率が高くなるように、当該決定を行なうものであってもよい。
【００２５】
この場合、ポイント情報から特定されるポイントの量が、遊技者にとって有利度合いが低い報知条件が設定されるポイントの量であるとき程、高い確率で正確ポイント情報を報知すると決定される。一方、ポイント情報から特定されるポイントの量が、遊技者にとって有利度合いが低い報知条件が設定されるポイントの量であるとき程、報知されるポイント情報に対する遊技者の注目度合いが高い。よって、報知されるポイント情報に対する遊技者の注目度合いが高い段階においては、高い確率で正確ポイント情報を報知することにより、付与されたポイントの量に相当する期待感および安心感を高い割合で遊技者に抱かせることができる。
【００２６】
（５’）  前記ポイント情報報知手段は、前記付与条件が成立して付与されたポイント各々について、当該付与されたポイントの量を特定可能な前記ポイント情報を報知するための特定報知制御（付与ポイントを報知する制御）を行なうか否かを決定する報知決定手段（図１９のＳ１０６）を含み、
前記報知決定手段は、前記正確ポイント情報を報知すると決定する確率が、当該決定の対象となるポイントが付与される以前に前記付与条件が成立して付与されたポイントの量に応じて異なるように、当該決定を行なう（図２３（ａ）、（ｂ）など参照）。
【００２７】
このような構成によれば、付与条件が成立して付与されたポイント各々について正確ポイント情報を報知すると決定する確率を、当該決定の対象となるポイントが付与される以前に付与条件が成立して付与されたポイントの量に応じて異ならせることができる。これにより、付与されたポイントの量に応じて、以降に付与条件が成立して付与されたポイントについて正確ポイント情報を報知すると決定する確率を変化させることができる。
【００２８】
なお、前述した報知決定手段は、正確ポイント情報を報知すると決定する確率が、当該決定の対象となるポイントが付与される以前に付与条件が成立して付与されたポイントの量が、所定量であるときよりも遊技者にとって有利度合いが低い報知条件が設定されるポイントの量であるときの方が、前記所定量であるときよりも正確ポイント情報を報知すると決定する確率が高くなるように、当該決定を行なうものであってもよい。
【００２９】
この場合、付与されたポイントの量が、遊技者にとって有利度合いが低い報知条件が設定されるポイントの量であるとき程、高い確率で正確ポイント情報を報知すると決定される。一方、付与されたポイントの量が、遊技者にとって有利度合いが低い報知条件が設定されるポイントの量であるとき程、報知されるポイント情報に対する遊技者の注目度合いが高い。よって、報知されるポイント情報に対する遊技者の注目度合いが高い段階においては、高い確率で正確ポイント情報を報知することにより、付与されたポイントの量に相当する期待感および安心感を高い割合で遊技者に抱かせることができる。
【００３０】
（６）  前記複数種類の入賞のうち特別入賞（ビッグボーナス、レギュラーボーナス）が発生したときに、所定の通常状態よりも遊技者にとって有利な特別遊技状態（ボーナス）に制御する特別遊技状態制御手段（ビッグボーナスあるいはレギュラーボーナスが入賞したときに対応するボーナスに制御するための処理）を備え、
前記付与条件は、前記特別遊技状態に制御されている期間において成立し得る（図２０（ｂ）参照）。
【００３１】
このような構成によれば、特別遊技状態に制御されることに対しより一層大きな期待感を抱かせることができるとともに、特別遊技状態中における遊技の興趣を向上させることができる。
【００３２】
（７）  １ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記可変表示装置に表示結果を導出させるための操作を受付ける導出操作受付手段（ストップスイッチ８Ｌ〜８Ｒ）と、
前記事前決定手段の決定結果および前記導出操作受付手段が受付けた操作に応じて、前記可変表示装置に表示結果を導出させる制御を行なう導出制御手段（リール回転処理）と、
所定の通常状態よりも遊技者にとって有利な有利状態に制御する有利状態制御手段（準備モードにおいて特殊出目が停止したときにＲＴに制御するための処理）と、
前記有利状態において前記事前決定手段の決定結果が複数種類の特定結果のいずれかとなったこと（リプレイ＋転落リプレイ当選時、リプレイ＋転落リプレイ＋ＢＡＲリプレイ当選時）を条件として、当該特定結果の種類に関わらず前記導出制御手段により導出され得る終了表示結果（転落リプレイ）が導出されたときに、前記通常状態に制御する通常状態制御手段（転落リプレイが入賞したときに通常遊技状態に制御するための処理）と、
所定の付与条件（ポイント付与条件）が成立したときにポイントを付与するポイント付与手段（図１９のＳ１０１、Ｓ１０２、Ｓ１１０参照）と、
付与されたポイントを特定するためのポイント特定用情報（付与ポイント総数）を記憶するための記憶手段（ＲＡＭ９１ｃ）と、
遊技の進行における所定の契機（第１ＡＴ抽選の抽選条件成立）で前記ポイント特定用情報から特定されるポイントの量（付与ポイント総数）に応じて、所定の情報（ナビ演出）を報知する報知期間（ＡＴ）に制御される割合および前記報知期間に制御される長さに対する期待値のうち少なくとも一方が異なるように報知条件（図１７および図１８に示す当選率参照）を設定し、該報知条件にしたがって前記報知期間に制御する報知期間制御手段（サブ制御部９１により実行される第１ＡＴ抽選処理、ＡＴ管理処理）と、
情報を報知する報知手段（サブ制御部９１により実行されるナビ演出実行処理）とを備え、
前記導出制御手段は、
前記事前決定手段の決定結果が前記複数種類の特定結果のいずれかとなったときであって、当該特定結果の種類に対応する終了手順で前記導出操作受付手段により操作が受付けられたときには、前記終了表示結果を導出させる制御を行ない、当該特定結果の種類に対応する前記終了手順と異なる回避手順で前記導出操作受付手段により操作が受付けられたときには、前記終了表示結果と異なる表示結果を導出させる制御を行ない（図８（ａ）参照）、
前記事前決定手段の決定結果が複数種類の特殊結果のいずれかとなったとき（９枚役（１）〜９枚役（９）のいずれかに当選時）であって、当該特殊結果の種類に対応する有利手順で前記導出操作受付手段により操作が受付けられたときには、当該特殊結果の種類に対応する前記有利手順と異なる手順で前記導出操作受付手段により操作が受付けられたときに導出させる表示結果よりも遊技者にとって有利な有利表示結果を導出させる制御を行ない（９枚役（１）〜９枚役（９）のいずれかに当選時のリール制御参照）、
前記報知手段は、
前記有利状態において前記事前決定手段の決定結果が前記複数種類の特定結果のいずれかとなったときには、前記報知期間であることを条件として、当該特定結果の種類に対応する特定結果時情報（転落リプレイ当選時において、同時当選しているリプレイの種類に応じたナビ演出）を報知し、
前記有利状態において前記事前決定手段の決定結果が前記複数種類の特殊結果のいずれかとなったときには、前記報知期間であるか否かに関わらず所定の割合にしたがって、当該特殊結果の種類に対応する特殊結果時情報を報知する（図２９、図３０参照）。
【００３３】
このような構成によれば、有利状態に制御されている期間のうち報知期間においては、事前決定手段の決定結果が複数種類の特定結果のいずれかとなったときに、当該特定結果の種類に対応する特定結果時情報が報知されるため、終了表示結果を導出させないように回避手順で操作することができる。よって、有利状態に制御されるときには報知期間に制御されることに対する期待感を抱かせることができる。
【００３４】
このような報知期間には、ポイント特定用情報から特定されるポイントの量に応じて、報知期間に制御される割合および報知期間に制御される長さに対する期待値のうち少なくとも一方が異なるように設定される報知条件にしたがって制御される。よって、報知期間に制御される割合が高い報知条件、あるいは報知期間に制御される長さに対する期待値が大きい報知条件が設定されるポイントの量となることに期待感を抱かせることができる。
【００３５】
また、有利状態に制御されている場合において事前決定手段の決定結果が複数種類の特殊結果のいずれかとなったときには、報知期間であるか否かに関わらず、所定の割合にしたがって当該特殊結果の種類に対応する特殊結果時情報が報知される。このため、報知期間に制御されなかったときでも、有利状態に制御されている期間においては、事前決定手段の決定結果が複数種類の特殊結果のいずれかとなったときに、所定の割合で有利表示結果を導出させるように有利手順で操作することができる。その結果、付与されたポイントの量が報知期間に制御される割合が高い報知条件が設定されるポイントの量とならず報知期間に制御されなかったことや、付与されたポイントの量が報知期間に制御される長さに対する期待値が大きい報知条件が設定されるポイントの量とならず比較的短い期間で報知期間が終了してしまったことなどに対し、遊技者が抱く不快感を軽減することができ、遊技の興趣を極端に低下させてしまう不都合の発生を防止することができる。
【００３６】
（８）  １ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記可変表示装置に表示結果を導出させるための操作を受付ける導出操作受付手段（ストップスイッチ８Ｌ〜８Ｒ）と、
前記事前決定手段の決定結果および前記導出操作受付手段が受付けた操作に応じて、前記可変表示装置に表示結果を導出させる制御を行なう導出制御手段（リール回転処理）と、
所定の通常状態よりも遊技者にとって有利な有利状態に制御する有利状態制御手段（準備モードにおいて特殊出目が停止したときにＲＴに制御するための処理）と、
前記有利状態において前記事前決定手段の決定結果が複数種類の特定結果のいずれかとなったこと（リプレイ＋転落リプレイ当選時、リプレイ＋転落リプレイ＋ＢＡＲリプレイ当選時）を条件として、当該特定結果の種類に関わらず前記導出制御手段により導出され得る終了表示結果（転落リプレイ）が導出されたときに、前記通常状態に制御する通常状態制御手段（転落リプレイが入賞したときに通常遊技状態に制御するための処理）と、
所定の付与条件（ポイント付与条件）が成立したときにポイントを付与するポイント付与手段（図１９のＳ１０１、Ｓ１０２、Ｓ１１０参照）と、
付与されたポイントを特定するためのポイント特定用情報（付与ポイント総数）を記憶するための記憶手段（ＲＡＭ９１ｃ）と、
遊技の進行における所定の契機（第１ＡＴ抽選の抽選条件成立）で前記ポイント特定用情報から特定されるポイントの量（付与ポイント総数）に応じて遊技者にとって有利度合いが異なるように報知条件（図１７および図１８に示す当選率参照）を設定し、該報知条件にしたがって所定の情報を報知する報知期間に制御する報知期間制御手段（サブ制御部９１により実行される第１ＡＴ抽選処理、ＡＴ管理処理）と、
前記有利状態に制御されている期間のうち前記報知期間であることを条件として、前記有利状態において前記事前決定手段の決定結果が前記複数種類の特定結果のいずれかとなったときに、当該特定結果の種類に対応する特定結果時情報を報知する報知手段（サブ制御部９１により実行されるナビ演出実行処理）とを備え、
前記導出制御手段は、前記事前決定手段の決定結果が前記複数種類の特定結果のいずれかとなったときであって、当該特定結果の種類に対応する終了手順で前記導出操作受付手段により操作が受付けられたときには、前記終了表示結果を導出させる制御を行ない、当該特定結果の種類に対応する前記終了手順と異なる回避手順で前記導出操作受付手段により操作が受付けられたときには、前記終了表示結果と異なる表示結果を導出させる制御を行ない（図８（ａ）参照）、
前記報知期間制御手段は、前記所定の契機における前記ポイント特定用情報から特定されるポイントの量が同じであっても、前記付与条件とは異なる所定の報知促進条件が成立しているときには、当該報知促進条件が成立していないときよりも遊技者にとって有利度合いが高くなるように報知条件を設定する（図２７参照）。
【００３７】
このような構成によれば、有利状態に制御されている期間のうち報知期間においては、事前決定手段の決定結果が複数種類の特定結果のいずれかとなったときに、当該特定結果の種類に対応する特定結果時情報が報知されるため、終了表示結果を導出させないように回避手順で操作することができる。よって、有利状態に制御されるときには報知期間に制御されることに対する期待感を抱かせることができる。
【００３８】
このような報知期間には、ポイント特定用情報から特定されるポイントの量に応じて遊技者にとって有利度合いが異なるように設定される報知条件にしたがって制御される。よって、遊技者にとって有利な報知条件が設定されるポイントの量となることに期待感を抱かせることができる。
【００３９】
また、付与条件とは異なる所定の報知促進条件が成立しているときには、当該報知促進条件が成立していないときよりも遊技者にとって有利度合いが高くなるように報知条件を設定される。このため、付与されたポイントの量が遊技者にとって有利度合いが高い報知条件が設定されるポイントの量とならなかったときであっても、報知促進条件が成立することにより報知期間に制御されることに対する期待感を遊技者に抱かせることができる。
【００４０】
（９−ａ）  前述した報知期間制御手段は、前記ポイント特定用情報から特定されるポイントの量が少ないときよりも多いときの方が、遊技者にとって有利度合いが高くなるように、前記報知条件を設定し（図１７、図１８参照）、
前記ポイント情報報知手段は、付与されたポイントの量を正しく特定可能な正確ポイント情報、または、付与されたポイントの量よりも少ないポイントの量を特定可能な不正確ポイント情報を報知する（図２２、図２３参照）ものであってもよい。
【００４１】
この場合には、ポイント情報から特定されるポイントの量よりも多いポイントの量が付与されているかもしれないといった期待感を遊技者に抱かせることができる。その結果、報知期間に制御されることに対し、報知されたポイント情報から特定されるポイントの量よりも大きな期待感を抱かせることができる。また、報知されたポイント情報から比較的少ないポイントの量が特定されたときであっても、当該ポイントの量よりも多いポイントの量が実際には付与されているかもしれないため、報知期間に制御されることに対する期待感を持続させることができる。
【００４２】
（９−ｂ）  前述した報知期間制御手段は、前記ポイント特定用情報から特定されるポイントの量が多いときよりも少ないときの方が、遊技者にとって有利度合いが高くなるように、前記報知条件を設定し、
前記ポイント情報報知手段は、付与されたポイントの量を特定可能な正確ポイント情報、または、付与されたポイントの量よりも多いポイントの量を特定可能な不正確ポイント情報を報知するものであってもよい（変形例（Ｉ）参照）。
【００４３】
この場合には、ポイント情報から特定されるポイントの量よりも実際に付与されているポイントの量が少ないかもしれないといった期待感を遊技者に抱かせることができる。その結果、報知期間に制御されることに対し、報知されたポイント情報から特定されるポイントの量よりも大きな期待感を抱かせることができる。また、報知されたポイント情報から比較的多いポイントの量が特定されたときであっても、当該ポイントの量よりも実際に付与されているポイントの量が少ないかもしれないため、報知期間に制御されることに対する期待感を持続させることができる。
【００４４】
（９−ｃ）  前記ポイント情報報知手段は、前記付与条件の成立に伴って前記ポイント付与手段によりポイントが付与されることを条件として、当該付与されたポイントの量を正しく特定可能な正確ポイント情報、または、当該付与されたポイントの量よりも遊技者にとって有利度合いが低い報知条件が前記報知期間制御手段により設定されるポイントの量を特定可能な不正確ポイント情報を報知するものであってもよい。
【００４５】
この場合には、ポイント付与手段によりポイントが付与される毎に報知されるポイント情報から特定されるポイントの量に応じて、報知期間に制御されることに対する期待感を段階的に変化させることができる。また、ポイント付与手段によりポイントが付与される毎に報知されるポイント情報から、現在までのポイントの合計量を遊技者自身が算出して記憶するといった面白みを付加することができる。
【００４６】
（９−ｄ）  前記ポイント情報報知手段は、前記付与条件の成立に伴って前記ポイント付与手段によりポイントが付与されるときに、当該付与された正しいポイントの量を当該付与条件が成立するまでに報知したポイント情報から特定されるポイントの量に加算した合計量を特定可能なポイント情報、または、当該付与されたポイントの量よりも遊技者にとって有利度合いが低い報知条件が前記報知期間制御手段により設定される不正確なポイントの量を当該付与条件が成立するまでに報知したポイント情報から特定されるポイントの量に加算した合計量を特定可能なポイント情報を報知するものであってもよい。
【００４７】
この場合には、ポイント付与手段によりポイントが付与される毎に報知されるポイント情報から特定されるポイントの合計量に応じて、報知期間に制御されることに対する期待感を段階的に変化させることができる。また、報知されたポイントの合計量を容易に遊技者に認識させることができる。
【００４８】
（９−ｅ）  報知条件とは、報知期間への制御に関与する条件であればよい。報知条件は、たとえば、報知期間を開始させるか否かに関与する条件であってもよい。報知期間を開始させるか否かに関与する報知条件としては、より具体的に、（ア）報知期間に制御すると決定されたことを条件として報知期間に制御するスロットマシンにおいて報知期間に制御すると決定する割合、（イ）消化したゲーム数が決定された到達ゲーム数に到達したことを条件として報知期間に制御するスロットマシンにおいて報知期間への制御を開始するまでの到達ゲーム数を決定する割合、（ウ）事前決定手段の決定結果が所定の結果となったときに有利表示結果を導出させた有利手順回数が決定された到達回数に到達したことを条件として報知期間に制御するスロットマシンにおいて報知期間への制御を開始するまでの到達回数を決定する割合、などであってもよい（変形例（１８）参照）。
【００４９】
上記（ア）の場合、ポイント特定用情報から特定されるポイントの量が遊技者にとって有利度合いが高い程（たとえばポイントが多い程）、遊技者にとって有利度合いが高くなるように、前記報知期間制御手段は、高い割合で報知期間に制御すると決定する報知条件を設定する（たとえば、図１７の「０〜２」の当選率と「６〜９」の当選率など参照）。上記（イ）の場合、ポイント特定用情報から特定されるポイントの量が遊技者にとって有利度合いが高い程（たとえばポイントが多い程）、遊技者にとって有利度合いが高くなるように、前記報知期間制御手段は、より少ない到達ゲーム数を高い割合で決定する報知条件を設定する（変形例（１８）参照）。上記（ウ）の場合、ポイント特定用情報から特定されるポイントの量が遊技者にとって有利度合いが高い程（たとえばポイントが多い程）、遊技者にとって有利度合いが高くなるように、前記報知期間制御手段は、より少ない到達回数を高い割合で決定する報知条件を設定する（変形例（１８）参照）。
【００５０】
また、報知条件は、たとえば、報知期間に制御する期間に関与する条件であってもよい。報知期間に制御する期間に関与する報知条件としては、より具体的に、（エ）報知期間において消化したゲーム数が決定された終了ゲーム数に到達したことを条件として当該報知期間への制御を終了するスロットマシンにおいて終了ゲーム数を決定する割合、（オ）報知期間において予め決定された終了確率にしたがい終了抽選を実行し、該終了抽選で当選したことを条件として当該報知期間への制御を終了するスロットマシンにおいて終了確率を決定する割合、（カ）報知期間において事前決定手段の決定結果が所定の結果となり対応する結果情報が報知された回数が規定回数に到達したことを条件として当該報知期間への制御を終了するスロットマシンにおいて規定回数を決定する割合、などであってもよい（変形例（１８）参照）。
【００５１】
上記（エ）の場合、ポイント特定用情報から特定されるポイントの量が遊技者にとって有利度合いが高い程（たとえばポイントが多い程）、遊技者にとって有利度合いが高くなるように、前記報知期間制御手段は、より多い終了ゲーム数を高い割合で決定する報知条件を設定する（たとえば、図１７の「０〜２」の当選率と「６〜９」の当選率など参照）。上記（オ）の場合、ポイント特定用情報から特定されるポイントの量が遊技者にとって有利度合いが高い程（たとえばポイントが多い程）、遊技者にとって有利度合いが高くなるように、前記報知期間制御手段は、より低い終了確率を高い割合で決定する報知条件を設定する（変形例（１８）参照）。上記（カ）の場合、ポイント特定用情報から特定されるポイントの量が遊技者にとって有利度合いが高い程（たとえばポイントが多い程）、遊技者にとって有利度合いが高くなるように、前記報知期間制御手段は、より多い規定回数を高い割合で決定する報知条件を設定する（変形例（１８）参照）。
【００５２】
また、報知条件は、たとえば、（キ）報知期間において事前決定手段の決定結果が所定の結果となったときに対応する結果情報を報知するか否かを抽選し、当選したときに報知するスロットマシンにおいて、当選確率を決定する割合、などであってもよい。上記（キ）の場合、ポイント特定用情報から特定されるポイントの量が遊技者にとって有利度合いが高い程（たとえばポイントが多い程）、遊技者にとって有利度合いが高くなるように、前記報知期間制御手段は、より高い当選確率を高い割合で決定する報知条件を設定する（変形例（１８）参照）。
【００５３】
報知条件は、上記（ア）〜（キ）のいずれであってもよく、また上記（ア）〜（キ）のうち選択的に組合されたものであってもよい。報知条件が上記（ア）〜（キ）のいずれか、また選択的に組合されたものであっても、ポイント特定用情報から特定されるポイントの量が遊技者にとって有利度合いが高い程（たとえばポイントが多い程）、遊技者にとって有利度合いが高くなるように報知条件が設定されるため、遊技者は期待感を抱きながら遊技を進行させることができ、遊技の興趣を向上させることができる。
【００５４】
また、上記報知条件として（イ）または（ウ）を採用するスロットマシンにおいては、前記報知条件にしたがって、事前決定手段の決定結果が前記所定の結果のうち特定結果となったときに導出され得る所定の終了表示結果が導出されると前記通常状態になり得る遊技状態に制御されている期間のうち前記報知期間以外において、前記特定結果に対応する結果情報を報知する期間外報知可能期間に制御する期間外報知可能期間制御手段と、
前記期間外報知可能期間であることを条件として、前記事前決定手段の決定結果が前記特定結果となったときに当該特定結果に対応する結果情報を報知する期間外報知手段とを備えるものであってもよく、この場合における、報知期間を開始させるか否かに関与する報知条件としては、さらに以下に説明する技術的事項を備えるものであってもよい。
【００５５】
報知期間を開始させるか否かに関与する報知条件としては、（ク）期間外報知可能期間において消化したゲーム数が決定された期間外終了ゲーム数に到達したことを条件として当該期間外報知可能期間への制御を終了するスロットマシンにおいて期間外終了ゲームを決定する割合、（ケ）期間外報知可能期間において予め決定された期間外終了確率にしたがい期間外終了抽選を実行し、該期間外終了抽選で当選したことを条件として当該期間外報知可能期間への制御を終了するスロットマシンにおいて期間外終了確率を決定する割合、（コ）期間外報知可能期間において事前決定手段の決定結果が特定結果となり対応する結果情報が報知された回数が期間外規定回数に到達したことを条件として当該期間外報知可能期間への制御を終了するスロットマシンにおいて期間外規定回数を決定する割合、などであってもよい（変形例（１９）参照）。
【００５６】
上記（ク）の場合、ポイント特定用情報から特定されるポイントの量が遊技者にとって有利度合いが高い程（たとえばポイントが多い程）、遊技者にとって有利度合いが高くなるように、前記報知期間制御手段は、より多い期間外終了ゲーム数を高い割合で決定する報知条件を設定する（変形例（１９）参照）。上記（ケ）の場合、ポイント特定用情報から特定されるポイントの量が遊技者にとって有利度合いが高い程（たとえばポイントが多い程）、遊技者にとって有利度合いが高くなるように、前記報知期間制御手段は、より低い期間外終了確率を高い割合で決定する報知条件を設定する（変形例（１９）参照）。上記（コ）の場合、ポイント特定用情報から特定されるポイントの量が遊技者にとって有利度合いが高い程（たとえばポイントが多い程）、遊技者にとって有利度合いが高くなるように、前記報知期間制御手段は、より多い期間外規定回数を高い割合で決定する報知条件を設定する（変形例（１９）参照）。
【００５７】
また、報知条件は、たとえば、（サ）期間外報知可能期間において事前決定手段の決定結果が特定結果となったときに対応する結果情報を報知するか否かを抽選し、当選したときに報知するスロットマシンにおいて、当選確率を決定する割合、などであってもよい。上記（サ）の場合、ポイント特定用情報から特定されるポイントの量が遊技者にとって有利度合いが高い程（たとえばポイントが多い程）、遊技者にとって有利度合いが高くなるように、前記報知期間制御手段は、より高い当選確率を高い割合で決定する報知条件を設定する（変形例（１９）参照）。
【００５８】
上記の期間外報知可能期間制御手段と、期間外報知手段とを備えるスロットマシンにおける報知条件は、上記（ア）〜（キ）および上記（ク）〜（サ）のいずれであってもよく、また上記（ア）〜（キ）および上記（ク）〜（サ）のうち選択的に組合されたものであってもよい。報知条件が上記（ア）〜（キ）および上記（ク）〜（サ）のいずれか、また選択的に組合されたものであっても、ポイント特定用情報から特定されるポイントの量が遊技者にとって有利度合いが高い程（たとえばポイントが多い程）、遊技者にとって有利度合いが高くなるように報知条件が設定されるため、遊技者は期待感を抱きながら遊技を進行させることができ、遊技の興趣を向上させることができる。
【００５９】
（９−ｆ）  前記事前決定手段の決定結果が所定の結果となった場合において、当該所定の結果に対応して予め定められた有利手順で前記導出操作受付手段により操作が受付けられたときに導出される有利表示結果は、前記有利手順と異なる手順で前記導出操作受付手段により操作が受付けられたときに導出される表示結果（以下では、非有利表示結果ともいう）よりも、（ｉ）遊技者が獲得する遊技価値（メダル）が多くなる点、（ｉｉ）当該ゲーム以降のゲームにおいて有利な遊技状態に制御される点、あるいは（ｉｉｉ）当該ゲーム以降のゲームにおいて不利な遊技状態へ制御されない点の少なくともいずれかにおいて、遊技者にとって有利度合いが高くなるような表示結果であればよい（変形例（Ｏ）参照）。
【００６０】
更に上記（ｉ）〜（ｉｉｉ）の３点において有利表示結果を導出させる手順が異なる場合には、上記（ｉ）〜（ｉｉｉ）の３点を総合的に判断すればよい。
【００６１】
つまり、有利表示結果が非有利表示結果よりも遊技者にとって有利度合いが高くなるとは、事前決定手段の決定結果が所定の結果となったゲームにおいて遊技者が獲得する遊技価値が有利表示結果よりも非有利表示結果の方が多く、非有利表示結果となるときと比較して有利表示結果となることにより損失が生じる場合であっても、有利表示結果となってその後の有利な遊技状態に制御される結果として有利な遊技状態に制御されなかった場合と比較して遊技者が当該損失以上の遊技価値を獲得する場合である。
【００６２】
また、有利表示結果が非有利表示結果よりも遊技者にとって有利度合いが高くなるとは、事前決定手段の決定結果が所定の結果となったゲームにおいて遊技者が獲得する遊技価値が有利表示結果よりも非有利表示結果の方が多く、非有利表示結果となるときと比較して有利表示結果となることにより損失が生じる場合であっても、非有利表示結果とならずに不利な遊技状態へ制御されない結果として不利な遊技状態に制御された場合と比較して遊技者が当該損失以上の遊技価値を獲得する場合である。
【００６３】
また、有利表示結果が非有利表示結果よりも遊技者にとって有利度合いが高くなるとは、非有利表示結果となった後の遊技状態の方が有利表示結果となった後の遊技状態よりも遊技者が獲得する遊技価値が多く、非有利表示結果となった後と比較して有利表示結果となったことによりその後において損失が生じる場合であっても、当該ゲームにおいて遊技者が獲得する遊技価値が非有利表示結果よりも有利表示結果の方が多い結果として非有利表示結果となった場合と比較してその後に生じる当該損失以上の遊技価値を当該ゲームにおいて遊技者が獲得する場合である。
【００６４】
また、前述した導出制御手段は、前記事前決定手段の決定結果が所定の結果となった場合において、当該所定の結果に対応して予め定められた有利手順で前記導出操作受付手段により操作が受付けられたときには、前記有利手順と異なる手順で前記導出操作受付手段により操作が受付けられたときよりも、表示結果を導出させる制御として、遊技者にとって有利度合いが高くなる制御を行なうものであればよい（変形例（Ｏ）参照）。
【００６５】
また、上記の導出制御手段は、有利手順で導出操作受付手段により操作が受付けられたときに、有利表示結果を導出させる制御を行ない、有利手順と異なる手順で導出操作受付手段により操作が受付けられたときに有利表示結果を導出させない制御を行なうものであってもよい。
【００６６】
また、上記の導出制御手段は、有利手順で導出操作受付手段により操作が受付けられたときに、非有利表示結果を導出させない制御を行ない、有利手順と異なる手順で導出操作受付手段により操作が受付けられたときに非有利表示結果を導出させる制御を行なうものであってもよい。
【００６７】
また、上記の導出制御手段は、有利手順で導出操作受付手段により操作が受付けられたときには、有利手順と異なる手順で導出操作受付手段により操作が受付けられたときより、有利表示結果が導出される割合が高くなるように制御を行なうものであってもよい。
【００６８】
また、上記の導出制御手段は、有利手順で導出操作受付手段により操作が受付けられたときには、有利手順と異なる手順で導出操作受付手段により操作が受付けられたときより、非有利表示結果が導出される割合が低くなるように制御を行なうものであってもよい。
【００６９】
より具体的には、以下の制御であればよい。
（９−ｆ−１）  所定の結果に対応する有利手順と異なる手順で操作が受付けられたときに非有利表示結果を導出させる制御を行ない、所定の結果に対応する有利手順で操作が受付けられたときに非有利表示結果が導出されたときよりも多い遊技価値（メダル）が付与（払出）される有利表示結果を導出させる制御を行なうものであってもよい（変形例（Ｏ−１）参照）。これにより、事前決定手段の決定結果が所定の結果となったゲームにおいて、有利手順で操作されたときの方が、有利手順と異なる手順で操作されたときよりも、遊技者が獲得する遊技価値が多くなる点で、遊技者にとって有利度合いが高くなるといえる。
【００７０】
（９−ｆ−２）  所定の結果に対応する有利手順と異なる手順で操作が受付けられたときに非有利表示結果を導出させる制御を行ない、所定の結果に対応する有利手順で操作が受付けられたときに、非有利表示結果が導出された後の状態よりも遊技者にとって有利な状態となる有利表示結果を導出させる制御を行なうものであってもよい（変形例（Ｏ−２）参照）。
【００７１】
より具体的に、たとえば、所定の遊技状態において、所定の結果に対応する有利手順と異なる手順で操作が受付けられたときに遊技状態の移行を伴なわない非有利表示結果を導出させる制御を行ない、所定の結果に対応する有利手順で操作が受付けられたときに、当該所定の遊技状態よりも遊技者にとって有利な遊技状態（たとえば、ＲＴなど）への移行を伴なう有利表示結果を導出させる制御を行なうものであってもよい（変形例（Ｏ−２）参照）。なお、この場合には、非有利表示結果が導出されたときとに遊技者が獲得する遊技価値と、有利表示結果が導出されたときに遊技者が獲得する遊技価値との大小は問わない。これにより、事前決定手段の決定結果が所定の結果となったゲームにおける有利度合いは別にして、有利手順で操作されたときの方が、有利手順と異なる手順で操作されたときよりも、当該ゲーム以降のゲームにおいて、有利な遊技状態に制御される点で、遊技者にとって有利度合いが高くなるといえる。
【００７２】
また、たとえば、所定の遊技状態において、所定の結果に対応する有利手順と異なる手順で操作が受付けられたときに所定の遊技状態よりも遊技者にとって不利な遊技状態（たとえば不利ＲＴなど）への移行を伴なう非有利表示結果を導出させる制御を行ない、所定の結果に対応する有利手順で操作が受付けられたときに遊技状態の移行を伴なわない有利表示結果を導出させる制御を行なうものであってもよい（変形例（Ｏ−２）参照）。なお、この場合においても、非有利表示結果が導出されたときとに遊技者が獲得する遊技価値と、有利表示結果が導出されたときに遊技者が獲得する遊技価値との大小は問わない。これにより、事前決定手段の決定結果が所定の結果となったゲームにおける有利度合いは別にして、有利手順で操作されたときの方が、有利手順と異なる手順で操作されたときよりも、当該ゲーム以降のゲームにおいて不利な遊技状態へ制御されない点で、遊技者にとって有利度合いが高くなるといえる。
【００７３】
（９−ｆ−３）  所定の結果に対応する有利手順と異なる手順で操作が受付けられたときに所定の非有利割合で有利表示結果を導出させる制御を行ない、所定の結果に対応する有利手順で操作が受付けられたときに、所定の非有利割合よりも高い所定の有利割合で有利表示結果を導出させる制御を行なうものであってもよい（変形例（Ｏ−３）参照）。有利表示結果は、（９−ｆ−１）および（９−ｆ−２）で示した有利表示結果などであってもよい。これにより、事前決定手段の決定結果が所定の結果となった場合、有利手順で操作されたときの方が、有利手順と異なる手順で操作されたときよりも、高い割合で、遊技者が獲得する遊技価値が多くなる点、当該ゲーム以降のゲームにおいて有利な遊技状態に制御される点、あるいは当該ゲーム以降のゲームにおいて不利な遊技状態へ制御されない点の少なくともいずれかにおいて、遊技者にとって有利度合いが高くなるといえる。
【００７４】
また、所定の結果に対応する有利手順と異なる手順で操作が受付けられたときに、所定の非有利割合で所定の非有利量の遊技価値の付与を伴なう入賞表示結果を導出させる制御を行ない、所定の結果に対応する有利手順で操作が受付けられたときに、所定の有利割合で所定の有利量の遊技価値の付与を伴なう入賞表示結果を導出させる制御を行なうもので、かつ非有利割合、非有利量、有利割合、および有利量が（有利割合）×（有利量）＞（非有利割合）×（非有利量）の関係を満たすものあってもよい（変形例（Ｏ−３）参照）。これにより、事前決定手段の決定結果が所定の結果となった場合、有利手順で操作されたときの方が、有利手順と異なる手順で操作されたときよりも、遊技者が獲得する遊技価値の量の期待値が大きくなる点において、遊技者にとって有利度合いが高くなるといえる。
【００７５】
（９−ｇ）  前述した報知期間制御手段は、遊技の進行における所定の契機で前記ポイント特定用情報から特定されるポイントの量から一義的に特定される長さ（ナビストック数、所定ゲーム数消化する期間、ナビ演出を所定回数実行する期間など）に亘り、所定の情報を報知する報知期間に制御するものであってもよい（変形例（Ｐ）参照）。たとえば、報知期間制御手段は、前記ポイント特定用情報から特定されるポイントの量が少ないときよりも多いときの方が長く前記報知期間に制御するものであってもよく、または、前記ポイント特定用情報から特定されるポイントの量が多いときよりも少ないときの方が長く前記報知期間に制御するものであってもよい。このように構成した場合であっても、上記同様の効果を奏する。
【００７６】
（１０）  前記付与条件は、所定のポイント付与抽選（ボーナス以外でかつ高確率状態である場合においてメロン当選したときに実行される所定の抽選、ボーナス中であるときにおいてメロン当選したときに実行される所定の抽選）で当選したときに成立し（図２０（ａ）、（ｂ）参照）、
前記報知期間制御手段は、付与されたポイントの量が少ないときよりも多いときの方が、遊技者にとって有利度合いが高くなるように報知条件を設定し（図１７、図１８参照）、
前記ポイント情報報知手段は、前記ポイント付与抽選で当選しポイントが付与されたことに応じて前記ポイント特定用情報が記憶されたときであっても（図１９のＳ１０２など）、当該ポイント付与抽選では当選しておらずポイントが付与されなかったときと同じ制御（図１９のＳ１０４およびＳ１０６において報知しないに決定されたときには、Ｓ１０７でＮＯと判定されてＳ１０８、Ｓ１０９の処理を行なわない）を行なうことにより、付与されたポイントの量よりも少ないポイントの量を特定可能なポイント情報を報知する（図１９参照）。
【００７７】
このような構成によれば、ポイントが付与されなかったときと同じ制御が行なわれたときであっても、実際にはポイント付与抽選で当選しポイントが付与されていることに対する期待感を遊技者に抱かせることができ、遊技の興趣を向上させることができる。
【００７８】
なお、ポイント付与抽選では当選しておらずポイントが付与されなかったときと同じ制御とは、上記（９−ｃ）の構成を備える場合には今回の付与条件の成立に起因してポイント情報を報知しない制御をいい、上記（９−ｄ）の構成を備える場合には今回の付与条件が成立するまでに報知したポイント情報から特定されるポイントの量を特定可能なポイント情報を継続して報知する制御をいう。
【００７９】
（１０’）  前記付与条件は、所定のポイント付与抽選（ボーナス以外でかつ高確率状態である場合においてメロン当選したときに実行される所定の抽選、ボーナス中であるときにおいてメロン当選したときに実行される所定の抽選）で当選したときに成立し（図２０（ａ）、（ｂ）参照）、
前記報知期間制御手段は、付与されたポイントの量が多いときよりも少ないときの方が、遊技者にとって有利度合いが高くなるように報知条件を設定し、
前記ポイント情報報知手段は、前記ポイント付与抽選で当選せずポイントが付与されなかったときであっても、当該ポイント付与抽選では当選しポイントが付与されたときと同じ制御を行なうことにより、実際よりも多いポイントの量を特定可能なポイント情報を報知するものであってもよい（変形例（Ｉ）参照）。
【００８０】
このような構成によれば、ポイントが付与されたときと同じ制御が行なわれたときであっても、実際にはポイント付与抽選で当選せずポイントが付与されていないことに対する期待感を遊技者に抱かせることができ、遊技の興趣を向上させることができる。
【００８１】
なお、ポイント付与抽選では当選しポイントが付与されたときと同じ制御とは、上記（９−ｃ）の構成を備える場合には付与条件の成立に関わらず所定量のポイントに対応するポイント情報を報知する制御をいい、上記（９−ｄ）の構成を備える場合にはすでに報知したポイント情報から特定されるポイントの量に所定量のポイントを加算した合計量を特定可能なポイント情報を特定可能なポイント情報に更新する制御をいう。
【００８２】
（１１）  前記ポイント付与手段は、付与するポイントの数を決定し（図１９のＳ１０２、図２１参照）、
前記報知期間制御手段は、付与されたポイントの量が少ないときよりも多いときの方が、遊技者にとって有利度合いが高くなるように報知条件を設定し（図１７、図１８参照）、
前記ポイント情報報知手段は、付与するポイントの量に応じて前記ポイント特定用情報が記憶されたときであっても、当該付与するポイントの量よりも少ないポイントの量が付与されたときと同じ制御（図１９のＳ１０４およびＳ１０６において報知ポイントとして少ないポイントに決定されたときには、該決定されたポイントが付与されたようにＳ１０８の処理が行なわれる）を行なうことにより、付与されたポイントの量よりも少ないポイントの量を特定可能なポイント情報を報知する（図１９参照）。
【００８３】
このような構成によれば、少ないポイントしか付与されなかったときと同じ制御が行なわれたときであっても、実際にはより多いポイントが付与されていることに対する期待感を遊技者に抱かせることができ、遊技の興趣を向上させることができる。
【００８４】
なお、付与するポイントの量よりも少ないポイントの量が付与されたときと同じ制御とは、上記（９−ｃ）の構成を備える場合には今回の付与条件の成立に起因して付与されたポイントの量よりも少ないポイントの量を特定可能なポイント情報を報知する制御をいい、上記（９−ｄ）の構成を備える場合には今回の付与条件が成立するまでに報知したポイント情報から特定されるポイントの量に、今回の付与条件の成立に起因して付与されたポイントの量よりも少ないポイントの量を加算した合計量を特定可能なポイント情報を報知する制御をいう。
【００８５】
（１１’）  前記ポイント付与手段は、付与するポイントの数を決定し（図１９のＳ１０２、図２１参照）、
前記報知期間制御手段は、付与されたポイントの量が多いときよりも少ないときの方が、遊技者にとって有利度合いが高くなるように報知条件を設定し、
前記ポイント情報報知手段は、付与するポイントの量に応じて前記ポイント特定用情報が記憶されたときであっても、当該ポイントの量よりも多いポイントの量が付与されたときと同じ制御を行なうことにより、付与されたポイントの量よりも多いポイントの量を特定可能なポイント情報を報知するものであってもよい（変形例（Ｉ）参照）。
【００８６】
このような構成によれば、多いポイントが付与されたときと同じ制御が行なわれたときであっても、実際にはより少ないポイントあるいはポイントが付与されていないことに対する期待感を遊技者に抱かせることができ、遊技の興趣を向上させることができる。
【００８７】
なお、付与されたポイントの量よりも多いポイントの量が付与されたときと同じ制御とは、上記（９−ｃ）の構成を備える場合には今回の付与条件の成立に起因して付与されたポイントの量よりも多いポイントの量を特定可能なポイント情報を報知する制御をいい、上記（９−ｄ）の構成を備える場合には今回の付与条件が成立するまでに報知したポイント情報から特定されるポイントの量に、今回の付与条件の成立に起因して付与されたポイントの量よりも多いポイントの量を加算した合計量を特定可能なポイント情報を報知する制御をいう。
【００８８】
（１２）  前記複数種類の入賞のうち特別入賞が発生したときに、所定の通常状態よりも遊技者にとって有利な特別遊技状態に制御する特別遊技状態制御手段（ビッグボーナスあるいはレギュラーボーナスが入賞したときに対応するボーナスに制御するための処理）と、
前記特別遊技状態が終了したときに、所定の準備状態に制御する準備状態制御手段（ボーナス終了後に準備モードに制御するための処理）と、
前記準備状態において所定の有利条件が成立したときに、前記通常状態および前記準備状態のいずれよりも遊技者にとって有利な有利状態に制御する有利状態制御手段（準備モードにおいて特殊出目が停止したときにＲＴに制御するための処理）と、
前記準備状態あるいは前記有利状態において前記事前決定手段の決定結果が前記所定の結果のうち特定結果（リプレイ＋転落リプレイ当選時、リプレイ＋転落リプレイ＋ＢＡＲリプレイ当選時）となったことを条件として前記導出制御手段により導出され得る終了表示結果（転落リプレイ）が導出されたときに、前記通常状態に制御する通常状態制御手段（転落リプレイが入賞したときに通常遊技状態に制御するための処理）とを備え、
前記導出制御手段は、前記事前決定手段の決定結果が前記特定結果となったときであって、当該特定結果に対応する有利手順で前記導出操作受付手段により操作が受付けられたときには、前記終了表示結果と異なる表示結果を前記有利表示結果として導出させる制御を行ない、当該特定結果に対応する前記有利手順と異なる手順で前記導出操作受付手段により操作が受付けられたときには、前記終了表示結果を導出させる制御を行ない（図８（ａ）参照）、
前記結果情報報知手段は、前記準備状態あるいは前記有利状態に制御されている期間のうち前記報知期間であること（ＡＴ準備モード、ＡＲＴ）を条件として、前記事前決定手段の決定結果が前記特定結果となったときに、当該特定結果に対応する結果情報（転落リプレイ当選時において、同時当選しているリプレイの種類に応じたナビ演出）を報知する（サブ制御部９１により実行されるナビ演出実行処理）。
【００８９】
このような構成によれば、特別遊技状態が終了した後においては、準備状態に制御し、当該準備状態において有利条件が成立すれば有利状態に制御し、当該準備状態において終了表示結果が導出されると通常状態に制御される。このため、特別遊技状態終了後の準備状態において終了表示結果が導出されるよりも先に有利条件が成立した場合に、有利状態に制御される。
【００９０】
準備状態から有利状態への移行を阻止する終了表示結果は、事前決定手段の決定結果が特定結果となったときに、特定結果に対応する有利手順で操作されたときには導出されず、有利手順と異なる手順で操作されたときに導出される。
【００９１】
また、準備状態に制御されている期間のうち報知期間においては、事前決定手段の決定結果が特定結果となったときに、当該特定結果に対応する結果情報が報知される。
【００９２】
以上より、有利状態の前段階の遊技状態として準備状態に制御させ、当該準備状態において終了表示結果が導出されるよりも先に有利条件が成立した場合に有利状態に制御される。この準備状態において、報知期間に制御されているときには、報知される特定結果に対応する結果情報に基づき有利手順で操作することにより、意図的に終了表示結果が導出されることを回避しつつ、有利条件の成立を待ちながら遊技を進行することができる。一方、準備状態であっても報知期間に制御されていないときには、報知手段により特定結果に対応する結果情報が報知されないために意図的に終了表示結果が導出されることを回避することができず、有利条件が成立するより先に終了表示結果が導出されて有利状態に制御されずに通常状態に制御されてしまう可能性が高まる。その結果、有利状態の前段階となる準備状態において報知期間に制御されるか否かにより遊技者にとっての有利度合いにメリハリをつけることができ、報知期間に制御されることに対する期待感を効果的に高め、遊技の興趣を向上させることができる。
【００９３】
また、有利状態においても同様に、報知期間においては、事前決定手段の決定結果が特定結果となったときに、当該特定結果に対応する結果情報が報知される。このため、有利状態に制御されている期間のうち報知期間においては、報知される結果情報に基づき有利手順で操作することにより、意図的に終了表示結果が導出されることを回避しつつ、当該有利状態に継続して制御させることができる。一方、有利状態に制御されている期間のうち報知期間以外においては、意図的に終了表示結果が導出されることを回避することができず、終了表示結果が導出されて通常状態に制御されてしまう可能性が高まる。その結果、有利状態において報知期間に制御されるか否かにより遊技者にとっての有利度合いにメリハリをつけることができ、報知期間に制御されることに対する期待感を効果的に高め、遊技の興趣を向上させることができる。
【００９４】
上記のスロットマシンは、さらに以下に列挙する構成をさらに備えるスロットマシンであってもよい。
【００９５】
（ａ）  前記可変表示装置の表示結果を導出させる際に操作される導出操作手段（ストップスイッチ８Ｌ、８Ｃ、８Ｒ）と、
前記事前決定手段の決定結果および前記導出操作手段の操作手順に応じて、前記可変表示装置に表示結果を導出させる制御を行なう導出制御手段（リール回転処理）と、
前記複数種類の入賞のうち付与入賞が発生したときに、所定量の遊技用価値を遊技者に付与する遊技用価値付与手段（払出処理）とを備え、
前記報知手段は、前記報知期間に制御されていることを条件として、前記事前決定手段により発生が許容されている入賞を導出させるための手順（操作タイミング、操作順序等を含む）を特定可能な情報を遊技者に報知する手順報知制御を行ない、
前記有利状態制御手段は、前記有利状態において前記特別入賞の発生が許容されることによっては当該有状態を終了させず、
前記報知手段は、前記有利状態に制御された後の所定タイミングから前記設定された前記報知期間（ＡＴ中、ＡＴ継続ゲーム数）が経過するまでにおいて、前記手順報知制御を行ない、
前記有利状態において１ゲームあたりに前記遊技用価値付与手段により付与される遊技用価値の量の期待値は、前記報知期間内であるときには前記手順報知手段により報知された情報から特定される手順で前記導出操作手段が操作されることにより前記賭数の設定に用いられる遊技用価値の量よりも多くなり、前記報知期間外であるときには前記賭数の設定に用いられる遊技用価値の量よりも少なくなる（変形例（１４）参照）。
【００９６】
このような構成によれば、有利状態であって報知期間内であるときに付与される遊技用価値の量の期待値は、報知された情報から特定される手順で操作することにより賭数の設定に用いられる遊技用価値の量よりも多くなる。また、有利状態は、少なくとも特別入賞が発生されない限り継続される。このため、遊技者が特別入賞を導出させない手順で停止操作することにより、報知期間が経過するまでに有利状態が終了してしまうといった不都合の発生を防止できる。その結果、遊技者は、特別入賞を発生させずかつ報知された情報から特定される手順で停止操作することにより、有利状態であって報知期間内であるときに付与されるべき量の遊技用価値を獲得することができる。また、報知期間が経過した後に、特別入賞を発生させて特別遊技状態に制御させるといった面白みを付加することができ、遊技の興趣を向上させることができる。
【００９７】
（ｂ）  前記特別入賞（ボーナス）の発生を許容する旨の決定を当該特別入賞が発生するまで持ち越す持越手段を備え、前記遊技用価値を用いることなく次のゲームを行なうことが可能な入賞を前記通常状態であるときよりも高い確率で導出させる制御を行なう有利状態（ＲＴなど参照）が開始された後、前記事前決定手段が前記特別入賞（ボーナス）の発生を許容する旨を決定した場合には当該有利状態を終了させず、前記特別入賞が発生したとき、または前記終了表示結果が導出されたときに当該有利状態を終了させるように構成してもよい（変形例（１４）参照）。
【００９８】
このような構成によれば、有利状態が開始された後、特別入賞の発生を許容する旨が決定されても、該決定により許容された特別入賞が発生しなければ、当該決定をもって当該有利状態が終了することがなく、終了表示結果が導出されるまで当該有利状態に継続して制御することが可能となる。このため、有利状態において特別入賞の発生を許容する旨が決定されても、該決定により許容された特別入賞が発生しなければ当該有利状態を継続させることが可能となり、特別入賞の発生が許容されたことにより有利状態が終了する従来のスロットマシンと比較して、有利状態に制御されているときに遊技者に対して損失感を与えてしまうことがない。また、持越手段により特別入賞の発生を許容する旨の決定が次ゲーム以降に持ち越されるため、有利状態に制御されている間に特別入賞の発生を許容する旨が決定されていることに対して期待感を抱かせることができる。
【００９９】
（ｃ）  前記事前決定手段の決定結果に応じて、前記可変表示装置に表示結果を導出させる制御を行なう導出制御手段（リール回転処理）を備え、
前記可変表示装置は、前記複数種類の識別情報を変動表示可能な複数の可変表示領域（リール２Ｌ、２Ｃ、２Ｒ）を有し、該複数の可変表示領域のそれぞれに識別情報を導出させることが可能であり、
前記複数の可変表示領域（リール２Ｌ、２Ｃ、２Ｒの表示領域）の全てに表示結果が導出表示されたことにより１ゲームが終了し、前記複数の可変表示領域に導出表示された表示結果として複数の入賞ライン（入賞ラインＬ１〜Ｌ６）のうちいずれかの入賞ライン上に導出表示された図柄の組合せに応じて入賞が発生可能とされ、
前記複数種類の入賞は、前記特別入賞（ボーナス（Ａ）、（Ｂ））以外の一般入賞（小役、再遊技役）を含み、
前記可変表示領域（リール２Ｌ、２Ｃ、２Ｒの表示領域）の表示結果を導出させる際に操作される停止操作手段（ストップスイッチ８Ｌ、８Ｃ、８Ｒ）をさらに備え、
前記導出制御手段は、
前記一般入賞（小役、再遊技役）のうちの特定一般入賞（オレンジ、プラム）の発生を許容する旨が決定されており、特定一般入賞を発生させるための図柄の組合せ（オレンジ−オレンジ−オレンジ、プラム−プラム−プラム）を構成する特定一般入賞図柄（オレンジ、プラム）を引き込み可能なタイミング（引込範囲内）で前記停止操作手段（ストップスイッチ８Ｌ、８Ｃ、８Ｒ）が操作されたときに、前記複数の入賞ライン（入賞ラインＬ１〜Ｌ６）のうちいずれかの入賞ライン上に前記特定一般入賞を発生させるための図柄の組合せ（オレンジ−オレンジ−オレンジ、プラム−プラム−プラム）を導出させる制御を行ない、前記特定一般入賞（オレンジ、プラム）の発生を許容する旨が決定されており、前記特定一般入賞図柄（オレンジ、プラム）を引き込み可能なタイミング以外（引込範囲外）で前記停止操作手段（ストップスイッチ８Ｌ、８Ｃ、８Ｒ）が操作されたときに、前記複数の入賞ライン（入賞ラインＬ１〜Ｌ６）のいずれにも前記特定一般入賞を発生させるための図柄の組合せ（オレンジ−オレンジ−オレンジ、プラム−プラム−プラム）を導出させない制御を行ない、
既に表示結果が導出された可変表示領域（停止済みのリール）において前記特定一般入賞図柄（オレンジ、プラム）がいずれの入賞ラインにも停止しておらず、かつ１以上の可変表示領域に未だ表示結果が導出されていない状態（いずれかのリールが変動中の状態）において、該未だ表示結果が導出されていない可変表示領域（変動中のリール）について前記特定一般入賞図柄（オレンジ、プラム）を引き込み可能なタイミング（引込範囲内）で前記停止操作手段（ストップスイッチ８Ｌ、８Ｃ、８Ｒ）が操作されたときに、前記複数の入賞ライン（入賞ラインＬ１〜Ｌ６）のうちいずれか一の入賞ライン上に該特定一般入賞図柄（オレンジ、プラム）を導出させる制御を行なうように構成してもよい（変形例（１３−１）参照）。
【０１００】
このような構成によれば、従来のスロットマシンにおいて、内部抽選で特定の入賞が当選し、かつ当選した特定の入賞を取りこぼした際に、特定の表示態様が停止することで、当選した入賞を取りこぼしたことをある程度判別できるが、取りこぼした際に停止する特定の表示態様を知らなければ、当選した入賞を取りこぼしたことを知ることできず、このような場合に単に入賞が当選していなかったのか、当選した入賞を取りこぼしたのか、を判別することが困難であった課題を解決することができる。すなわち、特定一般入賞の発生を許容する旨が決定されており、既に表示結果が導出された可変表示領域において特定一般入賞図柄がいずれの入賞ラインにも停止しておらず、かつ１以上の可変表示領域に未だ表示結果が導出されていない状態、すなわち変動中の可変表示領域を残して既に許容された特定一般入賞を発生させるための図柄の組合せを導出させることができない状態であっても、残りの可変表示領域について特定一般入賞図柄を引き込み可能なタイミングで停止操作手段が操作されると、特定一般入賞図柄が複数の入賞ラインのうちいずれか一の入賞ライン上に導出されるので、特定一般入賞の発生を許容する旨が決定され、変動中の可変表示領域を残して既に許容された特定一般入賞を発生させるための図柄の組合せを導出させることができない状態であっても一の入賞ライン上に特定一般入賞図柄が導出されるか否かによって、特定一般入賞を取りこぼしたのか否かを容易に判別することができる。
【０１０１】
（ｄ）  前記事前決定手段の決定結果に応じて、前記可変表示装置に表示結果を導出させる制御を行なう導出制御手段（リール回転処理）を備え、
前記可変表示装置は、前記複数種類の識別情報を変動表示可能な複数の可変表示領域（リール２Ｌ、２Ｃ、２Ｒ）を有し、該複数の可変表示領域のそれぞれに識別情報を導出させることが可能であり、
前記複数の可変表示領域（リール２Ｌ、２Ｃ、２Ｒの表示領域）の全てに表示結果が導出表示されたことにより１ゲームが終了し、前記複数の可変表示領域に導出表示された表示結果として複数の入賞ライン（入賞ラインＬ１〜Ｌ６）のうちいずれかの入賞ライン上に導出表示された図柄の組合せに応じて入賞が発生可能とされ、
前記複数種類の入賞は、前記特別入賞（ボーナス（Ａ）、（Ｂ））以外の一般入賞（小役、再遊技役）を含み、
前記可変表示領域（リール２Ｌ、２Ｃ、２Ｒの表示領域）の表示結果を導出させる際に操作される停止操作手段（ストップスイッチ８Ｌ、８Ｃ、８Ｒ）をさらに備え、
前記導出制御手段は、
前記一般入賞（小役、再遊技役）のうちの特定一般入賞（オレンジ、プラム）の発生を許容する旨が決定されており、特定一般入賞を発生させるための図柄の組合せ（オレンジ−オレンジ−オレンジ、プラム−プラム−プラム）を構成する特定一般入賞図柄（オレンジ、プラム）を引き込み可能なタイミング（引込範囲内）で前記停止操作手段（ストップスイッチ８Ｌ、８Ｃ、８Ｒ）が操作されたときに、前記複数の入賞ライン（入賞ラインＬ１〜Ｌ６）のうちいずれかの入賞ライン上に前記特定一般入賞を発生させるための図柄の組合せ（オレンジ−オレンジ−オレンジ、プラム−プラム−プラム）を導出させる制御を行ない、前記特定一般入賞（オレンジ、プラム）の発生を許容する旨が決定されており、前記特定一般入賞図柄（オレンジ、プラム）を引き込み可能なタイミング以外（引込範囲外）で前記停止操作手段（ストップスイッチ８Ｌ、８Ｃ、８Ｒ）が操作されたときに、前記複数の入賞ライン（入賞ラインＬ１〜Ｌ６）のいずれにも前記特定一般入賞を発生させるための図柄の組合せ（オレンジ−オレンジ−オレンジ、プラム−プラム−プラム）を導出させない制御を行ない、
既に表示結果が導出された２つ以上の可変表示領域（停止済みのリール）のうち１つ以上の可変表示領域（停止済みのリール）には前記特定一般入賞図柄（オレンジ、プラム）が前記複数の入賞ライン（入賞ラインＬ１〜Ｌ６）のうちいずれか一の入賞ライン上に停止しており、前記既に表示結果が導出された２つ以上の可変表示領域（停止済みのリール）のうち残りの可変表示領域（停止済みのリール）には前記特定一般入賞図柄（オレンジ、プラム）が前記一の入賞ライン上に停止しておらず、かつ１以上の可変表示領域に未だ表示結果が導出されていない状態（いずれかのリールが変動中の状態）において、該未だ表示結果が導出されていない可変表示領域（変動中のリール）について前記特定一般入賞図柄（オレンジ、プラム）を引き込み可能なタイミング（引込範囲内）で前記停止操作手段（ストップスイッチ８Ｌ、８Ｃ、８Ｒ）が操作されたときに、前記一の入賞ライン上に該特定一般入賞図柄（オレンジ、プラム）を導出させる制御を行なうように構成してもよい（変形例（１３−１）参照）。
【０１０２】
このような構成によれば、従来のスロットマシンでは、内部抽選で特定の入賞が当選し、かつ当選した特定の入賞を取りこぼした際に、特定の表示態様が停止することで、当選した入賞を取りこぼしたことをある程度判別できるが、取りこぼした際に停止する特定の表示態様を知らなければ、当選した入賞を取りこぼしたことを知ることできず、このような場合に単に入賞が当選していなかったのか、当選した入賞を取りこぼしたのか、を判別することが困難であった課題を解決することができる。すなわち、特定一般入賞の発生を許容する旨が決定されており、既に表示結果が導出された２つ以上の可変表示領域のうち１つ以上の可変表示領域には特定一般入賞図柄がいずれか一の入賞ライン上に停止しており、既に表示結果が導出された２つ以上の可変表示領域のうち残りの可変表示領域には特定一般入賞図柄が一の入賞ライン上に停止しておらず、かつ１以上の可変表示領域に未だ表示結果が導出されていない状態、すなわち変動中の可変表示領域を残して既に許容された特定一般入賞を発生させるための図柄の組合せを導出させることができない状態であっても、残りの可変表示領域について特定一般入賞図柄を引き込み可能なタイミングで停止操作手段が操作されると、既に特定一般入賞図柄が停止している一の入賞ライン上に特定一般入賞図柄が導出されるので、特定一般入賞の発生を許容する旨が決定され、変動中の可変表示領域を残して既に許容された特定一般入賞を発生させるための図柄の組合せを導出させることができない状態であっても一の入賞ライン上に特定一般入賞図柄が導出されるか否かによって、特定一般入賞を取りこぼしたのか否かを容易に判別することができる。
【０１０３】
また、特定一般入賞を発生させるための図柄の組合せを構成する特定一般入賞図柄は同種の図柄であってもよいし、異なる図柄であってもよい。すなわち特定一般入賞を発生させるための図柄の組合せは、同種の図柄同士の組合せであってもよいし、異なる図柄を含んでいてもよい。
【０１０４】
また、特定一般入賞の発生を許容する旨が決定された場合に、特定一般入賞の発生が許容されている可能性を報知する報知手段を備えることが好ましく、これにより変動中の可変表示領域を残して既に許容された特定一般入賞を発生させるための図柄の組合せを導出させることができない段階で、特定一般入賞の発生が許容されている可能性が報知されていれば、残りの可変表示領域について特定一般入賞図柄を引き込み可能なタイミングで停止操作手段を操作し、特定一般入賞図柄が複数の入賞ラインのうちいずれか一の入賞ライン上に導出されるか、既に特定一般入賞図柄が停止している一の入賞ライン上に特定一般入賞図柄が導出されるか否かによって、特定一般入賞を取りこぼしたか否かを判別することが可能となり、特に特定一般入賞が複数ある場合においては、どの特定一般入賞を取りこぼしたのかを正確に判別することができる。
【０１０５】
（ｅ）  前記事前決定手段の決定結果に応じて、前記可変表示装置に表示結果を導出させる制御を行なう導出制御手段（リール回転処理）を備え、
前記可変表示装置は、前記複数種類の識別情報を変動表示可能な複数の可変表示領域（リール２Ｌ、２Ｃ、２Ｒ）を有し、該複数の可変表示領域のそれぞれに識別情報を導出させることが可能であり、
前記複数の可変表示領域（リール２Ｌ、２Ｃ、２Ｒの表示領域）の全てに表示結果が導出表示されたことにより１ゲームが終了し、前記複数の可変表示領域に導出表示された表示結果として複数の入賞ライン（入賞ラインＬ１〜Ｌ６）のうちいずれかの入賞ライン上に導出表示された図柄の組合せに応じて入賞が発生可能とされ、
前記複数種類の入賞は、前記特別入賞（ボーナス（Ａ）、（Ｂ））以外の一般入賞（小役、再遊技役）を含み、
前記導出制御手段は、
前記一般入賞（小役、再遊技役）のうちの特定一般入賞（オレンジ、プラム）の発生を許容する旨が決定されていることに応じて、前記複数の可変表示領域の表示結果として前記複数の入賞ライン（入賞ラインＬ１〜Ｌ６）のうちの第１の入賞ライン（入賞ラインＬ１、Ｌ２）上または第２の入賞ライン（入賞ラインＬ３、Ｌ４）上に特定一般入賞を発生させるための図柄の組合せの組合せ（オレンジ−オレンジ−オレンジ、プラム−プラム−プラム）を導出させる制御を行ない、
前記事前決定手段は、
前記特定一般入賞の発生を許容する旨を単独で決定する第１の決定（オレンジ、プラム）、前記特定一般入賞の発生を許容する旨および前記特定一般入賞と異なる特別一般入賞の発生を許容する旨を同時に決定する第２の決定（オレンジ＋１枚（１）、プラム＋１枚（２））、前記特定一般入賞の発生を許容する旨および前記特別入賞の発生を許容する旨を同時に決定する第３の決定（オレンジ＋ＢＢ（１）、プラム＋ＢＢ（２））、前記特定一般入賞の発生を許容する旨、前記特別一般入賞の発生を許容する旨および前記特別入賞の発生を許容する旨を同時に決定する第４の決定（オレンジ＋１枚（１）＋ＢＢ（１）、プラム＋１枚（２）＋ＢＢ（２））を行なうことが可能であり、
前記第１の決定（オレンジ、プラム）がなされる確率と前記第３の決定（オレンジ＋ＢＢ（１）、プラム＋ＢＢ（２））がなされる確率との合算確率に占める前記第３の決定がなされる確率の比率と、前記第２の決定（オレンジ＋１枚（１）、プラム＋１枚（２））がなされる確率と前記第４の決定（オレンジ＋１枚（１）＋ＢＢ（１）、プラム＋１枚（２）＋ＢＢ（２））がなされる確率との合算確率に占める前記第４の決定がなされる確率の比率と、が異なる確率で前記第１〜４の決定を行ない、
前記導出制御手段は、
前記第１の決定（オレンジ、プラム）または前記第３の決定（オレンジ＋ＢＢ（１）、プラム＋ＢＢ（２））がなされた第１の条件が成立したときに、前記第１の入賞ライン（入賞ラインＬ１、Ｌ２）に、前記第２の入賞ライン（入賞ラインＬ３、Ｌ４）よりも高い割合で前記特定一般入賞を発生させるための図柄の組合せ（オレンジ−オレンジ−オレンジ、プラム−プラム−プラム）を導出させる制御を行ない、
前記第２の決定（オレンジ＋１枚（１）、プラム＋１枚（２））または前記第４の決定（オレンジ＋１枚（１）＋ＢＢ（１）、プラム＋１枚（２）＋ＢＢ（２））がなされた第２の条件が成立したときに、前記第２の入賞ライン（入賞ラインＬ３、Ｌ４）に、前記第１の入賞ライン（入賞ラインＬ１、Ｌ２）よりも高い割合で前記特定一般入賞を発生させるための図柄の組合せ（オレンジ−オレンジ−オレンジ、プラム−プラム−プラム）を導出させる制御を行なうように構成してもよい（変形例（１３−２）参照）。
【０１０６】
このような構成によれば、従来のスロットマシンにおいて、小役の単独当選、小役と特別役の同時当選を可能とし、小役の単独当選時に用いるリールの停止制御と、小役と特別役の同時当選時に用いる停止制御と、を異なるものとすることで、リールの停止態様に応じて特別役の当選を期待させることができるが、小役の単独当選時の停止態様と、小役と特別役の同時当選時の停止態様と、が異なるため、その停止態様に応じて特別役に当選しているか否かを遊技者から判別できてしまうため、特別役に当選していない場合には、期待感が損なわれてしまうという課題を解決することができる。すなわち、第１の決定または第３の決定がなされている場合には、第１の入賞ラインに特定一般入賞を発生させるための図柄の組合せが導出される可能性が高く、第２の決定または第４の決定がなされている場合には、第２の入賞ラインに特定一般入賞を発生させるための図柄の組合せが導出される可能性が高い。すなわち第１の決定または第３の決定がなされている場合に特定一般入賞が発生した場合と、第２の決定または第４の決定がなされている場合に特定一般入賞が発生した場合と、で特定一般入賞を発生させるための図柄の組合せが導出されやすい入賞ラインが異なる。そして、第１の決定がなされる確率と第３の決定がなされる確率との合算確率に占める第３の決定がなされる確率の比率と、第２の決定がなされる確率と第４の決定がなされる確率との合算確率に占める第４の決定がなされる確率の比率と、が異なるため、特定一般入賞が発生した際に、特定一般入賞を発生させるための図柄の組合せが導出された入賞ラインによって特別入賞の発生が許容されていることに対する期待度に変化を持たせることができる。さらに、第１の入賞ラインに特定一般入賞を発生させるための図柄の組合せが導出された場合にも、第２の入賞ラインに特定一般入賞を発生させるための図柄の組合せが導出された場合にも、ともに特別入賞の発生が許容されている可能性が示唆されるが、特定一般入賞を発生させるための図柄の組合せが導出された入賞ラインから特別入賞の発生が許容されているか否かを判別することは不可能であり、特定一般入賞を発生させるための図柄の組合せがいずれの入賞ラインに導出された場合でも、特別入賞の発生が許容されていることに対する遊技者の期待感が損なわれてしまうことがない。
【０１０７】
（ｆ）  前記事前決定手段の決定結果に応じて、前記可変表示装置に表示結果を導出させる制御を行なう導出制御手段（リール回転処理）を備え、
前記可変表示装置は、前記複数種類の識別情報を変動表示可能な複数の可変表示領域（リール２Ｌ、２Ｃ、２Ｒ）を有し、該複数の可変表示領域のそれぞれに識別情報を導出させることが可能であり、
前記複数の可変表示領域（リール２Ｌ、２Ｃ、２Ｒの表示領域）の全てに表示結果が導出表示されたことにより１ゲームが終了し、前記複数の可変表示領域に導出表示された表示結果として複数の入賞ライン（入賞ラインＬ１〜Ｌ６）のうちいずれかの入賞ライン上に導出表示された図柄の組合せに応じて入賞が発生可能とされ、
前記複数種類の入賞は、前記特別入賞（ボーナス（Ａ）、（Ｂ））以外の一般入賞（小役、再遊技役）を含み、
前記導出制御手段は、
前記一般入賞（小役、再遊技役）のうちの特定一般入賞（オレンジ、プラム）の発生を許容する旨が決定されていることに応じて、前記複数の可変表示領域の表示結果として前記複数の入賞ライン（入賞ラインＬ１〜Ｌ６）のうちの第１の入賞ライン（入賞ラインＬ１、Ｌ２）上または第２の入賞ライン（入賞ラインＬ３、Ｌ４）上に特定一般入賞を発生させるための図柄の組合せ（オレンジ−オレンジ−オレンジ、プラム−プラム−プラム）を導出させる制御を行ない、
前記事前決定手段は、
前記特定一般入賞の発生を許容する旨を単独で決定する第１の決定（オレンジ、プラム）、前記特定一般入賞の発生を許容する旨および前記特定一般入賞と異なる特別一般入賞の発生を許容する旨を同時に決定する第２の決定（オレンジ＋１枚（１）、プラム＋１枚（２））、前記特定一般入賞の発生を許容する旨および前記特別入賞の発生を許容する旨を同時に決定する第３の決定（オレンジ＋ＢＢ（１）、プラム＋ＢＢ（２））、前記特定一般入賞の発生を許容する旨、前記特別一般入賞の発生を許容する旨および前記特別入賞の発生を許容する旨を同時に決定する第４の決定（オレンジ＋１枚（１）＋ＢＢ（１）、プラム＋１枚（２）＋ＢＢ（２））を行なうことが可能であり、
前記第１の決定（オレンジ、プラム）がなされる確率と前記第４の決定（オレンジ＋１枚（１）＋ＢＢ（１）、プラム＋１枚（２）＋ＢＢ（２））がなされる確率との合算確率に占める前記第４の決定がなされる確率の比率と、前記第２の決定（オレンジ＋１枚（１）、プラム＋１枚（２））がなされる確率と前記第３の決定（オレンジ＋ＢＢ（１）、プラム＋ＢＢ（２））がなされる確率との合算確率に占める前記第３の決定がなされる確率の比率と、が異なる確率で前記第１〜４の決定を行ない、
前記導出制御手段は、
前記第１の決定（オレンジ、プラム）または前記第４の決定（オレンジ＋１枚（１）＋ＢＢ（１）、プラム＋１枚（２）＋ＢＢ（２））がなされた第１の条件が成立したときに、前記第１の入賞ライン（入賞ラインＬ１、Ｌ２）に、前記第２の入賞ライン（入賞ラインＬ３、Ｌ４）よりも高い割合で前記特定一般入賞を発生させるための図柄の組合せ（オレンジ−オレンジ−オレンジ、プラム−プラム−プラム）を導出させる制御を行ない、
前記第２の決定（オレンジ＋１枚（１）、プラム＋１枚（２））および前記第３の決定（オレンジ＋ＢＢ（１）、プラム＋ＢＢ（２））がなされた第２の条件が成立したときに、前記第２の入賞ライン（入賞ラインＬ３、Ｌ４）に、前記第１の入賞ライン（入賞ラインＬ１、Ｌ２）よりも高い割合で前記特定一般入賞を発生させるための図柄の組合せ（オレンジ−オレンジ−オレンジ、プラム−プラム−プラム）を導出させる制御を行なうように構成してもよい（変形例（１３−２）参照）。
【０１０８】
このような構成によれば、第１の決定または第４の決定がなされている場合には、第１の入賞ラインに特定一般入賞を発生させるための図柄の組合せが導出される可能性が高く、第２の決定または第３の決定がなされている場合には、第２の入賞ラインに特定一般入賞を発生させるための図柄の組合せが導出される可能性が高い。すなわち第１の決定または第４の決定がなされている場合に特定一般入賞が発生した場合と、第２の決定または第３の決定がなされている場合に特定一般入賞が発生した場合と、で特定一般入賞を発生させるための図柄の組合せが導出されやすい入賞ラインが異なる。そして、第１の決定がなされる確率と第４の決定がなされる確率との合算確率に占める第４の決定がなされる確率の比率と、第２の決定がなされる確率と第３の決定がなされる確率との合算確率に占める第３の決定がなされる確率の比率と、が異なるため、特定一般入賞が発生した際に、特定一般入賞を発生させるための図柄の組合せが導出された入賞ラインによって特別入賞の発生が許容されていることに対する期待度に変化を持たせることができる。さらに、第１の入賞ラインに特定一般入賞を発生させるための図柄の組合せが導出された場合にも、第２の入賞ラインに特定一般入賞を発生させるための図柄の組合せが導出された場合にも、ともに特別入賞の発生が許容されている可能性が示唆されるが、特定一般入賞を発生させるための図柄の組合せが導出された入賞ラインから特別入賞の発生が許容されているか否かを判別することは不可能であり、特定一般入賞を発生させるための図柄の組合せがいずれの入賞ラインに導出された場合でも、特別入賞の発生が許容されていることに対する遊技者の期待感が損なわれてしまうことがない。
【０１０９】
なお、第１の入賞ラインに、第２の入賞ラインよりも高い割合で前記特定一般入賞を発生させるための図柄の組合せを導出させる制御とは、第１の入賞ラインに１００％の割合で前記特定一般入賞を発生させるための図柄の組合せを導出させる制御を含む。また、第２の入賞ラインに、第１の入賞ラインよりも高い割合で前記特定一般入賞を発生させるための図柄の組合せを導出させる制御とは、第２の入賞ラインに１００％の割合で前記特定一般入賞を発生させるための図柄の組合せを導出させる制御を含む。
【０１１０】
また、特定一般入賞を発生させるための図柄の組合せを構成する図柄は同種の図柄であってもよいし、異なる図柄であってもよい。すなわち特定一般入賞を発生させるための図柄の組合せは、同種の図柄同士の組合せであってもよいし、異なる図柄を含んでいてもよい。
【０１１１】
（ｇ）  所定の操作手順を特定するための操作手順情報に基づいて当該操作手順で前記導出操作手段が操作されたときと同じ表示結果を前記可変表示装置に導出させるための処理を行なう外部試験装置（試験装置１２００）に、所定の推奨操作手順を特定するための推奨操作手順情報を出力するための出力手段（たとえば、サブ制御部９１、入出力基板１１００）をさらに備え、
前記出力手段は、前記事前決定手段による決定結果に応じた操作手順情報（推奨操作手順情報）を出力する（図３５参照、変形例（１２）参照）。
【０１１２】
このような構成によれば、外部試験装置においては、遊技者が実際にするであろう可能性の高い操作手順を特定することができ、そのような操作手順で操作された場合に導出される表示結果に基づいて試験を行なうことができる。その結果、スロットマシンが市場に出荷されて実際に遊技者によって遊技された場合を想定して、試験を行なうことができる。
【０１１３】
なお、前記出力手段は、前記推奨操作手順情報として、任意の操作手順（いわゆるオヤジ打ち）を特定するための情報（リール２Ｌ〜２Ｒ各々について領域番号１〜２１を特定可能な情報）を出力する（変形例（１２）参照）ように構成してもよい。
【０１１４】
また、前記出力手段は、前記推奨操作手順情報として、前記事前決定手段により発生を許容する旨が決定された入賞を所定の第１操作手順で操作されたとき（所定の小役を入賞させないように停止操作されたとき）よりも高い確率で発生させる所定の第２操作手順を特定するための情報を出力する（変形例（１２）参照）ように構成してもよい。
【０１１５】
このような構成によれば、外部試験装置においては、遊技者が実際にするであろう可能性の高い操作手順を特定することができ、そのような操作手順で操作された場合に導出される表示結果に基づいて試験を行なうことができる。その結果、スロットマシンが市場に出荷されて実際に遊技者によって遊技された場合を想定して、試験を行なうことができる。
【０１１６】
（ｈ）  前記複数種類の入賞のうち特別入賞が発生したときに、所定の通常状態よりも遊技者にとって有利な特別遊技状態に制御する特別遊技状態制御手段（ビッグボーナスあるいはレギュラーボーナスが入賞したときに対応するボーナスに制御するための処理）と、
前記特別遊技状態が終了したときに、所定の準備状態に制御する準備状態制御手段（ボーナス終了後に準備モードに制御するための処理）と、
前記準備状態において所定の有利条件が成立したときに、前記通常状態および前記準備状態のいずれよりも遊技者にとって有利な有利状態に制御する有利状態制御手段（準備モードにおいて特殊出目が停止したときにＲＴに制御するための処理）と、
前記準備状態あるいは前記有利状態において前記事前決定手段の決定結果が特定結果（リプレイ＋転落リプレイ当選時、リプレイ＋転落リプレイ＋ＢＡＲリプレイ当選時）となったことを条件として前記導出制御手段により導出され得る終了表示結果（転落リプレイ）が導出されたときに、前記通常状態に制御する通常状態制御手段（転落リプレイが入賞したときに通常遊技状態に制御するための処理）と、
遊技の進行における所定の契機（抽選条件成立）で報知条件（第２ＡＴ抽選に用いるテーブル）を設定し、該報知条件にしたがって所定の情報（ナビ演出）を報知する報知期間（ＡＴ）に制御する報知期間制御手段（サブ制御部９１により実行される第２ＡＴ抽選処理、ＡＴ管理処理）と、
前記準備状態あるいは前記有利状態に制御されている期間のうち前記報知期間であること（ＡＴ準備モード、ＡＲＴ）を条件として、前記事前決定手段の決定結果が前記特定結果となったときに、当該特定結果に対応する特定結果時情報（転落リプレイ当選時において、同時当選しているリプレイの種類に応じたナビ演出）を報知する報知手段（サブ制御部９１により実行されるナビ演出実行処理）とを備え、
前記導出制御手段は、前記事前決定手段の決定結果が前記特定結果となったときであって、当該特定結果に対応する終了手順で前記導出操作受付手段により操作が受付けられたときには、前記終了表示結果を導出させる制御を行ない、当該特定結果に対応する前記終了手順と異なる回避手順で前記導出操作受付手段により操作が受付けられたときには、前記終了表示結果と異なる表示結果を導出させる制御を行ない（図８（ａ）参照）、
前記事前決定手段は、前記準備状態であるときには前記有利状態であるときよりも高い割合で前記特定結果とする旨を決定する（図７（ｂ）、（ｃ）参照）。
【０１１７】
このような構成によれば、特別遊技状態が終了した後においては、準備状態に制御し、当該準備状態において有利条件が成立すれば有利状態に制御し、当該準備状態において終了表示結果が導出されると通常状態に制御される。このため、特別遊技状態終了後の準備状態において終了表示結果が導出されるよりも先に有利条件が成立した場合に、有利状態に制御される。
【０１１８】
準備状態から有利状態への移行を阻止する終了表示結果は、事前決定手段の決定結果が特定結果となったときに特定結果に対応する終了手順で操作されたときに導出されるが、特定結果に対応する終了手順と異なる回避手順で操作されたときには導出されず当該終了表示結果と異なる表示結果が導出される。
【０１１９】
また、準備状態に制御されている期間のうち報知期間においては、事前決定手段の決定結果が特定結果となったときに、当該特定結果に対応する特定結果時情報が報知される。
【０１２０】
以上より、有利状態の前段階の遊技状態として準備状態に制御させ、当該準備状態において終了表示結果が導出されるよりも先に有利条件が成立した場合に有利状態に制御される。この準備状態において、報知期間に制御されているときには、報知される特定結果時情報に基づき回避手順で操作することにより、意図的に終了表示結果が導出されることを回避しつつ、有利条件の成立を待ちながら遊技を進行することができる。一方、準備状態であっても報知期間に制御されていないときには、報知手段により特定結果時情報が報知されないために意図的に終了表示結果が導出されることを回避することができず、有利条件が成立するより先に終了表示結果が導出されて有利状態に制御されずに通常状態に制御されてしまう可能性が高まる。さらに、準備状態であるときには有利状態であるときよりも高い割合で特定結果とする旨が決定されるため、準備状態においては、有利状態であるときよりも、終了表示結果が導出されて通常状態に制御されてしまう可能性がより一層高い。その結果、有利状態の前段階となる準備状態において報知期間に制御されるか否かにより遊技者にとっての有利度合いにメリハリをつけることができ、報知期間に制御されることに対する期待感を効果的に高め、遊技の興趣を向上させることができる。
【０１２１】
また、有利状態においても同様に、報知期間においては、事前決定手段の決定結果が特定結果となったときに、当該特定結果に対応する特定結果時情報が報知される。このため、有利状態に制御されている期間のうち報知期間においては、報知される特定結果時情報に基づき回避手順で操作することにより、意図的に終了表示結果が導出されることを回避しつつ、当該有利状態に継続して制御させることができる。一方、有利状態に制御されている期間のうち報知期間以外においては、意図的に終了表示結果が導出されることを回避することができず、終了表示結果が導出されて通常状態に制御されてしまう可能性が高まる。その結果、有利状態において報知期間に制御されるか否かにより遊技者にとっての有利度合いにメリハリをつけることができ、報知期間に制御されることに対する期待感を効果的に高め、遊技の興趣を向上させることができる。
【０１２２】
なお、報知条件とは、報知期間への制御に関与する条件であればよい。報知条件は、たとえば、報知期間を開始させるか否かに関与する条件であってもよい。報知期間を開始させるか否かに関与する報知条件としては、より具体的に、（ア）報知期間に制御すると決定されたことを条件として報知期間に制御するスロットマシンにおいて報知期間に制御すると決定する割合、（イ）消化したゲーム数が決定された到達ゲーム数に到達したことを条件として報知期間に制御するスロットマシンにおいて報知期間への制御を開始するまでの到達ゲーム数を決定する割合、（ウ）事前決定手段の決定結果が特定結果となったときに終了表示結果と異なる表示結果を導出させた終了回避回数が決定された到達回数に到達したことを条件として報知期間に制御するスロットマシンにおいて報知期間への制御を開始するまでの到達回数を決定する割合、などであってもよい（変形例（２１）参照）。
【０１２３】
上記（ア）の場合、前記準備モードあるいは前記有利状態に制御されている期間のうち前記報知期間以外においては、前記通常状態であるときよりも、遊技者にとって有利度合いが高くなるように、前記報知期間制御手段は、高い割合で報知期間に制御すると決定する報知条件を設定する（図２５（ａ）のテーブルと（ｄ）のテーブル参照）。上記（イ）の場合、前記準備モードあるいは前記有利状態に制御されている期間のうち前記報知期間以外においては、前記通常状態であるときよりも、遊技者にとって有利度合いが高くなるように、前記報知期間制御手段は、より少ない到達ゲーム数を高い割合で決定する報知条件を設定する（変形例（２１）参照）。上記（ウ）の場合、前記準備モードあるいは前記有利状態に制御されている期間のうち前記報知期間以外においては、前記通常状態であるときよりも、遊技者にとって有利度合いが高くなるように、前記報知期間制御手段は、より少ない到達回数を高い割合で決定する報知条件を設定する（変形例（２１）参照）。
【０１２４】
また、報知条件は、たとえば、報知期間に制御する期間に関与する条件であってもよい。報知期間に制御する期間に関与する報知条件としては、より具体的に、（エ）報知期間において消化したゲーム数が決定された終了ゲーム数に到達したことを条件として当該報知期間への制御を終了するスロットマシンにおいて終了ゲーム数を決定する割合、（オ）報知期間において予め決定された終了確率にしたがい終了抽選を実行し、該終了抽選で当選したことを条件として当該報知期間への制御を終了するスロットマシンにおいて終了確率を決定する割合、（カ）報知期間において事前決定手段の決定結果が特定結果となり特定結果時情報が報知された回数が規定回数に到達したことを条件として当該報知期間への制御を終了するスロットマシンにおいて規定回数を決定する割合、などであってもよい（変形例（２１）参照）。
【０１２５】
上記（エ）の場合、前記準備モードあるいは前記有利状態に制御されている期間のうち前記報知期間以外においては、前記通常状態であるときよりも、遊技者にとって有利度合いが高くなるように、前記報知期間制御手段は、より多い終了ゲーム数を高い割合で決定する報知条件を設定する（図２５（ａ）のテーブルと、図２５（ｄ）の３０Ｇ消化時テーブル、ボーナス当選時テーブル参照）。上記（オ）の場合、前記準備モードあるいは前記有利状態に制御されている期間のうち前記報知期間以外においては、前記通常状態であるときよりも、遊技者にとって有利度合いが高くなるように、前記報知期間制御手段は、より低い終了確率を高い割合で決定する報知条件を設定する（変形例（２１）参照）。上記（カ）の場合、前記準備モードあるいは前記有利状態に制御されている期間のうち前記報知期間以外においては、前記通常状態であるときよりも、遊技者にとって有利度合いが高くなるように、前記報知期間制御手段は、より多い規定回数を高い割合で決定する報知条件を設定する（変形例（２１）参照）。
【０１２６】
また、報知条件は、たとえば、（キ）報知期間において事前決定手段の決定結果が特定結果となったときに特定結果時情報を報知するか否かを抽選し、当選したときに報知するスロットマシンにおいて、当選確率を決定する割合、などであってもよい。上記（キ）の場合、前記準備モードあるいは前記有利状態に制御されている期間のうち前記報知期間以外においては、前記通常状態であるときよりも、遊技者にとって有利度合いが高くなるように、前記報知期間制御手段は、より高い当選確率を高い割合で決定する報知条件を設定する（変形例（２１）参照）。
【０１２７】
報知条件は、上記（ア）〜（キ）のいずれであってもよく、また上記（ア）〜（キ）のうち選択的に組合されたものであってもよい。報知条件が上記（ア）〜（キ）のいずれか、また選択的に組合されたものであっても、準備モードあるいは有利状態に制御されている期間のうち報知期間以外においては、通常状態であるときよりも遊技者にとって有利度合いが高くなるように報知条件が設定されるため、遊技者は期待感を抱きながら遊技を進行させることができ、遊技の興趣を向上させることができる。
【０１２８】
また、上記報知条件として（イ）または（ウ）を採用するスロットマシンにおいては、前記報知条件にしたがって、前記終了表示結果が導出されると前記通常状態になり得る遊技状態に制御されている期間のうち前記報知期間以外において、前記特定結果時情報を報知する期間外報知可能期間に制御する期間外報知可能期間制御手段と、
前記期間外報知可能期間であることを条件として、前記事前決定手段の決定結果が前記特定結果となったときに当該特定結果に対応する特定結果情報を報知する期間外報知手段とを備えるものであってもよく、この場合における、報知期間を開始させるか否かに関与する報知条件としては、さらに以下に説明する技術的事項を備えるものであってもよい。
【０１２９】
報知期間を開始させるか否かに関与する報知条件としては、（ク）期間外報知可能期間において消化したゲーム数が決定された期間外終了ゲーム数に到達したことを条件として当該期間外報知可能期間への制御を終了するスロットマシンにおいて期間外終了ゲームを決定する割合、（ケ）期間外報知可能期間において予め決定された期間外終了確率にしたがい期間外終了抽選を実行し、該期間外終了抽選で当選したことを条件として当該期間外報知可能期間への制御を終了するスロットマシンにおいて期間外終了確率を決定する割合、（コ）期間外報知可能期間において事前決定手段の決定結果が特定結果となり特定結果時情報が報知された回数が期間外規定回数に到達したことを条件として当該期間外報知可能期間への制御を終了するスロットマシンにおいて期間外規定回数を決定する割合、などであってもよい（変形例（２２）参照）。
【０１３０】
上記（ク）の場合、前記有利状態に制御されている期間のうち前記報知期間以外においては、前記通常状態であるときよりも、遊技者にとって有利度合いが高くなるように、前記報知期間制御手段は、より多い期間外終了ゲーム数を高い割合で決定する報知条件を設定する（変形例（２２）参照）。上記（ケ）の場合、前記有利状態に制御されている期間のうち前記報知期間以外においては、前記通常状態であるときよりも、遊技者にとって有利度合いが高くなるように、前記報知期間制御手段は、より低い期間外終了確率を高い割合で決定する報知条件を設定する（変形例（２２）参照）。上記（コ）の場合、前記有利状態に制御されている期間のうち前記報知期間以外においては、前記通常状態であるときよりも、遊技者にとって有利度合いが高くなるように、前記報知期間制御手段は、より多い期間外規定回数を高い割合で決定する報知条件を設定する（変形例（２２）参照）。
【０１３１】
また、報知条件は、たとえば、（サ）期間外報知可能期間において事前決定手段の決定結果が特定結果となったときに特定結果時情報を報知するか否かを抽選し、当選したときに報知するスロットマシンにおいて、当選確率を決定する割合、などであってもよい。上記（サ）の場合、前記有利状態に制御されている期間のうち前記報知期間以外においては、前記通常状態であるときよりも、遊技者にとって有利度合いが高くなるように、前記報知期間制御手段は、より高い当選確率を高い割合で決定する報知条件を設定する（変形例（２２）参照）。
【０１３２】
上記の期間外報知可能期間制御手段と、期間外報知手段とを備えるスロットマシンにおける報知条件は、上記（ア）〜（キ）および上記（ク）〜（サ）のいずれであってもよく、また上記（ア）〜（キ）および上記（ク）〜（サ）のうち選択的に組合されたものであってもよい。報知条件が上記（ア）〜（キ）および上記（ク）〜（サ）のいずれか、また選択的に組合されたものであっても、有利状態に制御されている期間のうち報知期間以外においては、通常状態であるときよりも遊技者にとって有利度合いが高くなるように報知条件が設定されるため、遊技者は期待感を抱きながら遊技を進行させることができ、遊技の興趣を向上させることができる。
【０１３３】
（ｉ）  前記準備状態においては、前記通常状態であるとき（図２５（ａ）参照）よりも、遊技者にとって有利度合いが高くなるように、前記報知期間制御手段は、前記報知条件を設定する（図２５（ｂ）（ｄ）参照）。
【０１３４】
このような構成によれば、準備状態においては、通常状態であるときよりも遊技者にとって有利度合いが高くなるように報知条件が設定される。このため、準備状態に制御されているときであっても、遊技者は期待感を抱きながら遊技を進行させることができ、遊技の興趣を向上させることができる。
【０１３５】
なお、前記準備状態においては、前記通常状態であるときよりも、前記報知期間制御手段は、高い割合で前記報知期間に制御する報知条件を設定することにより遊技者にとって有利にする（図２５（ｂ）、図２５（ｄ））ものであってもよい。このような構成によれば、準備状態においては、通常状態であるときよりも高い割合で報知期間に制御する報知条件が設定されるため、報知期間に制御されることに対する期待感をより強く抱かせることができ、遊技の興趣を向上させることができる。
【０１３６】
また、前記報知手段は、前記報知期間制御手段により設定された前記報知条件にしたがって制御される報知期間に応じた上限数に到達するまで、前記事前決定手段の決定結果が前記特定結果となったときに当該特定結果に対応する特定結果時情報を報知し（たとえば、ナビストック数に応じた回数だけ５０ゲームに亘るＡＲＴに繰り返し制御する）、
前記準備状態においては、前記通常状態であるときよりも、前記報知期間制御手段は、高い割合で前記上限数が多い報知期間に高い割合で制御する報知条件を設定することにより遊技者にとって有利にする（図２５（ｂ）、図２５（ｄ））ものであってもよい。このような構成によれば、準備状態においては、通常状態であるときよりも高い割合で上限数が多い報知期間に高い割合で制御する報知条件が設定されるため、報知期間が設定されるときに上限数がより多くなることに対する期待感をより強く抱かせることができ、遊技の興趣を向上させることができる。
【０１３７】
（ｊ）  前記有利状態に制御されている期間のうち前記報知期間以外においては、前記通常状態であるとき（図２５（ａ）参照）よりも、遊技者にとって有利度合いが高くなるように、前記報知期間制御手段は、前記報知条件を設定する（図２５（ｄ）参照）。
【０１３８】
このような構成によれば、有利状態に制御されている期間のうち報知期間以外においては、通常状態であるときよりも遊技者にとって有利度合いが高くなるように報知条件が設定される。このため、有利状態に制御されているが報知期間に制御されていないときであっても、遊技者は期待感を抱きながら遊技を進行させることができ、遊技の興趣を向上させることができる。
【０１３９】
なお、前記有利状態に制御されている期間のうち前記報知期間以外においては、前記通常状態であるときよりも、前記報知期間制御手段は、高い割合で前記報知期間に制御する報知条件を設定することにより遊技者にとって有利にする（ボーナス当選せずとも図２５（ｄ）の５Ｇ〜２５Ｇ消化時のテーブルを参照して第２ＡＴ抽選が行なわれる。ボーナス当選せずとも図２５（ｄ）の３０Ｇ消化時のテーブルを参照して第２ＡＴ抽選が行なわれ必ずＡＴに制御される。ボーナス当選したときには図２５（ｄ）のテーブルを参照して第２ＡＴ抽選が行なわれ必ずＡＴに制御される。）ものであってもよい。このような構成によれば、有利状態に制御されている期間のうち報知期間以外においては、通常状態であるときよりも高い割合で報知期間に制御する報知条件が設定されるため、報知期間に制御されることに対する期待感をより強く抱かせることができ、遊技の興趣を向上させることができる。
【０１４０】
また、前記報知手段は、前記報知期間制御手段により設定された前記報知条件にしたがって制御される報知期間に応じた上限数に到達するまで、前記事前決定手段の決定結果が前記特定結果となったときに当該特定結果に対応する特定結果時情報を報知し（たとえば、ナビストック数に応じた回数だけ５０ゲームに亘るＡＲＴに繰り返し制御する）、
前記有利状態に制御されている期間のうち前記報知期間以外においては、前記通常状態であるときよりも、前記報知期間制御手段は、高い割合で前記上限数が多い報知期間に高い割合で制御する報知条件を設定することにより遊技者にとって有利にする（図２５（ｄ）のテーブルを参照して第２ＡＴ抽選が行なわれる）ものであってもよい。このような構成によれば、有利状態に制御されている期間のうち報知期間以外においては、通常状態であるときよりも高い割合で上限数が多い報知期間に高い割合で制御する報知条件が設定されるため、報知期間が設定されるときに上限数がより多くなることに対する期待感をより強く抱かせることができ、遊技の興趣を向上させることができる。
【図面の簡単な説明】
【０１４１】
【図１】スロットマシンの全体構造を示す正面図である。
【図２】スロットマシンの内部構造を示す図である。
【図３】可変表示装置を構成する各リール上における図柄の配列を示す図である。
【図４】スロットマシンの制御回路の全体構成を示すブロック図である。
【図５】（ａ）は、入賞役の種類、入賞役の図柄組合せ、および入賞役に関連する技術事項について説明するための図であり、（ｂ）は、予め定められた特殊出目の図柄組合せおよび特殊出目に関連する技術事項について説明するための図である。
【図６】（ａ）は、遊技状態の遷移を説明するための図であり、（ｂ）は、確率状態の遷移を説明するための図である。
【図７】遊技状態および設定値に基づいて取得される各抽選対象役および判定値数を示す図である。
【図８】（ａ）は、転落リプレイに当選したときのリール制御を説明するための図であり、（ｂ）は、イチゴに当選したときの中リールの特殊リール制御を説明するための図である。
【図９】抽選処理を説明するためのフローチャートである。
【図１０】（ａ）は、フリーズの種類を説明するための図であり、（ｂ）は、フリーズ抽選用テーブルを説明するための図である。
【図１１】リール回転処理を説明するためのフローチャートである。
【図１２】フリーズが発生しない場合のタイミングチャートを説明するための図である。
【図１３】第１フリーズが発生した場合のタイミングチャートを説明するための図である。
【図１４】第２フリーズが発生した場合のタイミングチャートを説明するための図である。
【図１５】第３フリーズが発生した場合のタイミングチャートを説明するための図である。
【図１６】第１ＡＴ抽選を実行する契機となる抽選条件を説明するための図である。
【図１７】第１ＡＴ抽選において参照されるテーブルを説明するための図である。
【図１８】第１ＡＴ抽選において参照されるテーブルを説明するための図である。
【図１９】ポイント関連処理を説明するためのフローチャートである。
【図２０】ポイント付与条件を説明するための図である。
【図２１】付与ポイントを決定するためのテーブルを説明するための図である。
【図２２】差数対応報知抽選を行なうためのテーブルを説明するための図である。
【図２３】総数対応報知抽選を行なうためのテーブルを説明するための図である。
【図２４】第２ＡＴ抽選を実行する契機となる抽選条件を説明するための図である。
【図２５】第２ＡＴ抽選において参照されるテーブルを説明するための図である。
【図２６】非ＡＴ準備モードあるいは非ＡＲＴにおけるＡＴ抽選でナビストック数が１以上に決定されて、ＡＴ準備モードあるいはＡＲＴに昇格する昇格率を示す図である。
【図２７】報知促進条件成立時に上乗せされるナビストック数を説明するための図である。
【図２８】報知態様決定用テーブルを説明するための図である。
【図２９】非ＡＴナビ抽選に用いられるテーブルを説明するための図である。
【図３０】ＡＴ抽選の結果に応じて、ＡＴに制御されない場合およびＡＴに制御された場合についての例を説明するための図である。
【図３１】現在の遊技状態および演出状態に応じて実行される遊技状態演出を説明するための図である。
【図３２】ＡＲＴ演出として表示する背景の種類を特定するためのテーブルを説明するための図である。
【図３３】変形例における、報知抽選を行なうためのテーブルを説明するための図である。
【図３４】変形例における、遊技状態および設定値に基づいて取得される各抽選対象役および判定値数を示す図である。
【図３５】型式試験を行なうための試験装置と試験に用いる試験用情報を入出力するための入出力基板が搭載されたスロットマシンの制御回路の一例を示すブロック図である。
【発明を実施するための形態】
【０１４２】
以下、添付図面を参照して、本発明の実施の形態について説明する。図１は、この実施の形態にかかるスロットマシンの全体構造を示す正面図であり、図２は、スロットマシンの内部構造を示す図である。スロットマシン１は、前面が開口する筐体１ａと、この筺体の側端に回動自在に枢支された前面扉１ｂと、から構成されている。
【０１４３】
本実施の形態のスロットマシン１の筐体１ａ内部には、外周に複数種の図柄が配列されたリール２Ｌ、２Ｃ、２Ｒ（以下、左リール、中リール、右リールともいう）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【０１４４】
リール２Ｌ、２Ｃ、２Ｒの外周部には、図３に示すように、それぞれ、「メロン」、「バナナ」、「黒イチゴ」、「白イチゴ」、「ブランク（１）（斜線無しの星）」、「ブランク（２）（斜線有りの星）」、「デカ（１）（斜線無しの星の上半分）」、「デカ（２）（斜線無しの星の下半分）」、「赤７（黒塗りの７）」、「白７（白抜きの７）」、「ＢＡＲ」といった互いに識別可能な複数種類の図柄が所定の順序で、２１個ずつ描かれている。リール２Ｌ、２Ｃ、２Ｒの外周部に描かれた図柄は、透視窓３において各々上中下三段に表示される。また、リール２Ｌ、２Ｃ、２Ｒの図柄が描かれた部分以外は白色であり、高い透過率で光を透過するようになっており、図柄が描かれた部分についても、その図柄の色彩に応じて光を透過するようになっている。
【０１４５】
各リール２Ｌ、２Ｃ、２Ｒは、各々対応して設けられリールモータ３２Ｌ、３２Ｃ、３２Ｒ（図２、図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【０１４６】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から白色光で照射するリールＬＥＤ５５と、が設けられている。また、リールＬＥＤ５５は、リール２Ｌ、２Ｃ、２Ｒの連続する３つの図柄に対応する９つのＬＥＤからなり、各図柄をそれぞれ独立して照射可能とされている。
【０１４７】
また、前面扉１ｂの各リール２Ｌ、２Ｃ、２Ｒの手前側（遊技者側）の位置には、液晶表示器５１（図４参照）の表示領域５１ａが配置されている。液晶表示器５１は、液晶素子に対して電圧が印加されていない状態で、透過性を有するノーマリーホワイトタイプの液晶パネルを有しており、表示領域５１ａの透視窓３に対応する透過領域５１ｂおよび透視窓３を介して遊技者側から各リール２Ｌ、２Ｃ、２Ｒが視認できるようになっている。また、液晶表示器には、液晶パネルの表面にノングレア加工を施したノングレアタイプの液晶表示器と、グレア加工（光沢加工）を施したグレアタイプの液晶表示器と、があるが、本実施の形態では、表示領域５１ａの表面にグレア加工が施されたグレアタイプの液晶表示器を用いている。また、表示領域５１ａの透過領域５１ｂを除く領域の裏面には、背後から表示領域５１ａを照射するバックライト（図示略）が設けられているとともに、更にその裏面には、内部を隠蔽する隠蔽部材（図示略）が設けられている。
【０１４８】
液晶表示器５１の前面側（図１においては手前側）には、表示面に対する遊技者からの指示（たとえば、タッチ操作）を検出し、当該位置（たとえば、タッチ操作された位置）を特定するためのタッチパネルを構成する発光装置５６ａ、５６ｂと、受光装置５７ａ、５７ｂと、が設置されている。発光装置５６ａ、５６ｂは、赤外線の発光素子（たとえば、ＬＥＤ）を複数備えている。受光装置５７ａ、５７ｂは、赤外線の受光素子（たとえば、フォトトランジスター）を複数備えている。
【０１４９】
発光装置５６ａと受光装置５７ａとは、液晶表示器５１の表示面を挟んで、水平方向に対に設置されている。発光装置５６ａと受光装置５７ａとは、発光装置５６ａが備える複数の発光素子から放射される赤外線を、受光装置５７ａが備える複数の受光素子により受光可能に設置されている。同様に、発光装置５６ｂと受光装置５７ｂとは、液晶表示器５１の表示領域を挟んで、垂直方向に対に設置されている。発光装置５６ｂと受光装置５７ｂとは、発光装置５６ｂが備える複数の発光素子から放射される赤外線を、受光装置５７ｂが備える複数の受光素子により受光可能に設置されている。
【０１５０】
本実施例では、発光装置５６ａ、５６ｂから赤外線を放射することにより、液晶表示器５１の表示面に沿って赤外線のグリッドが形成される。そして、表示面に対して遊技者によりタッチ操作が行なわれると、受光装置５７ａ、５７ｂは、赤外線の遮光を検出し、この検出された受光素子が配置されている位置を特定するための信号を、後述するタッチパネルコントローラ９９に出力する。タッチパネルコントローラ９９は、受光装置５７ａ、５７ｂからの信号に基づき、液晶表示器５１の表示面に対してタッチ操作された位置を特定することができるようになっており、これらによってタッチパネルが形成されている。
【０１５１】
タッチパネルを構成する発光装置５６ａ、５６ｂは、液晶表示器５１の表示面の左辺および下辺に設置され、受光装置５７ａ、５７ｂは、液晶表示器５１の表示面の右辺および上辺に設置されている。タッチパネルは、発光装置５６ａ、５６ｂおよび受光装置５７ａ、５７ｂにより囲まれた領域内のタッチ操作を検出し、タッチ操作された位置を特定することができるようになっている。
【０１５２】
また、前面扉１ｂには、メダルを投入可能なメダル投入部４、メダルが払い出されるメダル払出口９、クレジット（遊技者所有の遊技用価値として記憶されているメダル数）を用いてメダル１枚分の賭数を設定する際に操作される１枚ＢＥＴスイッチ５、クレジットを用いて、その範囲内において遊技状態に応じて定められた規定数の賭数（本実施の形態では後述の通常遊技状態、準備モード、およびリプレイの当選確率が高確率となるＲＴ（Replay Time）においては３、ボーナスにおいては２）を設定する際に操作されるＭＡＸＢＥＴスイッチ６、クレジットとして記憶されているメダルおよび賭数の設定に用いたメダルを精算する（クレジットおよび賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、が遊技者により操作可能にそれぞれ設けられている。
【０１５３】
また、前面扉１ｂには、クレジットとして記憶されているメダル枚数が表示されるクレジット表示器１１、後述するビッグボーナス中、レギュラーボーナス中、および後述するＲＴ中のメダルの獲得枚数やエラー発生時にその内容を示すエラーコード等が表示される遊技補助表示器１２、入賞の発生により払い出されたメダル枚数が表示されるペイアウト表示器１３が設けられている。
【０１５４】
また、前面扉１ｂには、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられている。
【０１５５】
また、ＭＡＸＢＥＴスイッチ６の内部には、１枚ＢＥＴスイッチ５およびＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【０１５６】
また、前面扉１ｂの内側には、所定のキー操作により後述するＲＡＭ異常エラーを除くエラー状態および後述する打止状態を解除するためのリセット操作を検出するリセットスイッチ２３、後述する設定値の変更中や設定値の確認中にその時点の設定値が表示される設定値表示器２４、メダル投入部４から投入されたメダルの流路を、筐体１ａ内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１を有するメダルセレクタ（図示略）、前面扉１ｂの開放状態を検出するドア開放検出スイッチ２５（図４参照）が設けられている。
【０１５７】
筐体１ａ内部には、図２に示すように、前述したリール２Ｌ、２Ｃ、２Ｒ、リールモータ３２Ｌ、３２Ｃ、３２Ｒ、各リール２Ｌ、２Ｃ、２Ｒのリール基準位置をそれぞれ検出可能なリールセンサ３３Ｌ、３３Ｃ、３３Ｒ（図４参照）、リールＬＥＤ５５からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ、ホッパーモータ３４ｂの駆動により払い出されたメダルを検出する払出センサ３４ｃからなるホッパーユニット３４、電源ボックス１００が設けられている。
【０１５８】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【０１５９】
電源ボックス１００の前面には、後述のビッグボーナス終了時に打止状態（リセット操作がなされるまでゲームの進行が規制される状態）に制御する打止機能の有効／無効を選択するための打止スイッチ３６ａ、後述のビッグボーナス終了時に自動精算処理（クレジットとして記憶されているメダルを遊技者の操作によらず精算（返却）する処理）に制御する自動精算機能の有効／無効を選択するための自動精算スイッチ３６ｂ、起動時に設定変更モードに切り替えるための設定キースイッチ３７、通常時においてはＲＡＭ異常エラーを除くエラー状態や打止状態を解除するためのリセットスイッチとして機能し、設定変更モードにおいては後述する内部抽選の当選確率（出玉率）の設定値を変更するための設定スイッチとして機能するリセット／設定スイッチ３８、電源をＯＮ／ＯＦＦする際に操作される電源スイッチ３９が設けられている。
【０１６０】
本実施の形態のスロットマシン１においてゲームを行なう場合には、まず、メダルをメダル投入部４から投入するか、あるいはクレジットを使用して賭数を設定する。クレジットを使用するには１枚ＢＥＴスイッチ５、またはＭＡＸＢＥＴスイッチ６を操作すればよい。遊技状態に応じて定められた規定数の賭数が設定されると、入賞ラインＬ１〜Ｌ６（図１参照）のうち遊技状態に応じて定められた入賞ラインが有効となり、スタートスイッチ７の操作が有効な状態、すなわち、ゲームが開始可能な状態となる。遊技状態に対応する規定数を超えてメダルが投入された場合には、その分はクレジットに加算される。
【０１６１】
入賞ラインとは、各リール２Ｌ、２Ｃ、２Ｒの透視窓３に表示された図柄の組合せが入賞図柄の組合せであるかを判定するために設定されるラインである。本実施の形態では、図１に示すように、各リール２Ｌ、２Ｃ、２Ｒの上段に並んだ図柄に跨って設定された入賞ラインＬ１、各リール２Ｌ、２Ｃ、２Ｒの下段に並んだ図柄に跨って設定された入賞ラインＬ２、リール２Ｌの上段、リール２Ｃの中段、リール２Ｒの下段、すなわち右下がりに並んだ図柄に跨って設定された入賞ラインＬ３、リール２Ｌの下段、リール２Ｃの中段、リール２Ｒの上段、すなわち右上がりに並んだ図柄に跨って設定された入賞ラインＬ４、リール２Ｌの上段、リール２Ｃの中段、リール２Ｒの上段、すなわちＶ字型に並んだ図柄に跨って設定された入賞ラインＬ５、リール２Ｌの下段、リール２Ｃの中段、リール２Ｒの下段、すなわち逆Ｖ字型に並んだ図柄に跨って設定された入賞ラインＬ６、の６種類が入賞ラインとして定められており、通常遊技状態、準備モード、ＲＴ、ビッグボーナス、レギュラーボーナスにおいては規定数の賭数が設定されると入賞ラインＬ１〜Ｌ６の全てが有効となる。なお、入賞ラインは、Ｌ１〜Ｌ６に示すラインに限らず、たとえば各リール２Ｌ、２Ｃ、２Ｒの中段に並んだ図柄に跨るラインを含むものであってもよい。
【０１６２】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【０１６３】
そして全てのリール２Ｌ、２Ｃ、２Ｒが停止されることで１ゲームが終了し、有効化されたいずれかの入賞ラインＬ１〜Ｌ６上に予め定められた図柄の組合せ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施の形態では５０）に達した場合には、メダルが直接メダル払出口９（図１参照）から払い出されるようになっている。なお、有効化された複数の入賞ライン上にメダルの払出を伴う図柄の組合せが揃った場合には、有効化された入賞ラインに揃った図柄の組合せそれぞれに対して定められた払出枚数を合計し、合計した枚数のメダルが遊技者に対して付与されることとなる。ただし、１ゲームで付与されるメダルの払出枚数には、上限（本実施の形態では、１５枚）が定められており、合計した払出枚数が上限を超える場合には、上限枚数のメダルが付与されることとなる。また、有効化されたいずれかの入賞ラインＬ１〜Ｌ６上に、遊技状態の移行を伴う図柄の組合せが各リール２Ｌ、２Ｃ、２Ｒの表示結果として停止した場合には図柄の組合せに応じた遊技状態に移行するようになっている。
【０１６４】
また、本実施の形態におけるスロットマシン１にあっては、ゲームが開始されて各リール２Ｌ、２Ｃ、２Ｒが回転して図柄の変動が開始した後、いずれかのストップスイッチ８Ｌ、８Ｃ、８Ｒが操作されたときに、当該ストップスイッチ８Ｌ、８Ｃ、８Ｒに対応するリールの回転が停止して図柄が停止表示される。ストップスイッチ８Ｌ、８Ｃ、８Ｒの操作から対応するリール２Ｌ、２Ｃ、２Ｒの回転を停止するまでの最大停止遅延時間は１９０ｍｓ（ミリ秒）である。リール２Ｌ、２Ｃ、２Ｒは、１分間に８０回転し、８０×２１（１リール当たりの図柄コマ数）＝１６８０コマ分の図柄を変動させるので、１９０ｍｓの間では最大で４コマの図柄を引き込むことができることとなる。つまり、停止図柄として選択可能なのは、ストップスイッチ８Ｌ、８Ｃ、８Ｒが操作されたときに表示されている図柄と、そこから４コマ先までにある図柄、合計５コマ分の図柄である。
【０１６５】
このため、たとえば、ストップスイッチ８Ｌ、８Ｃ、８Ｒのいずれかが操作されたときに当該ストップスイッチに対応するリールの下段に表示されている図柄を基準とした場合、当該図柄から４コマ先までの図柄を下段に表示させることができるため、その結果として当該図柄から６コマ先までの図柄を上段に表示させることができる。すなわち、リール２Ｌ、２Ｃ、２Ｒ各々において、ストップスイッチ８Ｌ、８Ｃ、８Ｒのうちいずれかが操作されたときに当該ストップスイッチに対応するリールの下段に表示されている図柄を含めて７コマ以内に配置されている図柄を入賞ライン上に表示させることができる。
【０１６６】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【０１６７】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０および遊技制御基板４０を介して接続された演出制御基板９０に供給されるようになっている。
【０１６８】
また、電源基板１０１には、前述したホッパーモータ３４ｂ、払出センサ３４ｃ、満タンセンサ３５ａ、打止スイッチ３６ａ、自動精算スイッチ３６ｂ、設定キースイッチ３７、リセット／設定スイッチ３８、電源スイッチ３９が接続されている。
【０１６９】
遊技制御基板４０には、前述した１枚ＢＥＴスイッチ５、ＭＡＸＢＥＴスイッチ６、スタートスイッチ７、ストップスイッチ８Ｌ、８Ｃ、８Ｒ、精算スイッチ１０、リセットスイッチ２３、投入メダルセンサ３１、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、打止スイッチ３６ａ、自動精算スイッチ３６ｂ、設定キースイッチ３７、リセット／設定スイッチ３８が接続されており、これら接続されたスイッチ類の検出信号が入力されるようになっている。
【０１７０】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【０１７１】
遊技制御基板４０には、メインＣＰＵ４１ａ、ＲＯＭ４１ｂ、ＲＡＭ４１ｃ、Ｉ／Ｏポート４１ｄを備えたマイクロコンピュータからなり、遊技の制御を行なうメイン制御部４１、所定範囲（本実施の形態では０〜６５５３５）の乱数を発生させる乱数発生回路４２、乱数発生回路から乱数を取得するサンプリング回路４３、遊技制御基板４０に直接または電源基板１０１を介して接続されたスイッチ類から入力された検出信号を検出するスイッチ検出回路４４、リールモータ３２Ｌ、３２Ｃ、３２Ｒの駆動制御を行なうモータ駆動回路４５、流路切替ソレノイド３０の駆動制御を行なうソレノイド駆動回路４６、遊技制御基板４０に接続された各種表示器やＬＥＤの駆動制御を行なうＬＥＤ駆動回路４７、スロットマシン１に供給される電源電圧を監視し、電圧低下を検出したときに、その旨を示す電圧低下信号をメイン制御部４１に対して出力する電断検出回路４８、電源投入時またはメインＣＰＵ４１ａからの初期化命令が入力されないときにメインＣＰＵ４１ａにリセット信号を与えるリセット回路４９、遊技制御基板４０と投入メダルセンサ３１との間の電気的な接続状態及び遊技制御基板４０と演出制御基板９０との間の電気的な接続状態を監視する断線監視ＩＣ５０、その他各種デバイス、回路が搭載されている。
【０１７２】
メインＣＰＵ４１ａは、計時機能、タイマ割込などの割込機能（割込禁止機能を含む）を備え、ＲＯＭ４１ｂに記憶されたプログラム（後述）を実行して、遊技の進行に関する処理を行なうととともに、遊技制御基板４０に搭載された制御回路の各部を直接的または間接的に制御する。ＲＯＭ４１ｂは、メインＣＰＵ４１ａが実行するプログラムや各種テーブル等の固定的なデータを記憶する。ＲＡＭ４１ｃは、メインＣＰＵ４１ａがプログラムを実行する際のワーク領域等として使用される。Ｉ／Ｏポート４１ｄは、メイン制御部４１が備える信号入出力端子を介して接続された各回路との間で制御信号を入出力する。
【０１７３】
また、メイン制御部４１には、停電時においてもバックアップ電源が供給されており、バックアップ電源が供給されている間は、メインＣＰＵ４１ａによりリフレッシュ動作が行なわれてＲＡＭ４１ｃに記憶されているデータが保持されるようになっている。
【０１７４】
乱数発生回路４２は、後述するように所定数のパルスを発生する度にカウントアップして値を更新するカウンタによって構成され、サンプリング回路４３は、乱数発生回路４２がカウントしている数値を取得する。乱数発生回路４２は、乱数の種類毎にカウントする数値の範囲が定められており、本実施の形態では、その範囲として０〜６５５３５が定められている。メインＣＰＵ４１ａは、その処理に応じてサンプリング回路４３に指示を送ることで、乱数発生回路４２が示している数値を乱数として取得する（以下、この機能をハードウェア乱数機能という）。後述する内部抽選用の乱数は、ハードウェア乱数機能により抽出した乱数をそのまま使用するのではなく、ソフトウェアにより加工して使用する。また、メインＣＰＵ４１ａは、前述のタイマ割込処理（メイン）により、特定のレジスタの数値を更新し、こうして更新された数値を乱数として取得する機能も有する（以下、この機能をソフトウェア乱数機能という）。
【０１７５】
電断割込処理においては、当該処理の開始にともなってその他の割込処理の実行を禁止する。そして、使用している可能性がある全てのレジスタをＲＡＭに退避させる処理が行なわれる。これにより、電断復旧時に、元の処理に復帰できるようにする。
【０１７６】
次いで、全出力ポートを初期化した後、ＲＡＭに記憶されている全てのデータに基づいてＲＡＭパリティを計算して所定のパリティ格納領域にセットし、ＲＡＭアクセスを禁止する。そして何らの処理も行なわないループ処理に入る。すなわち、そのまま電圧が低下すると内部的に動作停止状態になる。よって、電断時に確実にメイン制御部４１は動作停止する。
【０１７７】
このように電断割込処理においては、その時点のＲＡＭパリティを計算してパリティ格納領域に格納されるようになっており、次回起動時において計算したＲＡＭパリティと比較することで、ＲＡＭに格納されているデータが正常か否かを確認できるようになっている。
【０１７８】
次に、リセット回路４９は、電源投入時においてメイン制御部４１が起動可能なレベルまで電圧が上昇したときにメイン制御部４１に対してリセット信号を出力し、メイン制御部４１を起動させるとともに、メイン制御部４１から定期的に出力される信号に基づいてリセットカウンタの値がクリアされずにカウントアップした場合、すなわちメイン制御部４１が一定時間動作を行なわなかった場合にメイン制御部４１に対してリセット信号を出力し、メイン制御部４１を再起動させる回路である。
【０１７９】
メインＣＰＵ４１ａは、Ｉ／Ｏポート４１ｄを介して演出制御基板９０に、各種のコマンドを送信する。遊技制御基板４０から演出制御基板９０へ送信されるコマンドは一方向のみで送られ、演出制御基板９０から遊技制御基板４０へ向けてコマンドが送られることはない。遊技制御基板４０から演出制御基板９０へ送信されるコマンドの伝送ラインは、ストローブ（ＩＮＴ）信号ライン、データ伝送ライン、グラウンドラインから構成されているとともに、演出中継基板８０を介して接続されており、遊技制御基板４０と演出制御基板９０とが直接接続されない構成とされている。
【０１８０】
演出制御基板９０には、前述したタッチパネルを構成する受光装置５７ａ、５７ｂが接続されており、これら接続された受光装置５７ａ、５７ｂの検出信号がタッチパネルコントローラ９９に入力されるようになっている。
【０１８１】
演出制御基板９０には、スロットマシン１の前面扉１ｂに配置された液晶表示器５１（図１参照）、演出効果ＬＥＤ５２、スピーカ５３、５４、リールＬＥＤ５５等の電気部品が接続されており、これら電気部品は、演出制御基板９０に搭載された後述のサブ制御部９１による制御に基づいて駆動されるようになっている。また、演出制御基板９０には、前述したタッチパネルを構成する発光装置５６ａ、５６ｂが接続されており、発光装置５６ａ、５６ｂは、演出制御基板９０に搭載された後述のタッチパネルコントローラ９９による制御に基づいて駆動されるようになっている。
【０１８２】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行なうサブ制御部９１、演出制御基板９０に接続された液晶表示器５１の表示制御を行なう表示制御回路９２、演出効果ＬＥＤ５２、リールＬＥＤ５５の駆動制御を行なうＬＥＤ駆動回路９３、スピーカ５３、５４からの音声出力制御を行なう音声出力回路９４、電源投入時またはサブＣＰＵ９１ａからの初期化命令が一定時間入力されないときにサブＣＰＵ９１ａにリセット信号を与えるリセット回路９５、演出制御基板９０に接続されたスイッチ類から入力された検出信号を検出するスイッチ検出回路９６、日付情報および時刻情報を含む時間情報を出力する時計装置９７、スロットマシン１に供給される電源電圧を監視し、電圧低下を検出したときに、その旨を示す電圧低下信号をサブ制御部９１に対して出力する電断検出回路９８、受光装置５６ｂ、５７ｂからの信号に基づき、液晶表示器５１の表示面に対してタッチ操作された位置を特定する処理などを行なうタッチパネルコントローラ９９、その他の回路等、が搭載されており、サブＣＰＵ９１ａは、遊技制御基板４０から送信されるコマンド、タッチパネルコントローラ９９からの出力情報を受けて、演出を行なうための各種の制御を行なうとともに、演出制御基板９０に搭載された制御回路の各部を直接的または間接的に制御する。
【０１８３】
サブＣＰＵ９１ａは、メインＣＰＵ４１ａと同様に、割込機能（割込禁止機能を含む）を備える。サブＣＰＵ９１ａは、メイン制御部４１がコマンドを送信する際に出力するストローブ（ＩＮＴ）信号の入力に基づいてメイン制御部４１からのコマンドを取得し、受信用バッファに格納するコマンド受信割込処理を実行する。また、サブＣＰＵ９１ａは、一定間隔毎に割込を発生させてタイマ割込処理を実行する。また、サブＣＰＵ９１ａは、電断検出回路９８から出力された電圧低下信号の入力に応じて電断割込処理を実行する。
【０１８４】
また、サブ制御部９１にも、停電時においてバックアップ電源が供給されており、バックアップ電源が供給されている間は、ＲＡＭ９１ｃに記憶されているデータが保持されるようになっている。
【０１８５】
本実施の形態のスロットマシン１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に払出率が低くなる。すなわち設定値として６が設定されている場合には、遊技者にとって最も有利度が高く、５、４、３、２、１の順に有利度が段階的に低くなる。
【０１８６】
設定値を変更するためには、スロットマシン１の電源がＯＮ状態である場合には一旦ＯＦＦ状態にし、設定キースイッチ３７をＯＮ状態としてからスロットマシン１の電源をＯＮする必要がある。設定キースイッチ３７をＯＮ状態として電源をＯＮすると、設定値表示器２４に設定値の初期値として１が表示され、リセット／設定スイッチ３８の操作による設定値の変更操作が可能な設定変更モードに移行する。設定変更モードにおいて、リセット／設定スイッチ３８が操作されると、設定値表示器２４に表示された設定値が１ずつ更新されていく（設定６からさらに操作されたときは、設定１に戻る）。そして、スタートスイッチ７が操作されると設定値が確定し、確定した設定値がメイン制御部４１のＲＡＭ４１ｃに格納される。そして、設定キースイッチ３７がＯＦＦされると、賭数を設定することによりゲームが開始可能となる状態に移行する。なお、スロットマシン１の電源がＯＮ状態である場合に一旦ＯＦＦ状態にする操作、設定キースイッチ３７をＯＮ状態としてからスロットマシン１の電源をＯＮ状態にする操作、リセット／設定スイッチ３８の操作、および設定値を確定させるためのスタートスイッチ７の操作など、設定値を設定するために必要な操作を設定変更操作という。なお、設定変更操作は、このような操作に限るものではなく、設定値を設定するための操作であればどのようなものであってもよい。
【０１８７】
次に、メイン制御部４１のＲＡＭ４１ｃの初期化について説明する。メイン制御部４１のＲＡＭ４１ｃの格納領域は、重要ワーク、一般ワーク、特別ワーク、設定値ワーク、停止相ワーク、非保存ワーク、未使用領域、スタック領域に区分されている。
【０１８８】
重要ワークは、各種表示器やＬＥＤの表示用データ、Ｉ／Ｏポート４１ｄの入出力データ、遊技時間の計時カウンタ等、ＢＢ終了時に初期化すると不都合があるデータが格納されるワークである。一般ワークは、停止制御テーブル、停止図柄、メダルの払出枚数、ＢＢ中のメダル払出総数等、ＢＢ終了時に初期化可能なデータ、各ゲームの終了時において初期化される当選フラグ（小役、リプレイ）および入賞フラグが格納されるワークである。
【０１８９】
特別ワークは、演出制御基板９０へコマンドを送信するためのデータ、各種ソフトウェア乱数等、設定開始前にのみ初期化されるデータ、各ゲームの終了時においてクリアされることはなく入賞時および設定変更時（設定変更モードへの移行時）に初期化される当選フラグ（ビッグボーナス、レギュラーボーナス）、次のゲームの遊技状態を特定するための遊技状態フラグ、消化したゲーム数が所定ゲーム数に到達することにより終了する遊技状態（たとえば、後述する通常遊技状態など）中であるときには当該ＲＴに制御される残りゲーム数が格納されるワークである。なお、特別ワークにおいては、残りゲーム数が格納される例について説明するが、これに限らず、当該遊技状態に制御されてから消化したゲーム数が格納されるものであってもよい。
【０１９０】
設定値ワークは、内部抽選処理で抽選を行なう際に用いる設定値が格納されるワークであり、設定開始前（設定変更モードへの移行前）の初期化において０が格納された後、１に補正され、設定終了時（設定変更モードへの終了時）に新たに設定された設定値が格納されることとなる。
【０１９１】
なお、設定変更モードに移行させた場合でも、原則として、設定変更モード移行前の遊技状態（遊技状態の種類および通常遊技状態であるときには残りゲーム数）に関する情報が維持される。これにより、たとえば、ＲＴ中に設定変更モードに移行させた場合には、設定変更モードに移行された後においても当該ＲＴのリプレイ当選確率が維持される遊技状態に制御される。また、ゲーム数が所定ゲーム数に到達することにより終了する通常遊技状態中に設定変更モードに移行させた場合には、残りゲーム数についても維持管理される。また、特別ワークにボーナスの当選フラグが設定されているときに設定変更モードに移行させた場合には、当該当選フラグが初期化される。たとえば、ボーナス当選中に設定変更モードに移行させた場合には、ボーナスの当選フラグが初期化されボーナス抽選で当選すると再度当選フラグを設定可能であって当該ＲＴのリプレイ当選確率が維持される遊技状態に制御される。このため、次のゲームの遊技状態を特定するための遊技状態フラグが格納される領域は、原則として、設定変更に関連して初期化されることはない。例外として、たとえば、設定変更モード移行前の遊技状態がボーナスであるときには、設定変更に関連してたとえば準備モードを示す遊技状態フラグが格納される。
【０１９２】
停止相ワークは、リールモータ３２Ｌ、３２Ｃ、３２Ｒの停止相を示すデータが格納されるワークであり、リールモータ３２Ｌ、３２Ｃ、３２Ｒが停止状態となった際にその停止相を示すデータが格納されることとなる。非保存ワークは、各種スイッチ類の状態を保持するワークであり、起動時にＲＡＭ４１ｃのデータが破壊されているか否かに関わらず必ず値が設定されることとなる。未使用領域は、ＲＡＭ４１ｃの格納領域のうち使用していない領域であり、後述する複数の初期化条件のいずれか１つでも成立すれば初期化されることとなる。
【０１９３】
スタック領域は、メインＣＰＵ４１ａのレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【０１９４】
本実施の形態においてメインＣＰＵ４１ａは、設定キースイッチ３７、リセット／設定スイッチ３８の双方がＯＮの状態での起動時、ＲＡＭ異常エラー発生時、設定キースイッチ３７のみがＯＮの状態での起動時、ＢＢ終了時、設定キースイッチ３７、リセット／設定スイッチ３８の双方がＯＦＦの状態での起動時においてＲＡＭ４１ｃのデータが破壊されていないとき、１ゲーム終了時の６つからなる初期化条件が成立した際に、各初期化条件に応じて初期化される領域の異なる５種類の初期化を行なう。
【０１９５】
初期化０は、起動時において設定キースイッチ３７、リセット／設定スイッチ３８の双方がＯＮの状態であり、設定変更モードへ移行される場合に行なう初期化、またはＲＡＭ異常エラー発生時に行なう初期化であり、初期化０では、ＲＡＭ４１ｃの格納領域のうち、使用中スタック領域および次のゲームの遊技状態を特定するための遊技状態フラグが格納される領域を除く全ての領域（未使用領域および未使用スタック領域を含む）が初期化され、初期遊技状態に制御される。
【０１９６】
初期化１は、起動時において設定キースイッチ３７のみがＯＮの状態であり、設定変更モードへ移行される場合に行なう初期化であり、初期化１では、ＲＡＭ４１ｃの格納領域のうち、使用中スタック領域、次のゲームの遊技状態を特定するための遊技状態フラグが格納される領域、および停止相ワークを除く全ての領域（未使用領域および未使用スタック領域を含む）が初期化される。
【０１９７】
初期化２は、ＢＢ終了時に行なう初期化であり、初期化２では、ＲＡＭ４１ｃの格納領域のうち、一般ワーク、未使用領域および未使用スタック領域が初期化される。初期化３は、起動時において設定キースイッチ３７、リセット／設定スイッチ３８の双方がＯＦＦの状態であり、かつＲＡＭ４１ｃのデータが破壊されていない場合において行なう初期化であり、初期化３では、非保存ワーク、未使用領域および未使用スタック領域が初期化される。初期化４は、１ゲーム終了時に行なう初期化であり、初期化４では、ＲＡＭ４１ｃの格納領域のうち、未使用領域および未使用スタック領域が初期化される。
【０１９８】
なお、本実施の形態では、初期化０、初期化１は設定変更モードの終了時に行なう例について説明するが、設定変更モードへ移行される前、設定変更モード中、あるいは設定変更後最初のゲームが開始されるまで（スタートスイッチ７が操作されるまで）に行なうようにしてもよい。この場合、設定値ワークを初期化してしまうと確定した設定値が失われてしまうこととなるので、設定値ワークの初期化は行なわれない。
【０１９９】
本実施の形態のスロットマシン１においては、可変表示装置２のいずれかの入賞ライン上に役図柄が揃うと、入賞となる。入賞となる役の種類は、遊技状態に応じて定められているが、大きく分けて、ビッグボーナス、レギュラーボーナスへの移行を伴う特別役と、メダルの払い出しを伴う小役と、賭数の設定を必要とせずに次のゲームを開始可能となる再遊技役とがある。なお、ビッグボーナスをＢＢと示し、ビッグボーナス中に提供されるレギュラーボーナスをＲＢと示す場合がある。また、ビッグボーナス、レギュラーボーナスを単にボーナスという場合もある。遊技状態に応じて定められた各役の入賞が発生するためには、内部抽選に当選して、当該役の当選フラグがＲＡＭ４１ｃに設定されている必要がある。
【０２００】
図５（ａ）は、入賞役の種類、入賞役の図柄組合せ、および入賞役に関連する技術事項について説明するための図であり、図５（ｂ）は、予め定められた特殊出目の図柄組合せおよび特殊出目に関連する技術事項について説明するための図である。また、図６（ａ）は、メイン制御部４１により制御される遊技状態の遷移を説明するための図であり、図６（ｂ）は、サブ制御部９１により制御される確率状態の遷移を説明するための図である。
【０２０１】
本実施の形態におけるスロットマシンは、図６（ａ）に示すように、メイン制御部４１により、ボーナス終了後に制御される準備モード、準備モードにおいて所定の有利条件（後述する特殊出目停止）が成立することにより制御されるＲＴ、準備モードおよびＲＴにおいて所定の終了条件（後述する転落リプレイ入賞）が成立することにより制御される通常遊技状態、ボーナス内部当選したときに制御される内部中ＲＴ、およびボーナス入賞により制御されるボーナスのうち、いずれかに制御される。ＲＴは、再遊技役のうち遊技状態の移行を伴なわないリプレイの当選率が極めて高確率となる点において、準備モードおよび通常遊技状態よりも遊技者にとって有利な状態といえる。
【０２０２】
また、本実施の形態におけるスロットマシンは、上記のように、メイン制御部４１により、遊技状態を準備モード、ＲＴ、通常遊技状態、内部中ＲＴ、ボーナスに制御可能としつつ、遊技状態が準備モードやＲＴであるときには、サブ制御部９１により、内部抽選結果を報知するナビ演出を実行可能な報知期間となるアシストタイム（以下、ＡＴという）に演出状態を制御可能となっている。遊技状態が準備モードであって演出状態がＡＴに制御されている状態をＡＴ準備モードともいい、遊技状態が準備モードであるが演出状態がＡＴに制御されていない状態を非ＡＴ準備モードともいう。また、遊技状態がＲＴであって演出状態がＡＴに制御されている状態をＡＲＴともいい、遊技状態がＲＴであるが演出状態がＡＴに制御されていない状態を非ＡＲＴともいう。
【０２０３】
また、本実施の形態におけるスロットマシンは、図６（ｂ）に示すように、サブ制御部９１により、ボーナス終了あるいは後述するメロン当選を条件として高確率状態に制御され、当該高確率状態において所定ゲーム数消化するかボーナス当選することを条件として低確率状態に制御される。確率状態が高確率状態であるとき、あるいは遊技状態がボーナス中であるときには、後述するように所定のポイント付与条件が成立することにより、ＡＴに制御される確率に関与するポイントが付与される。
【０２０４】
図５（ａ）を参照して、入賞役のうち特別役には、ビッグボーナス（１）、ビッグボーナス（２）、およびレギュラーボーナスが含まれる。
【０２０５】
ビッグボーナス（１）は、入賞ラインのいずれかに「赤７−赤７−赤７」の組合せが揃ったときに入賞となる。ビッグボーナス（２）は、入賞ラインのいずれかに「白７−白７−白７」の組合せが揃ったときに入賞となる。ビッグボーナス（１）または（２）のいずれかに入賞すると、遊技状態がビッグボーナスに移行する。
【０２０６】
ビッグボーナスに制御されているときには、当該ビッグボーナスが終了するまで、レギュラーボーナスに繰り返し制御される。遊技状態がビッグボーナスにある間は、入賞したビッグボーナスの種類に対応するビッグボーナス中フラグがＲＡＭ４１ｃに設定される。また、レギュラーボーナスにある間は、レギュラーボーナス中フラグがＲＡＭ４１ｃに設定される。すなわち、ビッグボーナス中フラグがＯＮ状態に設定されている間は、ゲームが開始されるときにレギュラーボーナス中フラグがＯＮ状態に設定されていないときに、繰り返しレギュラーボーナス中フラグがＯＮ状態に設定される。
【０２０７】
ビッグボーナス（１）および（２）は、２７０枚以上メダルが払い出されたことを条件として終了する。
【０２０８】
図６（ａ）に示すように、ビッグボーナス（１）、（２）、およびレギュラーボーナスのいずれかに内部当選してから入賞するまでは、内部中ＲＴに遊技状態が制御される。内部中ＲＴでは、リプレイに当選する確率が通常遊技状態であるときよりも高確率となる。
【０２０９】
また、ビッグボーナスが入賞したとき、ビッグボーナスが終了した後には、クレジットの精算を除いて、遊技者のいずれの操作も無効となり、遊技の進行が不能となるフリーズ状態に一定期間制御される。また、打止機能が有効に設定されている場合にビッグボーナスが終了したときには、クレジットの精算を除いて、遊技者のいずれの操作も無効となり、遊技の進行が不能となる打止状態にリセット／設定スイッチ３８が操作されるまで制御される。また、図６（ａ）に示すように、ビッグボーナスが終了した後は、準備モードに遊技状態が制御される。
【０２１０】
レギュラーボーナスは、入賞ラインのいずれかに「白７−白７−赤７」の組合せが揃ったときに入賞となる。レギュラーボーナスが入賞すると、遊技状態がレギュラーボーナスに移行する。
【０２１１】
レギュラーボーナス入賞した場合には、１２ゲーム消化するかまたは８回入賞するまでレギュラーボーナスに制御される。遊技状態がレギュラーボーナスにある間は、レギュラーボーナス中フラグがＲＡＭ４１ｃに設定される。
【０２１２】
図６（ａ）に示すように、レギュラーボーナスに内部当選してから、該当選したレギュラーボーナスが入賞するまでは、前述した内部中ＲＴに遊技状態が制御される。
【０２１３】
また、レギュラーボーナスが入賞したとき、レギュラーボーナスが終了した後には、クレジットの精算を除いて、遊技者のいずれの操作も無効となり、遊技の進行が不能となるフリーズ状態に一定期間制御される。また、打止機能が有効に設定されている場合にレギュラーボーナスが終了したときには、クレジットの精算を除いて、遊技者のいずれの操作も無効となり、遊技の進行が不能となる打止状態にリセット／設定スイッチ３８が操作されるまで制御される。また、図６（ａ）に示すように、レギュラーボーナスが終了した後は、ビッグボーナスが終了したときと同様に、準備モードに遊技状態が制御される。
【０２１４】
また、図６（ｂ）に示すように、サブ制御部９１により制御される確率状態が、高確率状態であるときにビッグボーナスやレギュラーボーナスに当選したときには低確率状態に制御され、ビッグボーナスやレギュラーボーナスが終了した後は低確率状態から高確率状態に制御される。ビッグボーナスやレギュラーボーナスが終了したことにより制御される高確率状態については、５０ゲーム消化するか、ボーナス当選するまで継続して制御される。
【０２１５】
本実施の形態においては、ビッグボーナス（１）、（２）、レギュラーボーナスのいずれかに当選したときおよび終了したときに、サブ制御部９１により、演出状態をＡＴに制御するか否かを決定するＡＴ抽選が行なわれる。ＡＴ抽選は、付与されたポイントの総数に応じた確率にしたがって抽選する第１ＡＴ抽選と、成立した抽選条件に応じた確率にしたがって抽選する第２ＡＴ抽選とを含む。
【０２１６】
ＡＴ抽選は、たとえばランダムカウンタから抽出された乱数を用いて、ＡＴに制御するか否か、およびＡＴに制御可能となる期間などをサブ制御部９１が決定するための抽選をいう。また、ＡＴ抽選は、ボーナス当選したときあるいはボーナス終了したときに限らず、後述するように、非ＡＴ準備モードや非ＡＲＴにおいて所定数ゲーム消化することによっても実行される。サブ制御部９１は、ボーナス当選あるいはボーナス終了によるＡＴ抽選において当選したときには当該ボーナス終了後に演出状態をＡＴに制御し、非ＡＴ準備モードや非ＡＲＴにおいて所定数ゲーム消化することによるＡＴ抽選において当選したときには次のゲームあるいは転落リプレイに当選したゲームから演出状態をＡＴに制御する。
【０２１７】
後述する内部抽選においてビッグボーナスおよびレギュラーボーナスのうちいずれかに当選していても、ストップスイッチ８Ｌ、８Ｃ、８Ｒをこれらの役に入賞可能とする適正なタイミングで操作しなければ、これらの役に入賞することはない。ビッグボーナスやレギュラーボーナスを構成する図柄（「赤７」、「白７」）は、各々、リール２Ｌ、２Ｃ、２Ｒ各々において７コマ以内に配置されていないためである。
【０２１８】
次に、入賞役のうち小役について説明する。入賞役のうち小役には、イチゴ（１）、イチゴ（２）、メロン、９枚役（１）〜９枚役（９）が含まれる。小役のうちメロンは、入賞ラインのいずれかに「メロン−メロン−メロン」の組合せが揃ったときに入賞となる。メロンが入賞すると９枚メダルが払い出される。メロンは、原則として、ストップスイッチ８Ｌ、８Ｃ、８Ｒの操作手順に関わらず、入賞可能なものとなっている。メロンを構成する図柄（「メロン」）が、各々、リール２Ｌ、２Ｃ、２Ｒ各々において７コマ以内に配置されているためである。
【０２１９】
また、図６（ｂ）に示すように、サブ制御部９１により制御される確率状態が低確率状態であるときにメロン当選したときには、サブ制御部９１により高確率状態に制御するか否かの高確率状態抽選が行なわれる。また、当該高確率状態抽選により当選したときには、サブ制御部９１により確率状態が高確率状態に制御される。高確率状態抽選により当選する確率は、たとえば、５０％に設定されている。高確率状態抽選により当選したことにより制御される高確率状態については、３０ゲーム消化するか、ボーナス当選するまで継続して制御される。
【０２２０】
また、サブ制御部９１により制御される確率状態が高確率状態であるときにメロンに当選したことを契機として、第１ＡＴ抽選の当選確率に関与するポイントを付与するか否かのポイント付与抽選が実行される。なお、低確率状態であるときにメロン当選したときであって、高確率状態抽選により当選して高確率状態に制御されたときには、さらにポイント付与抽選を実行する。これにより、低確率状態においてメロン当選することに対する期待感を遊技者に抱かせることができる。
【０２２１】
次に、小役のうちイチゴ（１）は、リール２Ｌについて入賞ラインのいずれかに「黒イチゴ」の図柄が導出されることにより入賞となり、２枚のメダルが払い出される。小役のうちイチゴ（２）は、リール２Ｌについて入賞ラインのいずれかに「白イチゴ」の図柄が導出されることにより入賞となり、２枚のメダルが払い出される。なお、「黒イチゴ」あるいは「白イチゴ」の図柄が左リール２Ｌの上段または下段に停止した場合には、入賞ラインＬ１、Ｌ３、Ｌ５または入賞ラインＬ２、Ｌ４、Ｌ６の３本の入賞ライン上でイチゴ（１）あるいはイチゴ（２）に入賞したこととなるので、６枚のメダルが払い出される。
【０２２２】
ボーナス中であるときにイチゴ（１）やイチゴ（２）に当選すると、図２７を参照して後述するように、ＡＴへ制御されることを促進する報知促進条件が成立する。具体的には、ボーナス中においてイチゴ（１）やイチゴ（２）に当選することにより報知促進条件が成立すると、当該ボーナス終了後、確実にＡＴに制御させるための処理が行なわれる。本実施の形態においては、イチゴ（２）に当選していないときよりも当選しているときの方が、より遊技者にとって有利度合いが高い報知促進条件が成立する。
【０２２３】
また、確率状態が高確率状態においてイチゴ（１）やイチゴ（２）に当選すると、第１ＡＴ抽選の当選確率に関与するポイントが必ず付与される。
【０２２４】
また、イチゴ（１）やイチゴ（２）に当選したゲームにおいてのみ、特別な出目を入賞ライン上に停止可能とする特殊なリール制御が行なわれる。これにより、イチゴ（１）やイチゴ（２）のいずれにも入賞しなかった場合であっても、特別な出目が停止されることにより、イチゴ（１）やイチゴ（２）に当選していたことを遊技者に報知することができる。
【０２２５】
次に、９枚役（１）〜（９）について説明する。９枚役（１）は、入賞ラインのいずれかに「赤７−ブランク（１）−赤７」の組合せが揃ったときに入賞となる。９枚役（２）は、入賞ラインのいずれかに「白７−ブランク（１）−赤７」の組合せが揃ったときに入賞となる。９枚役（３）は、入賞ラインのいずれかに「ＢＡＲ−ブランク（１）−赤７」の組合せが揃ったときに入賞となる。９枚役（４）は、入賞ラインのいずれかに「赤７−ブランク（１）−白７」の組合せが揃ったときに入賞となる。９枚役（５）は、入賞ラインのいずれかに「白７−ブランク（１）−白７」の組合せが揃ったときに入賞となる。９枚役（６）は、入賞ラインのいずれかに「ＢＡＲ−ブランク（１）−白７」の組合せが揃ったときに入賞となる。９枚役（７）は、入賞ラインのいずれかに「赤７−ブランク（１）−ＢＡＲ」の組合せが揃ったときに入賞となる。９枚役（８）は、入賞ラインのいずれかに「白７−ブランク（１）−ＢＡＲ」の組合せが揃ったときに入賞となる。９枚役（９）は、入賞ラインのいずれかに「ＢＡＲ−ブランク（１）−ＢＡＲ」の組合せが揃ったときに入賞となる。
【０２２６】
ここで、図３を参照すると、９枚役（１）〜（９）各々を構成する図柄は、リール２Ｌ、２Ｒにおいて７コマ以内に配置されておらず、リール２Ｃにおいて７コマ以内に配置されている。このため、後述する内部抽選において９枚役（１）〜（９）のいずれかに当選していても、ストップスイッチ８Ｌおよび８Ｒをこれらの役に入賞可能とする適正なタイミングで操作しなければ、当選している９枚役に入賞することはない。
【０２２７】
また、９枚役（１）〜（９）各々を構成する左図柄および右図柄は、リール２Ｌ、２Ｒ各々において、７コマずつ離れて配置されている。このため、９枚役（１）〜（９）各々を導出させるためのストップスイッチ８Ｌ〜８Ｒの操作タイミングの組合せ（「操作手順」）を、９枚役（１）〜（９）各々で異ならせることができる。たとえば、９枚役（１）を導出させるための操作手順は、左リール２Ｌの「赤７」を入賞ラインに引き込み可能なタイミングでストップスイッチ８Ｌを操作し、かつ右リール２Ｒの「赤７」を入賞ラインに引き込み可能なタイミングでストップスイッチ８Ｒを操作する手順をいう。また、９枚役（９）を導出させるための操作手順は、左リール２Ｌの「ＢＡＲ」を入賞ラインに引き込み可能なタイミングでストップスイッチ８Ｌを操作し、かつ右リール２Ｒの「ＢＡＲ」を入賞ラインに引き込み可能なタイミングでストップスイッチ８Ｒを操作する手順をいう。
【０２２８】
９枚役（１）〜（９）のうちいずれに当選しているか認識していない状態においては、ストップスイッチ８Ｌおよび８Ｒを操作した場合、当選している９枚役を構成する左図柄および右図柄が１／３×１／３＝１／９の確率で引き込まれ入賞となり、それ以外の８／９の確率で引き込むことができず入賞不能となる。
【０２２９】
一方、９枚役（１）〜（９）は、前述したＡＲＴであることを条件として、当選した種類に対応するナビ演出が実行されるナビ対象役である。このため、ＡＲＴであるときには、当選した９枚役に応じた情報が報知される。当選した役の種類に応じた情報とは、たとえば、当選した９枚役の種類を特定可能な情報であってもよく、また、当選した９枚役を入賞させるための操作手順を特定可能な情報であってもよい。これにより、ＡＲＴにおいて、遊技者は当選した９枚役の種類を認識することができ、報知された９枚役を入賞させるための適正なタイミングでストップスイッチ８Ｌおよび８Ｒを操作することができる。その結果、９枚役の取りこぼしの発生を低減させることができる。
【０２３０】
また、９枚役（１）〜（９）は、前述した非ＡＲＴ中やＲＴから通常遊技状態に制御されてから所定数ゲーム消化するまでの間において当選したときにも、図２９を参照して後述するように、所定の確率にしたがって当選した種類に対応するナビ演出が実行される。このため、９枚役については、ＡＴに制御されていないときであっても、取りこぼしの発生を低減させることができる。
【０２３１】
また、遊技状態がボーナス中であるときに９枚役（１）〜（９）のいずれかが単独で当選しかつ入賞したことを契機として、第１ＡＴ抽選の当選確率に関与するポイントが必ず付与される。
【０２３２】
次に、入賞役のうち再遊技役について説明する。入賞役のうち再遊技役には、リプレイ、転落リプレイ、ＢＡＲリプレイが含まれる。再遊技役のいずれかに入賞したときには、メダルの払い出しはないが次のゲームを改めて賭数を設定することなく開始できるので、次のゲームで設定不要となった賭数に対応した枚数分のメダルが払い出されるのと実質的には同じこととなる。
【０２３３】
リプレイは、入賞ラインのいずれかに「バナナ−バナナ−バナナ」の組合せが揃ったときに入賞となる。リプレイを構成する図柄（「バナナ」）は、各リールにおいて７コマ以内に配置されている。よって、リプレイについては、原則として、当選していれば、ストップスイッチ８Ｌ〜８Ｒの操作タイミングに関わらず入賞させることができる役といえる。
【０２３４】
転落リプレイは、入賞ラインのいずれかに「メロン−バナナ−バナナ」の組合せが揃ったときに入賞となる。転落リプレイを構成する図柄（左リール２Ｌの「メロン」、中リール２Ｃ、右リール２Ｒの「バナナ」）は、各リールにおいて７コマ以内に配置されている。よって、転落リプレイについては、原則として、当選していれば、ストップスイッチ８Ｌ〜８Ｒの操作タイミングに関わらず入賞させることができる役といえる。図６（ａ）に示すように、準備モードあるいはＲＴにおいて転落リプレイに入賞した後は、通常遊技状態に制御される。また、ＡＴ準備モードやＡＲＴにおいて転落リプレイに入賞したときには、遊技状態が通常遊技状態に制御されるとともに、ＡＴが終了する。
【０２３５】
転落リプレイは、前述したＡＴ準備モードやＡＲＴであることを条件として、当選したリプレイの種類に対応するナビ演出が実行されるナビ対象役である。このため、ＡＴ準備モードやＡＲＴであるときには、転落リプレイに当選したときに、当該転落リプレイと同時当選したリプレイの種類に応じた情報が報知される。転落リプレイと同時当選したリプレイの種類に応じた情報とは、たとえば、同時当選したリプレイの種類を特定可能な情報であってもよく、また、同時当選したリプレイの種類に応じて転落リプレイの入賞を回避させるための操作手順を特定可能な情報であってもよい。これにより、ＡＴ準備モードやＡＲＴである場合、転落リプレイ入賞を回避でき、その結果通常遊技状態に制御されることを意図的に回避することができる。
【０２３６】
一方、非ＡＴ準備モードや非ＡＲＴである場合、転落リプレイが当選したときであっても、ナビ演出が実行されないため、転落リプレイ入賞を意図的に回避することができず、通常遊技状態に制御される可能性が高まるといえる。このように、準備モードやＲＴに制御されているときにおいては、演出状態がＡＴであるか否かによって、遊技者の有利度合いの差を大きくすることによりメリハリをつけて、ＡＴ抽選においてＡＴに当選することに対する期待感を効果的に高めることができ、遊技の興趣を向上させることができる。
【０２３７】
ＢＡＲリプレイは、入賞ラインのいずれかに「ＢＡＲ−バナナ−バナナ」の組合せが揃ったときに入賞となる。ＢＡＲリプレイを構成する図柄のうち中リール２Ｃ、右リール２Ｒの図柄（「バナナ」）は、各リールにおいて７コマ以内に配置されている。一方、ＢＡＲリプレイを構成する図柄のうち左リール２Ｌの図柄（「ＢＡＲ」）は、左リール２Ｌにおいて７コマ以内に配置されていない。このため、内部抽選においてＢＡＲリプレイに当選していても、ストップスイッチ８Ｌを適正なタイミングで操作しなければ、ＢＡＲリプレイに入賞しない。
【０２３８】
次に、図５（ｂ）を参照して、特殊出目について説明する。特殊出目は、入賞ラインのいずれかに、９枚役（１）〜（９）の図柄組合せのうち、左リール２Ｌの図柄である「赤７／白７／ＢＡＲ（「／」は「または」を意味する）」を「ブランク（２）」に置き換えた３種類の組合せ（ブランク（２）−ブランク（１）−赤７／白７／ＢＡＲ）、右リール２Ｒの図柄である「赤７／白７／ＢＡＲ」を「ブランク（１）」に置き換えた３種類の組合せ（赤７／白７／ＢＡＲ−ブランク（１）−ブランク（１））、左リール２Ｌの図柄を「ブランク（２）」に置き換えかつ右リール２Ｒの図柄を「ブランク（１）」に置き換えた組合せ（ブランク（２）−ブランク（１）−ブランク（１））を含む。このように、特殊出目を構成する図柄は、リール２Ｌ、２Ｃ、２Ｒ各々において７コマ以内に配置されている。このため、特殊出目は、原則として、ストップスイッチ８Ｌ、８Ｃ、８Ｒの操作手順に関わらず、入賞ラインＬ１〜Ｌ６のいずれかに停止可能なものとなっている。
【０２３９】
本実施の形態において特殊出目を入賞ラインＬ１〜Ｌ６のいずれかに停止させるリール制御は、いずれの遊技状態においても、９枚役（１）〜（９）のいずれかに当選しているときであって当該当選している９枚役を取りこぼしたときにのみ行なわれる。一方、特殊出目は、前述したように、ストップスイッチ８Ｌ、８Ｃ、８Ｒの操作手順に関わらず、入賞ラインＬ１〜Ｌ６のいずれかに停止可能となっている。このため、９枚役（１）〜（９）のいずれかに当選しているときであって、当該当選している９枚役を構成する図柄を入賞ラインＬ１〜Ｌ６のいずれにも停止させることができない場合には、必ず特殊出目を入賞ラインＬ１〜Ｌ６のいずれかに停止させることができる。
【０２４０】
図６（ａ）に示すように、準備モードにおいて特殊出目が停止した後は、ＲＴに制御される。ＲＴは、ビッグボーナスやレギュラーボーナスに当選するか、転落リプレイ入賞するまで継続して制御される。なお、準備モード以外の通常遊技状態、ボーナス、内部中ＲＴなどにおいて特殊出目が停止されたとしても、ＲＴに制御されない。また、ＲＴにおいて特殊出目が停止されたとしても、当該ＲＴへの制御が維持される。
【０２４１】
次に、内部抽選について説明する。内部抽選は、上記した各入賞役の発生を許容するか否か、すなわち入賞役を発生させる図柄組合せがいずれかの入賞ラインに揃える制御を行なうことを許容するか否かを、可変表示装置２の表示結果が導出表示される以前に（実際には、スタートスイッチ７操作時に）、決定するものである。内部抽選では、乱数発生回路４２から内部抽選用の乱数（０〜６５５３５の整数）が取得される。そして、遊技状態に応じて定められた各役について、取得した内部抽選用の乱数と、遊技状態と、リセット／設定スイッチ３８により設定された設定値に応じて定められた各入賞役の判定値数に応じて行なわれる。
【０２４２】
ここで、内部抽選の対象として遊技状態毎に定められている抽選対象役と、該抽選対象役の判定値数とを説明する。図７は、遊技状態および設定値に基づいて取得される各抽選対象役および判定値数を示す図である。なお、図７で示す抽選対象役および判定値数は、たとえば、ＲＯＭ４１ｂに割り当てられた所定の記憶領域に記憶されている。内部抽選では、遊技状態に応じた抽選対象役について定められた判定値数を、ゲーム開始時に抽出される内部抽選用の乱数に順次加算し、加算の結果が所定値（たとえば６５５３６）をオーバーフローしたときに、当該抽選対象となっている役に当選したものと判定される。当選と判定されると、当該入賞役の当選フラグがＲＡＭ４１ｃに設定される。
【０２４３】
図７（ａ）は、遊技状態が通常遊技状態であるときに内部抽選される抽選対象役および判定値数を示す図である。通常遊技状態であるときの抽選対象役は、ビッグボーナス（１）、ビッグボーナス（２）、レギュラーボーナス、リプレイ、リプレイ＋転落リプレイ、リプレイ＋転落リプレイ＋ＢＡＲリプレイ、イチゴ（１）＋イチゴ（２）、メロン、９枚役（１）、９枚役（２）、９枚役（３）、９枚役（４）、９枚役（５）、９枚役（６）、９枚役（７）、９枚役（８）、９枚役（９）が順番に抽選対象として読み出されるように構成されている。なお、入賞役の間に“＋”を表記することにより、内部抽選において同時に抽選対象役として読み出されることを示す。たとえば、リプレイ＋転落リプレイと表記されている場合は、内部抽選においてリプレイと転落リプレイとが同時に抽選対象役として読み出されることを示す。
【０２４４】
そして、設定値が１のときに、内部抽選の対象役がビッグボーナス（１）であるときに「８０」が、ビッグボーナス（２）であるときに「８０」が、レギュラーボーナスであるときに「１００」が、リプレイであるときに「３８６０」が、リプレイ＋転落リプレイであるときに「２５６０」が、リプレイ＋転落リプレイ＋ＢＡＲリプレイであるときに「２５６０」が、イチゴ（１）＋イチゴ（２）であるときに「７００」が、メロンであるときに「７０００」が、９枚役（１）〜（９）のいずれかであるときに「１０００」が、判定値数として取得される。図７（ａ）には、設定値が２〜４のときについても同様に、内部抽選において取得される各抽選対象役の判定値数が示されている。
【０２４５】
図７（ａ）に示すように、設定値として設定されている値が大きいほど、ビッグボーナス（１）、ビッグボーナス（２）、レギュラーボーナスの内部抽選において取得される判定値数が大きくなっている。これにより、設定値が大きいほど、内部抽選において特別役に当選する確率を高くすることができる。
【０２４６】
図７（ｂ）〜（ｄ）は、各々、遊技状態が準備モード、ＲＴ、内部中ＲＴであるときであって、内部抽選においてリプレイ、リプレイ＋転落リプレイ、リプレイ＋転落リプレイ＋ＢＡＲリプレイ各々が抽選対象役として読み出されたときに取得される判定値数を示す図である。なお、遊技状態が準備モード、ＲＴ、内部中ＲＴであるときの、リプレイ、リプレイ＋転落リプレイ、リプレイ＋転落リプレイ＋ＢＡＲリプレイ各々の抽選以外において取得される判定値数は、図７（ａ）で示した判定値数と同様である。すなわち、遊技状態が準備モード、ＲＴ、内部中ＲＴであるときの内部抽選において取得される各抽選対象役の判定値数は、図７（ａ）で示したリプレイ、リプレイ＋転落リプレイ、リプレイ＋転落リプレイ＋ＢＡＲリプレイ各々の内部抽選において取得される判定値数を、図７（ｂ）〜（ｄ）で示すリプレイ、リプレイ＋転落リプレイ、リプレイ＋転落リプレイ＋ＢＡＲリプレイ各々の内部抽選において取得される判定値数に置き換えたものとなる。なお、内部中ＲＴであるときには、すでにビッグボーナス（１）、ビッグボーナス（２）、レギュラーボーナスなどいずれかのボーナス当選フラグがすでに設定されているため、抽選対象役としてボーナスが読み出されて当選した場合であっても、すでに設定されているボーナス当選フラグが維持されて、当選したボーナス当選フラグが再設定されることや更新されることがない。これにより、すでにボーナスに当選している内部中ＲＴにおいて、再度ボーナスについて抽選され当選することを防止することができる。
【０２４７】
図７（ｂ）は、遊技状態がボーナス終了後に制御される準備モードであるときであって、リプレイ、転落リプレイ、ＢＡＲリプレイ各々の内部抽選において取得される判定値数を示す図である。たとえば、設定値が１〜４のときに、内部抽選の対象役が、リプレイであるときに「１０５」が、リプレイ＋転落リプレイであるときに「１６４５０」が、リプレイ＋転落リプレイ＋ＢＡＲリプレイであるときに「１６４５０」が、判定値数として取得される。
【０２４８】
図７（ｃ）は、遊技状態が準備モードであるときに特殊出目が停止することにより制御されるＲＴであるときであって、リプレイ、転落リプレイ、ＢＡＲリプレイ各々の内部抽選において取得される判定値数を示す図である。たとえば、設定値が１〜４のときに、内部抽選の対象役が、リプレイであるときに「３００００」が、リプレイ＋転落リプレイであるときに「８８８０」が、リプレイ＋転落リプレイ＋ＢＡＲリプレイであるときに「８８８０」が、判定値数として取得される。
【０２４９】
図７（ｄ）は、遊技状態がボーナスに内部当選してから入賞するまで制御される内部中ＲＴであるときであって、リプレイ、転落リプレイ、ＢＡＲリプレイの内部抽選において取得される判定値数を示す図である。たとえば、設定値が１〜４のときに、内部抽選の対象役が、リプレイであるときに「１００００」が、リプレイ＋転落リプレイであるときに「５０００」が、リプレイ＋転落リプレイ＋ＢＡＲリプレイであるときに「５０００」が、判定値数として取得される。
【０２５０】
ここで、各遊技状態における、転落リプレイの当選率について説明する。１ゲーム当りの転落リプレイの当選率は、転落リプレイの判定値数の合計数から、通常遊技状態であるときに５１２０／６５５３６≒８％であり、準備モードであるときに３２９００／６５５３６≒５０％であり、ＲＴであるときに１７７６０／６５５３６≒２７％であり、内部中ＲＴであるときに１００００／６５５３６≒１５％である。これより、１ゲーム当りの転落リプレイの当選率は、転落リプレイが入賞したとしても遊技状態が維持される通常遊技状態や内部中ＲＴであるときよりも、転落リプレイが入賞することにより通常遊技状態に制御されるという不利益を被る準備モードおよびＲＴであるときの方が、高くなるように設定されている。
【０２５１】
また、準備モードであるときには、前述した特殊出目が停止した場合にＲＴに制御される。準備モードにおける１ゲーム当りの特殊出目の出現率は、９枚役（１）〜（９）の判定値数および取りこぼし率から、（９０００／６５５３６）×（８／９）≒１２％となる。すなわち、準備モードにおいては、特殊出目の出現率よりも、転落リプレイの当選率が高くなるように設定されている。よって、準備モードにおいては、特殊出目が停止されるよりも先に転落リプレイに当選する可能性が高いといえる。
【０２５２】
また、本実施の形態においては、１ゲーム当りの転落リプレイの当選率に着目し対比すると、ＲＴであるときよりも準備モードであるときの方が、１ゲーム当りの転落リプレイの当選率が高くなるように設定されている。これにより、準備モードにおいては、ＲＴであるときよりも、転落リプレイに当選して入賞する可能性をより一層高めることができる。よって、たとえば非ＡＴ準備モードである場合、非ＡＲＴよりも、転落リプレイ入賞して、通常遊技状態に制御され易いといえる。
【０２５３】
一方、非ＡＴ準備モードである場合で、転落リプレイ入賞せずに先に特殊出目が停止して運良くＲＴに制御された場合には、準備モードであるときよりも転落リプレイの当選率が低くなり入賞する可能性が低くなる。このため、運良くＲＴに制御された場合には、準備モード中であるときよりも、転落リプレイに当選せずに当該ＲＴが維持されることに対する期待感を遊技者に抱かせることができる。
【０２５４】
図７（ｅ）は、遊技状態がボーナスであるときの内部抽選において取得される各抽選対象役の判定値数を示す図である。遊技状態がボーナスであるときの抽選対象役は、９枚役（１）〜（９）すべて（（１）〜（９）の９種類の９枚役すべて）、イチゴ（１）＋イチゴ（２）、メロン、９枚役（１）、９枚役（２）、９枚役（３）、９枚役（４）、９枚役（５）、９枚役（６）、９枚役（７）、９枚役（８）、９枚役（９）が順番に抽選対象として読み出されるように構成されている。
【０２５５】
そして、設定値が１のときに、内部抽選の対象役が９枚役（１）〜（９）すべてであるときに「５５９３５」が、イチゴ（１）であるときに「２００」が、イチゴ（１）＋イチゴ（２）であるときに「１００」が、メロンであるときに「３０００」が、９枚役（１）〜（９）のいずれかであるときに「７００」が、判定値数として取得される。図７（ｅ）には、設定値が２〜４のときについても同様に、内部抽選において取得される各抽選対象役の判定値数が示されている。図７（ｅ）に示す判定値数から、遊技状態がボーナス中であるときには、高確率で９枚役（１）〜（９）すべてに当選する。
【０２５６】
次に、リール２Ｌ、２Ｃ、２Ｒの停止制御について説明する。
メインＣＰＵ４１ａは、リールの回転が開始したときおよび、リールが停止し、かつ未だ回転中のリールが残っているときに、ＲＯＭ４１ｂに格納されているテーブルインデックスおよびテーブル作成用データを参照して、回転中のリール別に停止制御テーブルを作成する。そして、ストップスイッチ８Ｌ、８Ｃ、８Ｒのうち、回転中のリールに対応するいずれかの操作が有効に検出されたときに、該当するリールの停止制御テーブルを参照し、参照した停止制御テーブルの引込コマ数に基づいて、操作されたストップスイッチ８Ｌ、８Ｃ、８Ｒに対応するリール２Ｌ、２Ｃ、２Ｒの回転を停止させる制御を行なう。
【０２５７】
テーブルインデックスには、内部抽選による当選フラグの設定状態（以下、内部当選状態と呼ぶ）別に、テーブルインデックスを参照する際の基準アドレスから、テーブル作成用データが格納された領域の先頭アドレスを示すインデックスデータが格納されているアドレスまでの差分が登録されている。これにより内部当選状態に応じた差分を取得し、基準アドレスに対してその差分を加算することで該当するインデックスデータを取得することが可能となる。なお、役の当選状況が異なる場合でも、同一の制御が適用される場合においては、インデックスデータとして同一のアドレスが格納されており、このような場合には、同一のテーブル作成用データを参照して、停止制御テーブルが作成されることとなる。
【０２５８】
テーブル作成用データは、停止操作位置に応じた引込コマ数を示す停止制御テーブルと、リールの停止状況に応じて参照すべき停止制御テーブルのアドレスと、からなる。
【０２５９】
リールの停止状況に応じて参照される停止制御テーブルは、全てのリールが回転しているか、左リールのみ停止しているか、中リールのみ停止しているか、右リールのみ停止しているか、左、中リールが停止しているか、左、右リールが停止しているか、中、右リールが停止しているか、によって異なる場合があり、更に、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。なお、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【０２６０】
停止制御テーブルは、停止操作が行なわれたタイミング別の引込コマ数を特定可能なデータである。本実施の形態では、リールモータ３２Ｌ、３２Ｃ、３２Ｒに、１６８ステップ（０〜１６７）の周期で１周するステッピングモータを用いている。すなわちリールモータ３２Ｌ、３２Ｃ、３２Ｒを１６８ステップ駆動させることでリール２Ｌ、２Ｃ、２Ｒが１周することとなる。そして、リール１周に対して８ステップ（１図柄が移動するステップ数）毎に分割した２１の領域（コマ）が定められており、これらの領域には、リール基準位置から０〜２０（図３参照）の領域番号が割り当てられている。
【０２６１】
一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の引込コマ数が所定のルールで圧縮して格納されており、停止制御テーブルを展開することによって領域番号別の引込コマ数を取得できるようになっている。
【０２６２】
前述のようにテーブルインデックスおよびテーブル作成用データを参照して作成される停止制御テーブルは、領域番号に対応して、各領域番号に対応する領域が停止基準位置（本実施の形態では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の引込コマ数がそれぞれ設定されたテーブルである。
【０２６３】
次に、停止制御テーブルの作成手順について説明すると、まず、リール回転開始時においては、そのゲームの内部当選状態に応じたテーブル作成用データの先頭アドレスを取得する。具体的には、まずテーブルインデックスを参照し、内部当選状態に対応するインデックスデータを取得し、そして取得したインデックスデータに基づいてテーブル作成用データを特定し、特定したテーブル作成用データから全てのリールが回転中の状態に対応する各リールの停止制御テーブルのアドレスを取得し、取得したアドレスに格納されている各リールの停止制御テーブルを展開して全てのリールについて停止制御テーブルを作成する。
【０２６４】
また、いずれか１つのリールが停止したとき、またはいずれか２つのリールが停止したときには、リール回転開始時に取得したインデックスデータ、すなわちそのゲームの内部当選状態に応じたテーブル作成用データの先頭アドレスに基づいてテーブル作成用データを特定し、特定したテーブル作成用データから停止済みのリールおよび当該リールの停止位置の領域番号に対応する未停止リールの停止制御テーブルのアドレスを取得し、取得したアドレスに格納されている各リールの停止制御テーブルを展開して未停止のリールについて停止制御テーブルを作成する。
【０２６５】
次に、メインＣＰＵ４１ａがストップスイッチ８Ｌ、８Ｃ、８Ｒのうち、回転中のリールに対応するいずれかの操作を有効に検出したときに、該当するリールに表示結果を導出させる際の制御について説明する。
【０２６６】
ストップスイッチ８Ｌ、８Ｃ、８Ｒのうち、回転中のリールに対応するいずれかの操作を有効に検出すると、停止操作を検出した時点のリール基準位置からのステップ数に基づいて停止操作位置の領域番号を特定し、停止操作が検出されたリールの停止制御テーブルを参照し、特定した停止操作位置の領域番号に対応する引込コマ数を取得する。そして、取得した引込コマ数分リールを回転させて停止させる制御を行なう。具体的には、停止操作を検出した時点のリール基準位置からのステップ数から、取得した引込コマ数引き込んで停止させるまでのステップ数を算出し、算出したステップ数分リールを回転させて停止させる制御を行なう。これにより、停止操作が検出された停止操作位置の領域番号に対応する領域から引込コマ数分先の停止位置となる領域番号に対応する領域が停止基準位置（本実施の形態では、透視窓３の下段図柄の領域）に停止することとなる。
【０２６７】
本実施の形態のテーブルインデックスには、一の遊技状態における一の内部当選状態に対応するインデックスデータとして１つのアドレスのみが格納されており、更に、一のテーブル作成用データには、一のリールの停止状況（および停止済みのリールの停止位置）に対応する停止制御テーブルの格納領域のアドレスとして１つのアドレスのみが格納されている。すなわち一の遊技状態における一の内部当選状態に対応するテーブル作成用データ、およびリールの停止状況（および停止済みのリールの停止位置）に対応する停止制御テーブルが一意的に定められており、これらを参照して作成される停止制御テーブルも、一の遊技状態における一の内部当選状態、およびリールの停止状況（および停止済みのリールの停止位置）に対して一意となる。このため、遊技状態、内部当選状態、リールの停止状況（および停止済みのリールの停止位置）の全てが同一条件となった際に、同一の停止制御テーブル、すなわち同一の制御パターンに基づいてリールの停止制御が行なわれることとなる。
【０２６８】
また、本実施の形態では、引込コマ数として０〜４の値が定められており、停止操作を検出してから最大４コマ図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０２６９】
本実施の形態では、いずれかの役に当選している場合には、当選役を入賞ライン上に４コマの範囲で最大限引き込み、当選していない役が入賞ライン上に揃わないように引き込む引込コマ数が定められた停止制御テーブルを作成し、リールの停止制御を行なう一方、いずれの役にも当選していない場合には、いずれの役も揃わない引込コマ数が定められた停止制御テーブルを作成し、リールの停止制御を行なう。これにより、停止操作が行なわれた際に、入賞ライン上に最大４コマの引込範囲で当選している役を揃えて停止させることができれば、これを揃えて停止させる制御が行なわれ、当選していない役は、最大４コマの引込範囲でハズシて停止させる制御が行なわれることとなる。
【０２７０】
特別役が前ゲーム以前から持ち越されている状態で、小役（イチゴ（１）、メロン、９枚役（１）など）に当選した場合などでは、当選した小役を入賞ラインに４コマの範囲で最大限に引き込むように引込コマ数が定められているとともに、当選した小役を入賞ラインに最大４コマの範囲で引き込めない停止操作位置については、当選した特別役を入賞ラインに４コマの範囲で最大限に引き込むように引込コマ数が定められた停止制御テーブルを作成し、リールの停止制御を行なう。これにより、停止操作が行なわれた際に、入賞ライン上に最大４コマの引込範囲で当選している小役を揃えて停止させることができれば、これを揃えて停止させる制御が行なわれ、入賞ライン上に最大４コマの引込範囲で当選している小役を引き込めない場合には、入賞ライン上に最大４コマの引込範囲で当選している特別役を揃えて停止させることができれば、これを揃えて停止させる制御が行なわれ、当選していない役は、４コマの引込範囲でハズシて停止させる制御が行なわれることとなる。すなわちこのような場合には、特別役よりも小役を入賞ライン上に揃える制御が優先され、通常小役を引き込めない場合にのみ、特別役を入賞させることが可能となる。その結果、小役を優先的に入賞させた後に特別役を入賞させることにより、小役よりも特別役を優先的に入賞させるものと比較して、小役を入賞させてメダルを獲得した後に特別役を入賞させることができるため、特別役入賞前に遊技者のメダルを極力増加させるようにすることができ、遊技者にとって有利なリール制御が行なわれる。
【０２７１】
たとえば、特別役と払出枚数が賭数３より多いメロンとが当選しているときには、特別役入賞前にメロン入賞により６枚純増するリール制御が優先的に行なわれるため、遊技者にとって有利といえる。なお、特別役と小役とを同時に引き込める場合には、小役のみを引き込み、小役と同時に特別役が入賞ライン上に揃わないようになっている。
【０２７２】
なお、リール制御において特別役よりも小役を優先的に入賞ライン上に揃えるリール制御が行なわれる例について説明したが、すべての小役について特別役よりも優先的に揃えるものに限らず、たとえば小役のうち賭数以上のメダルが払い出される小役（賭数が３の場合、３以上メダルが払い出される小役、たとえば入賞によりメダルを９枚払い出すメロン、９枚役（１）〜（９）など、以下、通常小役ともいう）のみについて優先的に揃えるリール制御を行ない、賭数よりも少ないメダルが払い出される小役（賭数が３の場合、３未満のメダルが払い出される小役、たとえば入賞によりメダルを１枚払い出す１枚役が入賞役として設定されている場合には当該１枚役、以下、特定小役ともいう）については、特別役を優先的に入賞ライン上に揃えるリール制御を行なうように構成してもよい。これにより、入賞させたとしても賭数よりも少ない払出しか得られず遊技者にとって不利益となる小役についてまで優先的に揃えるリール制御が行なわれることを防止することができる。
【０２７３】
次に、特別役が前ゲーム以前から持ち越されている状態で再遊技役が当選した場合など、特別役と再遊技役が同時に当選している場合（ビッグボーナス（１）＋リプレイなど）には、当選した再遊技役を入賞ラインに４コマの範囲で最大限に引き込むように引込コマ数が定められた停止制御テーブルを作成し、リールの停止制御を行なう。これにより、停止操作が行なわれた際に、入賞ライン上に最大４コマの引込範囲で再遊技役の図柄を揃えて停止させる制御が行なわれる。
【０２７４】
複数種類の再遊技役が同時に当選している場合（リプレイ＋転落リプレイ（特別役と同時当選している場合も同じ）など）には、図８（ａ）に示すように、同時当選した再遊技役の種類および最初に停止操作がなされたリール（第１停止されたリール）が左リール、中リール、右リールのいずれであるか、に応じて定められた再遊技役を入賞ライン上に最大４コマの引込範囲で揃えて停止させる制御が行なわれる。図８（ａ）は、転落リプレイに当選したときのリール制御を説明するための図である。
【０２７５】
たとえば、リプレイ＋転落リプレイが当選し、右リール２Ｒを第１停止させた場合には、当選した再遊技役のうち転落リプレイの組合せをいずれかの入賞ラインに揃えて停止させる制御を行なう。図３に示すように、転落リプレイを構成する図柄は、各リールにおいて７コマ以内の間隔で配置されており、かつ入賞ラインとしてＬ１〜Ｌ６が設定されているため、リプレイ＋転落リプレイに当選している場合で右リール２Ｒを第１停止させた場合には、ストップスイッチ８Ｌ、８Ｃ、８Ｒの停止操作タイミングに関わらず、転落リプレイが必ず入賞するようにリール制御が行なわれる。
【０２７６】
一方、リプレイ＋転落リプレイが当選し、左リール２Ｌまたは中リール２Ｃを第１停止させた場合には、当選した再遊技役のうちリプレイの組合せをいずれかの入賞ライン上に揃えて停止させる制御を行なう。図３に示すように、リプレイを構成する図柄は、各リールにおいて７コマ以内の間隔で配置されており、かつ入賞ラインとしてＬ１〜Ｌ６が設定されているため、リプレイ＋転落リプレイに当選している場合で左リール２Ｌまたは中リール２Ｃを第１停止させた場合には、ストップスイッチ８Ｌ、８Ｃ、８Ｒの停止操作タイミングに関わらず、リプレイが必ず入賞するようにリール制御が行なわれる。
【０２７７】
また、リプレイ＋転落リプレイ＋ＢＡＲリプレイが当選し、左リール２Ｌまたは中リール２Ｃを第１停止させた場合には、当選した再遊技役のうち転落リプレイの組合せをいずれかの入賞ラインに揃えて停止させる制御を行なう。このため、リプレイ＋転落リプレイ＋ＢＡＲリプレイに当選している場合で左リール２Ｌまたは中リール２Ｃを第１停止させた場合には、ストップスイッチ８Ｌ、８Ｃ、８Ｒの停止操作タイミングに関わらず、転落リプレイが必ず入賞するようにリール制御が行なわれる。
【０２７８】
一方、リプレイ＋転落リプレイ＋ＢＡＲリプレイが当選し、右リール２Ｒを第１停止させた場合には、当選した再遊技役のうちリプレイの組合せをいずれかの入賞ライン上に揃えて停止させる制御を行なう。このため、リプレイ＋転落リプレイ＋ＢＡＲリプレイに当選している場合で右リール２Ｒを第１停止させた場合には、ストップスイッチ８Ｌ、８Ｃ、８Ｒの停止操作タイミングに関わらず、リプレイが必ず入賞するようにリール制御が行なわれる。
【０２７９】
このように本実施の形態では、リプレイ＋転落リプレイが当選したか、リプレイ＋転落リプレイ＋ＢＡＲリプレイが当選したかによって、転落リプレイ入賞を回避してリプレイ入賞させるための第１停止リールを異ならせることにより操作手順（回避手順）を異ならせることができる。
【０２８０】
また、演出状態がＡＴでない場合において転落リプレイに当選したときには、転落リプレイと同時に当選したリプレイの種類を特定することができない。このため、１／２の確率で転落リプレイ入賞を回避してリプレイ入賞するが、残りの１／２の確率で転落リプレイに入賞してしまう。
【０２８１】
これに対し、演出状態がＡＴである場合において転落リプレイに当選したときには、転落リプレイと同時に当選したリプレイの種類を特定することができる。このため、操作を誤らない限り、必ず転落リプレイ入賞を回避してリプレイ入賞させるように第１停止させることができる。
【０２８２】
前述したように、準備モード中であるときの１ゲーム当りの転落リプレイの当選率は、５０％であるため、上記リール制御を考慮すると転落リプレイの入賞率は２５％となる。よって、転落リプレイを入賞させることなく消化可能となる非ＡＴ準備モード中の平均ゲーム数は、転落リプレイの入賞率から、約４ゲームとなる。これより、演出状態がＡＴに制御されていないにも関わらず、準備モードが長期間にわたり継続して制御されることを未然に防止することができる。
【０２８３】
また、特に準備モード中であるときの転落リプレイの入賞率は、依然として、ＲＴ制御への契機となる特殊出目の出現率の１２％よりも高い。このため、準備モードにおいては、転落リプレイを偶然取りこぼす確率を加味しても、特殊出目が停止されるよりも先に転落リプレイに当選する可能性が高いといえる。このため、非ＡＴ準備モードであるときには、内部当選状況を把握することができず、転落リプレイの入賞率と特殊出目の出現率とから、特殊出目が停止されるよりも先に転落リプレイに当選して入賞する可能性が高まるため、通常遊技状態に制御され易くＲＴに制御され難くすることができる。
【０２８４】
一方、ＡＴ準備モードであるときには、内部当選状況を把握することができ、転落リプレイの当選率が高確率であるとしても意図的に転落リプレイ入賞を回避することができる。このため、ＡＴ準備モードであるときには、通常遊技状態に制御されることを回避でき、特殊出目を停止させることにより結果的にＲＴに制御させることができる。
【０２８５】
すなわち、遊技者にとって有利なＲＴに制御される前段階の遊技状態として準備モードを設け、当該準備モードにおける演出状態がＡＴに制御されていないときには、準備モードから通常遊技状態に制御され易くすることによりＲＴに制御され難くし、当該準備モードにおける演出状態がＡＴに制御されているときには、確実にＲＴに制御させることができる。このため、準備モードにおける演出状態がＡＴに制御されるか否かにより遊技者にとっての有利度合いの差が大きくなりメリハリをつけることができるため、演出状態がＡＴに制御されることに対する期待感を効果的に高めることができ、遊技の興趣を向上させることができる。
【０２８６】
また、ＲＴ中であるときの１ゲーム当りの転落リプレイの当選率は、２７％であるため、上記リール制御を考慮すると転落リプレイの入賞率は１３．５％となる。
【０２８７】
よって、転落リプレイを入賞させることなく消化可能となる非ＡＲＴ中の平均ゲーム数は、転落リプレイの入賞率から、約７．４ゲームとなる。これより、演出状態がＡＴに制御されていないにも関わらず、ＲＴが長期間にわたり継続して制御されることを未然に防止することができ、ＲＴが維持され難く通常遊技状態に制御され易くすることができる。
【０２８８】
一方、ＡＲＴであるときには、内部当選状況を把握することができ、転落リプレイの当選率が高確率であるとしても意図的に転落リプレイ入賞を回避することができる。このため、ＡＲＴであるときには、通常遊技状態に制御されることを回避でき、結果的にＲＴを維持させることができる。
【０２８９】
すなわち、非ＡＴ準備モードから運良く非ＡＲＴに制御されたとしても、通常遊技状態に制御され易くすることによりＲＴを維持し難くし、ＡＲＴであるときには確実にＲＴを継続させることができる。このため、ＲＴにおける演出状態がＡＴに制御されるか否かにより遊技者にとっての有利度合いの差が大きくなりメリハリをつけることができるため、演出状態がＡＴに制御されることに対する期待感を効果的に高めることができ、遊技の興趣を向上させることができる。
【０２９０】
複数種類の小役が同時に当選している場合（イチゴ（１）＋イチゴ（２）、９枚役（１）〜（９）すべてなど）には、停止操作されたタイミングに応じて入賞ライン上に最大４コマの引込範囲で引き込み可能な当選している小役を構成する図柄を揃えて停止させる制御が行なわれる。９枚役（１）〜（９）すべてに当選しているときには、図５で示した９枚役（１）〜（９）各々の図柄組合せから、停止操作されたタイミングに関わらずいずれかを入賞させるようにリール制御が行なわれる。イチゴ（１）＋イチゴ（２）に当選しているときには、図５で示したイチゴ（１）とイチゴ（２）との図柄組合せから、停止操作されたタイミングに関わらずいずれかを入賞させるようにリール制御が行なわれる。
【０２９１】
本実施の形態においてイチゴに当選したときには、左リール２Ｌについて当選しているイチゴを構成する図柄を入賞ライン上に最大４コマの引込範囲で引き込むリール制御が行なわれるとともに、中リール２Ｃについて特殊なリール制御が行なわれる。図８（ｂ）は、イチゴに当選したときの中リール２Ｃの特殊リール制御を説明するための図である。
【０２９２】
たとえば、図８（ｂ）に示すように、少なくともイチゴ（１）に当選していること（イチゴ（１）＋イチゴ（２）当選、あるいはイチゴ（１）単独当選）を条件として、図柄番号５の「デカ（１）（斜線無しの星の上半分）」の図柄を最大４コマの引込範囲で中段に引き込む特殊リール制御が行なわれる。また、イチゴ（２）に当選していること（イチゴ（１）＋イチゴ（２）当選）を条件として、図柄番号４の「デカ（２）（斜線無しの星の下半分）」の図柄を最大４コマの引込範囲で中段に引き込む特殊リール制御が行なわれる。イチゴ（２）に当選しているときで、図柄番号４の図柄および図柄番号５の図柄のいずれでも最大４コマの引込範囲で中段に引き込むことができる場合には、図柄番号４の図柄が図柄番号５の図柄よりも優先して中段に引き込む特殊リール制御が行なわれる。なお、イチゴに当選していないときには、他の入賞役を発生させるためのリール制御が行なわれる場合を除き、中リール２Ｃについて図柄番号４や５の図柄以外の図柄を中段に停止させるリール制御が行なわれる。
【０２９３】
このため、図柄番号４の図柄を中段に停止させるタイミングで中リール２Ｌを停止させるように停止操作した場合において、図柄番号４の図柄が中段に停止しかつイチゴ（１）およびイチゴ（２）以外の役の入賞が発生しなかったときにイチゴ（２）に当選していたことを遊技者に認識させることができ、図柄番号５の図柄が中段に停止しかつイチゴ（１）およびイチゴ（２）以外の役の入賞が発生しなかったときに少なくともイチゴ（１）に当選していたことを遊技者に認識させることができ、それ以外の図柄が中段に停止されたときにイチゴに当選していなかったことを遊技者に認識させることができる。
【０２９４】
なお、ボーナス中においてイチゴ（１）やイチゴ（２）に当選したときには、報知促進条件が成立する。このため、中リール２Ｃにおいて、図柄番号４または５の図柄が中段に停止されかつイチゴ（１）およびイチゴ（２）以外の役の入賞が発生しないことにより、報知促進条件が成立したことを報知することができる。
【０２９５】
次に、本実施の形態にかかるスロットマシン１におけるメイン制御部４１により実行される処理について説明する。スロットマシン１においては、ゲームの処理が１ゲームずつ繰り返して行なわれることで遊技が進行されるものであるが、そのためには、まず、遊技の進行が可能な状態となっていなければならない。遊技の進行が可能な状態であるためには、たとえば、メインＣＰＵ４１ａを含むメイン制御部４１が起動された状態で正常範囲の設定値が設定値ワークに格納されており、ＲＡＭ４１ｃに格納されたデータに異常がないことが条件となる。そして、遊技の進行が可能な状態となると、スロットマシン１においてゲームの処理が１ゲームずつ繰り返して行なわれることとなる。以下、スロットマシン１における各ゲームについて説明する。なお、スロットマシン１における“ゲーム”とは、狭義には、スタートスイッチ７が操作されてからリール２Ｌ、２Ｃ、２Ｒが停止するまでをいうものであるが、ゲームを行なう際には、スタートスイッチ７の操作前の賭数の設定や、リール２Ｌ、２Ｃ、２Ｒの停止後にメダルの払い出しや遊技状態の移行も行なわれるので、これらの付随的な処理も広義には“ゲーム”に含まれるものとする。
【０２９６】
ゲーム制御処理は、電源を投入し、所定のブート処理を行なった後、またはリセット／設定スイッチ３８の操作により設定変更を行なった直後にも実行される。１ゲームの処理が開始すると、まず、１枚ＢＥＴスイッチ５またはＭＡＸＢＥＴスイッチ６を操作することにより、あるいはメダル投入口４からメダルを投入することにより賭数が規定枚数設定されることにより、スタートスイッチ７への操作を有効に受付可能にするとともに、スタートスイッチ７への操作を有効に受付けたことにより当該ゲームの実質的な開始を指示するＢＥＴ処理を行なう。前のゲームでリプレイ入賞していた場合には、リプレイゲーム中フラグにより前のゲームと同じ賭数（この実施の形態では３）が自動設定され、スタートスイッチ７への操作が有効に受付可能にされる（この段階でリプレイゲーム中フラグが消去される）。ＢＥＴ処理では、賭数が設定される毎に、賭数の設定に使用されたメダル枚数を特定可能なＢＥＴコマンドが演出制御基板９０に送信される。
【０２９７】
ＢＥＴ処理により賭数が規定枚数設定されてスタートスイッチ７が有効化された後に、スタートスイッチ７への操作が受付けられると、内部抽選用の乱数を抽出し、抽出した乱数の値に基づいて遊技状態に応じて定められた各役への入賞を許容するかどうかを決定する抽選処理を行なう。
【０２９８】
ここで、抽選処理について詳しく説明する。図９は、メイン制御部４１により実行される抽選処理を詳細に示すフローチャートである。抽選処理では、まず、Ｓ０１において、今回のゲームで設定されたＢＥＴ数（賭数）が読み出される。次に、読み出した賭数が規定枚数（たとえば３、ボーナス中は２）であるかどうかが、Ｓ０２において判定される。読み出した賭数が規定枚数でないときには、ＲＡＭ異常エラーとなり、所定のＲＡＭ異常エラー処理が行なわれる。
【０２９９】
読み出した賭数が規定枚数であるときには、Ｓ０３において、ＲＡＭ４１ｃの設定値ワークに記憶されている設定値を読み出し、Ｓ０４において、読み出した設定値が本来とり得るべき値である１以上４以下の範囲にあるかどうかを判定する。読み出した設定値が１以上４以下の範囲になければ、ＲＡＭ異常エラーとなり、所定のＲＡＭ異常エラー処理が行なわれる。
【０３００】
読み出した設定値が１以上４以下の範囲にあれば、Ｓ０５において、内部抽選用の乱数（乱数発生回路４２から抽出された乱数、乱数発生回路４２から抽出された乱数をソフトウェアにより所定の手順で加工された乱数等を含む）を抽出して、ＲＡＭ４１ｃの内部抽選用判定領域に格納する。
【０３０１】
Ｓ０６においては、図７で説明したように、遊技状態および設定値に基づき、特定される抽選対象役の判定値数を取得する。たとえば、設定値が「１」で通常遊技状態であるときの抽選対象役がビッグボーナス（１）であるときには、図７（ａ）に示されるように、判定値数として「８０」が取得される。
【０３０２】
Ｓ０７においては、取得した判定値数をＲＡＭ４１ｃの内部抽選用判定領域に記憶された乱数の値に加算し、加算の結果を新たな内部抽選用の乱数の値とする。Ｓ０８においては、判定値数を内部抽選用の乱数の値に加算したときに所定値（たとえば６５５３６）をオーバーフローしたかどうかを判定する。
【０３０３】
オーバーフローが生じていない場合には、Ｓ０９において、抽選対象となる役あるいは役の組合せのうちで未だ処理対象としていない次の役あるいは役の組合せがあるかどうかを判定する。未だ処理対象としていない役あるいは役の組合せがあれば、ステップＳ０６の処理に戻り、当該次の役あるいは役の組合せを抽選対象役とし処理対象として抽選が行なわれる。処理対象としていない役あるいは役の組合せがなければ、Ｓ１１の処理に進む。本実施の形態における内部抽選では、遊技状態から特定される図７で示す役あるいは役の組合せが順番に抽選される。たとえば、遊技状態が通常遊技状態であるときには、ビッグボーナス（１）が最初に抽選対象役として抽選され、Ｓ０９でＹＥＳと判定されたときには、次にビッグボーナス（２）が抽選され、その後、Ｓ０９でＹＥＳと判定される毎に、レギュラーボーナス、リプレイ、リプレイ＋転落リプレイ、リプレイ＋転落リプレイ＋ＢＡＲリプレイ、イチゴ（１）＋（２）、メロン、９枚役（１）、９枚役（２）、・・・９枚役（９）の順番で抽選される。その他の遊技状態であるときも同様に、図７で示す役各々について順番に抽選される。
【０３０４】
オーバーフローが生じた場合には、Ｓ１０に移行し、Ｓ０６で読出した判定値数に対応する抽選対象役の当選フラグをＯＮ状態に設定する。Ｓ１１では、ＲＡＭ４１ｃにおける当選フラグの設定状況を特定するための内部当選コマンドを生成し、これを演出制御基板９０に送信する。
【０３０５】
また、本実施の形態における抽選処理では、抽選対象役の抽選の結果に応じて所定のフリーズを発生させるか否かを、乱数などを用いてランダムに抽選するフリーズ抽選が行なわれる。フリーズとは、各リール２Ｌ、２Ｃ、２Ｒの回転開始タイミングを遅延させることや、ストップスイッチ８Ｌ、８Ｃ、８Ｒの操作を有効化するタイミングを遅延させることなどをいう。
【０３０６】
まず、Ｓ１２において、ビッグボーナス（１）、（２）、レギュラーボーナスのいずれかの当選フラグが設定されているか否かが判定される。Ｓ１２において、いずれのボーナスの当選フラグも設定されていないと判定されたときには、そのまま抽選処理を終了する。
【０３０７】
一方、Ｓ１２において、いずれかのボーナスの当選フラグが設定されていると判定されたときには、当該ボーナスの当選フラグが今回の抽選処理において設定されたものではなく今回以前の抽選処理において設定されており持ち越されている当選フラグがであるか否かを特定するためのボーナス持越フラグがＯＦＦに設定されているか否かが判定される。なお、ボーナス持越フラグは、ＲＡＭ４１ｃの所定領域において格納されており、ボーナス当選した抽選処理においてフリーズ抽選が行なわれた後（後述するＳ１７）にＯＮに設定され、当該ボーナスに入賞したときにＯＦＦに設定される。
【０３０８】
Ｓ１３において、ボーナス持越フラグがＯＦＦでないと判定されたときには、ボーナス当選フラグが持ち越されている当選フラグであり、すでにフリーズ抽選が行なわれているため、そのまま抽選処理を終了する。一方、Ｓ１３において、ボーナス持越フラグがＯＦＦであると判定されたときには、ボーナス当選フラグが今回の抽選処理において設定されたボーナス当選フラグであるため、Ｓ１４〜Ｓ１８に示す処理が行なわれる。
【０３０９】
Ｓ１４においては、フリーズ抽選用の乱数（たとえば、乱数発生回路４２から抽出された乱数、乱数発生回路４２から抽出された乱数をソフトウェアにより所定の手順で加工された乱数等を含む）を抽出して、ＲＡＭ４１ｃのフリーズ用判定領域に格納する。Ｓ１５では、Ｓ１４で格納されたフリーズ抽選用の乱数、およびフリーズ抽選用テーブルにしたがって、フリーズ抽選が行なわれる。フリーズ抽選用テーブルとは、フリーズを実行するか否か、フリーズを実行する場合にはその種類を決定するために用いるテーブルをいう。
【０３１０】
ここで、図１０を参照して、フリーズの種類およびフリーズ抽選用テーブルの一例を説明する。図１０（ａ）は、フリーズの種類を説明するための図であり、図１０（ｂ）は、フリーズ抽選用テーブルを説明するための図である。
【０３１１】
フリーズには、各リール２Ｌ、２Ｃ、２Ｒの回転開始前に発生する回転前フリーズと、各リール２Ｌ、２Ｃ、２Ｒの回転開始後に発生する回転後フリーズとを含む。
【０３１２】
回転前フリーズとは、スタートスイッチ７の操作を有効に受付けたとき、あるいは、１ゲーム消化時間を所定時間以上に保つために前回のゲームでのリール２Ｌ、２Ｃ、２Ｒの回転開始から計時が開始される１ゲームタイマにより所定時間（たとえば、４．１秒）計時される前にスタートスイッチ７の操作を有効に受付けたときには、当該所定時間計時されたとき、のいずれか遅い方から、所定の遅延時間が経過するまで、各リール２Ｌ、２Ｃ、２Ｒの回転開始タイミングを遅延させるフリーズをいう。
【０３１３】
また、回転後フリーズとは、各リール２Ｌ、２Ｃ、２Ｒの回転が開始されて回転速度が一定速度に達してから所定の遅延時間が経過するまで、ストップスイッチ８Ｌ、８Ｃ、８Ｒを有効化するタイミングを遅延させるフリーズをいう。
【０３１４】
本実施の形態では、フリーズの種類として、図１０（ａ）に示すように、回転前フリーズのみを遅延時間Ｔ１に亘り実行する第１フリーズと、回転前フリーズのみを遅延時間Ｔ１よりも長いＴ２に亘り実行する第２フリーズと、第１フリーズと同じＴ１に亘り回転前フリーズを実行しさらに回転後フリーズを遅延時間Ｔ３に亘り実行する第３フリーズとが設けられている。
【０３１５】
フリーズを実行するか否か、および実行する場合にどの種類のフリーズを実行するかは、図１０（ｂ）に示すフリーズ抽選用テーブルが参照されて決定される。図１０（ｂ）に示すフリーズ抽選用テーブルは、ビッグボーナス当選時とレギュラーボーナス当選時とで、異なる割合にしたがってフリーズ抽選が行なわれるように、各々、当選率が設定されている。
【０３１６】
ビッグボーナス当選時においては、９８％の割合でフリーズなしに決定され、０．１％の割合で第１フリーズに決定され、０．４％の割合で第２フリーズに決定され、１．５％の割合で第３フリーズに決定される。一方、レギュラーボーナス当選時においては、９９％の割合でフリーズなしに決定され、０．６％の割合で第１フリーズに決定され、０．３％の割合で第２フリーズに決定され、０．１％の割合で第３フリーズに決定される。
【０３１７】
ここで、ビッグボーナス当選時とレギュラーボーナス当選時とを対比すると、レギュラーボーナス当選時よりもビッグボーナス当選時の方が、高い割合でフリーズが発生するように当選率が設定されている。このため、フリーズ発生によりボーナスに当選していることを報知するとともに、遊技者にとってレギュラーボーナスよりも有利なビッグボーナスに当選していることに対する期待感を向上させることができる。
【０３１８】
また、ビッグボーナス当選時においてフリーズが発生する場合には、０．１／２の割合で第１フリーズに決定され、０．４／２の割合で第２フリーズに決定され、１．５／２の割合で第３フリーズに決定される。すなわち、ビッグボーナス当選時においては、第３フリーズに決定される割合が最も高く、次に第２フリーズが高く、第１フリーズに決定される割合が最も低くなる。
【０３１９】
一方、レギュラーボーナス当選時においてフリーズが発生する場合には、０．６／１の割合で第１フリーズに決定され、０．３／１の割合で第２フリーズに決定され、０．１／１の割合で第３フリーズに決定される。すなわち、レギュラーボーナス当選時においては、第１フリーズに決定される割合が最も高く、次に第２フリーズが高く、第３フリーズに決定される割合が最も低くなる。
【０３２０】
このため、第１フリーズが発生したときよりも、第２フリーズが発生したとき方が、遊技者にとって有利なビッグボーナスに当選している可能性がより高く、第３フリーズが発生したときにビッグボーナスに当選している可能性がさらに高くなる。その結果、第３フリーズが発生したときにビッグボーナスに当選していることに対する期待感を最も向上させることができ、第２フリーズが発生したときにも第１フリーズが発生したときよりもビッグボーナスに当選していることに対する期待感を向上させることができる。
【０３２１】
図９に戻り、Ｓ１６では、フリーズ抽選の結果に応じて、回転前フリーズを発生させる期間を特定するための回転前フリーズカウンタ、および回転後フリーズを発生させる期間を特定するための回転後フリーズカウンタをＲＡＭ４１ｃの所定領域に設定する。たとえば、フリーズ抽選により、第１フリーズを実行すると決定されたときには回転前フリーズカウンタに遅延時間Ｔ１に相当する値をセットする処理が行なわれ、第２フリーズを実行すると決定されたときには回転前フリーズカウンタに遅延時間Ｔ２に相当する値をセットする処理が行なわれ、第３フリーズを実行すると決定されたときには回転前フリーズカウンタに遅延時間Ｔ１に相当する値をセットするとともに、回転後フリーズカウンタに遅延時間Ｔ３に相当する値をセットする処理が行なわれる。なお、フリーズ抽選により、フリーズを実行すると決定されなかったときには、回転前フリーズカウンタ、および回転後フリーズカウンタが０に維持される。メイン制御部４１は、後述するように、回転前フリーズカウンタおよび回転後フリーズカウンタに基づき、フリーズの有無および種類を特定し、フリーズを実行する場合にはカウンタから特定される期間に亘りフリーズを発生させるための処理を行なう。
【０３２２】
Ｓ１７では、フリーズ抽選の結果を特定するためのフリーズ関連コマンドを生成し、これを演出制御基板９０に送信する。演出制御基板９０では、後述するように、フリーズ関連コマンドに基づき、フリーズの有無を特定し、フリーズを実行する場合にはその種類を特定し、対応する演出を実行するための処理を行なう。
【０３２３】
Ｓ１８では、ボーナス持越フラグをＯＮに設定する。これにより、次回の抽選処理におけるＳ１２においてＹＥＳと判定されても、Ｓ１３においてＮＯと判定されるため、Ｓ１４〜Ｓ１８の処理が重複して実行されることを防止することができる。
【０３２４】
また、Ｓ１８では、ボーナス当選フラグが今回の抽選処理で設定されたものであるため、当選したボーナスに対応する内部中ＲＴに制御するための処理（たとえば、遊技状態フラグの値に内部中ＲＴフラグの値を設定など）が行なわれ、抽選処理を終了する。なお、前述したように、ボーナス持越フラグは、ボーナス入賞により、ＯＦＦに設定される。
【０３２５】
抽選処理が終了すると、次にリール回転処理が行なわれる。ここで、リール回転処理について詳しく説明する。図１１は、メイン制御部４１により実行されるリール回転処理を詳細に示すフローチャートである。
【０３２６】
リール回転処理では、まず、Ｓ３０において、１ゲームタイマにより所定時間（たとえば、４．１秒）計時されたか否かが判定される。１ゲームタイマは、一定時間間隔（たとえばタイマ割込）毎に加算更新されるタイマをいう。
【０３２７】
Ｓ３０において、１ゲームタイマにより所定時間以上計時されたと判定されたときには、Ｓ３１において、回転前フリーズカウンタが０であるか否か、すなわち回転前フリーズを実行するか否かが判定される。
【０３２８】
Ｓ３１において、回転前フリーズカウンタが０であると判定されたときには、Ｓ３４に移行されて後述するようにリール回転が開始されるが、回転前フリーズカウンタが０でなく、回転前フリーズを実行すると判定されたときには、回転前フリーズカウンタが０となるまで、Ｓ３２およびＳ３３に繰り返し移行されて、回転前フリーズカウンタから特定される期間に亘り回転前フリーズが実行される。
【０３２９】
Ｓ３２においては、所定の減算条件（一定時間経過、より具体的にはタイマ割込実行）が成立したか否かが判定される。Ｓ３２において減算条件が成立したと判定されたときには、Ｓ３３において、回転前フリーズカウンタの値を１減算し、再びＳ３１に移行する。このように、回転前フリーズカウンタは、１ゲームカウンタにより所定時間以上計時されていると判定されてから減算が開始される。
【０３３０】
Ｓ３１において回転前フリーズカウンタが０であると判定されたときには、Ｓ３４において、リールモータ３２Ｌ、３２Ｃ、３２Ｒを駆動させ、左、中、右の全てのリール２Ｌ、２Ｃ、２Ｒを回転開始させる。
【０３３１】
リール回転が開始されたときには、Ｓ３５において、リールの回転開始を通知するリール回転コマンドが生成されて演出制御基板９０に送信され、Ｓ３６において、１ゲームタイマにより新たな計時が開始される。なお、１ゲームタイマによる新たな計時を開始するタイミングは、リール回転が開始されたときに限らず、Ｓ３０でＹＥＳと判定されたときや、後述するＳ３７でＹＥＳと判定されたときであってもよい。
【０３３２】
Ｓ３７においては、リール２Ｌ、２Ｃ、２Ｒの回転開始から所定の回転条件（回転速度が一定速度に到達）が成立したか否かが判定される。なお、回転条件は、回転速度が一定速度に到達することに加えて、さらにリールセンサ３３ＳＬ、３３ＳＣ、３３ＳＲにより基準位置が検出されることにより成立するようにしてもよい。
【０３３３】
Ｓ３７において回転条件が成立したと判定されたときには、Ｓ３８へ移行されて、回転後フリーズカウンタが０であるか否か、すなわち回転後フリーズを実行するか否かが判定される。
【０３３４】
Ｓ３８において、回転後フリーズカウンタが０であると判定されたときには、Ｓ４１に移行されて後述するようにストップスイッチが有効化されるが、回転後フリーズカウンタが０でなく、回転後フリーズを実行すると判定されたときには、回転後フリーズカウンタが０となるまで、Ｓ３９およびＳ４０に繰り返し移行されて、回転後フリーズカウンタから特定される期間に亘り回転後フリーズが実行される。
【０３３５】
Ｓ３９においては、所定の減算条件（一定時間経過、より具体的にはタイマ割込実行）が成立したか否かが判定される。Ｓ３９において減算条件が成立したと判定されたときには、Ｓ４０において、回転後フリーズカウンタの値を１減算し、再びＳ３８に移行する。このように、回転後フリーズカウンタは、リール回転が開始されかつ回転条件が成立してから減算が開始される。
【０３３６】
Ｓ３８において回転後フリーズカウンタが０であると判定されたときには、Ｓ４１において、ストップスイッチ８Ｌ、８Ｃ、８Ｒを有効化して操作を有効に受付可能にするとともに、左・中・右停止有効ＬＥＤ２２Ｌ〜２２Ｒを点灯させる。
【０３３７】
その後、Ｓ４２においては、ストップスイッチ８Ｌ、８Ｃ、８Ｒのいずれかが遊技者によって操作されることにより、該ストップスイッチに対応するリールモータを駆動停止させ、回転を停止させる。Ｓ４３においては、リール２Ｌ、２Ｃ、２Ｒのうちいずれかの回転が停止する毎に、当該停止したリールがいずれであるか、該当するリールの停止操作位置の領域番号を特定可能なリール停止コマンドが生成されて演出制御基板９０に送信される。
【０３３８】
Ｓ４４においては、リール２Ｌ〜２Ｒすべてが停止したか否かが判定され、すべてが停止していないと判定されたときにはＳ４２に移行され、すべてが停止していると判定されたときにはリール回転処理を終了する。
【０３３９】
次に、図１２〜図１５を参照して、フリーズが発生しない場合、および第１〜第３フリーズが発生する場合各々のタイミングチャートを説明する。図１２は、フリーズが発生しない場合のタイミングチャートを説明するための図である。図１３は、第１フリーズが発生した場合のタイミングチャートを説明するための図である。図１４は、第２フリーズが発生した場合のタイミングチャートを説明するための図である。図１５は、第３フリーズが発生した場合のタイミングチャートを説明するための図である。
【０３４０】
図１２〜図１５各々では、（ａ）欄にスタートスイッチ７への操作状態（ＯＮ、ＯＦＦ）が、（ｂ）欄に１ゲームタイマの計時状態（所定時間以上計時、所定時間以上未計時）が、（ｃ）欄にリール２Ｌ、２Ｃ、２Ｒの回転状態（停止、一定速で回転）が、（ｄ）欄にストップスイッチ８Ｌ、８Ｃ、８Ｒの受付状態（有効、無効）が、（ｅ）欄にフリーズの発生状態（発生中、非発生中）が示されている。また、図１３〜図１５では、さらに、（ｆ）欄において、後述するフリーズ発生に起因して実行されるフリーズ演出の実行状態（実行中、非実行中）が示されている。なお、図１２〜図１５各々の下欄に示す丸付き数字は、（ａ）〜（ｆ）各々におけるタイミングを示している。以下、単に数字で、タイミング１などと記載する。
【０３４１】
まず、図１２を参照して、フリーズが発生しない場合、すなわち回転前フリーズカウンタおよび回転後フリーズカウンタが０である場合について説明する。タイミング１は、ＢＥＴ処理により賭数が規定枚数設定されて、スタートスイッチ７が有効化された後に、スタートスイッチ７が操作されたときを示している。スタートスイッチ７への操作が受付けられると、前述したように、１ゲームタイマにより所定時間以上計時されているか否か（Ｓ３０）、および回転前フリーズカウンタが０であるか否か（Ｓ３１）に応じて、図１２の（ｃ）欄に示すようにリール回転が開始される。なお、リール２Ｌ、２Ｃ、２Ｒの回転状態が斜めの部分は、一定速に到達するまでの回転期間中を示している。
【０３４２】
図１２では、タイミング１において（ｂ）欄に示すように１ゲームタイマによりすでに所定時間以上計時されているため、スタートスイッチ７への操作が受付けられた直後にリール回転が開始されている。なお、タイミング１において１ゲームタイマにより所定時間以上未計時のときには、図１１のＳ３０に示されるように、所定時間以上計時されるまでリール回転が開始されない。
【０３４３】
タイミング２は、リール回転が開始された後、回転速度が一定速度に到達して有効化条件が成立したときを示している。これにより、（ｄ）欄に示すように、ストップスイッチ８Ｌ、８Ｃ、８Ｒの受付状態が有効となり、ストップスイッチ８Ｌ、８Ｃ、８Ｒへの操作が有効に受付けられて対応するリールを停止させることが可能となる。
【０３４４】
次に、図１３を参照して、第１フリーズが発生する場合、すなわち回転前フリーズカウンタにＴ１に相当する値がセットされている場合について説明する。
【０３４５】
タイミング１は、スタートスイッチ７が操作され、第１フリーズが発生したときを示している。スタートスイッチ７への操作が受付けられると、前述したように、１ゲームタイマにより所定時間以上計時されているか否かが判定され、所定時間以上計時されていると判定された後に、さらに回転前フリーズカウンタの値に基づき、回転前フリーズを実行するか否かが判定される。
【０３４６】
図１３では、タイミング１において（ｂ）欄に示すように１ゲームタイマによりすでに所定時間計時されているため、スタートスイッチ７への操作が受付けられた直後から、（ｅ）欄に示すように遅延時間Ｔ１に亘りフリーズが発生する。なお、タイミング１において１ゲームタイマにより所定時間が未だ計時されていないときには、所定時間計時した後からフリーズが発生する。
【０３４７】
タイミング３は、フリーズが発生してから遅延時間Ｔ１が経過しフリーズが終了したときを示している。（ｃ）欄に示すように、遅延時間Ｔ１が経過しフリーズが終了してから、リール回転が開始される。
【０３４８】
タイミング４は、リール回転が開始された後、回転速度が一定速度に到達して回転条件が成立したときを示している。なお、図１３は第１フリーズが発生する場合であるため、回転条件が成立することにより、（ｄ）欄に示すように、ストップスイッチ８Ｌ、８Ｃ、８Ｒが有効化されて受付状態が有効となり、ストップスイッチ８Ｌ、８Ｃ、８Ｒへの操作に対応するリールを停止させることが可能となる。
【０３４９】
次に、図１４を参照して、第２フリーズが発生する場合、すなわち回転前フリーズカウンタにＴ２に相当する値がセットされている場合について説明する。図１４では、タイミング１において（ｂ）欄に示すように１ゲームタイマによりすでに所定時間計時されているため、スタートスイッチ７への操作が受付けられた直後から、（ｅ）欄に示すように遅延時間Ｔ２に亘りフリーズが発生する。なお、タイミング１において１ゲームタイマにより所定時間が未だ計時されていないときには、所定時間計時してからフリーズが発生する。
【０３５０】
タイミング３’は、フリーズが発生してから遅延時間Ｔ２が経過しフリーズが終了したときを示している。（ｃ）欄に示すように、遅延時間Ｔ２が経過しフリーズが終了してから、リール回転が開始される。
【０３５１】
タイミング４’は、リール回転が開始された後、回転速度が一定速度に到達して有効化条件が成立したときを示している。なお、図１４は第２フリーズが発生する場合であるため、回転条件が成立することにより、（ｄ）欄に示すように、ストップスイッチ８Ｌ、８Ｃ、８Ｒが有効化されて受付状態が有効となり、ストップスイッチ８Ｌ、８Ｃ、８Ｒへの操作が有効に受付けられて対応するリールを停止させることが可能となる。
【０３５２】
図１３および図１４で示したように、回転前フリーズを実行するものとして、遅延時間Ｔ１に亘り回転前フリーズを実行する第１フリーズと、Ｔ１よりも長い遅延時間Ｔ２に亘り回転前フリーズを実行する第２フリーズとが設けられている。このため、回転前フリーズが実行されたときには、第１フリーズであるか第２フリーズであるかにより、各リール２Ｌ、２Ｃ、２Ｒの回転開始タイミングを異ならせることができるため、回転前フリーズのバリエーションを豊富にすることができる。また、第２フリーズが実行されたときには、回転前フリーズが実行されてからＴ１が経過したにも関わらず未だ各リール２Ｌ、２Ｃ、２Ｒの回転が開始されないといった意外性を遊技者に与えることができる。
【０３５３】
次に、図１５を参照して、第３フリーズが発生する場合、すなわち回転前フリーズカウンタにＴ１に相当する値がセットされており、回転後フリーズカウンタにＴ３に相当する値がセットされている場合について説明する。
【０３５４】
タイミング１は、スタートスイッチ７が操作され、第１フリーズが発生したときを示している。スタートスイッチ７への操作が受付けられると、前述したように、１ゲームタイマにより所定時間以上計時されているか否かが判定され、所定時間以上計時されていると判定された後に、さらに回転前フリーズカウンタの値に基づき、回転前フリーズを実行するか否かが判定される。
【０３５５】
図１５では、タイミング１において（ｂ）欄に示すように１ゲームタイマによりすでに所定時間計時されているため、スタートスイッチ７への操作が受付けられた直後から、（ｅ）欄に示すように遅延時間Ｔ１に亘りフリーズが発生する。なお、タイミング１において１ゲームタイマにより所定時間が未だ計時されていないときには、所定時間計時した後からフリーズが発生する。
【０３５６】
タイミング３は、フリーズが発生してから遅延時間Ｔ１が経過しフリーズが終了したときを示している。（ｃ）欄に示すように、遅延時間Ｔ１が経過しフリーズが終了してから、リール回転が開始される。
【０３５７】
タイミング４は、リール回転が開始された後、回転速度が一定速度に到達して回転条件が成立した後に、さらに回転後フリーズカウンタに基づき、回転後フリーズを実行するか否かが判定される。
【０３５８】
図１５では、タイミング４において（ｃ）欄に示すようにリールの回転速度が一定速度に到達して所定の回転条件が成立した直後から、（ｅ）欄に示すように遅延時間Ｔ３に亘りフリーズが発生する。
【０３５９】
タイミング５は、タイミング４においてフリーズが発生してから遅延時間Ｔ３が経過しフリーズが終了したときを示している。（ｄ）欄に示すように、遅延時間Ｔ３が経過しフリーズが終了してから、ストップスイッチ８Ｌ、８Ｃ、８Ｒが有効化されて受付状態が有効となり、ストップスイッチ８Ｌ、８Ｃ、８Ｒへの操作に対応するリールを停止させることが可能となる。
【０３６０】
このように、本実施の形態では、フリーズの種類として、回転前フリーズのみを実行するフリーズに加えて、回転前フリーズを実行しさらに回転後フリーズを実行する第３フリーズが設けられている。このため、第３フリーズが実行されたときには、回転前フリーズが実行された後、各リール２Ｌ、２Ｃ、２Ｒの回転が開始されて遊技の進行が再開されたと認識した遊技者に対して、さらに回転後フリーズが実行されることにより、フリーズの発生に意外性を与えることができる。
【０３６１】
また、第３フリーズは、回転前フリーズが実行される時間として、第１フリーズと同じＴ１が設定されている。また、図１０（ｂ）で説明するように、第３フリーズが実行されたときの方がビッグボーナス当選に対する期待感を向上させることができる。その結果、第１フリーズと同じ態様で回転前フリーズが発生したときに、第３フリーズが実行されたことにより回転前フリーズが発生していることに対する期待感を遊技者に抱かせることができ、その後、回転後フリーズが発生することに対する期待感を向上させることができる。
【０３６２】
ゲーム制御処理に戻り、リール２Ｌ、２Ｃ、２Ｒの駆動がそれぞれ停止すると、その停止時における表示結果において、入賞ライン上に図５（ａ）で示したいずれかの役図柄が導出表示されたかどうかを判定する入賞判定処理が行なわれる。この入賞判定処理でいずれかの役に入賞したと判定されると、遊技制御基板４０において発生した入賞に応じた各種の処理が行なわれる。入賞判定処理においては、入賞判定が行なわれた後に、入賞の有無、並びに入賞の種類、入賞時のメダルの払出枚数を特定可能な入賞判定コマンドが演出制御基板９０に送られる。なお、入賞判定処理において、ビッグボーナス（１）、（２）、レギュラーボーナスのうちいずれかに入賞したと判断されたときには、対応するボーナスに制御するための処理（たとえば、遊技状態フラグの値に対応するボーナスの値を設定など）が行なわれる。
【０３６３】
また、入賞判定処理において、準備モード中あるいはＲＴ中であるときに転落リプレイに入賞したと判断されたときには、通常遊技状態に制御するための処理（たとえば、遊技状態フラグの値に通常遊技状態の値を設定など）が行なわれる。また、準備モード中であるときにいずれの入賞も発生しておらずかつ特殊出目が入賞ラインＬ１〜Ｌ６のいずれかに停止していると判断されたときには、ＲＴに制御するための処理（たとえば、遊技状態フラグの値にＲＴの値を設定など）が行なわれる。
【０３６４】
なお、本実施の形態においては、特殊出目停止の契機となる９枚役（１）〜（９）が他の入賞役と同時に抽選対象役として読み出されることなく単独で読み出されて内部当選が行なわれる。このため、特殊出目が停止したときには、いずれの入賞も発生し得ないことになる。しかし、特殊出目停止の契機となる９枚役（１）〜（９）が他の入賞役と同時に抽選対象役として読み出されて内部当選が行なわれるように構成してもよい。この場合には、特殊出目が停止したときであっても同時に当選した他の入賞役の入賞が発生する可能性がある。特殊出目が停止されるとともに他の入賞役の入賞が発生した場合には、当該他の入賞役の入賞の発生に伴う利益を付与するとともに、準備モード中においてはさらに特殊出目停止によりＲＴに制御するものであってもよい。
【０３６５】
入賞判定処理が終了すると、払出処理が行なわれる。払出処理では、入賞判定処理において設定した払い出し予定数だけメダルの払出しまたはクレジット加算させる。ただし、データとして蓄積されているクレジットの数が５０に達した場合は、ホッパーモータ３４ｂを駆動させることにより、超過した枚数のメダルをメダル払出口９から払い出させる。また、払出処理では、入賞やクレジット（賭数の設定に用いられたメダルを含む）の精算によるメダルの払出が開始されたときに、メダルの払出開始を通知する払出開始コマンドが演出制御基板９０に送信され、入賞およびクレジットの精算によるメダルの払出が終了したときに、メダルの払出終了を通知する払出終了コマンドが演出制御基板９０に送信される。また、入賞に関わらない各種の処理（たとえば、ボーナスの終了制御（ボーナス終了条件の成立判定を含む）に関する処理や、持ち越しのない当選フラグ（小役等の当選フラグ）の消去など）も行なわれる。
【０３６６】
なお、払出処理では、特別ワークに格納されるビッグボーナスやレギュラーボーナスの当選フラグが消去されない。これにより、ビッグボーナスやレギュラーボーナスの当選フラグは、当選しているボーナスに入賞するまで次のゲームに持ち越される。払出処理では、次のゲームの遊技状態を特定可能な遊技状態コマンドが演出制御基板９０に送られる。そして、１ゲーム分の処理が終了し、次の１ゲーム分の処理が開始する。
【０３６７】
以上のようなゲームの繰り返しにおいて、遊技制御基板４０のメイン制御部４１は、準備モード、ＲＴ、通常遊技状態、内部中ＲＴ、ボーナスの間で遊技状態の移行を行なっており、遊技の進行状況に応じてコマンドを演出制御基板９０に送信している。これに対して、演出制御基板９０のサブ制御部９１は、遊技制御基板４０から受信したコマンドに基づいて、各種処理を行なう。
【０３６８】
次に、サブ制御部９１により実行される処理について説明する。サブ制御部９１は、まず、所定の演出初期設定処理を実行し、演出制御基板９０における制御状態を電力供給停止時の状態に復旧させるための演出制御復旧処理を実行した後、演出側乱数値更新処理を繰り返して実行する。
【０３６９】
また、サブ制御部９１では、所定の時間間隔（たとえば、２ミリ秒）で演出の進行を制御するための割り込みが発生し、リセット／割込コントローラによりＲＡＭ９１ｃのタイマ割込フラグがＯＮ状態にセットされ、演出制御割り込み処理が実行される。演出制御割り込み処理では、内部レジスタの内容を退避し、演出バックアップ処理を実行して、サブ制御部９１が再起動された場合に再起動の以前における制御状態を復旧させるために必要なデータのバックアップが行なわれる。また、遊技制御基板４０から送信された各種コマンドを解析するためのコマンド解析処理を実行し、所定の演出制御処理を実行する。この演出制御処理により、スロットマシン１における遊技の進行状況に応じて、液晶表示器５１に画像を表示させるとともに、スピーカ５３、５４から音を発生させるなどによる各種の遊技演出が行なわれる。
【０３７０】
遊技演出は、遊技状態および演出状態に応じた遊技状態演出、フリーズが発生したことに起因して実行されるフリーズ演出、高確率状態およびボーナス中においてポイントが付与された旨を報知するポイント付与演出、演出状態がＡＴに制御されているときなどに実行されるナビ演出を含む。なお、遊技演出を行なうための画像の要素データや動画像データは、所定のＲＯＭに記憶されている。
【０３７１】
遊技演出を行なうために、サブ制御部９１のＲＡＭ９１ｃには、各種カウンタと、各種フラグを設定する領域と、遊技状態コマンド、リール停止コマンド、入賞判定コマンド、および内部当選コマンドに基づいて、各役の当選状況、リール２Ｌ、２Ｃ、２Ｒに導出された表示結果の組合せ、入賞の発生の有無を示す情報、遊技制御基板４０の側で進行しているゲームにおいて適用される遊技状態を保存する領域（当選状況および遊技状態については、２回分）もＲＡＭ９１ｃに設けられている。
【０３７２】
また、演出制御基板９０においては、リール停止コマンドに基づいて可変表示装置２の表示結果を判断するための停止図柄テーブルがＲＡＭ９１ｃに設けられている。もっとも、リール停止コマンドは、停止したリールの種類と中段に停止した図柄の番号しか情報として含んでいないので、これだけではどのような図柄が停止しているかどうかが判断できない。このため、ＲＯＭ９１ｂには、リール２Ｌ、２Ｃ、２Ｒに配置された全ての図柄を示すテーブルが予め記憶されており、このテーブルを参照して停止図柄テーブルにリール２Ｌ、２Ｃ、２Ｒに停止されている図柄が登録される。サブ制御部９１は、停止図柄テーブルの登録情報に基づき、演出を行なう。
【０３７３】
また、演出制御基板９０の側にて乱数回路（図示略）等によりカウントされる各種の乱数値が更新され、その後、退避したレジスタの内容を復帰させてから、演出制御割り込み処理を終了する。
【０３７４】
前述した演出制御割り込み処理において実行される演出制御処理では、サブ制御部９１により、図６（ｂ）で示したように確率状態を制御するための確率状態制御処理、ポイントを付与・管理するとともに報知するためのポイント関連処理、遊技状態等に応じて演出状態をＡＴに制御するためのＡＴ制御処理、遊技状態等に応じて前述した遊技演出を実行するための遊技演出実行処理が行なわれる。
【０３７５】
本実施の形態におけるサブ制御部９１は、遊技演出実行処理を実行することにより、フリーズ演出を行なう。遊技演出実行処理では、以下に説明するように、メイン制御部４１からのフリーズ関連コマンド、およびリール回転コマンドに基づき、フリーズ演出を実行する。
【０３７６】
たとえば、メイン制御部４１からのフリーズ関連コマンドに基づき第１フリーズを実行することが特定されたときには、当該フリーズ関連コマンドを受信してから、図１３（ｆ）欄に示されるように、第１フリーズが実行されるＴ１に亘り、回転前フリーズが発生している旨を特定するためのフリーズ演出が行なわれる。
【０３７７】
また、メイン制御部４１からのフリーズ関連コマンドに基づき第２フリーズを実行することが特定されたときには、当該フリーズ関連コマンドを受信してから、図１４（ｆ）欄に示されるように、第２フリーズが実行されるＴ２に亘り、回転前フリーズが発生している旨を特定するためのフリーズ演出が行なわれる。
【０３７８】
また、メイン制御部４１からのフリーズ関連コマンドに基づき第３フリーズを実行することが特定されたときには、当該フリーズ関連コマンドを受信してから、図１５（ｆ）欄に示されるように、Ｔ１に亘り、回転前フリーズが発生している旨を特定するためのフリーズ演出が行なわれる。
【０３７９】
さらに、メイン制御部４１からのフリーズ関連コマンドに基づき第３フリーズを実行することが特定されたときには、図１１のＳ３５で送信されるリール回転コマンドを受信してストップスイッチ８Ｌ〜８Ｒ各々が有効化された後、図１５（ｆ）欄に示されるように、Ｔ３よりも短い予め定められた時間（たとえば、１秒など）が経過したタイミング４ａに到達してから、所定時間経過後のタイミング５ａまで、回転後フリーズが発生している旨を特定するためのフリーズ演出が行なわれる。一方、図１５（ｆ）欄のタイミング４〜タイミング４ａの間は、フリーズが発生していなければ、ストップスイッチ８Ｌ〜８Ｒ各々が有効化されているタイミングであるため、ストップスイッチ８Ｌ〜８Ｒのいずれかを操作することにより対応するリールを停止させることができるタイミングである。しかしながら、図１５（ｆ）欄のタイミング４〜タイミング４ａの間を含むタイミング４〜タイミング５の間においては、回転後フリーズが発生している。このため、図１５（ｆ）欄のタイミング４〜タイミング４ａの間において、たとえば、リールが停止されるだろうと思ってストップスイッチ８Ｌ〜８Ｒを停止操作したが、対応するリールが停止されないことにより、意外性を遊技者に抱かせることが可能となる。また、その後のタイミング４ａ以降からは、フリーズ演出が実行されるため、前述した意外性を遊技者に抱かせた後、回転後フリーズが発生していることを遊技者にわかり易くすることができる。
【０３８０】
なお、フリーズ演出は、たとえば、液晶表示器５１において特定キャラクタを表示させる演出、特定音をスピーカ５３、５４から発生させる演出、および演出効果ＬＥＤ５１を所定の態様で点灯させる演出のうち、いずれか、あるいは選択に組合せてなる演出であってもよい。
【０３８１】
また、回転前フリーズに起因して実行されるフリーズ演出は、第１フリーズ・第３フリーズであるか、あるいは第２フリーズであるかに関わらず、すなわちフリーズの種類に関わらず、同じ態様の演出を、同じ期間（たとえば、Ｔ１、あるいはＴ１よりも短い所定時間）に亘り実行するように構成してもよい。これにより、発生しているフリーズの種類がフリーズ演出から特定不能となるため、回転前フリーズがより長く発生していたこと、および回転後フリーズが発生することに対する期待感を遊技者に抱かせやすくすることができる。
【０３８２】
また、本実施の形態におけるサブ制御部９１は、ＡＴ制御処理に含まれる第１ＡＴ抽選処理を実行することにより、第１ＡＴ抽選を行なう。第１ＡＴ抽選処理では、メイン制御部４１からの内部当選コマンドに基づきボーナス当選したと判定されたときに、前回のボーナス終了以降において実際に付与されたポイントの総数に応じた確率にしたがって第１ＡＴ抽選が実行される。また、第１ＡＴ抽選処理では、メイン制御部４１からの遊技状態コマンドに基づきボーナス終了したと判定されたときに、当該ボーナス中に付与されたポイントの総数に応じた確率にしたがって第１ＡＴ抽選が実行される。
【０３８３】
図１６は、第１ＡＴ抽選を実行する契機となる抽選条件を説明するための図である。また、図１７および図１８は、それぞれ、第１ＡＴ抽選において参照されるテーブルを説明するための図である。
【０３８４】
第１ＡＴ抽選では、図１６に示すように、ボーナス当選したと判定されたときには図１７に示すボーナス当選時用テーブルを参照し、ボーナス終了したと判定されたときには図１８に示すボーナス終了時用テーブルを参照し、付与されたポイントの総数に応じた確率にしたがってナビストック数が決定される。ボーナス当選したか否かは、たとえばメイン制御部４１からの内部当選コマンドから特定される。また、ボーナス終了したか否かは、たとえばメイン制御部４１からの遊技状態コマンドから特定される。
【０３８５】
ナビストック数とは、ＡＴに制御可能となる期間を示す。ナビストック数を１消費（減算）することにより、所定回数（たとえば５０）ゲームを消化する間、ＡＴに制御され、その間ナビ演出が実行可能となる。これより、決定されたナビストック数が多い程、長い期間に亘りＡＴに制御されるため、遊技者にとって有利度合いが高いといえる。本実施の形態においては、ボーナス当選による第１ＡＴ抽選で決定されたナビストック数と、後述するボーナス当選による第２ＡＴ抽選で決定されたナビストック数と、ボーナス終了による第１ＡＴ抽選で決定されたナビストック数との合計数に応じて、当該ボーナス終了後においてＡＴに制御される。
【０３８６】
サブ制御部９１は、第１ＡＴ抽選や第２ＡＴ抽選において１以上のナビストック数が決定されたときに、ＡＴである旨およびナビストック数（第１ＡＴ抽選や第２ＡＴ抽選の合計数）を示すＡＴフラグをＲＡＭ９１ｃの所定領域に格納する。サブ制御部９１は、ＲＡＭ９１ｃのＡＴフラグに基づき、ＡＴに制御するか否かを特定するとともに、残りのナビストック数を特定する。
【０３８７】
なお、ＡＴである旨を示すＡＴフラグがセットされているときに、ナビストック数が付与されたときには、ＡＴフラグから特定されるストック数に今回付与されたナビストック数を上乗せ加算させてもよく、今回付与されたナビストック数に書き換えるものであってもよい。
【０３８８】
たとえば、ＡＴである旨を示すＡＴフラグがセットされているときに、ボーナス当選により第１ＡＴ抽選や第２ＡＴ抽選が行なわれる場合には、当該第１ＡＴ抽選や第２ＡＴ抽選の結果に応じたＡＴフラグに更新される。なお、第１ＡＴ抽選や第２ＡＴ抽選の結果に応じたＡＴフラグに更新するとは、たとえば、ＲＡＭ９１ｃの所定領域に格納されているＡＴフラグから特定されるナビストック数に今回の第１ＡＴ抽選や第２ＡＴ抽選の結果に応じたナビストック数を上乗せ加算したナビストック数を特定するＡＴフラグに書き換えることであってもよく、また、ＲＡＭ９１ｃの所定領域に格納されているＡＴフラグを今回の第１ＡＴ抽選や第２ＡＴ抽選の結果に応じたナビストック数を示すＡＴフラグに書き換えることであってもよい。第１ＡＴ抽選や第２ＡＴ抽選の結果に応じた現在のＡＴフラグが特定可能になる手法であれば、どのようなものであってもよい。
【０３８９】
また、ボーナス当選によりたとえば第１ＡＴ抽選が行なわれてＡＴである旨を示すＡＴフラグがセットされた後において、ナビストック数が付与された場合には、上乗せ加算したナビストック数を特定するＡＴフラグに書き換えられる。
【０３９０】
たとえば、ボーナス当選によりたとえば第１ＡＴ抽選が行なわれてＡＴである旨を示すＡＴフラグがセットされた後において、当該ボーナス当選による第２ＡＴ抽選や当該ボーナス終了による第１ＡＴ抽選が行なわれてさらに１以上のナビストック数が決定された場合には、ＲＡＭ９１ｃの所定領域に格納されているＡＴフラグから特定されるナビストック数に、当該ボーナス当選による第２ＡＴ抽選や当該ボーナス終了による第１ＡＴ抽選の結果に応じたナビストック数を上乗せ加算したナビストック数を特定するＡＴフラグに書き換えられる。
【０３９１】
第１ＡＴ抽選において、図１７に示すボーナス当選時用テーブルが参照された場合について説明する。ボーナス以外において付与された付与ポイントであって、ボーナス当選したときにおける付与ポイントの総数（以下、通常付与ポイント総数ともいう）が「０〜２」であるときには、９０％の割合でナビストック数が０に決定され、５％の割合でナビストック数が１に決定され、２％の割合でナビストック数が３に決定され、２％の割合でナビストック数が５に決定され、１％の割合でナビストック数が１０に決定されるように、ボーナス当選時の第１ＡＴ抽選が行なわれる。
【０３９２】
通常付与ポイント総数が「３〜５」であるときには、５０％の割合でナビストック数が０に決定され、３０％の割合でナビストック数が１に決定され、１５％の割合でナビストック数が３に決定され、３％の割合でナビストック数が５に決定され、２％の割合でナビストック数が１０に決定されるように、ボーナス当選時の第１ＡＴ抽選が行なわれる。
【０３９３】
通常付与ポイント総数が「６〜９」であるときには、７０％の割合でナビストック数が１に決定され、２０％の割合でナビストック数が３に決定され、５％の割合でナビストック数が５に決定され、３％の割合でナビストック数が１０に決定され、２％の割合でナビストック数が２０に決定されるように、ボーナス当選時の第１ＡＴ抽選が行なわれる。
【０３９４】
通常付与ポイント総数が「１０」であるときには、７０％の割合でナビストック数が３に決定され、１０％の割合でナビストック数が５に決定され、１０％の割合でナビストック数が１０に決定され、１０％の割合でナビストック数が２０に決定されるように、ボーナス当選時の第１ＡＴ抽選が行なわれる。なお、後述するように、通常付与ポイント総数の上限は、「１０」に設定されている。
【０３９５】
このように、図１７のボーナス当選時用テーブルは、通常付与ポイント総数が多い程、高い割合で１以上でかつより多いナビストック数に決定されるように、すなわち遊技者にとって有利となるようにボーナス当選時のＡＴ抽選が行なわれる。また、通常付与ポイント総数が６以上であるときには必ず１以上のナビストック数に決定される。このため、通常付与ポイント総数が６以上であるときにはボーナス終了後において必ずＡＴに制御される。
【０３９６】
よって、通常付与ポイント総数が多い程、高い割合でＡＴに制御され、かつ高い割合でより多いナビストック数に決定されることにより、遊技者にとって有利となるようにＡＴ抽選が行なわれるといえる。その結果、遊技者が認識するポイントの総数が多い程、ＡＴに制御されること、およびより多いナビストック数を獲得することに対する期待感を抱かせることができ、遊技の興趣を向上させることができる。
【０３９７】
次に、第１ＡＴ抽選において、図１８に示すボーナス終了時用テーブルが参照された場合について説明する。ボーナス中に付与された付与ポイントであって、当該ボーナス終了したときにおける付与ポイントの総数（以下、ボーナス中付与ポイント総数ともいう）が「０〜１」であるときには、９５％の割合でナビストック数が０に決定され、３％の割合でナビストック数が１に決定され、２％の割合でナビストック数が３に決定されるように、ボーナス終了時の第１ＡＴ抽選が行なわれる。
【０３９８】
ボーナス中付与ポイント総数が「２〜３」であるときには、８０％の割合でナビストック数が０に決定され、１５％の割合でナビストック数が１に決定され、４％の割合でナビストック数が３に決定され、１％の割合でナビストック数が５に決定されるように、ボーナス終了時の第１ＡＴ抽選が行なわれる。
【０３９９】
ボーナス中付与ポイント総数が「４」であるときには、６０％の割合でナビストック数が０に決定され、２５％の割合でナビストック数が１に決定され、１０％の割合でナビストック数が３に決定され、４％の割合でナビストック数が５に決定され、１％の割合でナビストック数が１０に決定されるように、ボーナス終了時の第１ＡＴ抽選が行なわれる。
【０４００】
ボーナス中付与ポイント総数が「５」であるときには、７０％の割合でナビストック数が３に決定され、１０％の割合でナビストック数が５に決定され、１０％の割合でナビストック数が１０に決定され、１０％の割合でナビストック数が２０に決定されるように、ボーナス終了時の第１ＡＴ抽選が行なわれる。なお、後述するように、ボーナス中付与ポイント総数の上限は、「５」に設定されている。
【０４０１】
このように、図１８のボーナス終了時用テーブルにおいても、ボーナス中付与ポイント総数が多い程、高い割合で１以上でかつより多いナビストック数に決定されるように、すなわち遊技者にとって有利となるようにボーナス終了時の第１ＡＴ抽選が行なわれる。また、ボーナス中付与ポイント総数が５であるときには必ず３以上のナビストック数に決定される。このため、ボーナス中付与ポイント総数が５であるときにはボーナス終了後において必ずＡＴに制御される。
【０４０２】
よって、ボーナス中付与ポイント総数が多い程、高い割合でＡＴに制御され、かつ高い割合でより多いナビストック数に決定されることにより、遊技者にとって有利となるようにＡＴ抽選が行なわれるといえる。その結果、遊技者が認識するポイントの総数が多い程、ＡＴに制御されること、およびより多いナビストック数を獲得することに対する期待感を抱かせることができ、遊技の興趣を向上させることができる。また、遊技者が認識するポイントの総数が少ない場合であっても、後述するような報知抽選が行なわれてポイントが報知されるため、認識したポイントの総数以上のポイントが実際に付与されている可能性があり、ＡＴに制御されること、およびより多いナビストック数を獲得することに対する期待感を持続させることができる。
【０４０３】
以上のように、本実施の形態においては、サブ制御部９１によりボーナス当選あるいはボーナス終了したときに行なわれる第１ＡＴ抽選処理により、図１７あるいは図１８に示すテーブルを参照して、第１ＡＴ抽選が行なわれる。
【０４０４】
第１ＡＴ抽選においてＡＴに制御すると決定される確率に関与するポイントは、サブ制御部９１により、演出制御処理に含まれるポイント関連処理が実行されることにより、付与され、管理される。また、サブ制御部９１によりポイント関連処理が実行されることにより、前述したポイント付与演出が実行される。図１９は、サブ制御部９１により実行されるポイント関連処理を説明するためのフローチャートである。
【０４０５】
まず、Ｓ１０１においては、所定のポイント付与条件が成立しているか否かが判定される。図２０（ａ）は、ボーナス以外でかつ確率状態が高確率状態であるときに成立し得るポイント付与条件を説明するための図であり、図２０（ｂ）は、ボーナス中において成立し得るポイント付与条件を説明するための図である。
【０４０６】
まず、図２０（ａ）を参照して、ボーナス以外でかつ高確率状態であるときには、メロン当選することあるいはイチゴ当選することを条件として成立する。より具体的には、ボーナス以外でかつ高確率状態である場合にメロン当選したときには、たとえばランダムカウンタから抽出された乱数を用いた所定の抽選で当選することを条件として、ポイント付与条件が成立する。当該所定の抽選で当選する確率は、たとえば、遊技状態が通常遊技状態であるときに２５％に設定されており、遊技状態が通常遊技状態以外であるときに５０％に設定されている。すなわち、高確率状態であるときにメロン当選したときであっても、遊技状態が通常遊技状態以外であるときの方が通常遊技状態であるときよりも高い割合でポイント付与条件が成立する。よって、ポイント付与条件が成立しやすい点において、通常遊技状態であるときよりも、通常遊技状態以外のたとえば準備モードやＲＴなどであるときの方が、遊技者にとって有利であるといえる。
【０４０７】
なお、ボーナス以外でかつ高確率状態であるときにメロン当選してポイント付与条件が成立した場合に付与されるポイントについては、後述するように、所定の報知抽選の結果に応じて報知され得る。
【０４０８】
また、ボーナス以外で高確率状態である場合にイチゴ当選したときには、必ずポイント付与条件が成立する。このため、ボーナス以外で高確率状態である場合にイチゴ当選してポイント付与条件が成立した場合に付与されるポイントについては、後述するように少なくとも所定数（たとえば１）のポイントが付与された旨、報知される。
【０４０９】
次に、図２０（ｂ）を参照して、ボーナス中においては、メロン当選すること、あるいは９枚役に単独で当選して入賞することを条件として成立する。より具体的には、ボーナス中であるときにメロン当選したときには、たとえばランダムカウンタから抽出された乱数を用いた所定の抽選で当選することを条件として、ポイント付与条件が成立する。当該所定の抽選で当選する確率は、たとえば５０％に設定されている。
【０４１０】
なお、ボーナス中にメロン当選してポイント付与条件が成立した場合に付与されるポイントについては、後述するように、所定の報知抽選の結果に応じて報知され得る。
【０４１１】
また、ボーナス中であるときに９枚役に単独で当選して入賞したときには、必ずポイント付与条件が成立する。ボーナス中であるときに９枚役に単独で当選して入賞してポイント付与条件が成立した場合に付与されるポイントについては、後述するように、少なくとも所定数（たとえば１）のポイントが付与された旨、報知される。
【０４１２】
本実施の形態においては、ボーナス中であるときに９枚役に単独で当選したときに、９枚役のいずれかに当選している旨を特定可能な情報を報知（たとえば、「９枚役のうちどれだろう？」といったメッセージを表示）するように構成してもよい。これにより、ボーナス中において当該情報が報知されたゲームにおいて、遊技者はどの９枚役に当選しているか予想するといった面白みを付加することができる。
【０４１３】
なお、当選により必ずポイント付与条件が成立する場合には、所定数のポイントが付与された旨を報知されるものに限らず、後述するＳ１０２において決定される付与ポイントを正確に報知するものであってもよい。
【０４１４】
図１９に戻り、Ｓ１０１において、図２０に示した状態に応じたポイント付与条件が成立したと判定されなかったときには、そのままポイント関連処理を終了する。一方、Ｓ１０１においてポイント付与条件が成立していると判定されたときには、Ｓ１０２において、遊技者に付与し得る付与ポイントが設定される。
【０４１５】
図２１は、Ｓ１０２において付与ポイントを決定するためのテーブルを説明するための図である。ボーナス以外であるときにポイント付与条件が成立したときには、図２１のボーナス以外の欄に示されるように、付与ポイントとして、５０％の割合で１ポイントに決定され、２０％の割合で２ポイントに決定され、２０％の割合で３ポイントに決定され、１０％の割合で５ポイントに決定される。
【０４１６】
ボーナス中であるときにポイント付与条件が成立したときには、図２１のボーナス中の欄に示されるように、付与ポイントとして、８５％の割合で１ポイントに決定され、１０％の割合で２ポイントに決定され、４％の割合で３ポイントに決定され、１％の割合で５ポイントに決定される。
【０４１７】
このように、ポイント付与条件がボーナス中に成立したときよりも、ボーナス以外で成立したときの方が、高い割合で、より多いポイントが付与ポイントとして決定される。
【０４１８】
なお、ポイント付与条件が成立したときにＡＴ中であるか否かに応じて異なる割合で付与ポイントが決定されるように構成してもよい。より具体的には、ポイント付与条件が、ＡＴ中に成立したときよりも、非ＡＴ中に成立したときの方が、高い割合で、より多いポイントが付与ポイントとして決定されるように構成してもよい。これにより、ＡＴ中であるときよりも非ＡＴ中であるときの方が、遊技者にとって有利に第１ＡＴ抽選を行なうことができ、非ＡＴ中における遊技の興趣を向上させることができる。
【０４１９】
図１９のＳ１０２においては、図２１に示すテーブルを参照して付与ポイントを決定し、該決定された付与ポイントを特定するための付与ポイント情報をＲＡＭ９１ｃの所定領域に格納する。サブ制御部９１は、ＲＡＭ９１ｃの付与ポイント情報に基づき、今回のポイント付与条件が成立したことに起因する付与ポイントを特定する。
【０４２０】
なお、本実施の形態においては、Ｓ１０１においてポイント付与条件が成立しているか否かを判定し、成立しているときにＳ１０２において付与ポイントを決定する例について説明したが、ポイントを付与するか否かおよび付与ポイントの決定に関しては、これに限らず、１回の抽選でポイントを付与するか否かおよび付与ポイントが決定されるように構成してもよい。例えば、ボーナス以外で高確率状態であり、通常遊技状態中にメロン当選したときに、ポイント０〜５のうちいずれにするかを決定するように構成してもよい。この場合、ポイント０に決定されたときには、ポイントが付与されないことになる。
【０４２１】
Ｓ１０３においては、ポイント付与の契機となった今回のポイント付与条件が、所定数のポイントが付与された旨を必ず報知する条件であったか否かが判定される。すなわち、今回のポイント付与条件が、図２０（ａ）に示すボーナス以外でかつ高確率状態であるときにイチゴ当選することにより成立した条件、あるいは図２０（ｂ）に示すボーナス中であるときに９枚役に単独で当選して入賞することにより成立した条件のいずれかであるかが判定される。
【０４２２】
Ｓ１０３において、ポイント付与条件が所定数のポイントが付与された旨を必ず報知する条件であったと判定されたときには、所定数のポイントが付与された旨を報知するために後述するＳ１０８へ移行される。本実施の形態においては、たとえば報知ポイントとしてポイント「１」に決定される。
【０４２３】
一方、Ｓ１０３において、ポイント付与条件が所定数のポイントが付与された旨を必ず報知する条件であったと判定されなかったときには、ポイントが付与された旨を報知するか否かの決定および報知する場合のポイント数の決定を行なう報知抽選するためにＳ１０４へ移行される。
【０４２４】
Ｓ１０４においては、差数対応報知抽選が行なわれる。差数対応報知抽選とは、前回第１ＡＴ抽選された後から今回のポイント付与条件が成立するまでに実際に付与されたポイントの総数と、前回第１ＡＴ抽選された後から今回のポイント付与条件が成立するまでに報知されたポイントの総数との差数に応じて、今回ポイント付与条件が成立してＳ１０２において設定された付与ポイントを報知するか否かの抽選、Ｓ１０２において設定された付与ポイントを正確に報知するか否かの抽選、およびＳ１０２において設定された付与ポイントを正確に報知しない場合に何ポイント低いポイントを報知するかの抽選を含む。なお、差数は、Ｓ１０４において、後述する付与ポイント総数（Ｓ１１０で更新）と報知ポイント総数（Ｓ１０９で更新）とから算出される。具体的に、差数は、付与ポイント総数から報知ポイント総数を差引いた値である。
【０４２５】
図２２は、差数対応報知抽選を行なうためのテーブルを説明するための図である。本実施の形態における差数対応報知抽選では、まず、図２２（ａ）の差数対応テーブルＡを参照して、差数に応じてポイントを報知するか否かの抽選が行なわれる。
【０４２６】
差数が「０」であるときには、Ｓ１０２において付与ポイントが設定されたことに伴いポイントが付与された旨を、３０％の割合で報知するに決定され、７０％の割合で報知しないに決定される。差数が「１」であるときには、Ｓ１０２において付与ポイントが設定されたことに伴いポイントが付与された旨を、４０％の割合で報知するに決定され、６０％の割合で報知しないに決定される。
【０４２７】
差数が「２」であるときには、Ｓ１０２において付与ポイントが設定されたことに伴いポイントが付与された旨を、５０％の割合で報知するに決定され、５０％の割合で報知しないに決定される。差数が「３以上」であるときには、Ｓ１０２において付与ポイントが設定されたことに伴いポイントが付与された旨を、７０％の割合で報知するに決定され、３０％の割合で報知しないに決定される。
【０４２８】
このように、図２２（ａ）の差数対応テーブルＡは、ポイントが付与された旨を、差数が小さい程、高い割合で報知しないに決定され、差数が大きい程、高い割合で報知するに決定される。これにより、すでに差数が大きいときに、さらに報知されないことにより差数が大きくなり過ぎることを防止することができる。
【０４２９】
図２２（ａ）の差数対応テーブルＡを参照して、報知するに決定された場合には、さらに図２２（ｂ）の差数対応テーブルＢを参照して、Ｓ１０２において設定された付与ポイントおよび差数に応じて、当該付与ポイントを正確に報知するか否かの抽選および当該付与ポイントを正確に報知しない場合に何ポイントを報知するか報知する報知ポイントを決定する抽選が行なわれる。正確に報知しない場合には、付与ポイントよりも第１ＡＴ抽選において遊技者にとって有利度合いが低くなるポイント、すなわち付与ポイントよりも少ないポイントから報知ポイントが決定される。
【０４３０】
付与ポイントが「１」である場合には、差数に関わらず、報知ポイントとして、１００％の割合でポイント「１」に決定される。付与ポイントが「２」である場合で、差数が「０〜２」である場合には、報知ポイントとして、３０％の割合でポイント「１」に決定され、７０％の割合でポイント「２」に決定される。付与ポイントが「２」である場合で、差数が「３以上」である場合には、報知ポイントとして、２０％の割合でポイント「１」に決定され、８０％の割合でポイント「２」に決定される。
【０４３１】
付与ポイントが「３」である場合で、差数が「０〜２」である場合には、報知ポイントとして、１０％の割合でポイント「１」に決定され、２０％の割合でポイント「２」に決定され、７０％の割合でポイント「３」に決定される。付与ポイントが「３」である場合で、差数が「３以上」である場合には、報知ポイントとして、１０％の割合でポイント「２」に決定され、９０％の割合でポイント「３」に決定される。
【０４３２】
付与ポイントが「５」である場合で、差数が「０〜２」である場合には、報知ポイントとして、１０％の割合でポイント「２」に決定され、２０％の割合でポイント「３」に決定され、７０％の割合でポイント「５」に決定される。付与ポイントが「５」である場合で、差数が「３以上」である場合には、報知ポイントとして、１０％の割合でポイント「３」に決定され、９０％の割合でポイント「５」に決定される。
【０４３３】
このように、図２２（ｂ）の差数対応テーブルＢは、差数が小さい程、高い割合で付与ポイントよりもより少ないポイントが付与された旨が報知されるように報知するポイントが決定され、差数が大きい程、高い割合で付与ポイントあるいは当該付与ポイントにより近いポイントが付与された旨が報知されるように報知するポイントが決定される。また、付与ポイントが多い程、高い割合で正確に報知される。これにより、すでに差数が大きいときや、付与ポイントが多く差数を生じさせやすい場合に、さらに少ないポイントが報知されてしまうことにより差数が大きくなり過ぎることを防止することができる。
【０４３４】
本実施の形態における差数対応報知抽選では、図２２（ａ）および（ｂ）のテーブルを用いて報知するか否か、および報知ポイントを決定する例について説明したが、これに限らず、図２２（ａ）のテーブルのみを用いて差数に応じて報知するか否かのみを決定し、報知すると決定されたときにはＳ１０２において設定された付与ポイントを正確に報知するように構成してもよい。また、図２２（ｂ）のテーブルのみを用いて差数に応じて報知ポイントを決定するように構成してもよい。
【０４３５】
図１９に戻り、Ｓ１０５においては、Ｓ１０４の差数対応報知抽選によりポイントが付与された旨を報知すると決定されたか否かが判定される。報知すると決定されたときには、Ｓ１０４において決定されたポイントが付与された旨を報知するために後述するＳ１０８へ移行される。一方、Ｓ１０５において報知すると決定されなかったときには、Ｓ１０６へ移行される。
【０４３６】
Ｓ１０６においては、総数対応報知抽選が行なわれる。総数対応報知抽選とは、付与ポイント総数（ボーナス以外においては通常付与ポイント総数、ボーナス中においてはボーナス中付与ポイント総数）に応じて、今回ポイント付与条件が成立してＳ１０２において設定された付与ポイントを報知するか否かの抽選、Ｓ１０２において設定された付与ポイントを正確に報知するか否かの抽選、およびＳ１０２において設定された付与ポイントを正確に報知しない場合に何ポイント低いポイントを報知するかの抽選を含む。正確に報知しない場合には、付与ポイントよりも第１ＡＴ抽選において遊技者にとって有利度合いが低くなるポイント、すなわち付与ポイントよりも少ないポイントから報知ポイントが決定される。
【０４３７】
なお、前回第１ＡＴ抽選された後から今回のポイント付与条件が成立するまでに実際に付与されたポイントの総数は、後述する付与ポイント総数から特定される。
【０４３８】
図２３は、総数対応報知抽選を行なうためのテーブルを説明するための図である。本実施の形態における総数対応報知抽選では、まず、図２３（ａ）の総数対応テーブルＡを参照して、実際に付与されたポイントの総数に応じてポイントを報知するか否かの抽選が行なわれる。
【０４３９】
ボーナス中以外において付与されたポイントの総数が「０〜２」であるとき、あるいはボーナス中において付与されたポイントの総数が「０〜１」であるときには、Ｓ１０２において付与ポイントが設定されたことに伴いポイントが付与された旨を、８０％の割合で報知するに決定され、２０％の割合で報知しないに決定される。
【０４４０】
ボーナス中以外において付与されたポイントの総数が「３〜５」であるとき、あるいはボーナス中において付与されたポイントの総数が「２〜３」であるときには、Ｓ１０２において付与ポイントが設定されたことに伴いポイントが付与された旨を、５０％の割合で報知するに決定され、５０％の割合で報知しないに決定される。
【０４４１】
ボーナス中以外において付与されたポイントの総数が「６〜１０」であるとき、あるいはボーナス中において付与されたポイントの総数が「４〜５」であるときには、Ｓ１０２において付与ポイントが設定されたことに伴いポイントが付与された旨を、１０％の割合で報知するに決定され、９０％の割合で報知しないに決定される。
【０４４２】
このように、図２３（ａ）の総数対応テーブルＡは、ポイントが付与された旨を、付与されたポイントの総数が少ない程、高い割合で報知するに決定され、付与されたポイントの総数が多い程、高い割合で報知しないに決定される。これにより、少ないポイントしか付与されていないときに、高い割合で報知することにより、少ないポイントについては付与されていることを遊技者に認識させ安心させることができる。一方、多いポイントが付与されているときに、高い割合で報知されないことにより、報知ポイントから遊技者が認識しているポイントよりも実際には多いポイントが付与されている可能性を高めることができ、期待感をより持続させることができる。
【０４４３】
図２３（ａ）の総数対応テーブルＡを参照して、報知するに決定された場合には、さらに図２３（ｂ）の総数対応テーブルＢを参照して、Ｓ１０２において設定された付与ポイントおよびすでに付与されたポイントの総数に応じて、当該付与ポイントを正確に報知するか否かの抽選および当該付与ポイントを正確に報知しない場合に何ポイントを報知するか報知する報知ポイントを決定する抽選が行なわれる。
【０４４４】
付与ポイントが「１」である場合には、付与されたポイントの総数に関わらず、報知ポイントとして、１００％の割合でポイント「１」に決定される。付与ポイントが「２」である場合で、ボーナス中以外におけるポイントの総数が「０〜２」である場合、あるいはボーナス中におけるポイントの総数が「０〜１」である場合には、報知ポイントとして、３０％の割合でポイント「１」に決定され、７０％の割合でポイント「２」に決定される。
【０４４５】
付与ポイントが「２」である場合で、ボーナス中以外におけるポイントの総数が「３〜５」である場合、あるいはボーナス中におけるポイントの総数が「２〜３」である場合には、報知ポイントとして、５０％の割合でポイント「１」に決定され、５０％の割合でポイント「２」に決定される。
【０４４６】
付与ポイントが「２」である場合で、ボーナス中以外におけるポイントの総数が「６〜１０」である場合、あるいはボーナス中におけるポイントの総数が「４〜５」である場合には、報知ポイントとして、９０％の割合でポイント「１」に決定され、１０％の割合でポイント「２」に決定される。
【０４４７】
付与ポイントが「３」である場合で、ボーナス中以外におけるポイントの総数が「０〜２」である場合、あるいはボーナス中におけるポイントの総数が「０〜１」である場合には、報知ポイントとして、１０％の割合でポイント「１」に決定され、２０％の割合でポイント「２」に決定され、７０％の割合でポイント「３」に決定される。
【０４４８】
付与ポイントが「３」である場合で、ボーナス中以外におけるポイントの総数が「３〜５」である場合、あるいはボーナス中におけるポイントの総数が「２〜３」である場合には、報知ポイントとして、２０％の割合でポイント「１」に決定され、３０％の割合でポイント「２」に決定され、５０％の割合でポイント「３」に決定される。
【０４４９】
付与ポイントが「３」である場合で、ボーナス中以外におけるポイントの総数が「６〜１０」である場合、あるいはボーナス中におけるポイントの総数が「４〜５」である場合には、報知ポイントとして、５０％の割合でポイント「１」に決定され、３０％の割合でポイント「２」に決定され、２０％の割合でポイント「３」に決定される。
【０４５０】
付与ポイントが「５」である場合で、ボーナス中以外におけるポイントの総数が「０〜２」である場合、あるいはボーナス中におけるポイントの総数が「０〜１」である場合には、報知ポイントとして、１０％の割合でポイント「３」に決定され、９０％の割合でポイント「５」に決定される。
【０４５１】
付与ポイントが「５」である場合で、ボーナス中以外におけるポイントの総数が「３〜５」である場合、あるいはボーナス中におけるポイントの総数が「２〜３」である場合には、報知ポイントとして、１０％の割合でポイント「１」に決定され、１０％の割合でポイント「２」に決定され、３０％の割合でポイント「３」に決定され、５０％の割合でポイント「５」に決定される。
【０４５２】
付与ポイントが「５」である場合で、ボーナス中以外におけるポイントの総数が「６〜１０」である場合、あるいはボーナス中におけるポイントの総数が「４〜５」である場合には、報知ポイントとして、３０％の割合でポイント「１」に決定され、３０％の割合でポイント「２」に決定され、３０％の割合でポイント「３」に決定され、１０％の割合でポイント「５」に決定される。
【０４５３】
このように、図２３（ｂ）の総数対応テーブルＢは、付与されたポイントの総数が少ない程、高い割合で付与ポイントあるいは付与ポイントにより近いポイントが付与された旨が報知されるように、付与されたポイントの総数が多い程、高い割合で付与ポイントよりもより少ないポイントが付与された旨が報知されるように報知するポイントが決定される。これにより、少ないポイントしか付与されていないときに、高い割合で正確に報知することにより、少ないポイントについては付与されていることを遊技者に認識させ安心させることができる。一方、多いポイントが付与されているときに、高い割合で付与ポイントよりも少ないポイントが報知されることにより、報知ポイントから遊技者が認識しているポイントよりも実際には多いポイントが付与されている可能性を高めることができ、期待感をより持続させることができる。
【０４５４】
本実施の形態における総数対応報知抽選では、図２３（ａ）および（ｂ）のテーブルを用いて報知するか否か、および報知ポイントを決定する例について説明したが、これに限らず、図２３（ａ）のテーブルのみを用いて総数に応じて報知するか否かのみを決定し、報知すると決定されたときにはＳ１０２において設定された付与ポイントを正確に報知するように構成してもよい。また、図２３（ｂ）のテーブルのみを用いて総数に応じて報知ポイントを決定するように構成してもよい。
【０４５５】
また、本実施の形態における報知抽選として、差数対応報知抽選および総数対応報知抽選を行なう例について説明したが、これに限らず、いずれか一方のみを行なうように構成してもよい。また、差数対応報知抽選を行なった後に総数対応報知抽選を行なう例について説明したが、総数対応報知抽選を行なった後に差数対応報知抽選を行なうように構成してもよい。
【０４５６】
また、本実施の形態における報知抽選では、差数や総数に応じて、報知するか否か、および報知ポイントを決定する例について説明したが、これに限らず、報知抽選では、差数や総数に関わらず、Ｓ１０２で設定される付与ポイントに応じて、報知するか否か、および報知ポイントを決定するように構成してもよい。
【０４５７】
図１９に戻り、Ｓ１０７においては、Ｓ１０６の総数対応報知抽選によりポイントが付与された旨を報知すると決定されたか否かが判定される。報知すると決定されたときには、Ｓ１０６において決定されたポイントが付与された旨を報知するために後述するＳ１０８へ移行される。一方、Ｓ１０７において報知すると決定されなかったときには、ポイントが付与された旨を報知するための処理を行なうことなく、Ｓ１１０へ移行される。
【０４５８】
Ｓ１０８においては、ポイントが付与された旨を報知するポイント付与演出を実行するための報知処理が行なわれる。報知処理においては、Ｓ１０３においてＹＥＳと判定されたときには、ポイント付与演出として、たとえばポイント「１」が付与された旨を特定可能な情報を報知（当該ゲーム開始時または終了時において「ポイント１獲得！！」といったメッセージを表示）するための処理が行なわれる。また、報知処理においては、ポイント付与演出として、Ｓ１０４またはＳ１０６において決定されたポイントが付与された旨を特定可能な情報を報知（たとえば、ポイント「２」が付与された旨を報知する場合には、当該ゲーム開始時または終了時において「ポイント２獲得！！」といったメッセージを表示）するための処理が行なわれる。
【０４５９】
なお、ポイント付与演出は、上記態様で実行されるものに限らず、付与されたポイント数に応じた態様で実行される演出であれば、どのような態様で実行されるものであってもよい。
【０４６０】
Ｓ１０９においては、前回第１ＡＴ抽選された後からＳ１０８の処理により遊技者に報知されたポイントの総数である報知ポイント総数を特定するための報知ポイント総数情報を更新する。なお、Ｓ１０８において報知されるポイント付与演出としては、報知ポイント総数を特定するための情報（たとえば、「獲得ポイント総数５！！」といったメッセージを表示）を報知してもよい。
【０４６１】
報知ポイント総数情報は、ＲＡＭ９１ｃの所定領域に格納されており、Ｓ１０８においてポイントが付与された旨が報知される毎に当該ポイント分加算更新される。なお、当該報知ポイント総数情報は、図１６〜図１８で示した第１ＡＴ抽選の抽選条件が成立して第１ＡＴ抽選が行なわれた後においてリセットされる。
【０４６２】
Ｓ１１０においては、Ｓ１０２の処理により実際に付与されたポイントの総数である付与ポイント総数を特定するための付与ポイント総数情報を更新する。付与ポイント総数情報は、ＲＡＭ９１ｃの所定領域に格納されており、Ｓ１０２において付与ポイントが設定され報知抽選などが行なわれた後に当該付与ポイント分加算更新される。
【０４６３】
本実施の形態における付与ポイント総数情報は、図１６〜図１８で示した第１ＡＴ抽選の抽選条件が成立して第１ＡＴ抽選が行なわれた後においてリセットされる。なお、付与ポイント総数情報は、第１ＡＴ抽選が行なわれることによりリセットされるものに限らず、第１ＡＴ抽選が行なわれた後においても当該付与ポイント総数のうち所定数のポイント（たとえば、２ポイント）を持ち越すようにしてもよく、また、当該第１ＡＴ抽選でＡＴ当選しなかったときに持ち越すようにしてもよい。
【０４６４】
なお、本実施の形態においては、付与ポイント総数の上限として、ボーナス中以外においては「１０」が、ボーナス中においては「５」が、各々予め設定されている。このため、Ｓ１０２において設定された付与ポイントを、今回のポイント付与条件が成立するまでの付与ポイント総数に加算すると、前述した上限値を超える場合には、付与ポイント総数として上限値が設定される。これに伴い、報知ポイント総数についても、上限として、ボーナス中以外においては「１０」が、ボーナス中においては「５」が、各々予め設定されている。このため、Ｓ１０８においては、報知抽選などで決定されたポイントを報知すると、報知ポイント総数との関係から、前述した上限値を超える場合には、上限値になるポイントが付与された旨が報知される。
【０４６５】
なお、報知ポイント総数がすでに上限値である場合には、ポイントが付与されなかったときと同様に報知されない。よって、Ｓ１０２において付与ポイントが設定された後において、報知ポイント総数がすでに上限値である場合にはそのままポイント関連処理を終了させ、報知ポイント総数が上限値に満たない場合にのみＳ１０３へ移行するように構成してもよい。
【０４６６】
以上のように、本実施の形態においては、ポイント付与条件が成立したときに、差数や実際に付与されているポイントの総数に応じて、報知するか否かおよび報知する場合の報知ポイントが決定され、当該決定結果にしたがって報知される。また、報知ポイントは、実際に付与された付与ポイントよりも、第１ＡＴ抽選において遊技者にとって有利度合いが低くなるポイントから報知ポイントが決定される。このため、報知ポイントから遊技者が認識するポイントは、実際に付与されたポイントの総数以下となる。その結果、実際に付与されているポイントの総数が報知ポイントから特定されるポイントの総数よりも多いかもしれないと遊技者に期待感を抱かせることができ、報知ポイントから特定されるポイントの総数よりもＡＴに制御されることに対し大きな期待感を抱かせることができる。
【０４６７】
次に、第２ＡＴ抽選について説明する。本実施の形態におけるサブ制御部９１は、ＡＴ制御処理に含まれる第２ＡＴ抽選処理を実行することにより、第２ＡＴ抽選を行なう。第２ＡＴ抽選処理では、メイン制御部４１からのコマンドに基づき所定の抽選条件が成立したか否かを判定し、成立したときに第２ＡＴ抽選が実行される。図２４は、第２ＡＴ抽選を実行する契機となる抽選条件を説明するための図である。また、図２５は、第２ＡＴ抽選において参照されるテーブルを説明するための図である。
【０４６８】
図２４の通常遊技状態の欄に示すように、現在の遊技状態が通常遊技状態であるときには、演出状態がＡＴであるか否かに関わらず、ボーナス当選することにより抽選条件が成立する。当該抽選条件が成立したときには、図２５（ａ）に示すテーブルを参照して第２ＡＴ抽選が行なわれる。なお、サブ制御部９１は、たとえばメイン制御部４１からの遊技状態コマンドに基づき現在の遊技状態を特定し、メイン制御部４１からの内部当選コマンドに基づきボーナス当選したことを特定する。
【０４６９】
図２５（ａ）に示すテーブルが参照された場合、５０％の割合でナビストック数が０に決定され、４０％の割合でナビストック数が１に決定され、１０％の割合でナビストック数が３に決定され、７％の割合でナビストック数が５に決定され、２％の割合でナビストック数が１０に決定され、１％の割合でナビストック数が２０に決定されるように、第２ＡＴ抽選が行なわれる。
【０４７０】
なお、ボーナス終了後においては、第２ＡＴ抽選で決定されたナビストック数だけでなく、前述したボーナス当選による第１ＡＴ抽選で決定されたナビストック数とボーナス終了による第１ＡＴ抽選で決定されたナビストック数との合計数に応じて、ＡＴに制御される。なお、ナビストック数の合計数については、上限数（たとえば、２０）を設け、合計数が上限数以上となる場合には上限数が設定されるように構成してもよい。
【０４７１】
また、図２４の準備モードかつＡＴの欄に示すように、ＡＴ準備モードであるときには、ボーナス当選することにより抽選条件が成立する。当該抽選条件が成立したときには、当該抽選条件が成立したゲームにおいて、フリーズが発生したか、発生したフリーズの種類がいずれであったかに応じた、図２５（ｂ）に示すテーブルを参照して第２ＡＴ抽選が行なわれる。なお、フリーズが発生したか、発生したフリーズの種類がいずれであったかについては、メイン制御部４１から送信されるフリーズ関連コマンドにより特定される。
【０４７２】
ＡＴ準備モードにおいてボーナス当選して抽選条件が成立したが、フリーズが発生しなかったときには、図２５（ｂ）に示すボーナス当選時＋フリーズなしのテーブルを参照して、３０％の割合でナビストック数が１に決定され、３５％の割合でナビストック数が３に決定され、２０％の割合でナビストック数が５に決定され、１０％の割合でナビストック数が１０に決定され、５％の割合でナビストック数が２０に決定されるように、第２ＡＴ抽選が行なわれる。
【０４７３】
また、ＡＴ準備モードにおいてボーナス当選して抽選条件が成立したゲームにおいて、第１フリーズが発生したときには、図２５（ｂ）に示すボーナス当選時＋第１フリーズのテーブルを参照して、２５％の割合でナビストック数が１に決定され、３０％の割合でナビストック数が３に決定され、２０％の割合でナビストック数が５に決定され、１５％の割合でナビストック数が１０に決定され、１０％の割合でナビストック数が２０に決定されるように、第２ＡＴ抽選が行なわれる。
【０４７４】
また、ＡＴ準備モードにおいてボーナス当選して抽選条件が成立したゲームにおいて、第２フリーズまたは第３フリーズが発生したときには、図２５（ｂ）に示すボーナス当選時＋第２／第３フリーズのテーブルを参照して、１５％の割合でナビストック数が１に決定され、２５％の割合でナビストック数が３に決定され、２０％の割合でナビストック数が５に決定され、２０％の割合でナビストック数が１０に決定され、２０％の割合でナビストック数が２０に決定されるように、第２ＡＴ抽選が行なわれる。
【０４７５】
なお、図２５（ｂ）に示すテーブルが参照されて第２ＡＴ抽選が行なわれた場合には、必ず１以上のナビストック数に決定されるため、必ずＡＴに制御されることになる。
【０４７６】
また、図２４の準備モードかつ非ＡＴの欄に示すように、非ＡＴ準備モードであるときには、３０ゲーム消化するまでの間において５ゲーム消化する毎、あるいはボーナス当選することにより抽選条件が成立する。当該抽選条件が成立したときには、図２５（ｄ）に示すテーブルのうち成立した抽選条件に対応するテーブルを参照して第２ＡＴ抽選が行なわれる。
【０４７７】
第２ＡＴ抽選処理においては、準備モードに制御されてから消化したゲーム数を特定するために、たとえば準備モードに制御されてから、メイン制御部４１からの遊技状態コマンドを受信する毎に所定のカウンタをカウントアップする処理が行なわれる。サブ制御部４１は、当該カウンタの値から、準備モードに制御されてから消化したゲーム数を特定し、図２４に示す抽選条件を満たすゲーム数であるときに、第２ＡＴ抽選が実行される。たとえば、準備モードに制御されてから５回目のゲームが終了したときに、５ゲーム消化したと判定されて、第２ＡＴ抽選が実行される。なお、所定のカウンタの値は、３０に達したこと、転落リプレイ入賞したこと、ボーナス当選したことなどによりリセットされる。
【０４７８】
準備モードに制御されてから５ゲーム消化したと判定されたときには、図２５（ｄ）に示す５Ｇ消化時のテーブルを参照して、９９％の割合でナビストック数が０に決定され、１％の割合でナビストック数が１に決定されるように、第２ＡＴ抽選が行なわれる。
【０４７９】
また、さらに５ゲーム消化して準備モードに制御されてから計１０ゲーム消化したと判定されたときには、図２５（ｄ）に示す１０Ｇ消化時のテーブルを参照して、９８％の割合でナビストック数が０に決定され、２％の割合でナビストック数が１に決定されるように、第２ＡＴ抽選が行なわれる。
【０４８０】
また、さらに５ゲーム消化して準備モードに制御されてから計１５ゲーム消化したと判定されたときには、図２５（ｄ）に示す１５Ｇ消化時のテーブルを参照して、９５％の割合でナビストック数が０に決定され、５％の割合でナビストック数が１に決定されるように、第２ＡＴ抽選が行なわれる。
【０４８１】
また、さらに５ゲーム消化して準備モードに制御されてから計２０ゲーム消化したと判定されたときには、図２５（ｄ）に示す２０Ｇ消化時のテーブルを参照して、９０％の割合でナビストック数が０に決定され、７％の割合でナビストック数が１に決定され、２％の割合でナビストック数が３に決定され、１％の割合でナビストック数が５に決定されるように、第２ＡＴ抽選が行なわれる。
【０４８２】
また、さらに５ゲーム消化して準備モードに制御されてから計２５ゲーム消化したと判定されたときには、図２５（ｄ）に示す２５Ｇ消化時のテーブルを参照して、７０％の割合でナビストック数が０に決定され、２０％の割合でナビストック数が１に決定され、５％の割合でナビストック数が３に決定され、３％の割合でナビストック数が５に決定され、２％の割合でナビストック数が１０に決定されるように、第２ＡＴ抽選が行なわれる。
【０４８３】
また、さらに５ゲーム消化して準備モードに制御されてから計３０ゲーム消化したと判定されたときには、図２５（ｄ）に示す３０Ｇ消化時のテーブルを参照して、６０％の割合でナビストック数が１に決定され、２５％の割合でナビストック数が３に決定され、１０％の割合でナビストック数が５に決定され、３％の割合でナビストック数が１０に決定され、２％の割合でナビストック数が２０に決定されるように、第２ＡＴ抽選が行なわれる。なお、図２５（ｄ）に示す３０Ｇ消化時のテーブルが参照されて第２ＡＴ抽選が行なわれた場合には、必ず１以上のナビストック数に決定されるため、必ずＡＴに制御されることになる。
【０４８４】
また、非ＡＴ準備モードにおいてボーナス当選したときには、図２５（ｄ）に示すボーナス当選時のテーブルを参照して、３０％の割合でナビストック数が１に決定され、３５％の割合でナビストック数が３に決定され、２０％の割合でナビストック数が５に決定され、１０％の割合でナビストック数が１０に決定され、５％の割合でナビストック数が２０に決定されるように、第２ＡＴ抽選が行なわれる。なお、図２５（ｄ）に示すボーナス当選時のテーブルが参照されて第２ＡＴ抽選が行なわれた場合には、必ず１以上のナビストック数に決定されるため、必ずＡＴに制御されることになる。
【０４８５】
また、図２４のＲＴかつＡＴの欄に示すように、ＡＲＴであるときには、ボーナス当選することにより抽選条件が成立する。当該抽選条件が成立したときには、当該抽選条件が成立したゲームにおいて、フリーズが発生したか、発生したフリーズの種類がいずれであったかに応じた、図２５（ｃ）に示すテーブルを参照して第２ＡＴ抽選が行なわれる。
【０４８６】
ＡＲＴにおいてボーナス当選して抽選条件が成立したが、フリーズが発生しなかったときには、図２５（ｃ）に示すボーナス当選時＋フリーズなしのテーブルを参照して、６０％の割合でナビストック数が１に決定され、２５％の割合でナビストック数が３に決定され、１０％の割合でナビストック数が５に決定され、３％の割合でナビストック数が１０に決定され、２％の割合でナビストック数が２０に決定されるように、第２ＡＴ抽選が行なわれる。
【０４８７】
ＡＲＴにおいてボーナス当選して抽選条件が成立したゲームにおいて、第１フリーズが発生したときには、図２５（ｃ）に示すボーナス当選時＋フリーズなしのテーブルを参照して、５５％の割合でナビストック数が１に決定され、２０％の割合でナビストック数が３に決定され、１０％の割合でナビストック数が５に決定され、８％の割合でナビストック数が１０に決定され、７％の割合でナビストック数が２０に決定されるように、第２ＡＴ抽選が行なわれる。
【０４８８】
ＡＲＴにおいてボーナス当選して抽選条件が成立したゲームにおいて、第２フリーズまたは第３フリーズが発生したときには、図２５（ｃ）に示すボーナス当選時＋第２／第３フリーズのテーブルを参照して、４５％の割合でナビストック数が１に決定され、１５％の割合でナビストック数が３に決定され、１０％の割合でナビストック数が５に決定され、１３％の割合でナビストック数が１０に決定され、１７％の割合でナビストック数が２０に決定されるように、第２ＡＴ抽選が行なわれる。
【０４８９】
なお、図２５（ｃ）に示すテーブルが参照されて第２ＡＴ抽選が行なわれた場合には、必ず１以上のナビストック数に決定されるため、必ずＡＴに制御されることになる。
【０４９０】
また、図２４のＲＴかつ非ＡＴの欄に示すように、非ＡＲＴであるときには、非ＡＴ準備モードであるときと同様に、３０ゲーム消化するまでの間において５ゲーム消化する毎、あるいはボーナス当選することにより抽選条件が成立し、図２５（ｄ）に示すテーブルのうち成立した抽選条件に対応するテーブルを参照して第２ＡＴ抽選が行なわれる。なお、図２５（ｄ）に示すテーブルのうち３０Ｇ消化時およびボーナス当選時のテーブルが参照されて、非ＡＲＴ中において第２ＡＴ抽選が行なわれた場合には、必ず１以上のナビストック数に決定されるため、必ずＡＴに制御されることになる。
【０４９１】
本実施の形態では、非ＡＲＴにおいて３０ゲーム消化するまでの間において５ゲーム消化する毎に成立する抽選条件は、当該非ＡＲＴに制御される前段階の非ＡＴ準備モードで消化したゲーム数を加味して、判定する。すなわち、３０ゲーム消化したか否か、当該３０ゲーム中において５ゲーム消化したか否かについては、非ＡＴ準備モードにおいて消化されたゲーム数と非ＡＲＴにおいて消化されたゲーム数との合計ゲーム数を用いて判定される。すなわち、サブ制御部９１は、非ＡＴ準備モードに制御されてから遊技状態コマンドを受信する毎に所定のカウンタをカウントアップする処理を、非ＡＲＴに制御された後においても継続して実行する。このため、非ＡＴ準備モードへの制御が開始されたときには、特殊出目が停止されてＲＴに制御されたか否かに関わらず、非ＡＴ準備モードへの制御が開始されてから以降３０ゲーム消化する間の第２ＡＴ抽選に遊技者を集中させることができ、遊技の興趣を向上させることができる。
【０４９２】
なお、非ＡＲＴにおいて３０ゲーム消化するまでの間において５ゲーム消化する毎に成立する抽選条件は、準備モードで消化したゲーム数を加味せず、非ＡＲＴで消化したゲーム数で判定するように構成してもよい。この場合には、非ＡＴ準備モードから運良く非ＡＲＴに制御されたときには、再び以降の３０ゲームにおける第２ＡＴ抽選に遊技者を集中させることができ、遊技の興趣を向上させることができる。
【０４９３】
ここで、遊技状態が、通常遊技状態、準備モード、およびＲＴ各々であるときに実行される第２ＡＴ抽選における、遊技者にとっての有利度合いを対比する。遊技者にとっての有利度合いとは、たとえば、ＡＴ抽選においてナビストック数が１以上に決定される割合すなわちＡＴに制御される割合の高低、ＡＴ抽選においてより多いナビストック数に決定される割合の高低などをいう。
【０４９４】
まず、ボーナス当選することにより抽選条件が成立した場合、通常遊技状態であるときに実行される第２ＡＴ抽選においては、図２５（ａ）に示すテーブルが参照され、準備モードあるいはＲＴであるときに実行される第２ＡＴ抽選においては、図２５（ｂ）、（ｃ）に示すテーブルあるいは図２５（ｄ）のボーナス当選時に示すテーブルが参照される。このため、準備モードあるいはＲＴであるときの方が、通常遊技状態であるときよりも、高い割合でナビストック数が１以上に決定され、かつ高い割合でより多いナビストック数に決定される。すなわち、準備モードあるいはＲＴにおいては、通常遊技状態であるときよりも、高い割合でＡＴに制御され、かつ高い割合でより多いナビストック数に決定されることにより、遊技者にとって有利となるようにＡＴ抽選が行なわれるといえる。その結果、準備モードあるいはＲＴであるときには、通常遊技状態であるときよりも、ＡＴに制御されること、およびより多いナビストック数を獲得することに対する期待感を抱かせることができ、遊技の興趣を向上させることができる。
【０４９５】
さらに、非ＡＴ準備モードあるいは非ＡＲＴにおいては、ボーナス当選せずとも、３０ゲーム消化するまでの間において５ゲーム消化する毎に、図２５（ｄ）に示す５Ｇ〜３０Ｇ消化時のテーブルが参照されて第２ＡＴ抽選される。このため、非ＡＴ準備モードあるいは非ＡＲＴにおいては、通常遊技状態であるときよりも、より高い割合でＡＴに制御されることになる。また、非ＡＴ準備モードあるいは非ＡＲＴにおいては、前述したように、ボーナス当選することにより、通常遊技状態であるときよりも、高い割合でＡＴに制御され、かつ高い割合でより多いナビストック数に決定されることにより、遊技者にとって有利となるようにＡＴ抽選が行なわれるといえる。その結果、非ＡＴ準備モードあるいは非ＡＲＴにおいては、ＡＴに制御されることに対し期待感を抱かせることができ、遊技の興趣を向上させることができる。
【０４９６】
また、非ＡＴ準備モードあるいは非ＡＲＴにおいては、図２５（ｄ）の５Ｇ〜３０Ｇ消化時のテーブルに示すように、消化ゲーム数に比例して、ＡＴに制御される割合、およびより多いナビストック数に決定される割合各々が高くなるように、当選率が設定されている。
【０４９７】
また、ＡＴ準備モードあるいはＡＲＴにおいてボーナス当選することにより抽選条件が成立したときには、図２５（ｂ）および（ｃ）各々で示したように、フリーズが発生したか、発生したフリーズの種類がいずれであったかにより、遊技者にとっての有利度合い（ここでは、ＡＴ抽選においてより多いナビストック数に決定される割合）が異なるように設定されている。本実施の形態においては、フリーズが発生しなかったときよりも、フリーズが発生したときの方が、遊技者にとっての有利度合いが高くなるように、ＡＴ抽選が行なわれる。また、フリーズが発生した場合であっても、フリーズが発生する期間が短い第１フリーズが発生したときよりも、第１フリーズよりも長い期間フリーズが発生する第２フリーズまたは第３フリーズが発生したときの方が、遊技者にとっての有利度合いが高くなるように、ＡＴ抽選が行なわれる。その結果、ＡＴ準備モードあるいはＡＲＴにおいては、フリーズが発生すること、および第１フリーズよりも第２フリーズまたは第３フリーズが発生することに対し期待感を抱かせることができ、遊技の興趣を向上させることができる。たとえば、回転前フリーズとして長い期間フリーズが発生したときに遊技の興趣を向上させ、また回転前フリーズが短い期間であったときでも、その後回転後フリーズが発生したときに遊技の興趣を向上させることができる。
【０４９８】
なお、図２４および図２５では、ＡＴ準備モードあるいはＡＲＴであるときにおいてボーナス当選したときに、フリーズが発生したか、発生したフリーズの種類がいずれであったかにより、遊技者にとっての有利度合いが異なるようにＡＴ抽選が行なわれる例について説明したが、通常遊技状態においてボーナス当選したとき、非ＡＴ準備モードあるいは非ＡＲＴにおいてボーナス当選したときにおいても、フリーズが発生したか、発生したフリーズの種類がいずれであったかにより、遊技者にとっての有利度合いが異なるようにＡＴ抽選が行なわれるように構成してもよい。
【０４９９】
また、図２５では、ボーナス当選したときに、第１フリーズよりも第２フリーズまたは第３フリーズが発生したときの方が、遊技者にとって有利度合いが高くなるようにＡＴ抽選が行なわれる例について説明したが、有利度合いが高くなる順番はこれに限らず、どのような順番であってもよく、たとえば、遊技者にとって有利度合いが、第２フリーズよりも第１フリーズの方が高く、かつ、第１フリーズよりも第３フリーズの方が高くなるようにＡＴ抽選が行なわれるものであってもよい。この場合、回転前フリーズとして短い期間フリーズが発生したときに遊技の興趣を向上させ、さらにその後回転後フリーズが発生したときに遊技の興趣をさらに向上させることができる。
【０５００】
また、ボーナス当選したときの遊技状態によって、有利度合いが高くなるフリーズの種類が異なるようにしてもよい。たとえば、ボーナス当選したときの遊技状態が、通常遊技状態、非ＡＲＴ、および非ＡＴ準備モードのときには、遊技者にとって有利度合いが、第２フリーズよりも第１フリーズの方が高く、かつ、第１フリーズよりも第３フリーズの方が高くなるようにＡＴ抽選が行なわれ、ＡＲＴおよびＡＴ準備モードのときには、遊技者にとって有利度合いが、第１フリーズよりも第２フリーズの方が高く、かつ、第２フリーズよりも第３フリーズの方が高くなるようにＡＴ抽選が行なわれるように構成してもよい。これにより、フリーズが発生したときの遊技状態と、発生したフリーズの種類との組合せに応じて、遊技者の期待感を異ならせることができ、遊技の興趣を向上させることができる。
【０５０１】
図２６は、図２５（ｄ）の５Ｇ〜３０Ｇ消化時のテーブルの当選率に基づき、非ＡＴ準備モードあるいは非ＡＲＴにおける第２ＡＴ抽選でナビストック数が１以上に決定されて、ＡＴ準備モードあるいはＡＲＴに昇格する昇格率を示す図である。図２６では、横軸にゲーム数の経過を示し、縦軸にゲーム数に応じた昇格率を示している。
【０５０２】
図２６から、非ＡＴ準備モードあるいは非ＡＲＴにおいては、消化したゲーム数が多くなる程、昇格率が高くなる。特に、３０ゲーム消化したときには、必ずＡＴに制御される。これにより、非ＡＴ準備モードあるいは非ＡＲＴにおいては、転落リプレイに入賞せずに当該準備モードあるいはＲＴが維持されて極力多い回数ゲーム消化することに対する期待感を抱かせることができ、遊技の興趣を向上させることができる。
【０５０３】
また、ＡＴ準備モードあるいはＡＲＴにおいて、ボーナス当選することにより実行される第２ＡＴ抽選では、ＡＴ準備モードであるときに図２５（ｂ）に示すテーブルが参照され、ＡＲＴであるときに図２５（ｃ）に示すテーブルが参照される。このため、ＡＴ準備モードあるいはＡＲＴのいずれでもボーナス当選により当該ボーナス終了後において必ずＡＴ準備モードに制御されるが、ＡＴ準備モードであるときの方が、ＡＲＴであるときよりも、高い割合でより多いナビストック数に決定される。すなわち、ＡＴ準備モードにおいては、ＡＲＴであるときよりも、高い割合でより多いナビストック数に決定されることにより、遊技者にとって有利となるようにＡＴ抽選が行なわれるといえる。その結果、ＡＴに制御されているときには、準備モードでボーナス当選すること、すなわち極力早い段階でボーナス当選することに対する期待感を抱かせることができ、遊技の興趣を向上させることができる。
【０５０４】
以上のように、本実施の形態においては、サブ制御部９１により行なわれる第２ＡＴ抽選処理により、現在の遊技状態および演出状態に応じて定められた抽選条件が成立したか否かが判定され、抽選条件が成立したときには図２５に示すテーブルのうち対応するテーブルを参照して、第２ＡＴ抽選が行なわれる。
【０５０５】
また、本実施の形態においては、前述した報知促進条件が成立したときにも、対応するナビストック数が、ＡＴ抽選により決定されたナビストック数に上乗せ加算される。すなわち、サブ制御部９１は、報知促進条件が成立したときに、対応するナビストック数をＡＴ抽選により決定されたナビストック数に上乗せ加算した合計数を示すＡＴフラグをＲＡＭ９１ｃの所定領域に格納する。図２７は、報知促進条件成立時に上乗せされるナビストック数を説明するための図である。
【０５０６】
ボーナス中において図７（ｅ）に示すイチゴ（１）に当選することにより報知促進条件が成立したときには、５０％の割合でナビストック数が１に決定され、５０％の割合でナビストック数が２に決定される。
【０５０７】
また、ボーナス中において図７（ｅ）に示すイチゴ（１）＋イチゴ（２）に当選することにより報知促進条件が成立したときには、１００％の割合でナビストック数が３に決定される。
【０５０８】
このように、報知促進条件が成立したときには、ＡＴ抽選の結果に関わらず、必ずＡＴに制御される。このため、報知促進条件が成立することに対する期待感を遊技者に抱かせることができる。
【０５０９】
また、イチゴ（１）＋イチゴ（２）に当選したときの方が、イチゴ（１）に単独で当選したときよりも、より多いナビストック数に決定される。すなわち、イチゴ（１）＋イチゴ（２）に当選したときの方が、イチゴ（１）に単独で当選したときよりも、遊技者にとって有利となるようにＡＴに制御されるといえる。その結果、イチゴ（１）＋イチゴ（２）に当選して報知促進条件が成立することに対する期待感を抱かせることができ、遊技の興趣を向上させることができる。
【０５１０】
また、本実施の形態におけるサブ制御部９１は、準備モードあるいはＲＴであるときに、ＡＴ制御処理に含まれるＡＴ管理処理を行なうことにより、ＡＴ抽選の結果および報知促進条件の成否の結果に応じてセットされるＡＴフラグに基づき、ＡＴへの制御を管理する。
【０５１１】
具体的に、サブ制御部９１は、ボーナスが終了した後において準備モードへの制御が開始されるとき、または非ＡＴ準備モードにすでに制御されているときに、ＡＴフラグからＡＴである旨が特定されたときには、ＡＴ準備モードに制御する。
【０５１２】
これにより、ボーナス当選あるいはボーナス終了によるＡＴ抽選の結果や報知促進条件の成立によりＡＴに制御する決定がされたときには、当該ボーナス終了後においてＡＴ準備モードに制御され、ＡＴに制御する決定がされなかったときには、当該ボーナス終了後において非ＡＴ準備モードに制御される。また、非ＡＴ準備モードにおいてゲーム数消化による第２ＡＴ抽選においてＡＴに制御する決定がされたときには、以降、ＡＴ準備モードに制御される。準備モードにおいては、ナビストック数を消費（減算）することなく、ＡＴ準備モードに制御されて、ナビ演出が実行可能となる。
【０５１３】
また、サブ制御部９１は、準備モードにおいて特殊出目が停止してＲＴへの制御が開始されるとき、または非ＡＲＴにすでに制御されているときにおいて、ＡＴフラグからＡＴである旨が特定されたときには、ナビストック数を１ポイント消費（減算）することにより、所定回数（たとえば５０）ゲームを消化する間、ＡＲＴに制御する。
【０５１４】
ＲＴにおいては、ナビストック数を１ポイント消費することにより、所定回数ゲームを消化する間、ナビ演出が実行可能となるＡＲＴに制御される。なお、ナビストック数を１ポイント消費したときには、１減算したナビストック数を示すＡＴフラグに更新される。
【０５１５】
これにより、ＲＴへの制御を開始するときにおいて、ＡＴに制御する決定がされているときには、ナビストック数を１ポイント消費して所定回数ゲームを消化する間ＡＲＴに制御され、ＡＴに制御する決定がなされていないときには、非ＡＲＴに制御される。この場合において、本実施の形態では、ＲＴへの制御が開始されたときにＡＲＴに制御するが、これに限らず、ナビ対象役（たとえば転落リプレイ）に当選したときにＡＲＴに制御するようにしてもよい。
【０５１６】
また、非ＡＲＴにおけるゲーム数消化による第２ＡＴ抽選においてＡＴに制御する決定がされたときには、ナビストック数を１ポイント消費して所定回数ゲームを消化する間ＡＲＴに制御する。この場合において、本実施の形態では、ナビ対象役（たとえば転落リプレイ）に当選したときにＡＲＴに制御するが、これに限らず、ＡＴに制御する決定がされたときに制御するようにしてもよい。
【０５１７】
また、サブ制御部９１は、ＡＴ管理処理を行なうことにより、ＡＲＴであるときには、消化したゲーム数を計数して、所定回数に到達したときに非ＡＲＴに制御する。このときに、ＡＴフラグが示すナビストック数が０であれば、ＡＴでない旨を示すＡＴフラグに更新される。
【０５１８】
サブ制御部９１は、ＡＴ管理処理を行なうことにより、非ＡＲＴであるときに、転落リプレイに当選したか否かを判定する。そして、転落リプレイに当選したと判定されたときでさらにＡＴフラグからＡＴである旨が特定されたときには、ナビストック数を１ポイント消費することにより、所定回数ゲームを消化する間再びＡＲＴに制御する。一方、転落リプレイに当選したときにおいて、ＡＴフラグからＡＴでない旨が特定されたときには、ＡＲＴに制御されず、ナビ演出が実行されない。
【０５１９】
以上のように、ＲＴであるときには、ナビストック数を１ポイント消費することにより、所定回数のゲームを消化する間ＡＲＴに制御される。また、ＡＲＴにおいて所定回数ゲームを消化して一旦非ＡＲＴに制御されたときであっても、未だＡＴフラグからＡＴである旨が特定されナビストック数が１以上であることを条件として、転落リプレイ当選時から所定回数のゲームを消化する間再びＡＲＴに制御される。これにより、ＡＴ抽選の結果および報知促進条件の成否の結果に応じて設定されるナビストック数に応じた期間に亘り、ＡＲＴに制御可能となるといえる。また、ＡＴ抽選の結果および報知促進条件の成否の結果に応じて設定されるナビストック数に応じた回数だけ、ＡＲＴに繰り返し制御可能となるといえる。
【０５２０】
また、本実施の形態におけるサブ制御部９１は、ＡＴ準備モードあるいはＡＲＴであるときに、遊技演出実行処理に含まれるナビ演出実行処理を行なうことにより、内部当選の結果に応じたナビ演出が実行される。内部当選の結果は、メイン制御部４１からの内部当選コマンドから特定される。
【０５２１】
たとえば、ＡＴ準備モードにおいては、転落リプレイに当選したときに、転落リプレイと同時当選しているリプレイの種類に応じたナビ演出が実行される。また、ＡＲＴにおいては、転落リプレイに当選したときに、転落リプレイと同時当選しているリプレイの種類に応じたナビ演出が実行され、９枚役（１）〜（９）のいずれかに当選したときに当選している９枚役の種類に応じたナビ演出が実行される。
【０５２２】
ナビ演出としては、リプレイ＋転落リプレイに当選したときには、左リール２Ｌまたは中リール２Ｃを第１停止させるための情報を報知するナビ演出として、たとえば「左あるいは中から押せ！」といったメッセージを液晶表示器５１に表示する演出が実行され、リプレイ＋転落リプレイ＋ＢＡＲリプレイに当選したときには、「右から押せ！」といったメッセージを液晶表示器５１に表示する演出が実行される。なお、転落リプレイのナビ演出は、上記態様で実行されるものに限らず、内部当選結果に応じた態様で実行される演出であれば、どのような態様で実行されるものであってもよい。
【０５２３】
また、９枚役（１）〜（９）のいずれかに当選したときには、当選した９枚役の種類を特定可能な情報を報知するナビ演出として、たとえば、９枚役（１）に当選したときには、「左の赤７、右の赤７を狙え！」といったメッセージを液晶表示器５１に表示する演出が実行され、９枚役（９）に当選したときには、「左のＢＡＲ、右のＢＡＲを狙え！」といったメッセージを液晶表示器５１に表示する演出が実行される。
【０５２４】
さらに、本実施の形態においては、９枚役（１）〜（９）各々のナビ演出として、報知態様が複数種類設けられている。
【０５２５】
図２８は、９枚役のナビ演出の報知態様を決定するための報知態様決定用テーブルを説明するための図である。９枚役（１）〜（９）各々のナビ演出の報知態様としては、Ａ、Ｂ、およびＣの３種類が設けられている。９枚役のナビ演出の報知態様は、ナビ演出実行処理により、報知態様決定用テーブルにしたがって、乱数回路から抽出した乱数などを用いてランダムに決定される。報知態様決定用テーブルは、残りのナビストック数によって振分率が異なるように設定されている。
【０５２６】
たとえば、ＡＴフラグから特定される残りのナビストック数が「０」であるときには、９５％の割合でＡに決定され、５％の割合でＢに決定されるように、振分率が設定されている。
【０５２７】
また、ＡＴフラグから特定される残りのナビストック数が「１」〜「３」であるときには、９０％の割合でＡに決定され、９％の割合でＢに決定され、１％の割合でＣに決定されるように、振分率が設定されている。
【０５２８】
また、ＡＴフラグから特定される残りのナビストック数が「４」以上であるときには、８０％の割合でＡに決定され、１５％の割合でＢに決定され、５％の割合でＣに決定されるように、振分率が設定されている。
【０５２９】
図２８で示した報知態様決定用テーブルの振分率は、残りのナビストック数が多い程、９枚役のナビ演出の報知態様として、ＢやＣに決定される割合が高くなるように設定されている。このため、９枚役のナビ演出の報知態様の種類によって、たとえばＢやＣで実行される頻度から残りのナビストック数の程度を推測することができる。その結果、ナビ演出に遊技者を注目させることができ、遊技の興趣を向上させることができる。また、９枚役のナビ演出が、報知態様Ａで実行されたときよりも、報知態様Ｂや報知態様Ｃで実行されたときの方が、ナビストック数が多く残っていることに対する期待感を向上させることができる。
【０５３０】
また、ナビストック数が「１」以上残っているときにのみ、９枚役のナビ演出の報知態様としてＣに決定され得る。このため、報知態様Ｃで９枚役のナビ演出が実行されたときには、ＡＴがまだ継続するといった安心感を遊技者に抱かせることができる。
【０５３１】
９枚役のナビ演出の報知態様としてＡに決定されたときには、当選した９枚役の構成図柄を想起させるメッセージを液晶表示器５１に表示するとともに、当選した９枚役の構成図柄を男の音声でスピーカ５３、５４から発生させるナビ演出が実行される。たとえば、９枚役（１）に当選したときには、「左の赤７、右の赤７を狙え！」といったメッセージを液晶表示器５１に表示する演出が実行されるとともに、リール回転開始時にスピーカ５３、５４から男の音声で「左の赤７、右の赤７を狙うのだ！」といった音声を発生させる演出が実行される。また、９枚役（９）に当選したときには、「左のＢＡＲ、右のＢＡＲを狙え！」といったメッセージを液晶表示器５１に表示する演出が実行されるとともに、リール回転開始時にスピーカ５３、５４から男の音声で「左のＢＡＲ、右のＢＡＲを狙うのだ！」といった音声を発生させる演出が実行される。
【０５３２】
また、９枚役のナビ演出の報知態様としてＢに決定されたときには、当選した９枚役の構成図柄を想起させるメッセージを液晶表示器５１に表示するとともに、当選した９枚役の構成図柄を女の音声でスピーカ５３、５４から発生させるナビ演出が実行される。たとえば、９枚役（１）に当選したときには、「左の赤７、右の赤７を狙え！」といったメッセージを液晶表示器５１に表示する演出が実行されるとともに、リール回転開始時にスピーカ５３、５４から女の音声で「左の赤７、右の赤７を狙うのよ！」といった音声を発生させる演出が実行される。また、９枚役（９）に当選したときには、「左のＢＡＲ、右のＢＡＲを狙え！」といったメッセージを液晶表示器５１に表示する演出が実行されるとともに、リール回転開始時にスピーカ５３、５４から女の音声で「左のＢＡＲ、右のＢＡＲを狙うのよ！」といった音声を発生させる演出が実行される。
【０５３３】
また、９枚役のナビ演出の報知態様としてＣに決定されたときには、Ｂの報知態様でナビ演出を実行するとともに、さらに当選した９枚役に対応する所定の演出（所定のキャラクタ出現、所定のメッセージ表示など）を液晶表示器５１に表示する演出が実行される。たとえば、９枚役（１）に当選したときには、「左の赤７、右の赤７を狙え！」といったメッセージを液晶表示器５１に表示する演出が実行され、リール回転開始時にスピーカ５３、５４から女の音声で「左の赤７、右の赤７を狙うのよ！」といった音声を発生させる演出が実行され、さらに９枚役（１）に対応するキャラクタが出現するとともに「まだまだ続くかもよ！」といったメッセージを液晶表示器５１に表示する演出が実行される。また、９枚役（９）に当選したときには、「左のＢＡＲ、右のＢＡＲを狙え！」といったメッセージを液晶表示器５１に表示する演出が実行され、リール回転開始時にスピーカ５３、５４から女の音声で「左のＢＡＲ、右のＢＡＲを狙うのよ！」といった音声を発生させる演出が実行され、さらに９枚役（９）に対応するキャラクタが出現するとともに「まだまだ続くかもよ！」といったメッセージを液晶表示器５１に表示する演出が実行される。
【０５３４】
なお、上記のように９枚役のナビ演出の報知態様Ａ、Ｂ、およびＣ各々の内容を例示したが、報知態様Ａ、Ｂ、およびＣ各々の内容は上記のものに限らず、他の報知態様と識別できる態様でナビ演出が実行されるものであればどのような態様であってもよい。
【０５３５】
転落リプレイに関するナビ演出および９枚役（１）〜（９）に関するナビ演出は、ともに、液晶表示器５１において操作手順を特定するためのメッセージを表示する点において共通の報知態様で実行されるといえる。このため、ナビ演出により報知される情報が、転落リプレイを回避するための情報であるか９枚役（１）〜（９）を入賞させるための情報であるかを特定する必要がなく、共通の報知態様で報知される情報にしたがって停止操作することにより、転落リプレイ入賞を回避できまた当選している９枚役を入賞させることができる。
【０５３６】
以上、本実施の形態におけるサブ制御部９１は、メイン制御部４１からのコマンドに基づき、ＡＴ制御処理を行なうことにより、ＡＴ抽選の結果および報知促進条件の成否の結果に応じて演出状態を制御して、ＡＴであるときにはナビ演出を実行する。
【０５３７】
また、本実施の形態におけるサブ制御部９１は、非ＡＲＴであるとき、あるいは非ＡＲＴから通常遊技状態に制御されてから所定数ゲーム消化するまでの期間（図３１で後述する非ＡＲＴ演出を実行している期間など）であるときに、非ＡＴ時ナビ演出実行処理を行なうことにより、９枚役（１）〜（９）のいずれかに当選したときに、該当選している９枚役の種類に応じたナビ演出を実行するか否かの非ＡＴナビ抽選が行なわれ、当該非ＡＴナビ抽選で当選したときに該当選している９枚役の種類に応じたナビ演出が実行される。
【０５３８】
図２９は、非ＡＴナビ抽選に用いられるテーブルを説明するための図である。非ＡＲＴであるとき、あるいは非ＡＲＴから通常遊技状態に制御されてから所定数ゲーム消化するまでの期間であるときに、９枚役（１）〜（９）のいずれかに当選したときには、非ＡＴナビ抽選が実行されて、９０％の割合で該当選している９枚役の種類に応じたナビ演出を実行すると決定され、１０％の割合でナビ演出を実行しないと決定される。
【０５３９】
このように、非ＡＲＴであるときあるいは非ＡＲＴから通常遊技状態に制御されて所定数ゲーム消化する期間において、９枚役（１）〜（９）のいずれかに当選したときには所定の割合で対応するナビ演出が実行される。これにより、非ＡＲＴであるときあるいは非ＡＲＴから通常遊技状態に制御されて所定数ゲーム消化する期間において、９枚役の取りこぼしを低減することができる。なお、所定の割合は、上記の当選率に限らない。たとえば、非ＡＲＴであるときあるいは非ＡＲＴから通常遊技状態に制御されて所定数ゲーム消化する期間において、９枚役（１）〜（９）のいずれかに当選したときに、１００％の割合でナビ演出を実行するものであってもよい。
【０５４０】
なお、非ＡＲＴであるときあるいは非ＡＲＴから通常遊技状態に制御されて所定数ゲーム消化する期間に実行される９枚役のナビ演出の報知態様は、図２８で示した残りナビストック数が「０」のときと同じ振分率にしたがって、複数種類の報知態様から決定される。
【０５４１】
次に、ＡＴ抽選の結果および報知促進条件の成否の結果に応じて、ＡＴに制御されない場合とＡＴに制御された場合についての例を説明する。図３０は、ＡＴ抽選の結果および報知促進条件の成否の結果に応じて、ＡＴに制御されない場合およびＡＴに制御された場合についての例を説明するための図である。なお、図３０において、準備モードおよびＲＴの下欄には、ＡＴ中であるか否かを示すとともに、準備モードおよびＲＴ各々におけるナビ対象役を示している。また、ナビ対象役に対する×印は当該ナビ対象役に当選したときであってもナビ演出を実行しないことを示し、当該ナビ対象役に対する○印は当該ナビ対象役に当選したときにナビ演出を実行することを示し、当該ナビ対象役に対する△印は当該ナビ対象役に当選したときに所定の確率にしたがってナビ演出を実行することを示している。
【０５４２】
図３０（ａ）は、ＡＴ抽選においてＡＴ当選せず、ボーナス終了後の非ＡＴ準備モード中における第２ＡＴ抽選においてもＡＴ当選せず、かつ特殊出目が停止されることなく先に転落リプレイに入賞して通常遊技状態に制御された例を示す図である。
【０５４３】
図３０（ｂ）は、ＡＴ抽選においてＡＴ当選せず、非ＡＴ準備モード中における第２ＡＴ抽選においてもＡＴ当選しなかったが、転落リプレイ入賞することなく先に特殊出目が停止して非ＡＲＴに制御され、当該非ＡＲＴ中における第２ＡＴ抽選においてＡＴ当選せず、結果的に転落リプレイに入賞して通常遊技状態に制御された例を示す図である。
【０５４４】
前述したように、準備モードおよびＲＴにおいては、転落リプレイの当選確率が通常遊技状態であるときよりも高まる。また、転落リプレイは、同時当選したリプレイの種類に応じて、入賞回避手順が異なる。このため、準備モードおよびＲＴにおいて演出状態がＡＴに制御されなければ、転落リプレイに当選したか否かを把握することができず、高確率で当選する転落リプレイの入賞を意図的に回避することができない。その結果、演出状態がＡＴに制御されなければ、図３０（ａ）および（ｂ）で示すように、準備モードからＲＴに制御され難くかつ運良くＲＴに制御された場合であっても当該ＲＴを維持され難くなる一方、通常遊技状態に制御され易くなり、遊技者が利益を獲得し難くすることができる。
【０５４５】
一方、図３０（ｂ）に示すように運良く非ＡＴ準備モードからＲＴに制御された場合には、図２９で示したように、９枚役当選時において所定の確率にしたがってナビ演出が実行されるという利益が遊技者に付与される。
【０５４６】
図３０（ｃ）は、図３０（ｂ）で示す非ＡＲＴ中における第２ＡＴ抽選によりＡＴ当選し、ＡＲＴに昇格した例を示す図である。ＲＴにおいて、ＡＴである旨が特定される場合には、所定回数ゲーム消化する間ＡＲＴにする制御が、ナビストック数に応じた回数繰り返し行なわれる。ＡＲＴでは、メイン制御部４１からの内部当選コマンドに基づき、転落リプレイに当選していると判定されたとき、９枚役（１）〜（９）のいずれかに当選していると判定されたときに、対応するナビ演出が実行される。
【０５４７】
なお、非ＡＴ準備モード中における第２ＡＴ抽選でＡＴ当選したときも、ＡＴ準備モードに昇格する。ＡＴ準備モードでは、メイン制御部４１からの内部当選コマンドに基づき、転落リプレイに当選していると判定されたときに、対応するナビ演出が実行される。
【０５４８】
このように、準備モードおよびＲＴにおいて演出状態がＡＴに制御されていない不利な状況であっても、第２ＡＴ抽選でＡＴ当選することにより、非ＡＴ中においてもＡＴに制御され得る可能性がある。このため、非ＡＴ準備モードや非ＡＲＴであっても、ＡＴ準備モードやＡＲＴに昇格することに対する期待感を抱かせることができるため、遊技の興趣を向上させることができる。
【０５４９】
なお、図３０（ｃ）に示すように、ＡＲＴにおいて転落リプレイ当選時のナビが実行された場合であっても、停止操作を誤った場合には、転落リプレイに入賞して遊技状態が通常遊技状態に制御されるとともに、ＡＴも終了する。このように、ＡＴフラグからＡＴである旨が特定されているときにおいて転落リプレイに入賞した場合、ナビストック数がクリアされ、ＡＴフラグがＡＴでない旨を特定するフラグに更新される。これにより、ナビ演出が行なわれる状況であったにも関わらず誤ってＡＴを終了させてしまった場合には、再度ＡＴ抽選に当選するか報知促進条件が成立しなければＡＴに制御されないようにすることができる。
【０５５０】
なお、前述したようにＡＴ中にボーナス当選し、当該ボーナス当選などに起因して行なわれるＡＴ抽選の結果に応じたナビストック数を上乗せ加算する場合であって、ＡＴフラグからＡＴである旨が特定されているときにおいて転落リプレイに入賞した場合、ナビストック数をクリアするものに限らず、クリアするナビストック数を決定するクリア数決定処理を行ない、決定されたナビストック数を減算したナビストック数を特定可能でかつＡＴでない旨を示すＡＴフラグに更新し、その後ボーナス当選により行なわれるＡＴ抽選の結果に応じたナビストック数を上乗せ加算して当該ボーナス終了後においてＡＴに制御するように構成してもよい。これにより、ＡＴ中でありながら誤って転落リプレイ入賞させてしまい当該ＡＴが終了したときであっても、その後ボーナス当選によりナビストック数が上乗せされる可能性があるため、遊技者の損失感を事後的に補填することができる。
【０５５１】
図３０（ｄ）は、ボーナス当選あるいはボーナス終了により実行されるＡＴ抽選においてＡＴ当選あるいは当該ボーナス中において報知促進条件が成立することにより、ボーナス終了後にＡＴ準備モード、ＡＲＴに制御された例を説明するための図である。
【０５５２】
ＡＴ準備モードにおいては、転落リプレイに当選していると判定されたときに、対応するナビ演出が実行される。このため、前述したように、操作手順を誤らない限り、確実に転落リプレイ入賞を回避して特殊出目を停止させてＡＲＴに制御することができる。
【０５５３】
ＲＴにおいて、ＡＴである旨が特定される場合には、所定回数ゲーム消化する間ＡＲＴにする制御が、ナビストック数に応じた回数繰り返し行なわれる。また、ＡＲＴにおいては、転落リプレイに当選していると判定されたときのみならず、取りこぼしが生じる９枚役に当選していると判定されたときにも、対応するナビ演出が実行される。このため、前述したように、操作手順を誤らない限り、確実に転落リプレイ入賞を回避してＲＴを継続させるとともに、９枚役入賞により払出されるメダルを確実に獲得することができる。
【０５５４】
これにより、演出状態がＡＴに制御されれば、図３０（ｄ）で示すように、準備モードからＲＴに制御され易く通常遊技状態に制御され難くし、かつＲＴに制御された場合であっても当該ＲＴを維持され易くでき、遊技者が利益を獲得し易くすることができる。
【０５５５】
なお、前述したように、ナビストック数に応じた回数だけＡＲＴに制御された後は、非ＡＲＴに制御され、その後、転落リプレイに当選したときであってもナビ演出が実行されない。一方、非ＡＲＴに制御された後であっても、９枚役に当選したときには、図２９で示したように所定の確率で当該９枚役に対応するナビ演出が実行される。
【０５５６】
次に、現在の遊技状態や演出状態に応じて実行される遊技状態演出について説明する。本実施の形態におけるサブ制御部９１は、遊技演出実行処理に含まれる遊技状態演出実行処理を行なうことにより、現在の遊技状態や演出状態に関連する遊技状態演出を、液晶表示器５１、演出効果ＬＥＤ５２、スピーカ５３、５４、リールＬＥＤ５５等の電気部品を用いて実行する。
【０５５７】
遊技状態演出としては、たとえば、ＡＴ準備モードであるときには、ＡＴ準備モードであることを特定可能なＡＴ準備モード演出（たとえば、液晶表示器５１に「ＡＴ準備モード中！」といったメッセージを表示など）が行なわれ、ＡＲＴであるときには、ＡＲＴであることを特定可能なＡＲＴ演出（たとえば、液晶表示器５１に「ＡＲＴ中！」といったメッセージを表示など）が行なわれ、非ＡＴ準備モードあるいは非ＡＲＴであるときには非ＡＴであることを特定可能な非ＡＴ演出（たとえば、演出効果ＬＥＤ５２を点滅表示など）が行なわれる。また、ボーナス中には、ボーナスであることを特定可能な所定のボーナス演出が行なわれ、通常遊技状態中には、通常遊技状態であることを特定可能な所定の通常遊技状態演出が行なわれる。
【０５５８】
図３１は、現在の遊技状態および演出状態に応じて実行される遊技状態演出を説明するための図である。図３１（ａ）は、ＡＴ抽選でＡＴ当選するなどしてナビストック数があるとき（たとえば３ポイント）の例を示し、図３１（ｂ）は、ナビストック数がないときであってＲＴに制御されずに通常遊技状態に制御されたときの例を示し、図３１（ｃ）は、ナビストック数がないときであって準備モードからＲＴに制御された後に通常遊技状態に制御されたときの例を示している。なお、図３１（ａ）〜（ｃ）は、各々、上段にメイン制御部４１により制御される現在の遊技状態が示され、中段にサブ制御部９１により制御される現在の演出状態が示され、下段にサブ制御部９１により制御される遊技状態演出が示されている。
【０５５９】
まず、図３１（ａ）を参照して、（ａ１）に示すように遊技状態がボーナスであるときには、（ａ３）に示すようにボーナス演出が実行される。また、ボーナスが終了して準備モードに制御されたときには、（ａ２）に示すように演出状態がＡＴに制御されることによりＡＴ準備モードに制御され、（ａ３）に示すようにＡＴ準備モード演出が実行されている。これにより、ＡＴ準備モードに制御されていることを認識し、遊技者はナビ演出に基づき意図的に転落リプレイ入賞を回避でき、確実に特殊出目を停止させてＡＲＴに制御することができる。
【０５６０】
また、（ａ１）に示すように遊技状態がＲＴに制御されたときには、前述したように、ナビストック数に応じた回数だけＡＲＴに繰り返し制御される。すなわち、（ａ２）に示すように、ナビストック数を１消費する毎にＡＴに制御することによりＡＲＴに５０ゲームに亘り制御される。その後、非ＡＲＴに制御され、転落リプレイに当選したときにＡＴフラグからＡＴである旨が特定されたときにはナビストック数を１消費して再びＡＲＴに５０ゲーム制御する処理が繰り返し行なわれる。図３１（ａ）では、ナビストック数が３が決定されているため、（ａ２）に示すように、３回、ＡＲＴに制御されている。
【０５６１】
また、ＡＲＴに制御されている間、ナビ演出が実行されるとともに、（ａ３）に示すようにＡＲＴ演出が実行される。これにより、ＡＲＴに制御されていることを認識し、遊技者はナビ演出に基づき意図的に転落リプレイ入賞を回避しつつ、９枚役を取りこぼさずに入賞させることができる。
【０５６２】
一方、ＡＲＴが５０ゲーム消化することにより終了して非ＡＲＴに制御されている間、（ａ３）に示すように、非ＡＲＴ演出が実行される。これにより、非ＡＲＴ演出が行なわれている間であっても、ナビストック数が残存している可能性があるため、再度ＡＲＴに制御されることに対する期待感を遊技者に抱かせることができ、遊技の興趣を向上させることができる。
【０５６３】
なお、非ＡＲＴにおいて転落リプレイに当選したときに、ＡＴフラグからＡＴである旨が特定されなかったときには、ナビストック数に応じた回数ＡＲＴに制御されたため、ＡＴに制御されず、ナビ演出が実行されない。
【０５６４】
本実施の形態においては、非ＡＲＴにおいて転落リプレイに入賞して通常遊技状態に制御されたとしても、（ａ３）に示すように、その後も所定数ゲーム消化する間、非ＡＲＴ演出を継続して実行する。これにより、通常遊技状態に制御されているときにおいても、前述した、再度ＡＲＴに制御されることに対する期待感を遊技者に抱かせることができ、遊技の興趣を向上させることができる。
【０５６５】
通常遊技状態でありながら所定ゲームに亘り非ＡＲＴ演出を実行した後は、（ａ３）に示すように、通常遊技状態に対応する通常遊技状態演出が実行される。
【０５６６】
本実施の形態においては、図２９で示したように、非ＡＲＴであるときあるいは非ＡＲＴから通常遊技状態に制御されて所定数ゲーム消化する期間において非ＡＲＴ演出が実行されているときに、９枚役（１）〜（９）のいずれかに当選したときには所定の割合で対応するナビ演出が実行される。これにより、再度ＡＲＴに制御されることに対する期待感を遊技者に抱かせることができ、遊技の興趣を向上させることができるとともに、９枚役の取りこぼしを低減させて当選したにも関わらず入賞しないことによる損失を低減させることができる。
【０５６７】
本実施の形態においては、ＡＲＴ演出として、表示される背景の種類が複数種類設けられている。図３２は、ＡＲＴ演出として表示する背景の種類を特定するためのテーブルを説明するための図である。
【０５６８】
背景の種類としては、昼間を想起させる昼（たとえば、青空、真っ赤な太陽など表示）、夕方を想起させる夕方（たとえば、夕焼けなど表示）、および夜間を想起させる夜（たとえば、星、月など表示）の３種類が設けられている。
【０５６９】
背景の種類は、遊技状態演出実行処理により、図３２（ａ）に示す背景決定用テーブル、あるいは図３２（ｂ）に示す背景変更用テーブルにしたがって、乱数回路から抽出した乱数などを用いてランダムに決定される。背景決定用テーブルは、ナビストック数を１消費してＡＲＴへの制御が開始されＡＲＴ演出が開始されるときの背景の種類を決定するためのテーブルである。背景変更用テーブルは、ＡＲＴ演出が昼の背景で実行されているときに、１ゲーム毎に、背景を夕方あるいは夜に変更するか否かを決定するためのテーブルである。背景決定用テーブルおよび背景変更用テーブルは、各々、残りのナビストック数によって振分率が異なるように設定されている。
【０５７０】
まず、図３２（ａ）を参照して、背景決定用テーブルを説明する。たとえば、ナビストック数を１消費してＡＲＴに制御するときの残りのナビストック数が「０」であるときには、９０％の割合で昼に決定され、１０％の割合で夕方に決定されるように、振分率が設定されている。
【０５７１】
また、ナビストック数を１消費してＡＲＴに制御するときの残りのナビストック数が「１」〜「３」であるときには、７０％の割合で昼に決定され、２０％の割合で夕方に決定され、１０％の割合で夜に決定されるように、振分率が設定されている。
【０５７２】
また、ナビストック数を１消費してＡＲＴに制御するときの残りのナビストック数が「４」以上であるときには、５０％の割合で昼に決定され、３０％の割合で夕方に決定され、２０％の割合で夜に決定されるように、振分率が設定されている。
【０５７３】
図３２（ａ）で示した背景決定用テーブルの振分率は、残りのナビストック数が多い程、ＡＲＴ演出の背景として、夕方や夜に決定される割合が高くなるように設定されている。このため、ＡＲＴ演出の背景の種類によって、残りのナビストック数の程度を推測することができる。その結果、ＡＲＴ演出の背景に遊技者を注目させることができ、遊技の興趣を向上させることができる。また、ＡＲＴ演出の背景が、昼であるときよりも、夕方や夜であるときの方が、ナビストック数が多く残っていることに対する期待感を向上させることができる。
【０５７４】
また、ナビストック数が「１」以上残っているときにのみ、ＡＲＴ演出の背景として夜に決定され得る。このため、夜の背景でＡＲＴ演出が実行されたときには、ＡＴがまだ継続するといった安心感を遊技者に抱かせることができる。
【０５７５】
なお、図３２（ａ）で示した背景決定用テーブルを用いてＡＲＴ演出の背景を決定するときに、前述したポイント付与演出から特定されるポイント総数や報知促進条件が成立したことなどから、残りのナビストック数が１以上であることを遊技者が認識しているときには、背景の種類として昼に決定されないように構成してもよい。これにより、残りのナビストック数が１以上であることを遊技者が認識しているにも関わらずＡＲＴ演出の背景として昼が選択されてしまうような、明らかに誤りとなる演出が実行されてしまう不都合の発生を防止することができる。
【０５７６】
次に、図３２（ｂ）を参照して、背景変更用テーブルを説明する。たとえば、ＡＴフラグから特定される残りのナビストック数が「０」であるときには、１００％の割合で背景が変更されないように、振分率が設定されている。
【０５７７】
また、ＡＴフラグから特定される残りのナビストック数が「１」〜「３」であるときには、９９．５％の割合で背景が変更されず、０．５％の割合で昼から夕方に変更されるように、振分率が設定されている。
【０５７８】
また、ＡＴフラグから特定される残りのナビストック数が「４」以上であるときには、９９．４％の割合で背景が変更されず、０．５％の割合で昼から夕方に変更され、０．１％の割合で昼から夜に変更されるように、振分率が設定されている。
【０５７９】
図３２（ｂ）で示した背景変更用テーブルの振分率は、残りのナビストック数が「１」以上であるときにのみ、ＡＲＴ演出の背景が昼から夕方あるいは夜に変更可能となるように設定されている。また、残りのナビストック数が「４」以上であるときの方が、「１」〜「３」であるときよりも、背景が昼から変更される割合が高くなるように設定されている。このため、ＡＲＴ演出の背景が昼から夕方あるいは夜に変更されることにより、残りのナビストック数が「１」以上であることを遊技者に認識させることができるとともに、より多くナビストック数が残っていることに対する期待感を遊技者に抱かせることができ、遊技の興趣を向上させることができる。
【０５８０】
また、残りのナビストック数が「４」以上であるときにのみ、ＡＲＴ演出の背景が昼から夜に変更可能となるように設定されている。このため、昼から夜の背景に変更されたときには、ＡＴがまだ継続するといった安心感を遊技者に抱かせることができる。
【０５８１】
次に、図３１（ｂ）を参照して、ボーナスが終了して準備モードに制御されたときには、（ｂ２）に示すように演出状態がＡＴに制御されないため、非ＡＴ準備モードに制御され、（ｂ３）に示すように非ＡＴ演出が実行されている。また、図３１（ｃ）を参照して、非ＡＴ準備モードにおいて運良くＲＴに制御された場合も、ＡＴに制御されないため非ＡＲＴに制御され、（ｃ３）に示すように非ＡＴ演出が継続して実行されている。
【０５８２】
非ＡＴ演出が実行されることにより、遊技者は、ＡＴに制御されておらず、ナビ演出が実行されないことを認識する。よって、転落リプレイに入賞させずに極力多い回数ゲームを消化して、ゲーム消化による第２ＡＴ抽選でＡＴ当選することに対する期待感を遊技者に抱かせることができる。
【０５８３】
図３１（ｂ３）および（ｃ３）に示すように、図３１（ａ３）と同様に、準備モードあるいはＲＴにおいて転落リプレイに入賞して通常遊技状態に制御されたとしても、その後も所定ゲームに亘り非ＡＴ演出を継続して実行する。これにより、通常遊技状態に制御されているときにおいても、前述した、転落リプレイに入賞させずに極力多い回数ゲームを消化して、ゲーム消化による第２ＡＴ抽選でＡＴ当選することに対する期待感を遊技者に抱かせることができるため、遊技の興趣を向上させることができる。
【０５８４】
また、本実施の形態においては、図２９で示したように、非ＡＲＴであるときあるいは非ＡＲＴから通常遊技状態に制御されて所定数ゲーム消化する期間、すなわち運良くＲＴに制御されてから当該ＲＴが終了して通常遊技状態に制御されて所定数ゲーム消化するまでの期間において、９枚役（１）〜（９）のいずれかに当選したときには所定の割合で対応するナビ演出が実行される。これにより、９枚役の取りこぼしを低減させて当選したにも関わらず入賞しないことによる損失を低減させることができる。
【０５８５】
次に、前述した実施の形態により得られる主な効果を説明する。
（１−１）  前述した実施の形態においては、準備モードやＲＴであるときに転落リプレイに入賞すると、通常遊技状態に制御されてしまう。この転落リプレイは、図８（ａ）で説明したように、リプレイ＋転落リプレイが当選したか、リプレイ＋転落リプレイ＋ＢＡＲリプレイが当選したかによって、入賞させるための操作手順および入賞を回避させるための操作手順が各々異なる。また、９枚役（１）〜（９）については、いずれかに当選していても、９枚役（１）〜（９）各々を構成する図柄から、ストップスイッチ８Ｌおよび８Ｒをこれらの役に入賞可能とする適正なタイミングで操作しなければ、当選している９枚役に入賞することはない。
【０５８６】
一方、ＡＴに制御されているときには、転落リプレイと同時当選しているリプレイの種類に応じたナビ演出が実行される。このため、ＡＴに制御されているときには、転落リプレイに当選したときであっても、ナビ演出にしたがって、当該転落リプレイ入賞を回避させるための操作手順で操作することができる。
【０５８７】
また、ＡＴに制御されているときには、９枚役（１）〜（９）のいずれかに当選したときに当該当選した９枚役の種類に応じたナビ演出が実行される。このため、ＡＴに制御されているときには、９枚役（１）〜（９）のいずれかに当選したときであっても、ナビ演出にしたがって、当該当選した９枚役を入賞させるための操作手順で操作することができる。
【０５８８】
よって、ＡＴに制御されているときには、通常遊技状態に制御されてしまうことを回避でき、かつ当選した９枚役の取りこぼしを低減することができるため、遊技者にとって有利な状態であるといえる。
【０５８９】
このようなＡＴには、図１６〜図１８で示した第１ＡＴ抽選や、図２４および図２５で示した第２ＡＴ抽選などのＡＴ抽選において、１以上のナビストックに決定されることにより制御される。
【０５９０】
また、ＡＴ抽選のうち第１ＡＴ抽選は、図１６で示したように、ボーナス当選時およびボーナス終了時に行なわれる。ボーナス当選時に行なわれる第１ＡＴ抽選では、ボーナス以外において付与された付与ポイント総数に応じて、当該付与ポイント総数が多い程、高い割合で１以上でかつより多いナビストック数に決定されるように定められた当選率にしたがって抽選される。また、ボーナス終了時に行なわれる第１ＡＴ抽選では、ボーナス中に付与された付与ポイント総数に応じて、当該付与ポイント総数が多い程、高い割合で１以上でかつより多いナビストック数に決定されるように定められた当選率にしたがって抽選される。よって、より高い割合で１以上でかつより多いナビストック数に決定されるように定められた当選率にしたがって第１ＡＴ抽選が行なわれるように、遊技者はより多くのポイントが付与されることに期待感を抱かせることができる。
【０５９１】
また、前述した実施の形態では、図１９に示すポイント関連処理において、ポイント付与条件が成立してポイントが付与されたことを条件として、Ｓ１０８においてポイントが付与された旨を報知するポイント付与演出を行なうための報知処理が行なわれる。この報知処理では、図１９のＳ１０３〜Ｓ１０６の処理結果に基づき、図１９のＳ１０２で設定された付与ポイントを正確に報知するポイント付与演出か、あるいは図１９のＳ１０２で設定された付与ポイントよりも少ないポイントを報知するポイント付与演出が実行される。また、図１９に示すポイント関連処理では、ポイント付与条件が成立してポイントが付与された場合であっても、図１９のＳ１０４またはＳ１０６の報知抽選において報知しないに決定されたときには、ポイント付与演出が実行されず、ポイントが付与された旨が全く報知されない。このため、実行されたポイント付与演出から特定されるポイント総数よりも多いポイントが実際には付与されているかもしれないといった期待感を遊技者に抱かせることができる。
【０５９２】
その結果、より高い割合で１以上でかつより多いナビストック数に決定されるように定められた当選率にしたがって第１ＡＴ抽選が行なわれること、およびＡＴに制御されることに対し、ポイント付与演出から特定されるポイント総数よりも大きな期待感を抱かせることができる。また、ポイント付与演出から特定されるポイント総数が比較的少ないときであっても、当該ポイント総数よりも多いポイントが実際には付与されているかもしれないため、より高い割合で１以上でかつより多いナビストック数に決定されるように定められた当選率にしたがって第１ＡＴ抽選が行なわれること、およびＡＴに制御されることに対する期待感を持続させることができる。
【０５９３】
また、図１９に示すポイント関連処理においては、ポイント付与条件が成立してポイントが付与されたことを条件として、図１９のＳ１０２で設定された付与ポイントに対するポイント付与演出が行なわれる。このため、前述した期待感をポイント付与演出が実行される毎に段階的に高めることができる。また、付与されたポイント総数を遊技者が予想するために、実行されたポイント付与演出から特定されるポイントを遊技者自身が累積加算して記憶するといった面白みを付加することができる。
【０５９４】
（１−２）  また、ＡＴに制御された後においては、図２８および図３２で示したように、残りのナビストックス数に応じて異なる割合にしたがって、特定演出が実行される。このため、ＡＴ中における特定演出の実行頻度によって、残りのナビストック数が多いことに対する期待感を異ならせることができる。その結果、ＡＴ中においては、特定演出が実行されるか否かに遊技者を注目させることができる。また、ポイント付与演出から特定されるポイント総数が比較的少なかった場合であっても、当該ポイント総数よりも多いポイントが実際には付与されているか否かを、特定演出の実行頻度から推測できるため、ＡＴにより長く制御されることに対する期待感を持続させるとともに、面白味のある遊技を提供することができ興趣を向上することができる。
【０５９５】
（１−３）  前述した実施の形態においては、図２８で示したように、報知態様Ａ〜Ｃのうち報知態様ＢあるいはＣで９枚役のナビ演出が実行されることを、特定演出の一例として説明した。これにより、ＡＴ中においては、９枚役のナビ演出がどの報知態様で実行されるかに遊技者を注目させることができる。また、９枚役のナビ演出が報知態様ＢあるいはＣで実行される頻度から、残りのナビストック数を推測するといった面白味のある遊技を提供することができ、興趣を向上することができる。
【０５９６】
（１−４）  前述した実施の形態においては、図３２で示したように、ＡＲＴ演出の背景が昼から夕方あるいは夜に変更される演出を、特定演出の一例として説明した。これにより、ＡＲＴ中においては、ＡＲＴ演出の背景がどの種類で実行されるか、あるいはＡＲＴ演出の背景が昼であるときに夕方あるいは夜に変更されるかに遊技者を注目させることができ、残りのナビストック数を推測するといった面白味のある遊技を提供することができ、興趣を向上することができる。
【０５９７】
（２−１）  前述した実施の形態においては、図１０（ａ）で示したように、フリーズの種類として、回転前フリーズのみを発生させる第１フリーズ、第２フリーズと、回転前フリーズを発生させた後さらに回転後フリーズを発生させる第３フリーズとが設けられており、図１０（ｂ）で示したフリーズ抽選用テーブルを用いて抽選されて実行される。このため、スタートスイッチ７が操作されてから所定時間にわたり回転前フリーズを発生させた後にリール回転が開始することによりストップスイッチ８Ｌ〜８Ｒ各々が有効化される場合と、リール回転が開始した後において、第１フリーズや第２フリーズが発生した場合であればストップスイッチ８Ｌ〜８Ｒ各々が有効化されているときに、さらに回転後フリーズを発生させる場合とを生じさせることができる。その結果、たとえば、第３フリーズが実行された場合には、回転前フリーズを発生させた後、本来であればストップスイッチ８Ｌ〜８Ｒ各々が有効化されているタイミング（図１５のタイミング４〜タイミング５参照）であるにも関わらず、ストップスイッチ８Ｌ〜８Ｒを操作しても対応するリールが停止されないといった意外性のあるフリーズを発生させることができ、遊技の興趣を向上させることができる。
【０５９８】
（２−２）  図１５（ｆ）欄のタイミング４ａで示したように、回転後フリーズに対応するフリーズ演出が、回転後フリーズが開始されたタイミング４から、Ｔ３よりも短い予め定められた時間（たとえば、１秒など）が経過したときから開始される。すなわち、リール回転が開始されたことに伴ないストップスイッチ８Ｌ〜８Ｒを操作させたが対応するリールが停止されないといった違和感を遊技者に抱かせたところで、回転後フリーズに対応するフリーズ演出が開始される。回転後フリーズが発生していることに対する驚きを遊技者に抱かせることができるとともに、回転後フリーズに対応するフリーズ演出が実行されることによりストップスイッチ８Ｌ〜８Ｒが故障していると誤認させてしまう不都合の発生を未然に防止することができる。
【０５９９】
（２−３）  前述した実施の形態における第１フリーズと第３フリーズとにより、回転前フリーズが実行される時間は、共通のＴ１に設定されている。このため、遊技者は、回転前フリーズが実行されている時間から第１フリーズであるか第３フリーズであるかを特定することができない。その結果、回転後フリーズが発生していることに対しより大きな驚きを遊技者に抱かせることができる。
【０６００】
（２−４）  図１０（ｂ）で示すフリーズ抽選用テーブルは、第１フリーズが発生した場合よりも、第２フリーズあるいは第３フリーズが発生した場合の方が、遊技者にとって有利なボーナスであるビッグボーナスに当選している可能性が高くなるように当選率が設定されている。また、図２５（ｂ）および（ｃ）で示すボーナス当選時のＡＴ抽選用テーブルは、ボーナス当選時に第１フリーズが発生した場合よりも、第２フリーズあるいは第３フリーズが発生した場合の方が、より多いナビストック数に当選する可能性が高くなるように当選率が設定されている。このため、回転前フリーズがＴ１よりも長いＴ２に亘り実行されることに対する期待感、および回転前フリーズがＴ１に亘り実行されたときにはその後回転後フリーズが実行されることに対する期待感を遊技者に抱かせることができ、遊技の興趣を向上させることができる。また、回転前フリーズが短いＴ１で終了した後において回転後フリーズが実行された場合には、遊技者の期待感を一旦低下させた後において再び向上させることができるため、より一層の驚きと喜びとを遊技者に抱かせることができ、遊技の興趣を向上させることができる。
【０６０１】
（３−１）  ポイント関連処理のＳ１０４における差数対応報知抽選では、図２２（ａ）および（ｂ）で示すテーブルが参照され、報知するか否かおよび付与ポイントを正確に報知するか否かを、すでに実行されたポイント付与演出から特定される報知ポイント総数と実際に付与されている付与ポイント総数との差数に応じた確率で決定される。さらに、差数対応報知抽選では、差数が小さいときよりも差数が大きいときの方が、高い割合で報知するに決定されるとともに、高い割合で付与ポイントあるいは当該付与ポイントにより近いポイントが付与された旨が報知されるように報知ポイントが決定される。これにより、差数が大きくなり過ぎてしまうこと、およびポイント付与演出から特定されるポイントの信頼性が低くなり過ぎてしまうことを防止することができる。
【０６０２】
（３−２）  ポイント関連処理のＳ１０６における総数対応報知抽選では、図２３（ａ）および（ｂ）で示すテーブルが参照され、報知するか否かおよび付与ポイントを正確に報知するか否かを、実際に付与されている付与ポイント総数に応じた確率で決定される。さらに、総数対応報知抽選では、付与ポイント総数が多いときよりも付与ポイント総数が少ないときの方が、高い割合で報知するに決定されるとともに、高い割合で付与ポイントあるいは当該付与ポイントにより近いポイントが付与された旨が報知されるように報知ポイントが決定される。一方、付与ポイント総数が少ないとき程、遊技者はポイントが報知されたか否かに対する注目度合いが高い。よって、ポイント付与演出に対する遊技者の注目度合いが高い段階においては、付与されたポイントに相当する期待感および安心感を高い割合で遊技者に抱かせることができる。
【０６０３】
（３−３）  図２９〜図３１で示したように、ＲＴ中において９枚役（１）〜（９）のいずれかに当選したときには、ＡＴに制御されているか否かに関わらず、所定の割合にしたがって非ＡＴナビ抽選が行なわれ、ナビ演出を実行すると決定されたときに当該当選している９枚役の種類に対応するナビ演出が行なわれる。このため、ＲＴに制御されているときには、ＡＴに制御されているか否かに関わらず、当選した９枚役の取りこぼしを低減することができる。その結果、少ないポイントしか付与されずＡＴに制御されなかったことや、ＡＴに制御されたが決定されたナビストック数が少なかったために短い期間で終了してしまったことなどに対し、遊技者が抱く不快感を軽減することができ、ＡＴに制御されていないときに遊技の興趣が極端に低下してしまう不都合の発生を防止することができる。
【０６０４】
（３−４）  図２７で示したように、報知促進条件が成立したときには、報知促進条件が成立していないときよりも遊技者にとって有利となるように、ナビストック数が設定される。このため、少ないポイントしか付与されなかったときであっても、報知促進条件が成立することにより、ＡＴに制御されることに対する期待感を遊技者に抱かせることができ、遊技の興趣を向上させることができる。
【０６０５】
また、報知促進条件が成立したときに設定されるストック数は、ＡＴ抽選で設定されるストック数に上乗せされる。このため、報知促進条件が成立することに対する有利性を遊技者が体感しやすくすることができ、遊技の興趣を向上させることができる。
【０６０６】
（４）  図２２（ａ）および図２３（ａ）で示したように、ポイント付与条件が成立したときであっても、報知抽選で報知しないと決定されたときには、ポイント付与演出が実行されない。このため、ポイント付与演出が実行されなかったときであっても、実際にはポイントが付与されていることに対する期待感を遊技者に抱かせることができ、遊技の興趣を向上させることができる。
【０６０７】
また、図２０で示したように、メロン当選したときには、所定の抽選で当選したときにポイント付与条件が成立する。また、ポイント付与条件が成立してポイントが付与されたときであっても、報知抽選で報知しないと決定されたときには、ポイント付与演出が実行されない。一方、メロン当選したときには、操作手順に関わらず、入賞が発生する。このため、メロン入賞したときにポイント付与演出が実行されず所定の抽選で当選しなかったかのような印象を抱かせる場合でも、実際には所定の抽選で当選しておりポイントが付与されていることに対する期待感を遊技者に抱かせることができ、遊技の興趣を向上させることができる。
【０６０８】
（５）  図２２（ｂ）および図２３（ｂ）で示したように、報知抽選で報知すると決定されたときであっても、実際に付与された付与ポイントよりも少ないポイントが付与された旨を報知するポイント付与演出が実行され得る。このため、ポイント付与演出から少ないポイントしか特定されなかったときであっても、実際にはより多いポイントが付与されていることに対する期待感を遊技者に抱かせることができ、遊技の興趣を向上させることができる。
【０６０９】
（６）  図２０で示したように、ポイント付与条件は、確率状態が３０あるいは５０ゲーム消化するまで継続される高確率状態や、複数ゲームに亘り制御されるボーナス中に成立し得る。このため、高確率状態に制御されることに対する期待感を抱かせることができる。また、ボーナスに制御されることに対しより一層大きな期待感を抱かせることができる。さらに、高確率状態やボーナスなど複数ゲームに亘り継続する状態における遊技の興趣を向上させることができる。
【０６１０】
（７）  準備モードやＲＴにおいて入賞することにより終了させて通常遊技状態へ制御する契機となる転落リプレイは、図８（ａ）で示したように、第１停止させるリールの種類に応じて、転落リプレイに入賞する場合と、転落リプレイ入賞を回避する場合とが振り分けられるため、リール停止させるときの面白みを向上させることができる。
【０６１１】
また、本実施の形態における転落リプレイ入賞を回避する際に、停止操作タイミングを考慮する必要がないため、リール停止させる際に生じる遊技者の負担を軽減することができる。
【０６１２】
（８）  ボーナス中において、ポイント付与条件成立契機となる役は図２０（ｂ）に示すようにメロンや９枚役であるのに対し、報知促進条件成立契機となる役は図２７に示すようにイチゴ（１）やイチゴ（２）である。すなわち、ボーナス中においては、メロン、９枚役、イチゴ（１）、およびイチゴ（２）など複数の入賞役に当選することにより、より高い割合で１以上でかつより多いナビストック数に決定されることに対する期待感を抱かせることができ、遊技の興趣を向上させることができる。
【０６１３】
（９）  報知促進条件成立契機となるイチゴ（１）やイチゴ（２）に当選しているときには、図８（ｂ）で示したように、中リール２Ｃについて特殊リール制御が行なわれる。このため、ボーナス中において、特殊リール制御が行なわれたときにのみ停止可能となる出目（中リール２Ｃの中段に図柄番号４または５の図柄停止）となったときに、報知促進条件が成立したことを遊技者が認識することができる。よって、ボーナス中においては、停止される出目に遊技者を集中させることができるとともに、出目から報知促進条件の成否を特定するといった面白みを付加することができる。
【０６１４】
また、ボーナス中以外において確率状態が高確率状態であるときであって、イチゴ（１）やイチゴ（２）に当選したときには、図２０（ａ）で示したように、ポイント付与条件が成立する。よって、ボーナス中以外においても、高確率状態であるときには、停止される出目に遊技者を集中させることができるとともに、ポイント付与演出のみならず出目からもポイント付与条件が成立してポイントが付与されたことを遊技者が認識することができる。
【０６１５】
（１０）  図２７で示したように、ボーナス中において、イチゴ（２）に当選せずにイチゴ（１）単独で当選して報知促進条件が成立したときよりも、イチゴ（２）に当選して報知促進条件が成立したときの方が、多いナビストック数が設定される。また、図８（ｂ）で示したように、イチゴ（２）当選を条件として、中リール２Ｃの中段に図柄番号４の図柄を停止させる特殊リール制御を実行することができる。よって、ボーナス中において、中リール２Ｃの中段に図柄番号４の図柄が停止されることにより、イチゴ（１）単独当選時よりも遊技者にとって有利なイチゴ（２）に当選し報知促進条件が成立したことを遊技者が認識することができ、より一層の面白みを付加することができる。
【０６１６】
（１１−１）  前述した実施の形態においては、図６（ａ）などを参照して説明したように、ボーナス終了後に準備モードに制御し、準備モードにおいて、９枚役（１）〜（９）のいずれかに当選しているときで当該９枚役を取りこぼしたときにのみ導出され得る特殊出目が停止されたときに、遊技者にとって有利なＲＴへ制御し、準備モードにおいて転落リプレイが入賞したときに通常遊技状態に制御される。このため、ボーナス終了後の準備モードにおいて転落リプレイが入賞するよりも先に特殊出目が停止された場合に、ＲＴに制御させることができる。
【０６１７】
この通常遊技状態へ移行させＲＴへの移行を阻止する契機となる転落リプレイは、図８（ａ）で説明したように、リプレイ＋転落リプレイが当選したか、リプレイ＋転落リプレイ＋ＢＡＲリプレイが当選したかによって、入賞させるための操作手順および入賞を回避させるための操作手順が各々異なるように、リール制御が行なわれる。
【０６１８】
また、準備モードにおいてＡＴに制御されたとき、すなわちＡＴ準備モードにおいては、図３０などで説明したように、転落リプレイ当選時に同時当選しているリプレイの種類に応じたナビ演出が実行される。
【０６１９】
以上より、ボーナス終了後において、ＲＴの前段階の遊技状態として準備モードに制御され、当該準備モードにおいて転落リプレイ入賞するよりも先に特殊出目が停止された場合にのみＲＴに制御される。この準備モードにおいて、ＡＴに制御されたとき、すなわちＡＴ準備モードにおいては、転落リプレイに当選したときであっても、ナビ演出にしたがって、当該転落リプレイ入賞を回避させるための操作手順で操作することができる。一方、準備モードにおいてＡＴに制御されなかったとき、すなわち非ＡＴ準備モードにおいては、転落リプレイ入賞を意図的に回避することができず、特殊出目の出現率よりも転落リプレイの入賞率の方が高いため、特殊出目が停止されるよりも先に転落リプレイに入賞して通常遊技状態に制御されてしまう可能性が高まる。さらに、図７（ｂ）および（ｃ）に示すように、準備モードであるときにはＲＴであるときよりも、転落リプレイの当選率が高くなるように判定値数が設定されており、転落リプレイ入賞してＲＴに制御されずに通常遊技状態に制御されてしまう可能性がより一層高い。その結果、ＲＴの前段階となる準備モードにおいてＡＴに制御されるか否かにより遊技者にとっての有利度合いにメリハリをつけることができ、ＡＴ準備モードに制御されることに対する期待感を効果的に高め、遊技の興趣を向上させることができる。
【０６２０】
また、ＲＴにおいても同様に、ＲＴにおいてＡＴに制御されたとき、すなわちＡＲＴにおいては、転落リプレイ当選時に同時当選しているリプレイの種類に応じたナビ演出が実行される。このため、ＡＲＴにおいては、転落リプレイに当選したときであっても、ナビ演出にしたがって、当該転落リプレイ入賞を回避させるための操作手順で操作することができる。一方、ＲＴにおいてＡＴに制御されなかったとき、すなわち非ＡＲＴにおいては、転落リプレイ入賞を意図的に回避することができず、転落リプレイ当選時において転落リプレイに入賞して通常遊技状態に制御されてしまう可能性が高まる。その結果、ＲＴにおいてもＡＴに制御されるか否かにより遊技者にとっての有利度合いにメリハリをつけることができ、ＡＲＴに制御されることに対する期待感を効果的に高め、遊技の興趣を向上させることができる。
【０６２１】
（１１−２）  第２ＡＴ抽選の抽選条件は、図２４に示すように、通常遊技状態であるときには、ボーナス当選したときのみ成立するのに対し、準備モードやＲＴにおいてＡＴに制御されていないときには、ボーナス当選したときのみならず、所定回数ゲーム消化したときにも成立する。また、第２ＡＴ抽選で、ナビストック数が１以上に決定されＡＴに制御する決定がされる割合、およびより多いナビストック数に決定される割合は、通常遊技状態であるときに参照されるテーブル（図２５（ａ）のテーブル）よりも、準備モードに制御されているときに参照されるテーブル（図２５（ｂ）、（ｄ）のボーナス当選時のテーブル）や、ＲＴにおいてＡＴに制御されていないときに参照されるテーブル（図２５（ｄ）のボーナス当選時のテーブル）の方が高くなるように当選率が設定されている。すなわち、準備モードに制御されているときや、ＲＴにおいてＡＴに制御されていない非ＡＲＴにおいては、通常遊技状態であるときよりも遊技者にとって有利となるようにＡＴ抽選される。このため、準備モードや非ＡＲＴにおいても、遊技者はＡＴに制御されることに対する期待感を抱きながら遊技を進行させることができ、遊技の興趣を向上させることができる。
【０６２２】
（１１−３）  非ＡＴ準備モードや非ＡＲＴにおいては、図２４に示すように、３０ゲーム消化するまでの間において５ゲーム消化する度に抽選条件が成立し、第２ＡＴ抽選が行なわれる。すなわち、非ＡＴ準備モードや非ＡＲＴにおいては、非ＡＴ中に所定回数ゲーム消化する度に抽選条件が成立して第２ＡＴ抽選が行なわれる。このため、非ＡＴ準備モードや非ＡＲＴにおいては、遊技者は所定回数ゲーム消化する毎に段階的にＡＴに制御されることに対する期待感を抱きながら遊技を進行させることができ、遊技の興趣を向上させることができる。
【０６２３】
また、図２５（ｄ）の３０Ｇ消化時のテーブルに示すように、準備モードやＲＴにおいては、非ＡＴ中に転落リプレイ入賞を発生させずに３０ゲーム消化することにより、第２ＡＴ抽選においてＡＴに制御することが決定され、必ずＡＴに制御される。このため、非ＡＴ準備モードや非ＡＲＴにおいては、転落リプレイ入賞を発生させずに３０ゲーム消化することを最終目標として設定し遊技を進行するといった面白みを付加することができ、遊技の興趣を向上させることができる。
【０６２４】
なお、非ＡＴ中の消化ゲーム数により必ずＡＴに制御する契機となる条件は、非ＡＴ中に消化したゲーム数が予め定められたゲーム数（３０ゲーム）に到達すること、非ＡＴ準備モード中に消化したゲーム数が予め定められたゲーム数（１５ゲーム）に到達すること、非ＡＲＴ中に消化したゲーム数が予め定められたゲーム数（１５ゲーム）に到達すること、非ＡＴ中において当選した転落リプレイの入賞を回避したゲーム数が予め定められたゲーム数（たとえば、３ゲーム）に到達すること、非ＡＴ中に特定の入賞役に当選したゲーム数が予め定められたゲーム数（たとえば、３ゲーム）に到達することなどにより成立するものであってもよい。
【０６２５】
また、図２５（ｄ）の５Ｇ〜３０Ｇ消化時のテーブルに示すように、ＡＴに制御される割合およびより多いナビストック数に決定される割合がゲーム消化に応じて段階的に高くなるように、非ＡＴ中において所定回数ゲーム消化する度に第２ＡＴ抽選が行なわれる。これにより、非ＡＴ中において消化したゲーム数に応じてＡＴに制御されることに対する期待感を異ならせることができる。すなわち、消化したゲーム数に比例してＡＴに制御されることに対する期待感を高めることができ、遊技の興趣を向上させることができる。
【０６２６】
（１２）  前述した実施の形態における準備モードからＲＴへの移行契機となる特殊出目は、図５（ｂ）などで説明したように、９枚役当選時において当該９枚役を取りこぼす操作手順で操作されたときにのみ入賞ライン上に停止されるように、リール制御が行なわれる。これにより、準備モードにおいて９枚役に当選しながら取りこぼしてしまった場合には、９枚役入賞の発生に伴い払出されるメダルを獲得することができず不利益が生じるが、特殊出目が停止されて遊技者にとって有利なＲＴに制御されるため、当該不利益を補填することができる。
【０６２７】
ＡＴ準備モードにおいて９枚役に当選したときであっても、ナビ演出が実行されない。これにより、ナビ演出にしたがって停止操作し、９枚役に入賞させることができるもののいつまでたってもＲＴに制御されないといった不都合が発生することを未然に防止することができる。
【０６２８】
一方、ＡＲＴにおいて９枚役に当選したときには、ナビ演出が実行される。これにより、ナビ演出にしたがって停止操作することにより、９枚役入賞の発生に伴い払出されるメダルを獲得することができる。また、このように小役の取りこぼし時に停止可能となる出目を準備モードからＲＴへの移行契機に設定したことにより、たとえば移行契機となる入賞役を新たに設定するなどの必要がなく、スロットマシンの開発段階における設計上の負担を軽減することができる。
【０６２９】
（１３）  前述した実施の形態においては、図２５（ｄ）のボーナス当選時のテーブルに示すように、非ＡＴ準備モードや非ＡＲＴにおいてボーナス当選したときには、ボーナスに制御されることに加えて、当該ボーナス終了後においてＡＴ準備モードに制御され、ナビ演出に基づき停止操作を誤らない限りＡＲＴに制御される。このため、非ＡＴ準備モードや非ＡＲＴにおいて、ボーナス当選することに対する期待感をより強く抱かせることができ、遊技の興趣を向上させることができる。
【０６３０】
また、前述した実施の形態においては、図２５（ｂ）および（ｃ）のテーブルに示すように、ＡＴ準備モードやＡＲＴにおいてボーナス当選したときにも、ボーナスに制御されることに加えて、当該ボーナス終了後においてＡＴ準備モードに制御され、ナビ演出に基づき停止操作を誤らない限りＡＲＴに制御される。このため、ボーナスを挟んで、ＡＴに連続的に制御されるため、遊技の興趣を向上させることができる。
【０６３１】
なお、前述した実施の形態においては、準備モードやＲＴにおいてボーナス当選したときには、ＡＴであるか否かに関わらず、当該ボーナス終了後においてＡＴ準備モードに制御され、ナビ演出に基づき停止操作を誤らない限りＡＲＴに制御される例について説明したが、これに限らず、準備モードやＲＴにおいてボーナス当選したときであっても、非ＡＴであるときにのみ当該ボーナス終了後において必ずＡＴに制御され、ＡＴであるときには所定の確率で当選した場合にしかＡＴに制御されるように構成してもよい。この場合には、非ＡＴにおいてボーナス当選することにより、非ＡＴ中に被った損失を事後的に補填することができる。また、準備モードやＲＴにおいてボーナス当選したときであっても、ＡＴであるときにのみ当該ボーナス終了後において必ずＡＴに制御され、非ＡＴであるときには所定の確率で当選した場合にしかＡＴに制御されないように構成してもよい。この場合には、ＡＴにおいてボーナス当選することにプレミアを付加することができ、遊技の興趣を向上させることができる。
【０６３２】
本発明は、上記の実施の形態に限られず、種々の変形、応用が可能である。以下、本発明に適用可能な上記の実施の形態の変形態様について説明する。
【０６３３】
（Ａ）  前述した実施の形態において、図２７で示したように、報知促進条件が成立したときに、ナビストックを設定する例について説明した。しかし、報知促進条件が成立したときには、ＡＴ制御に関し遊技者にとって有利となる処理が実行されるものであればよい。たとえば、報知促進条件が成立したときには、所定数のポイント（たとえば、５ポイント）を付与するものであってもよく、図１７および図１８に示すテーブルが参照されたときよりも高い割合で１以上でかつより多いナビストック数が決定されるように当選率が設定されたテーブルを参照して第１ＡＴ抽選が行なわれるものであってもよく、図１７および図１８においてナビストックとして必ず１以上が決定されるポイント（たとえば、図１７であれば「６」、あるいは付与ポイント総数との関係で合計が「６」以上となるポイントなど）を付与するものであってもよい。このような構成によれば、ポイント付与条件が成立することにより付与されたポイント総数が比較的遊技者にとっての有利度合いが低いポイント数であっても、報知促進条件が成立することにより、ＡＴに制御されることに対し実際に付与されたポイント総数よりも大きな期待感を遊技者に抱かせることができ、遊技の興趣を向上させることができる。
【０６３４】
（Ｂ）  前述した実施の形態において、準備モードやＲＴを終了させる契機となる転落リプレイについては、図８（ａ）で示したように、停止順が所定の停止順であるときに入賞を回避できる例について説明した。また、非ＡＲＴであっても所定の割合でナビ演出が実行される９枚役（１）〜（９）については、停止操作タイミングが所定の停止操作タイミングであるときに入賞させることができる例について説明した。
【０６３５】
しかし、転落リプレイについては、９枚役（１）〜（９）と同様に、当選した役の種類に応じた所定の停止操作タイミングであることを条件として、入賞回避させることができるものであってもよい。
【０６３６】
たとえば、非ＡＲＴであっても所定の割合でナビ演出が実行される入賞役として、９枚役（１）（構成図柄：「赤７−ＡＮＹ−ＡＮＹ」）、９枚役（２）（構成図柄：「白７−ＡＮＹ−ＡＮＹ」）、９枚役（３）（構成図柄：「ＢＡＲ−ＡＮＹ−ＡＮＹ」）を設定し、準備モードやＲＴを終了させる契機となる入賞役として、転落リプレイ（１）（構成図柄：「白イチゴ／黒イチゴ−ＡＮＹ−赤７）、転落リプレイ（２）（構成図柄：「白イチゴ／黒イチゴ−ＡＮＹ−白７）、転落リプレイ（３）（構成図柄：「白イチゴ／黒イチゴ−ＡＮＹ−ＢＡＲ）を設定してもよい。
【０６３７】
この場合、９枚役（１）〜（３）については、当選している役の種類に応じた所定の停止操作タイミングで、左リール２Ｌを停止させる操作がなされたことを条件として入賞させることができる。たとえば、９枚役（１）に当選しているときには、左リール２Ｌについて、「赤７」を入賞ラインに引き込み可能なタイミングで停止操作されたことを条件として、当該９枚役（１）を入賞させることができる。
【０６３８】
また、転落リプレイ（１）〜（３）についても、当選している役の種類に応じた所定の停止操作タイミングで、右リール２Ｒを停止させる操作がなされたことを条件として入賞回避させることができる。たとえば、転落リプレイ（１）に当選しているときには、右リール２Ｒについて、「赤７」を入賞ラインに引き込み不可能なタイミングで停止操作されたことを条件として、当該転落リプレイ（１）の入賞を回避させることができる。
【０６３９】
これにより、転落リプレイの入賞を回避させる場合において、誤って左リール２Ｌを停止操作した場合であっても、右リール２Ｒについて当選している役の種類に応じた所定の停止操作タイミングで停止させる操作を行なうことにより転落リプレイの入賞を回避させることができる。また、９枚役を入賞させる場合において、誤って右リール２Ｒを停止操作した場合であっても、左リール２Ｌについて当選している役の種類に応じた所定の停止操作タイミングで停止させる操作を行なうことにより９枚役を入賞させることができる。
【０６４０】
また、上記のように、転落リプレイ入賞の回避および９枚役（１）〜（９）入賞のための操作手順を当選した役の種類に応じた所定の停止操作タイミングとした場合、転落リプレイに関するナビ演出および９枚役に関するナビ演出は、ともに、たとえば、「赤７」図柄に対応する「赤」を想起させる赤情報と、「白７」図柄に対応する「白」を想起させる白情報と、「ＢＡＲ」図柄に対応する「黒」を想起させる黒情報とを特定可能に報知する情報報知手段（たとえば、液晶表示器５１、所定のランプ、所定の７セグメント表示器など）を用いて、赤情報、白情報、黒情報のいずれかを報知することによる共通の報知態様で実行されるように構成してもよい。
【０６４１】
赤情報は、たとえば、液晶表示器５１に主に赤色が用いられた赤キャラクタを表示させる演出や、赤色を特定可能なランプを点灯させる演出（たとえば、赤色に対応して設けられたランプを点灯、あるいは点灯色を赤色とする）などであってもよい。同様に、白情報とは、主に白色が用いられた白キャラクタを表示させる演出や白色を特定可能なランプを点灯させる演出（たとえば、白色に対応して設けられたランプを点灯、あるいは点灯色を白色とする）であってもよく、黒情報とは、主に黒色が用いられた黒キャラクタを表示させる演出や黒色を特定可能なランプを点灯させる演出（たとえば、黒色に対応して設けられたランプを点灯、あるいは点灯色を黒色とする）であってもよい。
【０６４２】
具体的に、たとえば、転落リプレイ（１）に当選しているときには、右リール２Ｒについて「赤７」を入賞ラインに引き込み不可能なタイミングで停止操作されたことを条件として当該転落リプレイ（１）の入賞を回避させることができるため、当該「赤７」を入賞ラインに引き込み不可能なタイミングとなる位置に配列されている「ＢＡＲ」図柄に対応する「黒」を想起させる黒情報を情報報知手段により報知することによりナビ演出を実行してもよい。同様に、転落リプレイ（２）に当選しているときには「赤７」図柄に対応する「赤」を想起させる赤情報を、転落リプレイ（３）に当選しているときには「白７」図柄に対応する「白」を想起させる白情報を、情報報知手段により報知することによりナビ演出を実行してもよい。また、９枚役（１）に当選しているときには、左リール２Ｌについて「赤７」を入賞ラインに引き込み可能なタイミングで停止操作されたことを条件として当該９枚役（１）を入賞させることができるため、当該「赤７」図柄に対応する「赤」を想起させる赤情報を報知手段により報知することによりナビ演出を実行してもよい。同様に、９枚役（２）に当選しているときには「白７」図柄に対応する「白」を想起させる白情報を、９枚役（３）に当選しているときには「ＢＡＲ」図柄に対応する「黒」を想起させる黒情報を、情報報知手段により報知することによりナビ演出を実行してもよい。
【０６４３】
これにより、ナビ演出により報知される色に関する情報が、転落リプレイを回避するための情報であるか９枚役（１）〜（９）を入賞させるための情報であるかを特定する必要がなく、情報報知手段により共通の報知態様で報知される色に関する情報にしたがってリール２Ｌ〜２Ｒについて停止操作することにより、転落リプレイ入賞を回避できまた当選している９枚役を入賞させることができる。
【０６４４】
また、９枚役（１）〜（９）については、転落リプレイと同様に、当選した役の組合せの種類に応じた所定の停止順であることを条件として、入賞させることができるものであってもよい。たとえば、当選した役の組合せに応じた所定の停止順で停止操作されたときに、対応する９枚役を入賞させることができ、当該所定の停止順以外で停止操作されたときに、対応する９枚役を入賞させることができないようにリール制御が行なわれるように構成してもよい。
【０６４５】
これにより、転落リプレイの入賞を回避させる場合、および９枚役を入賞させる場合のいずれにおいても、いわゆる目押しを行なう必要がなくなるため、停止操作に伴う遊技者の負担を軽減することができる。
【０６４６】
また、上記のように、転落リプレイ入賞の回避および９枚役（１）〜（９）入賞のための操作手順を当選した役の種類に応じた所定の停止順とした場合、転落リプレイに関するナビ演出および９枚役に関するナビ演出は、ともに、たとえば、停止順を想起させる停止順情報を特定可能に報知する情報報知手段（たとえば、液晶表示器５１、所定のランプ、所定の７セグメント表示器など）を用いて、停止順を報知することによる共通の報知態様で実行されるように構成してもよい。
【０６４７】
停止順情報は、たとえば、液晶表示器５１に停止順を表示させる演出（たとえば、第１停止させるリールが左リール２Ｌであるときには「左」といったメッセージを表示）や、リール２Ｌ〜２Ｒ各々に対応して設けられたランプのうち停止順を特定可能に点灯させる演出（たとえば、第１停止させるリールが左リール２Ｌであるときには左リール２Ｌに対応するランプを点灯）であってもよい。
【０６４８】
これにより、ナビ演出により報知される停止順情報が、転落リプレイを回避するための情報であるか９枚役（１）〜（９）を入賞させるための情報であるかを特定する必要がなく、情報報知手段により共通の報知態様で報知される停止順情報にしたがってリール２Ｌ〜２Ｒについて停止操作することにより、転落リプレイ入賞を回避できまた当選している９枚役を入賞させることができる。
【０６４９】
（Ｃ）  前述した実施の形態における総数対応報知抽選では、図１９のＳ１１０で更新される付与ポイント総数に応じて抽選を行なう例について説明した。しかし、総数対応報知抽選は、図１９のＳ１０９で更新される報知ポイント総数に応じて抽選を行なうように構成してもよい。この場合における総数対応報知抽選では、図２３（ａ）および（ｂ）で示すテーブルが参照され、報知するか否かおよび付与ポイントを正確に報知するか否かを、それまでに報知された報知ポイント総数に応じた確率で決定される。さらに、この場合における総数対応報知抽選では、報知ポイント総数が多いときよりも報知ポイント総数が少ないときの方が、高い割合で報知するに決定されるとともに、高い割合で付与ポイントあるいは当該付与ポイントにより近いポイントが付与された旨が報知されるように報知ポイントが決定される。一方、報知ポイント総数が少ないとき程、遊技者はポイントが報知されたか否かに対する注目度合いが高い。よって、ポイント付与演出に対する遊技者の注目度合いが高い段階においては、付与されたポイントに相当する期待感および安心感を高い割合で遊技者に抱かせることができる。
【０６５０】
（Ｄ）  前述した実施の形態においては、非ＡＲＴ中において、当選した９枚役の種類を特定可能なナビ演出を実行するか否かが、９枚役に当選する毎に決定される例について説明した。しかし、非ＡＲＴ中において、当選した９枚役の種類を特定可能なナビ演出を実行するか否かは、非ＡＲＴに制御されるときに当該非ＡＲＴにおいて９枚役に当選したときにナビ演出を実行するか否かを決定するように構成してもよい。この場合、ナビ演出を実行すると決定された非ＡＲＴにおいては、９枚役に当選したときに必ず当選した９枚役の種類に対応するナビ演出が実行される。これにより、非ＡＲＴに制御される毎に、９枚役のナビ演出が実行される非ＡＲＴに制御されることに対する期待感を抱かせることができる。
【０６５１】
また、前述した実施の形態においては、ＡＴに制御されているか否かに関わらず、９枚役当選時にナビ演出を実行する遊技状態がＲＴである例について説明した。しかし、たとえばＲＴ移行契機となる特殊出目が９枚役取りこぼし時に導出される出目でない場合には、準備モードにおいても、ＡＴに制御されているか否かに関わらず、９枚役当選時にナビ演出を実行するように構成してもよい。これにより、ＡＴに制御されなかったことに対する不快感をより一層低減することができる。
【０６５２】
（Ｅ）  前述した実施の形態におけるポイント関連処理において、Ｓ１１０において更新される付与ポイント総数が上限である場合であっても、Ｓ１０９において更新される報知ポイント総数が上限でない場合には、Ｓ１０３以降の処理が実行されるように構成してもよい。これにより、付与ポイント総数が上限となった後であっても、報知ポイント総数が上限に達していないときには、付与ポイント総数が上限となる前と同じ制御が行なわれる。その結果、付与ポイント総数が上限となった後にポイント付与演出が実行されないといった不都合の発生を防止することができる。なお、報知ポイント総数が上限となった場合には、ポイント関連処理を実行しないように構成してもよい。これにより、無駄な処理が行なわれることを防止することができる。
【０６５３】
（Ｆ）  前述した実施の形態においては、図１９のＳ１０４やＳ１０６における報知抽選において、Ｓ１０２で設定された付与ポイントよりも遊技者にとって有利度合いが低い、すなわち付与ポイント以下のポイントが報知ポイントとして決定される例について説明した。しかし、図１９のＳ１０４やＳ１０６における報知抽選において決定される報知ポイントは、報知後においても報知ポイント総数が実際に付与されている付与ポイント総数以上とならないポイントから決定されるものであれば、Ｓ１０２で設定された付与ポイントよりも遊技者にとって有利度合いが高い、すなわち付与ポイントより多いポイントが報知ポイントとして決定されるように構成してもよい。
【０６５４】
図３３は、報知抽選において用いられるテーブルの一例であって、差数対応報知抽選において付与ポイントより多いポイントが報知ポイントとして決定され得るテーブルを説明するための図である。
【０６５５】
この変形例における差数対応報知抽選でも、図３３（ａ）の差数対応テーブルＡを参照して、差数に応じてポイントを報知するか否かの抽選が行なわれる。図３３（ａ）の差数対応テーブルＡは、図２２（ａ）のテーブルと同じであるため説明を省略する。
【０６５６】
図３３（ａ）の差数対応テーブルＡを参照して、報知するに決定された場合には、さらに図３３（ｂ）の差数対応テーブルＢを参照して、Ｓ１０２において設定された付与ポイントおよび差数に応じて、報知ポイントを決定する抽選が行なわれる。
【０６５７】
付与ポイントが「１」である場合で、差数が「０〜１」である場合には、報知ポイントとして、１００％の割合で今回の報知ポイントを報知した後の報知ポイント総数と今回付与された付与ポイントが加算された付与ポイント総数との差数である報知後差数が「０」となるポイントに決定される。具体的に、報知ポイントは、（差数ー報知後差数＋付与ポイント）となる。この場合において、差数が「１」であるとすると、報知ポイントは、（１−０＋１）＝ポイント「２」に決定される。このように、付与ポイントよりも多いポイントが報知される。
【０６５８】
付与ポイントが「１」である場合で、差数が「２〜３」である場合には、報知後差数が、１５％の割合で「０」に決定され、２５％の割合で「１」に決定され、６０％の割合で「２」に決定される。
【０６５９】
付与ポイントが「１」である場合で、差数が「４」である場合には、報知後差数が、１０％の割合で「１」に決定され、２０％の割合で「２」に決定され、３０％の割合で「３」に決定され、４０％の割合で「４」に決定される。
【０６６０】
以下、同様に、付与ポイントおよび差数から特定される振分率にしたがって、報知後差数が決定され、（差数ー報知後差数＋付与ポイント）を算出することにより報知ポイントが決定される。
【０６６１】
たとえば、付与ポイントが「３」であり、差数が「３」である場合で、報知後差数として「１」が決定されたときには、報知ポイントとして、（３−１＋３）＝ポイント「５」に決定される。
【０６６２】
以上のように、付与ポイントより多いポイントが報知ポイントとして決定され得るテーブルを用いて報知抽選した場合には、たとえば差数が大きくなり過ぎたときであっても、付与ポイントよりも遊技者にとっての有利度合いが高いポイントを報知ポイントとして報知することにより、差数を小さくすることができる。このため、報知ポイント総数の信頼性を向上させやすくすることができる。
【０６６３】
（Ｇ）  前述した実施の形態における転落リプレイに関するナビ演出および９枚役（１）〜（９）に関するナビ演出が、液晶表示器５１において操作手順を特定するためのメッセージを表示することによる共通の報知態様で実行される例について説明した。しかし、ナビ演出を実行する構成は、スロットマシンに搭載された所定のランプや、所定の７セグメント表示器など、共通の報知態様で所定の演出を実行可能なものであればどのようなものであってもよい。
【０６６４】
（Ｈ）  前述した実施の形態においては、準備モードやＲＴを終了させる契機となる入賞役として再遊技役である転落リプレイが設定され、非ＡＲＴであっても所定の割合でナビ演出が実行される入賞役として小役である９枚役（１）〜（９）が設定されている例について説明した。しかし、準備モードやＲＴを終了させる契機となる入賞役は、再遊技役に限らず、所定の小役、入賞により次の１ゲームをボーナスに制御するシングルボーナスなどであってもよい。また、非ＡＲＴであっても所定の割合でナビ演出が実行される入賞役は、小役に限らず、所定の再遊技役、シングルボーナスなどであってもよい。
【０６６５】
（Ｉ）  前述した実施の形態における第１ＡＴ抽選では、図１７および図１８に示したように、通常付与ポイント総数やボーナス中付与ポイント総数が多い程、高い割合でＡＴに制御され、かつ高い割合でより多いナビストック数に決定されることにより、遊技者にとって有利となるようにＡＴ抽選が行なわれる例について説明したが、これに限らず、通常付与ポイント総数やボーナス中付与ポイント総数が少ない程、高い割合でＡＴに制御され、かつ高い割合でより多いナビストック数に決定されることにより、遊技者にとって有利となるようにＡＴ抽選が行なわれるように構成してもよい。
【０６６６】
この場合においては、前述したポイント付与条件が成立しなかったときであっても、あたかもポイントが付与されたかのようにポイント付与演出が実行されるように構成してもよい。また、ポイント付与条件が成立して実際に付与されたポイントよりも多いポイントが付与されたかのようにポイント付与演出が実行されるように構成してもよい。また、このようなポイント付与演出を実行するか否かについては、付与ポイント、差数、付与ポイント総数、報知ポイント総数のうち少なくともいずれかに応じて異なる確率で決定するように構成してもよい。
【０６６７】
これにより、ポイント付与演出が実行されたときや多いポイントが付与された旨が報知されたときであっても、実際にはより少ないポイントあるいはポイントが付与されていないことに対する期待感を遊技者に抱かせることができ、遊技者にとって有利に第１ＡＴ抽選が行なわれることに対する期待感を持続させることができ、遊技の興趣を向上させることができる。
【０６６８】
（Ｊ）  前述した実施の形態における第１ＡＴ抽選では、通常付与ポイント総数やボーナス中付与ポイント総数が多い程、遊技者にとって有利となるようにＡＴ抽選が行なわれる例について説明したが、これに限らず、付与ポイント総数が所定数（たとえば「０」）以下であるときに、当該所定数よりも大きい付与ポイント総数であるときよりも、遊技者にとって有利となるようにＡＴ抽選が行なわれるように構成してもよい。具体的には、付与ポイント総数が「０」であるときに、付与ポイント総数が上限値である「５」または「１０」であるときと同じ当選率で、ＡＴ抽選が行なわれるように構成してもよい。これにより、付与ポイント総数が所定数以下となることに対する期待感も遊技者に抱かせることができ、遊技の興趣を向上させることができる。
【０６６９】
（Ｋ）  ナビストック数が残存している状態でボーナス当選したときにおける当該ナビストック数について、クリア（たとえば「０」）する処理を行なうものであってもよく、当該ボーナス終了後まで持ち越す処理を行なうものであってもよく、所定数減算する処理を行なうものであってもよく、所定数上乗せ加算する処理を行なうものであってもよく、また当該ボーナス当選毎にいずれの処理を行なうかを決定し、該決定された処理を行なうものであってもよい。これにより、ナビストック数が残存している状態においてボーナス当選したときのバリエーションが増加し、遊技の興趣を向上させることができる。
【０６７０】
（Ｌ）  前述した実施の形態においては、付与ポイント数が減算されない例について説明したが、所定の減算条件（たとえば、特定の入賞役に当選）したことを条件として、付与ポイント数から所定数減算するように構成してもよい。この場合、減算されたポイント数として、実際に減算されたポイント数を報知するか、実際に減算されたポイント数よりも多いポイント数を報知するように構成してもよい。実際に減算されたポイント数を報知するか、実際に減算されたポイント数よりも多いポイント数を報知するかについては、付与ポイント、差数、付与ポイント数、報知ポイント数のうち少なくともいずれかに応じて異なる確率で決定するように構成してもよい。このように構成した場合には、ポイントが付与された後も、ポイントが減算されることに対する緊張感を抱かせることができ、遊技の興趣を向上させることができる。
【０６７１】
（Ｍ）  前述した実施の形態における、第１ＡＴ抽選および第２ＡＴ抽選においては、ＡＴに制御される長さに対する期待値に相当するナビストック数を決定する例について説明した。しかし、第１ＡＴ抽選および第２ＡＴ抽選においては、ナビストック数に限らず、ＡＴに制御される確率（突入率）および所定数ゲーム（たとえば５０ゲーム）消化してＡＴが終了した後に再びＡＴに制御する確率（継続率）を決定するように構成してもよい。この場合、ＡＴ抽選において決定された突入率にしたがってＡＴに制御するか否かを決定し、所定数ゲーム消化してＡＴが終了したときにＡＴ抽選において決定された継続率にしたがってＡＴに制御するか否かを決定するように構成してもよい。
【０６７２】
また、前述した実施の形態においては、ＡＴに制御されると、所定数ゲーム（たとえば５０ゲーム）消化するまで当該ＡＴを継続させる例について説明したが、これに限らず、転落リプレイに当選してナビ演出が実行された回数が所定回数（たとえば１０回など）に到達するまで当該ＡＴを継続させるように構成してもよい。
【０６７３】
（Ｎ）  高確率状態であるときに当選することにより１００％ポイント付与条件を成立させるイチゴ（１）、イチゴ（２）に当選したときには、所定数のポイントが１００％報知される例について説明したが、これに限らず、当選しかつ入賞したこと、あるいは当選しかつ図８（ｂ）に示すイチゴ当選時にのみ停止される出目が出現したことにより、所定数のポイントを報知するようにし、当選したが入賞しなかった場合には報知抽選にしたがって報知するようにしてもよい。
【０６７４】
（Ｏ）  前述した実施の形態において、たとえば９枚役（１）〜（９）のいずれかに当選しているときに関して当選した９枚役の種類を引き込み可能な操作タイミングで停止操作したときには、引き込み不可能な操作タイミングで停止操作したときよりも、９枚役入賞を発生させ９枚メダルが払出される点において、遊技者にとって有利度合いが高くなる制御が行なわれる例や、転落リプレイに当選しているときに関して同時当選したリプレイの種類に応じて当該転落リプレイ入賞を回避するための回避手順で停止操作したときには、当該回避手順で停止操作したときよりも、たとえばＲＴ中であるときには当該ＲＴが継続される点において、遊技者にとって有利度合いが高くなる制御が行なわれる例などについて説明した。しかし、遊技者にとって有利度合いが高くなる制御としては、たとえば、以下の制御であってもよい。
【０６７５】
（Ｏ−１）  たとえば入賞に伴なうメダル払出枚数が異なる種類の小役が同時当選し得る場合には、同時当選している小役の種類に応じた所定の有利手順と異なる手順で操作が受付けられたときにメダル払出枚数が少ない小役を入賞させる制御を行ない、有利手順で操作が受付けられたときにメダル払出枚数が多い小役を入賞させる制御を行なうものであってもよい。これにより、メダル払出枚数が異なる種類の小役が同時当選したゲームにおいて、有利手順で操作されたときの方が、有利手順と異なる手順で操作されたときよりも、遊技者が獲得する遊技価値が多くなる点で、遊技者にとって有利度合いが高くなるといえる。
【０６７６】
（Ｏ−２）  たとえば、準備モードである場合において、９枚役（１）〜（９）のいずれかに入賞したときに遊技者にとって不利な遊技状態（たとえば、特殊出目が導出してもＲＴに制御されない状態、リプレイの当選確率がＲＴよりも低い状態など、いわゆる不利ＲＴ）に制御され、９枚役（１）〜（９）を取りこぼしたときに導出され得る特殊出目が導出されると遊技者にとって有利な遊技状態（たとえば、ＲＴ）に制御され、ＡＴ準備モードであるときに９枚役（１）〜（９）のいずれかに当選したときに当該９枚役の種類に応じたナビ演出を実行するように構成し、ＡＴ準備モードにおいて９枚役当選時に当該種類に応じたナビ演出を実行するスロットマシンにおいては、当選した９枚役の種類を引き込み可能な操作タイミングで停止操作したときに当該９枚役を入賞させて不利な遊技状態に移行され、当選した９枚役の種類を引き込み不可能な操作タイミングで停止操作したときに、９枚役を取りこぼし９枚メダル払出を受けることができないが、特殊出目を導出させて遊技者にとって有利な状態となるＲＴに制御するものであってもよい。これにより、ＡＴ準備モードにおいて９枚役に当選したゲームにおける有利度合いは別にして、当選した９枚役の種類を引き込み不可能な操作タイミングで停止操作したときの方が、当選した９枚役の種類を引き込み可能な操作タイミングで停止操作したときよりも、当該ゲーム以降のゲームにおいてＲＴに制御される点で、遊技者にとって有利度合いが高くなるといえる。
【０６７７】
また、たとえば、前述したリプレイが１枚払出を伴なう１枚小役で、転落リプレイが１枚よりも多い枚数メダル払出を伴なう特定小役であり、１枚小役、特定小役、ＢＡＲリプレイが前述した実施の形態と同様に同時当選し、同時当選の組合せに応じた停止手順により特定小役入賞を回避できる場合においては、ＲＴ中において特定小役に当選したときに、同時当選の組合せに対応する有利手順（図８（ａ）参照）と異なる手順で操作が受付けられたときに特定小役の入賞が発生してＲＴが終了し、所定の結果に対応する有利手順で操作が受付けられたときに１枚小役の入賞が発生して当該ＲＴが維持されるものであってもよい。これにより、ＲＴ中において特定小役に当選したゲームにおける有利度合いは別にして、特定小役入賞を回避する手順で操作されたときの方が、特定小役入賞を回避する手順と異なる手順で操作されたときよりも、当該ゲーム以降のゲームにおいてＲＴが終了せずに維持される点で、遊技者にとって有利度合いが高くなるといえる。
【０６７８】
（Ｏ−３）  たとえば、９枚役（１）〜（９）各々とメロンとが同時当選し得るスロットマシンにおいて、９枚役のいずれかとメロンとが同時当選したときに、当選した９枚役とメロンとの組合せに対応する有利手順と異なる手順で操作が受付けられたときに所定の非有利割合（たとえば、１／９）で９枚役を入賞させ、有利手順で操作が受付けられたときに、所定の非有利割合よりも高い所定の有利割合（１００％）でメロンを入賞させる制御を行なうものであってもよい。これにより、９枚役のいずれかとメロンとが同時当選した場合、有利手順で操作されたときの方が、有利手順と異なる手順で操作されたときよりも、高い割合で、９枚メダルを獲得できる点において、遊技者にとって有利度合いが高くなるといえる。
【０６７９】
また、たとえば、９枚役（１）〜（９）各々とメロンとが同時当選し得るスロットマシンにおいて、９枚役のいずれかとメロンとが同時当選したときに、当選した９枚役とメロンとの組合せに対応する有利手順と異なる手順で操作が受付けられたときに所定の非有利割合（たとえば、１／９）で所定の非有利量（９枚メダル払出）を伴なう９枚役を入賞させ、有利手順で操作が受付けられたときに、所定の有利割合（たとえば、１００％）で所定の有利量（９枚メダル払出）を伴なうメロンを入賞させるもので、かつ（有利割合）×（有利量）＞（非有利割合）×（非有利量）の関係を満たすものあってもよい。これにより、９枚役のいずれかとメロンとが同時当選した場合、有利手順で操作されたときの方が、有利手順と異なる手順で操作されたときよりも、遊技者が獲得する遊技価値の量の期待値が大きくなる点において、遊技者にとって有利度合いが高くなるといえる。
【０６８０】
（Ｐ）  前述した実施の形態においては、付与ポイント総数に応じて遊技者にとって有利度合いが異なる報知条件（たとえば、図１７および図１８、各種割合）を設定し、該報知条件にしたがって第１ＡＴ抽選を行なう例について説明した。しかし、これに限らず、付与ポイント総数から一義的に特定される長さ（ナビストック数、所定ゲーム数消化する期間、ナビ演出を所定回数実行する期間など）に亘りＡＴに制御されるように、第１ＡＴ抽選を行なうように構成してもよい。
【０６８１】
たとえば、第１ＡＴ抽選においては、付与ポイント総数から一義的にナビストック数が設定されるように構成してもよい。より具体的には、付与ポイント総数が所定数（たとえば２）に対しナビストック数として所定数（たとえば１）が設定され、たとえば付与ポイント総数が「６」であるときには、ナビストック数として「３（６／２）」が設定されるように構成してもよい。
【０６８２】
また、第１ＡＴ抽選における他の例としては、付与ポイント総数から一義的にＡＴに制御可能なゲーム数が設定されるように構成してもよい。より具体的には、付与ポイント総数が所定数（たとえば１）に対しＡＴに制御可能なゲーム数として所定数（たとえば１０）が設定され、たとえば付与ポイント総数が「６」であるときには、ＡＴに制御可能なゲーム数として「６０（６×１０）」が設定されるように構成してもよい。このように構成した場合であっても、上記した同様の効果を奏する。
【０６８３】
その他の変形態様について
（１）  前述した実施の形態においては、図７（ｂ）および（ｃ）に示すように、ＲＴであるときよりも準備モードであるときの方が、１ゲーム当りの転落リプレイの当選率が高くなるように判定値数が設定されている例について説明した。しかし、１ゲーム当りの転落リプレイの当選率は、準備モードであるときよりもＲＴであるときの方が高くなるように設定されているものであってもよい。
【０６８４】
たとえば、準備モードおよびＲＴにおける１ゲーム当りの転落リプレイの判定値数が、図３４（ｂ）および（ｃ）に示す判定値数に設定されているものであってもよい。図３４は、変形例における、遊技状態および設定値に基づいて取得される各抽選対象役および判定値数を示す図である。なお、図３４（ａ）、（ｄ）および（ｅ）は、各々、図７（ａ）、（ｄ）および（ｅ）に示す判定値数と同じであるため説明を省略する。
【０６８５】
図３４（ｂ）は、遊技状態がボーナス終了後に制御される準備モードであるときであって、リプレイ、転落リプレイ、ＢＡＲリプレイ各々の内部抽選において取得される判定値数を示す図である。たとえば、設定値が１〜４のときに、内部抽選の対象役が、リプレイであるときに「１０５」が、リプレイ＋転落リプレイであるときに「８８８０」が、リプレイ＋転落リプレイ＋ＢＡＲリプレイであるときに「８８８０」が、判定値数として取得される。
【０６８６】
図３４（ｃ）は、遊技状態が準備モードであるときに特殊出目が停止することにより制御されるＲＴであるときであって、リプレイ、転落リプレイ、ＢＡＲリプレイ各々の内部抽選において取得される判定値数を示す図である。たとえば、設定値が１〜４のときに、内部抽選の対象役が、リプレイであるときに「１５０００」が、リプレイ＋転落リプレイであるときに「１６４５０」が、リプレイ＋転落リプレイ＋ＢＡＲリプレイであるときに「１６４５０」が、判定値数として取得される。
【０６８７】
このように判定値数が設定されている場合であっても、前述した実施の形態と共通する構成においては、同じ効果を奏する。すなわち、１ゲーム当りの転落リプレイの当選率は、転落リプレイの判定値数の合計数から、通常遊技状態であるときに５１２０／６５５３６≒８％であり、準備モードであるときに１７７６０／６５５３６≒２７％であり、ＲＴであるときに３２９００／６５５３６≒５０％であり、内部中ＲＴであるときに１００００／６５５３６≒１５％である。これより、１ゲーム当りの転落リプレイの当選率は、転落リプレイが入賞したとしても遊技状態が維持される通常遊技状態や内部中ＲＴであるときよりも、転落リプレイが入賞することにより通常遊技状態に制御されるという不利益を被る準備モードおよびＲＴであるときの方が、高くなるように設定されている。
【０６８８】
また、準備モードにおける１ゲーム当りの特殊出目の出現率は、９枚役（１）〜（９）の判定値数および取りこぼし率から、（９０００／６５５３６）×（８／９）≒１２％となる。すなわち、図３４に示す判定値数に設定されている場合であても、準備モードにおいては、特殊出目の出現率よりも、転落リプレイの当選率が高くなるように設定されている。このため、準備モードにおいては、特殊出目が停止されるよりも先に転落リプレイに当選する可能性が高いといえる。よって、たとえば非ＡＴ準備モードである場合、転落リプレイ入賞して、通常遊技状態に制御され易いといえる。
【０６８９】
また、１ゲーム当りの転落リプレイの当選率に着目し対比すると、準備モードであるときよりもＲＴであるときの方が、１ゲーム当りの転落リプレイの当選率が高くなるように設定されている。これにより、ＲＴにおいては、準備モードであるときよりも、転落リプレイに当選して入賞する可能性をより一層高めることができる。よって、たとえば非ＡＲＴである場合、非ＡＴ準備モードよりも、転落リプレイ入賞して、通常遊技状態に制御され易いといえる。
【０６９０】
また、図８（ａ）で示した転落リプレイに関するリール制御を考慮した場合であっても、次の効果を奏する。まず、準備モード中であるときの１ゲーム当りの転落リプレイの当選率は、２７％であるため、図８（ａ）で示すリール制御を考慮すると転落リプレイの入賞率は１３．５％となる。よって、転落リプレイを入賞させることなく消化可能となる非ＡＴ準備モード中の平均ゲーム数は、転落リプレイの入賞率から、約７．４ゲームとなる。これより、演出状態がＡＴに制御されていないにも関わらず、準備モードが長期間にわたり継続して制御されることを未然に防止することができ、準備モードが維持され難く通常遊技状態に制御され易くすることができる。
【０６９１】
また、準備モード中であるときの転落リプレイの入賞率は、依然として、ＲＴ制御への契機となる特殊出目の出現率の１２％よりも高い。このため、準備モードにおいて、転落リプレイを偶然取りこぼす確率を加味しても、特殊出目が停止されるよりも先に転落リプレイに当選する可能性が高いといえる。このため、非ＡＴ準備モードであるときには、内部当選状況を把握することができず、転落リプレイの入賞率と特殊出目の出現率とから、特殊出目が停止されるよりも先に転落リプレイに当選して入賞する可能性が高まるため、通常遊技状態に制御され易くＲＴに制御され難くすることができる。
【０６９２】
一方、ＡＴ準備モードであるときには、内部当選状況を把握することができ、転落リプレイの当選率が高確率であるとしても意図的に転落リプレイ入賞を回避することができる。このため、ＡＴ準備モードであるときには、通常遊技状態に制御されることを回避でき、特殊出目を停止させることにより結果的にＲＴに制御させることができる。
【０６９３】
すなわち、遊技者にとって有利なＲＴに制御される前段階の遊技状態として準備モードを設け、当該準備モードにおける演出状態がＡＴに制御されていないときには、準備モードから通常遊技状態に制御され易くすることによりＲＴに制御され難くし、当該準備モードにおける演出状態がＡＴに制御されているときには、確実にＲＴに制御させることができる。このため、準備モードにおける演出状態がＡＴに制御されるか否かにより遊技者にとっての有利度合いの差が大きくなりメリハリをつけることができるため、演出状態がＡＴに制御されることに対する期待感を効果的に高めることができ、遊技の興趣を向上させることができる。
【０６９４】
また、ＲＴ中であるときの１ゲーム当りの転落リプレイの当選率は、５０％であるため、図８（ａ）で示すリール制御を考慮すると転落リプレイの入賞率は２５％となる。よって、転落リプレイを入賞させることなく消化可能となる非ＡＲＴ中の平均ゲーム数は、転落リプレイの入賞率から、約４ゲームとなる。これより、演出状態がＡＴに制御されていないにも関わらず、運良くＲＴに制御されたとしても、当該ＲＴが長期間にわたり継続して制御されることを未然に防止し、通常遊技状態に制御され易くすることができる。
【０６９５】
一方、ＡＲＴであるときには、内部当選状況を把握することができ、転落リプレイの当選率が高確率であるとしても意図的に転落リプレイ入賞を回避することができる。このため、ＡＲＴであるときには、通常遊技状態に制御されることを回避でき、結果的にＲＴを維持させることができる。
【０６９６】
すなわち、非ＡＴ準備モードから運良く非ＡＲＴに制御されたとしても、通常遊技状態に制御され易くすることによりＲＴを維持し難くし、ＡＲＴであるときには確実にＲＴを継続させることができる。このため、ＲＴにおける演出状態がＡＴに制御されるか否かにより遊技者にとっての有利度合いの差が大きくなりメリハリをつけることができるため、演出状態がＡＴに制御されることに対する期待感を効果的に高めることができ、遊技の興趣を向上させることができる。
【０６９７】
以上、１ゲーム当りの転落リプレイの当選率について、ＲＴであるときよりも準備モードであるときの方が高くなるように判定値数が設定されているスロットマシンであってもよく、準備モードであるときよりもＲＴであるときの方が高くなるように判定値数が設定されているスロットマシンであってもよい例について説明した。しかし、ＲＴであるときよりも準備モードであるときの方が高くなるように判定値数が設定されているＲＴと準備モードとの組合せと、準備モードであるときよりもＲＴであるときの方が高くなるように判定値数が設定されているＲＴと準備モードとの組合せとを併せ持つスロットマシンであってもよい。
【０６９８】
たとえば、準備モードおよびＲＴ各々が複数種類設けられており、たとえば、第１種類の特別遊技状態（たとえばビッグボーナス）終了後において第１種類の準備モードに制御され、該第１種類の準備モードにおいて所定の有利条件が成立すると第１種類のＲＴに制御され、準備モードおよびＲＴにおいて所定の終了条件が成立すると通常遊技状態に制御される一方、第２種類の特別遊技状態（たとえばレギュラーボーナス）終了後において第２種類の準備モードに制御され、該第２種類の準備モードにおいて所定の有利条件が成立すると第２種類のＲＴに制御され、準備モードおよびＲＴにおいて所定の終了条件が成立すると通常遊技状態に制御されるスロットマシンにおいて、第１種類の準備モードと第１種類のＲＴとの組合せについてはＲＴであるときよりも準備モードであるときの方が高くなるように判定値数が設定されており、第２種類の準備モードと第２種類のＲＴとの組合せについては準備モードであるときよりもＲＴであるときの方が高くなるように判定値数が設定されているものであってもよい。これにより、どの種類の準備モードに制御されるのかに対し遊技者の期待感を異ならせることができ、遊技の興趣を向上させることができる。
【０６９９】
（２）  前述した実施の形態において、準備モードは転落リプレイに入賞することにより終了して通常遊技状態に制御される例について説明したが、転落リプレイに入賞したとしても通常遊技状態に制御されずに準備モードに継続して制御するものであってもよい。すなわち、準備モードは、特殊出目が停止されるか、ボーナス当選あるいは入賞するまで継続して制御するものであってもよい。この場合、たとえば、準備モードにおいて当選した９枚役の種類毎に対応する特定の操作手順でストップスイッチ８Ｌ〜８Ｒが操作されたときにだけ特殊出目を停止させるリール制御が行なわれるようにするとともに、ＡＴ準備モードにおいてのみ９枚役に当選したときに当該９枚役の種類あるいは当該９枚役の種類に対応する特定の操作手順を特定可能な情報を報知するナビ演出を行なうように構成してもよい。これにより、前述した実施の形態と同様に、準備モードにおいてＡＴに制御されるか否かに応じて特殊出目の出現率が異なり、たとえばＡＴに制御されているときには特殊出目を停止させることができＲＴに制御され易くなるが、ＡＴに制御されていないときには特殊出目を停止させることが困難となりＲＴに制御され難くすることができる。その結果、準備モードにおいてＡＴに制御されるか否かにより遊技者にとっての有利度合いにメリハリをつけることができ、ＡＴ準備モードに制御されることに対する期待感を効果的に高め、遊技の興趣を向上させることができる。
【０７００】
（３）  前述した実施の形態において、ナビストック数を１消費することにより、所定回数ゲーム消化する間ＡＴに制御する例について説明したが、これに限らず、ナビストック数は転落リプレイのナビ演出を実行する毎に１消費するようにしてもよい。ナビストック数は、ＲＴにおいてＡＴに制御する期間を特定する値であればどのようなものであってもよい。
【０７０１】
（４）  前述した実施の形態において、所定回数ゲーム消化により実行される第２ＡＴ抽選において、非ＡＴ準備モードであるときと、非ＡＲＴであるときとで同じテーブル（図２５（ｄ）参照）を用いる例について説明したが、これに限らず、非ＡＴ準備モードであるときと、非ＡＲＴであるときとで有利度合いが異なるテーブル、すなわちＡＴ当選する確率やより多いナビストック数に決定される割合が異なるテーブルを用いて第２ＡＴ抽選が行なわれるようにしてもよい。これにより、仮に、非ＡＴ準備モードであるときの方が、非ＡＲＴであるときよりも有利な第２ＡＴ抽選が行なわれるようにした場合には、準備モードであるときの方がＲＴであるときよリプレイ当選確率が低いことによる損失を補填することができる。また、非ＡＲＴであるときの方が、非ＡＴ準備モードであるときよりも有利な第２ＡＴ抽選が行なわれるようにした場合には、ＲＴ中の有利度合いを高めることができる。
【０７０２】
（５）  前述した実施の形態において、所定回数ゲーム消化により実行される第２ＡＴ抽選においては、ＡＴに制御される割合およびより多いナビストック数に決定される割合がゲーム消化に応じて段階的に高くなる例について説明した。これにより、非ＡＴ中において転落リプレイに入賞せずに極力多い回数ゲーム消化することに対する期待感を抱かせることができ、遊技の興趣を向上させることができる。なお、これに限らず、所定回数ゲーム消化により実行される第２ＡＴ抽選においては、ＡＴに制御される割合あるいはより多いナビストック数に決定される割合がゲーム消化に応じて段階的に低くなるようにしてもよい。これにより、非ＡＴ中において極力早い段階でＡＴ当選することに対する期待感を抱かせることができ、遊技の興趣を向上させることができる。
【０７０３】
（６）  前述した実施の形態において、ボーナス当選したときの遊技状態が、準備モードであるか、ＲＴであるか、通常遊技状態であるか、演出状態がＡＴであるか、あるいは確率状態が高確率状態であるかに関わらず、遊技者にとっての有利度合いが同じテーブルを用いて第１ＡＴ抽選を行なう例について説明したが、これに限らず、ボーナス当選したときの遊技状態が、準備モードであるか、ＲＴであるか、通常遊技状態であるか、演出状態がＡＴであるか、あるいは確率状態が高確率状態であるかのうち、少なくともいずれかに応じて、遊技者にとって有利度合いが異なるテーブルを用いて第１ＡＴ抽選を行なうようにしてもよい。  また、前述した実施の形態において、準備モードにおいてボーナス当選したときには、ＡＴ中であるか否かに関わらず、遊技者にとっての有利度合いが同じテーブルを用いて第２ＡＴ抽選を行なう例について説明したが、これに限らず、ＡＴ中であるか否かに応じて、遊技者にとって有利度合いが異なるテーブルを用いて第２ＡＴ抽選を行なうようにしてもよい。また、ＲＴにおいてボーナス当選したときには、ＡＴ中であるか否かに応じて、遊技者にとって有利度合いが異なるテーブルを用いて第２ＡＴ抽選を行なう例について説明したが、これに限らず、ＡＴ中であるか否かに関わらず、遊技者にとっての有利度合いが同じテーブルを用いて第２ＡＴ抽選を行なうようにしてもよい。
【０７０４】
（７）  前述した実施の形態において、ＲＴは規定ゲーム（たとえば１００ゲーム）消化することにより終了するものであってもよい。また、特殊出目の種類によって有利度合い（リプレイ当選率、規定ゲーム数）が異なるＲＴに制御するようにしてもよい。これにより、ＲＴのバリエーションを豊富にすることができ、遊技の興趣を向上させることができる。
【０７０５】
（８）  前述した実施の形態において、特殊出目を入賞ラインに停止させるリール制御は、遊技状態に関わらず、９枚役当選時において当該９枚役を取りこぼしたときにのみ行なわれる例について説明した。しかし、特殊出目を入賞ラインに停止させるリール制御は、９枚役当選時において当該９枚役を取りこぼしたときで、かつ遊技状態が準備モードであるときにのみ行なわれるように構成してもよい。これにより、通常遊技状態において特殊出目が停止されたにも関わらずＲＴに制御されないことにより、遊技者の混乱を招く不都合の発生を未然に防止することができる。
【０７０６】
また、前述した実施の形態においては、通常遊技状態であるときに特殊出目が停止されたときであっても、ＲＴに制御されない例について説明したが、これに限らず、通常遊技状態においても低確率でＲＴに制御されるように構成してもよい。また、通常遊技状態において特殊出目のうち特別出目（たとえば、図５（ｂ）に示す特殊出目のうち赤７−ブランク（１）−ブランク（１））が停止されたときにのみＲＴに制御されるように構成してもよい。これにより、通常遊技状態から直接ＲＴに制御されることに対する期待感を遊技者に抱かせることができる。
【０７０７】
（９）  前述した実施の形態においては、ＡＴ抽選において、ボーナス当選するまでＡＴに制御する特別ナビストック数が決定され得るようにしてもよい。これにより特別ナビストック数に当選することに対する期待感を遊技者に抱かせることができる。この場合、特別ナビストック数は、準備モードにおいてボーナス当選したときにおいて、通常遊技状態においてボーナス当選したときよりも、ＡＴ抽選において高確率で当選するようにしてもよい。また、特別ナビストック数は、準備モードにおいてボーナス当選したときにおいて、ＲＴにおいてボーナス当選したときよりも、ＡＴ抽選において高確率で当選するようにしてもよい。これにより、準備モードにおいてボーナス当選することにプレミアを付加することができ、遊技の興趣を向上させることができる。
【０７０８】
（１０）  前述した実施の形態においては、特別役に当選しているときであってさらに払出枚数が賭数３以上の小役（以下、通常小役という）に当選しているゲームにおいては、当該通常小役に対応する図柄組合せを優先して導出させ、特別役に当選しているときであってさらに払出枚数が賭数３よりも少ない小役（以下、特定小役という）が設けられている場合であって、当該特定小役が当選しているゲームにおいては、特定小役に対応する図柄組合せよりもビッグボーナスやレギュラーボーナスに対応する図柄組合せを優先して導出させるリール制御を行なう例について説明した。このようなリール制御に加えて、以下のリール制御を行なうように構成してもよい。
【０７０９】
メダルの払出枚数が賭数と同じ同等小役と、特別役が当選しているときには、たとえば、特別役よりも同等小役を優先的に入賞させるリール制御を行なうように構成してもよい。これにより、同等小役に入賞させて払い出されたメダルで次のゲームを開始でき当該ゲームにおいて通常小役に当選することに対する期待感を遊技者に抱かせることができる。また、同等小役と特別役とが当選しているときには、同等小役よりも特別役を優先的に入賞させるリール制御を行なうように構成してもよい。これにより、特別役を入賞させるまでに要するゲーム数およびメダル数を低減させることができる。
【０７１０】
また、イチゴのように入賞ライン数に応じてメダルの払出枚数が変化し、たとえば、賭数以下となるときと賭数よりも多くなるときとがあり得る特殊小役について、当該特殊小役と、特別役とが当選しているときには、払出枚数が賭数より多くなるように特殊小役を入賞させることが可能な操作手順で操作されたときに、特別役よりも特殊小役を優先的に入賞させるようにリール制御を行ない、払出枚数が賭数以下となるようにしか特殊小役を入賞させることができない操作手順で操作されたときに、特殊小役よりも特別役を優先的に入賞させるようにリール制御を行なうように構成してもよい。これにより、操作手順をも考慮して、遊技者にとって不利なゲーム結果となる表示結果が導出されることを極力低減することができ、遊技者にとって有利なゲーム結果となる表示結果を優先的に導出させることができる。
【０７１１】
なお、特別役に当選しているときであってさらに小役に当選しているゲームにおいては、当選している小役の払出枚数に関わらず、特別役よりも小役に対応する図柄組合せを優先して導出させるリール制御を行なうものであってもよい。
【０７１２】
また、通常小役と特定小役とを抽選対象役として同時に読出して抽選するように構成してもよい。このように構成した場合には、たとえば、特別役の当選が持ち越されている状態で、通常小役と特定小役とが当選した場合には、特別役、通常小役、および特定小役に同時に当選している状況になる。この場合には、特別役および特定小役よりも通常小役を優先的に入賞させるリール制御を行ない、通常小役を入賞させることができないときに特定小役よりも特別役を優先的に入賞させるリール制御を行ない、通常小役および特別役を入賞させることができないときに特定小役を入賞させるリール制御を行なうように構成してもよい。これにより、通常小役と特定小役とが同時に当選した場合であっても、遊技者にとって不利なゲーム結果となる表示結果が導出されることを極力低減することができ、遊技者にとって有利なゲーム結果となる表示結果を優先的に導出させることができる。
【０７１３】
（１１）  前述した実施の形態において、ボーナス当選報知後、ボーナスを入賞させるチャンスタイミングであることを報知するチャンス演出を行なう例について説明した。チャンス演出としては、当選しているボーナスの種類、当該ボーナスを入賞させるための操作手順など、遊技者にとって有利な情報を報知するナビ演出を行なうように構成してもよい。
【０７１４】
（１２）  前述した実施の形態におけるスロットマシンが流通する業界においては、出荷前段階において第三者機関による検査（型式試験）が義務づけられており、当該型式試験において所定の基準を満たしていると判定された機種のみ遊技場への出荷が許されるといった特別な事情を有している。また、近年においては、射倖性が高まり過ぎないようにするために、スロットマシンが市場に出荷されて実際に遊技者によって遊技された場合を想定した試験を行なえるようにすることが求められている。
【０７１５】
そこで、前述した実施の形態におけるスロットマシンにおいては、このような特別な事情およびニーズを考慮して、“スロットマシンが市場に出荷されて実際に遊技者によって遊技された場合を想定して試験を行なうことができる情報”を出力するための“出力手段”をさらに備えるものであってもよい。以下、図３５を参照して、遊技制御基板、演出制御基板、および入出力基板を“出力手段”の一例として説明し、推奨操作手順情報を“スロットマシンが市場に出荷されて実際に遊技者によって遊技された場合を想定して試験を行なうことができる情報”の一例として説明する。図３５は、型式試験を行なうための試験装置１２００と試験に用いる試験用情報を入出力するための入出力基板１１００が搭載されたスロットマシンの制御回路の一例を示すブロック図である。
【０７１６】
スロットマシン１から試験装置１２００に出力される試験用情報には、図３５に示すように、ゲーム開始および当選状況を特定するための当選状況情報、リールモータ３２Ｌ〜３２Ｒ各々の回転位置（たとえば、所定位置のステップ番号、下段に位置している図柄の領域番号など）を特定するための回転位置情報、ナビ演出の有無などを考慮して実際に遊技者によって操作されることが予測される推奨操作手順を特定するための推奨操作手順情報が含まれる。なお、スロットマシン１から試験装置１２００に出力される試験用情報には、入賞が発生したことおよびその種類を特定するための入賞情報やメダルが払い出されたことを特定するための払出情報など、その他の情報が含まれる。
【０７１７】
また、試験装置１２００からスロットマシン１に入力される試験用情報には、図３５に示すように、ゲームを開始するために賭数設定やリール回転などゲームを開始させるためのゲーム開始情報、リールを停止させるなどゲームを終了させるためのゲーム終了情報が含まれる。
【０７１８】
スロットマシン１に搭載された入出力基板１１００には、遊技制御基板４０と電気的に接続するためのコネクタ１１０１と、演出制御基板９０と電気的に接続するためのコネクタ１１０２と、試験装置１２００と電気的に接続するためのコネクタ１１０３とが設けられている。前述した型式試験は、入出力基板１００と試験装置１２００とがコネクタにより接続された状態で、各種情報を入出力させることにより行なわれる。以下、型式試験が行なわれる際の各種情報の流れおよび動作について、具体的に説明する。
【０７１９】
まず、試験装置１２００は、スロットマシン１においてゲームを開始させるために、ゲーム開始情報を出力する。当該ゲーム開始情報は、入出力基板１１００を介して遊技制御基板４０に入力される。これにより、遊技制御基板４０のメイン制御部４１においては、ゲームを開始させるための処理（ＢＥＴ処理において賭数設定、抽選処理、リール回転処理など）を行なう。
【０７２０】
そして、遊技制御基板４０のメイン制御部４１は、ゲーム開始時に当選状況情報を生成して出力する。当該当選状況情報は、入出力基板１１００を介して試験装置１２００に入力される。これにより、試験装置１２００において、ゲームが開始されたこと、および当選状況を特定することができる。
【０７２１】
また、遊技制御基板４０のメイン制御部４１は、リール回転に応じて回転位置情報を生成して出力する。当該回転位置情報は、たとえばリールモータ３２Ｌ〜３２Ｒ各々の１６８ステップのうち所定位置に存在するステップを特定するための情報であって、入出力基板１１００を介して試験装置１２００に入力される。これにより、試験装置１２００において、リール２Ｌ〜２Ｒ各々について現在の回転位置を特定することができる。
【０７２２】
また、演出制御基板９０のサブ制御部９１は、当選状況等に応じて推奨操作手順情報を生成して出力する。当該推奨操作手順情報は、入出力基板１１００を介して試験装置１２００に入力される。これにより、試験装置１２００において、推奨操作手順を特定することができる。
【０７２３】
試験装置１２００は、回転位置情報から特定されるリール２Ｌ〜２Ｒの現在の回転位置に基づき、推奨操作手順情報から特定される推奨操作手順でリール２Ｌ〜２Ｒ各々を停止させるためのゲーム終了情報を生成して出力する。当該ゲーム終了情報は、入出力基板１１００を介して遊技制御基板４０に入力される。これにより、遊技制御基板４０のメイン制御部４１においては、ゲーム終了情報にしたがってリール２Ｌ〜２Ｒ各々を停止させ、ゲームを終了させるための処理（リール回転処理、入賞判定処理、払出処理など）を行なう。これにより、推奨操作手順でリール２Ｌ〜２Ｒ各々を停止させることができる。
【０７２４】
以上のように、入出力基板１１００を介して、スロットマシン１と試験装置１２００との間で情報の入出力が繰り返し行なわれ、自動的にゲームを繰り返し行なうことができる。その結果、自動的にスロットマシン１についての型式試験を行なうことができる。
【０７２５】
推奨操作手順は、前述したように、スロットマシンが市場に出荷されて実際に遊技者によって遊技された場合を想定して試験を行なうことができるようにするための情報であればよい。たとえば、推奨操作手順は、当選状況に関連する情報を報知する遊技演出（たとえば、チャンス演出等）によって遊技者に実際に停止させようとする図柄組合せを導出させるための操作手順であり、当選状況に関連する情報を報知する遊技演出が行なわれていないときには所定の操作手順（小役取りこぼしを最小限に抑える手順、いわゆるＤＤＴ打法、ＫＫＫ打法など）であってもよい。
【０７２６】
具体的に、推奨操作手順とは、前述したチャンス演出が実行されるときには実際に停止させようとする図柄組合せが当選しているボーナスであるため、当該ボーナスの組合せを導出させるための操作手順をいう。これにより、試験装置１２００では、回転位置情報から特定されるリール２Ｌ〜２Ｒ各々の現在の回転位置が推奨操作手順情報から特定されるリール２Ｌ〜２Ｒ各々の位置となったときに、対応するリールを停止させるためのゲーム終了情報を出力する。その結果、推奨操作手順でリール２Ｌ〜２Ｒ各々を停止させることができ、スロットマシン１において当選しているボーナス入賞を発生させることができる。
【０７２７】
これにより、推奨操作手順情報が入力される試験装置においては、当選状況に関連する情報を報知する遊技演出によって遊技者に実際に停止させようとする図柄組合せを導出させるための推奨操作手順を特定することができる。その結果、推奨操作手順で操作された場合の結果に基づいて型式試験を行なうことができるため、スロットマシンが市場に出荷されて実際に遊技者によって遊技された場合を想定して試験を行なうことができる。
【０７２８】
また、当選状況に関連する情報を報知する遊技演出が行なわれていないときにおける推奨操作手順は、所定の操作手順（操作手順によって取りこぼしが発生する所定の小役を含む場合において当該所定の小役取りこぼしを最小限に抑える手順、いわゆるＤＤＴ打法、ＫＫＫ打法など）であってもよい。たとえば、ボーナスの当選の有無を認識していない遊技者は、通常、所定の小役を極力入賞可能とさせるように停止操作することが考えられる。なぜなら、当選している所定の小役を取りこぼしてしまう可能性を最小限に抑えることができるためである。すなわち、所定の小役を入賞可能とさせるように停止操作することにより、所定の小役を入賞させないように停止操作した場合と比較して、たとえば、所定の小役に当選しているときには確実に入賞させることができ、また所定の小役に当選しておらず他の小役（たとえば、取りこぼしなしの小役）に当選していたときには当該当選している小役を引き込むことができ、取りこぼしてしまう可能性を最小限に抑えることができるためである。これにより、たとえば所定の小役を入賞させることができない操作手順と比較して、所定の小役を入賞させる操作手順で停止操作することにより、小役を取りこぼしてしまう可能性を低減させることができる。
【０７２９】
なお、当選状況に関連する情報を報知する遊技演出が行なわれていないときにおける推奨操作手順は、任意の操作手順（いわゆるオヤジ打ち）であってもよい。なぜなら、遊技演出が行なわれていないときに、遊技者は、ゲームの進行を迅速にすることを考慮して、目押しをせずにゲームを進行することが考えられるためである。この場合の推奨操作手順情報とは、リール２Ｌ〜２Ｒ各々について領域番号０〜２０を特定可能な情報をいう。
【０７３０】
これにより、推奨操作手順情報が入力される試験装置においては、当選状況に関連する情報を報知する遊技演出が行なわれていないときであっても、遊技者に実際に停止させようとする図柄組合せを導出させるための推奨操作手順を特定することができる。その結果、推奨操作手順で操作された場合の結果に基づいて型式試験を行なうことができるため、スロットマシンが市場に出荷されて実際に遊技者によって遊技された場合を想定していわゆるＡＴ中でないときについても試験を行なうことができる。
【０７３１】
なお、当選状況に関連する情報を報知する遊技演出が行なわれていないときに出力する推奨操作手順情報は、所定の操作手順（小役取りこぼしを最小限に抑える手順、いわゆるＤＤＴ打法、ＫＫＫ打法など）を特定するための第１情報と、任意の操作手順（いわゆるオヤジ打ち）を特定するための第２情報とを出力するように構成してもよい。これにより、試験装置１２００においては、必要に応じて第１情報または第２情報を用いて当選状況に関連する情報を報知する遊技演出が行なわれていないときの試験を行なうことができ、実際に遊技者によって遊技された場合により近い状態で当選状況に関連する情報を報知する遊技演出が行なわれていないときの試験を行なうことができる。
【０７３２】
サブ制御部９１は、たとえば、メイン制御部４１からの内部当選コマンドおよび遊技状態コマンドに基づき、第１のストローブ信号を出力し、左リール２Ｌについての領域番号を特定するためのデータを出力し、第２のストローブ信号を出力し、中リール２Ｃについての領域番号を特定するためのデータを出力し、さらに、第３のストローブ信号を出力し、右リール２Ｒについての領域番号を特定するためのデータを出力することにより、推奨操作手順情報の出力を完了する。これにより、入出力基板１１００を介して推奨操作手順情報が試験装置１２００に入力される。そして、試験装置１２００側においては、推奨操作手順情報から各リールについての停止操作すべき位置を特定することができ、回転位置情報から特定される回転位置を考慮して、ゲーム終了情報を出力し、推奨操作手順で各リールを停止させることができる。
【０７３３】
なお、推奨操作手順が、リール停止順序をも含む場合には、サブ制御部９１は、たとえば、メイン制御部４１からの内部当選コマンドおよび遊技状態コマンドに基づき、第１のストローブ信号を出力し、第１停止させるリールについての領域番号を特定するためのデータを出力し、第２のストローブ信号を出力し、第２停止させるリールについての領域番号を特定するためのデータを出力し、さらに、第３のストローブ信号を出力し、第３停止させるリールについての領域番号を特定するためのデータを出力することにより、推奨操作手順情報の出力を完了する。これにより、入出力基板１１００を介して推奨操作手順情報が試験装置１２００に入力される。そして、試験装置１２００側においては、推奨操作手順情報から各リールについての停止操作すべき位置に加えてリール停止順序を特定することができ、回転位置情報から特定される回転位置を考慮して、ゲーム終了情報を出力し、推奨操作手順で各リールを停止させることができる。
【０７３４】
なお、型式試験が終了した後においては、前述したコネクタ１１０３を介して不正な情報を入力するような不正行為が行なわれることが考えられる。これを回避するために、たとえば、コネクタ１１０３は、入出力基板１１００から取り外し可能に設け、出荷段階においては、コネクタ１１０３を取り外すことができるように構成されていてもよい。また、出荷段階においては、入出力基板１１００を搭載させずに出荷するように構成してもよい。これにより、不正な情報を入力するような不正行為を未然に防止することができる。
【０７３５】
（１３）  前述した実施の形態におけるスロットマシンにおいて、特別役と小役とが同時に当選するように構成してもよい。また、同時に当選する特別役と小役の組合せは、次のようなものであってもよい。ここでは、特別役として、ボーナス（Ａ）とボーナス（Ｂ）を例示し、このボーナス（Ａ）および（Ｂ）は、各々、所定のオレンジ（構成図柄の組合せ：オレンジ−オレンジ−オレンジ）またはプラム（構成図柄の組合せ：プラム−プラム−プラム）といった１５枚払出の小役のいずれかと１枚（１）または１枚（２）といった１枚払出の小役のいずれかとが内部抽選において同時に抽選対象役として読み出され、同時に読み出されたビッグボーナスと小役とが重複して当選し得るように構成される例について説明する。抽選対象役として読み出される組合せは、オレンジ、ボーナス（Ａ）＋オレンジ、オレンジ＋１枚（１）、ボーナス（Ａ）＋オレンジ＋１枚（１）、プラム、ボーナス（Ｂ）＋プラム、プラム＋１枚（２）、ボーナス（Ｂ）＋プラム＋１枚（２）が含まれる。なお、ボーナス（Ａ）およびボーナス（Ｂ）とは、次のような組合せであってもよい。たとえば、ボーナス（Ａ）は、前述した実施の形態におけるビッグボーナス（１）で、ボーナス（Ｂ）は、前述した実施の形態におけるビッグボーナス（２）であってもよい。
【０７３６】
これらボーナス（Ａ）、ボーナス（Ｂ）、オレンジ、プラム、１枚（１）、１枚（２）各々の役を構成する図柄（図柄の組合せ）は、リール２Ｌ、２Ｃ、２Ｒ各々において５コマ以内に配置されておらず、原則として、ストップスイッチ８Ｌ、８Ｃ、８Ｒを適正なタイミングで操作しなければ、入賞させることができない組合せが設定されている。
【０７３７】
さらに、ボーナス（Ａ）と、当該ボーナス（Ａ）と同時当選し得るオレンジと、１枚（１）各々の役を構成する図柄（図柄の組合せ）は、所定のリールにおいて最大引込範囲である４コマを超えて配列されている。その結果、ボーナス（Ａ）と、当該ボーナス（Ａ）と同時当選し得るオレンジと１枚（１）各々の役は、同時に狙える停止操作位置が存在しないように構成されている。
【０７３８】
また、ボーナス（Ｂ）と、当該ボーナス（Ｂ）と同時当選し得るプラムと、１枚（２）各々の役を構成する図柄（図柄の組合せ）は、所定のリールにおいて最大引込範囲である４コマを超えて配列されている。その結果、ボーナス（Ｂ）と、当該ボーナス（Ｂ）と同時当選し得るプラムと１枚（２）各々の役は、同時に狙える停止操作位置が存在しないように構成されている。
【０７３９】
さらに、オレンジと、１枚（１）と、プラムと、１枚（２）各々の役を構成する図柄（図柄の組合せ）は、所定のリールにおいて最大引込範囲である４コマを超えて配列されているために、同時に狙える停止操作位置が存在しないように構成されている。
【０７４０】
入賞役として、このようなボーナス（Ａ）、ボーナス（Ｂ）、オレンジ、プラム、１枚（１）、１枚（２）を含むスロットマシンにおいては、さらに以下のような構成を備えるものであってもよい。
【０７４１】
（１３−１）  従来のスロットマシンでは、取りこぼす可能性のある特定役の当選時に用いるリールの停止制御パターンと、いずれの役も当選していない場合に用いるリールの停止制御パターンと、を異なるものとし、特定役を取りこぼした際に、いずれの役も当選していない場合には停止することのない特定の停止態様を停止させることで特定役の取りこぼしを示唆するものがあるが、特定役を取りこぼした際に停止する特定の停止態様を遊技者が知らなければ、当選した特定役を取りこぼしたことを知ることできず、このような場合に単に特定役が当選していなかったのか、当選した特定役を取りこぼしたのか、を判別することが困難である。そこで、次のように構成してもよい。
【０７４２】
オレンジ、ボーナス（Ａ）＋オレンジ、オレンジ＋１枚（１）、ボーナス（Ａ）＋オレンジ＋１枚（１）が当選し、第１停止時（全てのリールが変動中においていずれかのリールの停止操作がなされたとき）においてオレンジ役の構成図柄を入賞ラインに引き込めない停止操作位置で停止操作がなされた場合に、プラム役の構成図柄を入賞ラインのいずれかに引き込む制御を行ない、残りのリールにおいてプラム役の構成図柄の停止した入賞ラインにオレンジ役の構成図柄を引き込み可能な停止操作位置で停止操作が行なわれた場合に、プラム役の構成図柄の停止した入賞ラインにオレンジ役の構成図柄を引き込む制御を行なう。
【０７４３】
また、オレンジ、ボーナス（Ａ）＋オレンジ、オレンジ＋１枚（１）、ボーナス（Ａ）＋オレンジ＋１枚（１）が当選し、第１停止時にいずれかの入賞ラインにオレンジ役の構成図柄が停止したが、第２停止時（いずれか２つのリールが変動中において一方のリールの停止操作がなされたとき）においてオレンジ役の構成図柄を第１停止時にオレンジ役の構成図柄が停止した入賞ラインに引き込めない停止操作位置で停止操作がなされたために、第２停止時点において、オレンジ役の構成図柄が停止している入賞ラインに停止させることができなかった場合でも、第３停止時（いずれか１つのリールが変動中において最後のリールの停止操作がなされたとき）において、第１停止時にオレンジ役の構成図柄の停止した入賞ラインにオレンジ役の構成図柄を引き込み可能な停止操作位置で停止操作が行なわれた場合に、第１停止時にオレンジ役の構成図柄の停止した入賞ラインにオレンジ役の構成図柄を引き込む制御を行なうようになっている。
【０７４４】
すなわち第１停止時、第２停止時においてオレンジを取りこぼした場合でも、残りのリールについてオレンジ役の構成図柄を入賞ラインに引き込み可能な停止操作位置で停止操作が行なわれた場合に、オレンジ役の組合せの一部を入賞ラインに揃える制御を行なうようになっている。
【０７４５】
また、プラム、ボーナス（Ｂ）＋プラム、プラム＋１枚（２）、ボーナス（Ｂ）＋プラム＋１枚（２）が当選し、第１停止時、第２停止時においてプラムを取りこぼした場合にも同様の制御を行なうようになっている。
【０７４６】
このため、オレンジ、ボーナス（Ａ）＋オレンジ、オレンジ＋１枚（１）、ボーナス（Ａ）＋オレンジ＋１枚（１）が当選し、第１停止時、第２停止時においてオレンジを取りこぼした場合でも、残りのリールについてオレンジ役の構成図柄を入賞ラインに引き込み可能な停止操作位置で停止操作が行なわれた場合に、オレンジ役の組合せの一部が入賞ラインに揃うので、第１停止時、第２停止時においてオレンジを取りこぼした場合であっても、オレンジ役の組合せの一部が入賞ラインに揃うか否かによって、オレンジを取りこぼしたか否かを容易に判別することができる。また、プラム、ボーナス（Ｂ）＋プラム、プラム＋１枚（２）、ボーナス（Ｂ）＋プラム＋１枚（２）が当選し、第１停止時、第２停止時においてプラムを取りこぼした場合にも同様の効果を有する。
【０７４７】
また、この例では、オレンジ、ボーナス（Ａ）＋オレンジ、オレンジ＋１枚（１）、ボーナス（Ａ）＋オレンジ＋１枚（１）が当選し、第１停止時、第２停止時においてオレンジを取りこぼした場合に、指標となる図柄（第１停止時に取りこぼした場合には、プラム役の構成図柄、第２停止時に取りこぼした場合には第１停止時に停止したオレンジ役の構成図柄）をオレンジ役の構成図柄が止まった停止位置とみなし、オレンジを取りこぼしていない場合に用いる停止制御テーブルを用いて停止制御を行なう。このため、オレンジ役の組合せを入賞ラインに停止させるための停止制御テーブルと、第１停止時、第２停止時においてオレンジを取りこぼした場合にオレンジ役の組合せの一部を入賞ラインに停止させる停止制御テーブルと、を別個に用意する必要がなくなるので、第１停止時、第２停止時においてオレンジを取りこぼした場合にオレンジ役の組合せの一部を入賞ラインに揃える制御を行なう場合でも停止制御テーブルの格納容量を削減できる。また、プラム、ボーナス（Ｂ）＋プラム、プラム＋１枚（２）、ボーナス（Ｂ）＋プラム＋１枚（２）が当選した場合も同様である。
【０７４８】
（１３−２）  従来のスロットマシンでは、小役の単独当選時に用いるリールの停止制御パターンと、小役と特別役の同時当選時に用いるリールの停止制御パターンと、を異なるものとすることでリールの停止態様に応じて特別役の当選に期待を持たせていたが、小役の単独当選時の停止態様と、小役と特別役の同時当選時の停止態様と、が異なるため、その停止態様に応じて特別役に当選しているか否かを遊技者から判別できてしまい、期待感が損なわれてしまうという問題がある。そこで、次のように構成してもよい。
【０７４９】
オレンジ、ボーナス（Ａ）＋オレンジ、オレンジ＋１枚（１）、ボーナス（Ａ）＋オレンジ＋１枚（１）が当選しており、オレンジ役の組合せを入賞ラインに引き込むことが可能な停止操作位置で停止操作がなされた場合に、入賞ラインにオレンジ役の組合せを揃える制御を行なう。
【０７５０】
そのうち、オレンジ、ボーナス（Ａ）＋オレンジが当選している場合には、オレンジ役の組合せを入賞ラインに引き込むことが可能な停止操作位置のうち、オレンジ役の組合せを入賞ラインＬ１、Ｌ２にのみ揃えることが可能な停止操作位置および入賞ラインＬ１〜Ｌ６のいずれにも揃えることが可能な停止操作位置で停止操作がなされた場合には、オレンジ役の組合せを入賞ラインＬ１、Ｌ２に揃える制御を行ない、オレンジ役の組合せを入賞ラインＬ３、Ｌ４にのみ揃えることが可能であり、入賞ラインＬ１、Ｌ２に揃えることができない停止操作位置で停止操作がなされたときのみオレンジ役の組合せを入賞ラインＬ３、Ｌ４に揃える制御を行なう。
【０７５１】
これに対して、オレンジ＋１枚（１）、ボーナス（Ａ）＋オレンジ＋１枚（１）が当選している場合には、オレンジ役の組合せを入賞ラインに引き込むことが可能な停止操作位置のうち、オレンジ役の組合せを入賞ラインＬ３、Ｌ４にのみ揃えることが可能な停止操作位置および入賞ラインＬ１〜Ｌ６のいずれにも揃えることが可能な停止操作位置で停止操作がなされた場合には、オレンジ役の組合せを入賞ラインＬ３、Ｌ４に揃える制御を行ない、オレンジ役の組合せを入賞ラインＬ１、Ｌ２にのみ揃えることが可能であり、入賞ラインＬ３、Ｌ４に揃えることができない停止操作位置で停止操作がなされたときのみオレンジ役の組合せを入賞ラインＬ１、Ｌ２に揃える制御を行なう。
【０７５２】
すなわち、オレンジ、ボーナス（Ａ）＋オレンジが当選しており、オレンジ役の組合せを入賞ラインに引き込むことが可能な停止操作位置で停止操作がなされた場合に、オレンジ役の組合せを入賞ラインＬ３、Ｌ４よりも入賞ラインＬ１、Ｌ２に優先して揃える制御を行ない、オレンジ＋１枚（１）、ボーナス（Ａ）＋オレンジ＋１枚（１）が当選しており、オレンジ役の組合せを入賞ラインに引き込むことが可能な停止操作位置で停止操作がなされた場合に、オレンジ役の組合せを入賞ラインＬ１、Ｌ２よりも入賞ラインＬ３、Ｌ４に優先して揃える制御を行なう。
【０７５３】
同様にプラム、ボーナス（Ｂ）＋プラムが当選しており、プラム役の組合せを入賞ラインに引き込むことが可能な停止操作位置で停止操作がなされた場合に、プラム役の組合せを入賞ラインＬ３、Ｌ４よりも入賞ラインＬ１、Ｌ２に優先して揃える制御を行ない、プラム＋１枚（２）、ボーナス（Ｂ）＋プラム＋１枚（２）が当選しており、プラム役の組合せを入賞ラインに引き込むことが可能な停止操作位置で停止操作がなされた場合に、プラム役の組合せを入賞ラインＬ１、Ｌ２よりも入賞ラインＬ３、Ｌ４に優先して揃える制御を行なう。
【０７５４】
このような構成により、オレンジ、ボーナス（Ａ）＋オレンジ、プラム、ボーナス（Ｂ）＋プラム、が当選している場合には、オレンジ役またはプラム役の組合せが入賞ラインＬ１、Ｌ２に揃う可能性が高く、オレンジ＋１枚（１）、ボーナス（Ａ）＋オレンジ＋１枚（１）、プラム＋１枚（２）、ボーナス（Ｂ）＋プラム＋１枚（２）が当選している場合には、オレンジ役またはプラム役の組合せが入賞ラインＬ３、Ｌ４に揃う可能性が高い。すなわちオレンジ、ボーナス（Ａ）＋オレンジ、プラム、ボーナス（Ｂ）＋プラムが当選している場合にオレンジ、プラムが入賞した場合と、オレンジ＋１枚（１）、ボーナス（Ａ）＋オレンジ＋１枚（１）、プラム＋１枚（２）、ボーナス（Ｂ）＋プラム＋１枚（２）が当選している場合にオレンジ、プラムが入賞した場合と、でオレンジ役またはプラム役の組合せが揃いやすい入賞ラインが異なる。
【０７５５】
以上のようなリール制御を行なうように構成した上で、さらに内部抽選においてオレンジ、ボーナス（Ａ）＋オレンジの当選確率の合計値に占めるボーナス（Ａ）＋オレンジの当選確率の比率よりもオレンジ＋１枚（１）、ボーナス（Ａ）＋オレンジ＋１枚（１）の当選確率の合計値に占めるボーナス（Ａ）＋オレンジ＋１枚（１）の当選確率の比率が高くなる確率にてオレンジ、ボーナス（Ａ）＋オレンジ、オレンジ＋１枚（１）、ボーナス（Ａ）＋オレンジ＋１枚（１）の抽選を行なう。同様にプラム、ボーナス（Ｂ）＋プラムの当選確率の合計値に占めるボーナス（Ｂ）＋プラムの当選確率の比率よりもプラム＋１枚（２）、ボーナス（Ｂ）＋プラム＋１枚（２）の当選確率の合計値に占めるボーナス（Ｂ）＋プラム＋１枚（２）の当選確率の比率が高くなる確率にてプラム、ボーナス（Ｂ）＋プラム、プラム＋１枚（２）、ボーナス（Ｂ）＋プラム＋１枚（２）の抽選を行なう。
【０７５６】
これにより、オレンジと１枚（１）のうちオレンジが単独で当選している場合よりもオレンジと１枚（１）が同時に当選している場合の方がボーナス（Ａ）と同時に当選している割合が高まり、プラムと１枚（２）のうちプラムが単独で当選している場合よりもプラムと１枚（２）が同時に当選している場合の方がボーナス（Ｂ）と同時に当選している割合が高まることとなるため、オレンジ役またはプラム役の組合せが揃った入賞ラインが、入賞ラインＬ１、Ｌ２であるか、入賞ラインＬ３、Ｌ４であるか、によって特別役の当選に対する遊技者の期待度に変化を持たせることができる。
【０７５７】
さらに、オレンジ役またはプラム役の組合せが揃った入賞ラインが、入賞ラインＬ１、Ｌ２であっても、入賞ラインＬ３、Ｌ４であっても、ともに特別役が当選している可能性が示唆されるが、役が揃った入賞ラインから特別役が当選しているか否かを判別することは不可能であり、役がいずれの入賞ラインに揃った場合でも、特別役が当選していることに対する遊技者の期待感が損なわれてしまうことがない。
【０７５８】
なお、この例では、オレンジ、ボーナス（Ａ）＋オレンジ、プラム、ボーナス（Ｂ）＋プラムが当選しており、オレンジ役またはプラム役の組合せを入賞ラインに引き込むことが可能な停止操作位置で停止操作がなされた場合に、オレンジ役またはプラム役の組合せを入賞ラインＬ３、Ｌ４よりも高い割合で入賞ラインＬ１、Ｌ２に揃える制御を行ない、オレンジ＋１枚（１）、ボーナス（Ａ）＋オレンジ＋１枚（１）、プラム＋１枚（２）、ボーナス（Ｂ）＋プラム＋１枚（２）が当選しており、オレンジ役またはプラム役の組合せを入賞ラインに引き込むことが可能な停止操作位置で停止操作がなされた場合に、オレンジ役またはプラム役の組合せを入賞ラインＬ１、Ｌ２よりも高い割合で入賞ラインＬ３、Ｌ４に揃える制御を行なうようになっているが、オレンジ、ボーナス（Ａ）＋オレンジ、プラム、ボーナス（Ｂ）＋プラムが当選しており、オレンジ役またはプラム役の組合せを入賞ラインに引き込むことが可能な停止操作位置で停止操作がなされた場合に、オレンジ役またはプラム役の組合せを入賞ラインに引き込むことが可能な停止操作位置で停止操作がなされた場合に、オレンジ役またはプラム役の組合せを入賞ラインＬ１、Ｌ２のみに揃える制御を行ない、オレンジ＋１枚（１）、ボーナス（Ａ）＋オレンジ＋１枚（１）、プラム＋１枚（２）、ボーナス（Ｂ）＋プラム＋１枚（２）が当選しており、オレンジ役またはプラム役の組合せを入賞ラインに引き込むことが可能な停止操作位置で停止操作がなされた場合に、オレンジ役またはプラム役の組合せを入賞ラインＬ３、Ｌ４のみに揃える制御を行なうようにしてもよい。
【０７５９】
また、この例では、内部抽選においてオレンジ、ボーナス（Ａ）＋オレンジの当選確率の合計値に占めるボーナス（Ａ）＋オレンジの当選確率の比率と、オレンジ＋１枚（１）、ボーナス（Ａ）＋オレンジ＋１枚（１）の当選確率の合計値に占めるボーナス（Ａ）＋オレンジ＋１枚（１）の当選確率の比率と、が異なる確率にてオレンジ、ボーナス（Ａ）＋オレンジ、オレンジ＋１枚（１）、ボーナス（Ａ）＋オレンジ＋１枚（１）の抽選を行ない、オレンジ、ボーナス（Ａ）＋オレンジが当選しており、オレンジ役の組合せを入賞ラインに引き込むことが可能な停止操作位置で停止操作がなされた場合と、オレンジ＋１枚（１）、ボーナス（Ａ）＋オレンジ＋１枚（１）が当選しており、オレンジ役の組合せを入賞ラインに引き込むことが可能な停止操作位置で停止操作がなされた場合と、で優先して揃える入賞ラインが異なるように制御することで、オレンジ役の組合せが揃った入賞ラインの違いによって特別役の当選に対する遊技者の期待度に変化を持たせることができるようになっているが、内部抽選においてオレンジ、ボーナス（Ａ）＋オレンジ＋１枚（１）の当選確率の合計値に占めるボーナス（Ａ）＋オレンジ＋１枚（１）の当選確率の比率と、オレンジ＋１枚（１）、ボーナス（Ａ）＋オレンジの当選確率の合計値に占めるボーナス（Ａ）＋オレンジの当選確率の比率と、が異なる確率にてオレンジ、ボーナス（Ａ）＋オレンジ、オレンジ＋１枚（１）、ボーナス（Ａ）＋オレンジ＋１枚（１）の抽選を行ない、オレンジ、ボーナス（Ａ）＋オレンジ＋１枚（１）が当選しており、オレンジ役の組合せを入賞ラインに引き込むことが可能な停止操作位置で停止操作がなされた場合と、オレンジ＋１枚（１）、ボーナス（Ａ）＋オレンジが当選しており、オレンジ役の組合せを入賞ラインに引き込むことが可能な停止操作位置で停止操作がなされた場合と、で優先して揃える入賞ラインが異なるように制御することで、オレンジ役の組合せが揃った入賞ラインの違いによって特別役の当選に対する遊技者の期待度に変化を持たせるようにしてもよい。プラム、ボーナス（Ｂ）＋プラム、プラム＋１枚（２）、ボーナス（Ｂ）＋プラム＋１枚（２）の場合についても同様である。
【０７６０】
（１３−３）  従来のスロットマシンでは、取りこぼす可能性のある特定役の当選時に用いるリールの停止制御パターンと、いずれの役も当選していない場合に用いるリールの停止制御パターンと、を異なるものとし、特定役を取りこぼした際に、いずれの役も当選していない場合には停止することのない特定の停止態様を停止させることによって、リールの停止態様に変化を持たせるものがあるが、同じタイミングで停止操作を行なって特定役を取りこぼした際に停止する特定の停止態様が１種類しかなく、リールの停止態様が単調となってしまうという問題がある。そこで、次のように構成してもよい。
【０７６１】
オレンジ、ボーナス（Ａ）＋オレンジが当選しており、オレンジ役の組合せを入賞ラインに引き込めない停止操作位置で停止操作がなされた場合に、オレンジ役またはプラム役を除く所定のチャンス目を入賞ラインＬ３、Ｌ４よりも入賞ラインＬ１、Ｌ２に優先して揃える制御を行ない、オレンジ＋１枚（１）、ボーナス（Ａ）＋オレンジ＋１枚（１）が当選しており、オレンジ役の組合せを入賞ラインに引き込めない停止操作位置で停止操作がなされた場合に、チャンス目を入賞ラインＬ１、Ｌ２よりも入賞ラインＬ３、Ｌ４に優先して揃える制御を行なう。
【０７６２】
同様にプラム、ボーナス（Ｂ）＋プラムが当選しており、プラム役の組合せを入賞ラインに引き込めない停止操作位置で停止操作がなされた場合に、チャンス目を入賞ラインＬ３、Ｌ４よりも入賞ラインＬ１、Ｌ２に優先して揃える制御を行ない、プラム＋１枚（２）、ボーナス（Ｂ）＋プラム＋１枚（２）が当選しており、プラム役の組合せを入賞ラインに引き込めない停止操作位置で停止操作がなされた場合に、チャンス目を入賞ラインＬ１、Ｌ２よりも入賞ラインＬ３、Ｌ４に優先して揃える制御を行なう。
【０７６３】
これにより、オレンジ、ボーナス（Ａ）＋オレンジが当選している場合にも、オレンジ＋１枚（１）、ボーナス（Ａ）＋オレンジ＋１枚（１）が当選している場合にも、オレンジ役の組合せを入賞ラインに引き込むことが可能な停止操作位置で停止操作がなされた場合には、ともにオレンジ役の組合せが入賞ラインに揃うが、オレンジ、ボーナス（Ａ）＋オレンジが当選している場合、すなわちオレンジ、１枚（１）のうちオレンジのみが単独で当選してオレンジを取りこぼした場合には、チャンス目が入賞ラインＬ１、Ｌ２に揃う可能性が高く、オレンジ＋１枚（１）、ボーナス（Ａ）＋オレンジ＋１枚（１）が当選している場合、すなわちオレンジ、１枚（１）の双方が同時に当選してオレンジを取りこぼした場合には、チャンス目が入賞ラインＬ３、Ｌ４に揃う可能性が高い。同様に、プラム、ボーナス（Ｂ）＋プラムが当選している場合にも、プラム＋１枚（２）、ボーナス（Ｂ）＋プラム＋１枚（２）が当選している場合にも、プラム役の組合せを入賞ラインに引き込むことが可能な停止操作位置で停止操作がなされた場合には、ともにプラム役の組合せが入賞ラインに揃うが、プラム、ボーナス（Ｂ）＋プラムが当選している場合、すなわちプラム、１枚（２）のうちプラムのみが単独で当選してプラムを取りこぼした場合には、チャンス目が入賞ラインＬ１、Ｌ２に揃う可能性が高く、プラム＋１枚（２）、ボーナス（Ｂ）＋プラム＋１枚（２）が当選している場合、すなわちプラム、１枚（２）の双方が同時に当選してプラムを取りこぼした場合には、チャンス目が入賞ラインＬ３、Ｌ４に揃う可能性が高い。
【０７６４】
これにより、オレンジ、ボーナス（Ａ）＋オレンジ、プラム、ボーナス（Ｂ）＋プラムが当選してオレンジ、プラムを取りこぼした場合と、オレンジ＋１枚（１）、ボーナス（Ａ）＋オレンジ＋１枚（１）、プラム＋１枚（２）、ボーナス（Ｂ）＋プラム＋１枚（２）が当選してオレンジ、プラムを取りこぼした場合と、でチャンス目が揃いやすい入賞ラインが異なるため、オレンジ、プラムを取りこぼした際のリールの停止態様を多様化することができる。
【０７６５】
なお、チャンス目は、オレンジ、ボーナス（Ａ）＋オレンジ、プラム、ボーナス（Ｂ）＋プラムが当選してオレンジ、プラムを取りこぼしたこと、オレンジ＋１枚（１）、ボーナス（Ａ）＋オレンジ＋１枚（１）、プラム＋１枚（２）、ボーナス（Ｂ）＋プラム＋１枚（２）が当選してオレンジ、プラムを取りこぼしたことを条件としていずれかの入賞ラインに揃うように制御され、これらの役または役の組合せが当選していない場合には、チャンス目がいずれの入賞ラインにも揃わないようになっている。このため、チャンス目がいずれかの入賞ラインに揃うことで、特別役に当選している可能性が確実に示唆される。
【０７６６】
また、この例では、前述のようにオレンジと１枚（１）のうちオレンジが単独で当選している場合よりもオレンジと１枚（１）が同時に当選している場合の方がボーナス（Ａ）と同時に当選している割合が高まり、プラムと１枚（２）のうちプラムが単独で当選している場合よりもプラムと１枚（２）が同時に当選している場合の方がボーナス（Ｂ）と同時に当選している割合が高まることとなるため、チャンス目が揃った入賞ラインが、入賞ラインＬ１、Ｌ２であるか、入賞ラインＬ３、Ｌ４であるか、によって特別役の当選に対する遊技者の期待度に変化を持たせることができる。
【０７６７】
さらに、チャンス目が揃った入賞ラインが、入賞ラインＬ１、Ｌ２であっても、入賞ラインＬ３、Ｌ４であっても、ともに特別役が当選している可能性が示唆されるが、チャンス目が揃った入賞ラインから特別役が当選しているか否かを判別することは不可能であり、チャンス目がいずれの入賞ラインに揃った場合でも、特別役が当選していることに対する遊技者の期待感が損なわれてしまうことがない。
【０７６８】
なお、この例では、オレンジ、ボーナス（Ａ）＋オレンジ、プラム、ボーナス（Ｂ）＋プラムが当選してオレンジ、プラムを取りこぼした場合と、オレンジ＋１枚（１）、ボーナス（Ａ）＋オレンジ＋１枚（１）、プラム＋１枚（２）、ボーナス（Ｂ）＋プラム＋１枚（２）が当選してオレンジ、プラムを取りこぼした場合と、でチャンス目が揃いやすい入賞ラインが変化するようになっているが、表示態様の異なるチャンス目１とチャンス目２を定め、オレンジ、ボーナス（Ａ）＋オレンジ、プラム、ボーナス（Ｂ）＋プラムが当選してオレンジ、プラムを取りこぼした場合と、オレンジ＋１枚（１）、ボーナス（Ａ）＋オレンジ＋１枚（１）、プラム＋１枚（２）、ボーナス（Ｂ）＋プラム＋１枚（２）が当選してオレンジ、プラムを取りこぼした場合と、で出現しやすいチャンス目の種類が変化するようにしてもよい。
【０７６９】
また、この例では、オレンジ、ボーナス（Ａ）＋オレンジ、プラム、ボーナス（Ｂ）＋プラムが当選してオレンジ、プラムを取りこぼした場合に、チャンス目を入賞ラインＬ３、Ｌ４よりも高い割合で入賞ラインＬ１、Ｌ２に揃える制御を行ない、オレンジ＋１枚（１）、ボーナス（Ａ）＋オレンジ＋１枚（１）、プラム＋１枚（２）、ボーナス（Ｂ）＋プラム＋１枚（２）が当選してオレンジ、プラムを取りこぼした場合に、チャンス目を入賞ラインＬ１、Ｌ２よりも高い割合で入賞ラインＬ３、Ｌ４に揃える制御を行なうようになっているが、オレンジ、ボーナス（Ａ）＋オレンジ、プラム、ボーナス（Ｂ）＋プラムが当選してオレンジ、プラムを取りこぼした場合に、チャンス目を入賞ラインＬ１、Ｌ２のみに揃える制御を行ない、オレンジ＋１枚（１）、ボーナス（Ａ）＋オレンジ＋１枚（１）、プラム＋１枚（２）、ボーナス（Ｂ）＋プラム＋１枚（２）が当選してオレンジ、プラムを取りこぼした場合に、チャンス目を入賞ラインＬ３、Ｌ４のみに揃える制御を行なうようにしてもよい。
【０７７０】
また、この例では、オレンジと１枚（１）のうちオレンジが単独で当選している場合よりもオレンジと１枚（１）が同時に当選している場合の方がボーナス（Ａ）と同時に当選している割合が高く、プラムと１枚（２）のうちプラムが単独で当選している場合よりもプラムと１枚（２）が同時に当選している場合の方がボーナス（Ｂ）と同時に当選している割合が高くすることで、チャンス目が揃った入賞ラインが、入賞ラインＬ１、Ｌ２であるか、入賞ラインＬ３、Ｌ４であるか、によって特別役の当選に対する遊技者の期待度に変化を持たせるようにしているが、例えば、チャンス目がいずれかの入賞ラインに揃ったときに、後述するＲＴへ移行するとともに、チャンス目が入賞ラインＬ１、Ｌ２に揃ったときに第１のＲＴへ移行し、チャンス目が入賞ラインＬ３、Ｌ４に揃ったときに第１のＲＴとは有利度（ＲＴの終了条件、再遊技役の当選確率、当選役の種類報知の有無または報知割合など）が異なる第２のＲＴへ移行する構成としてもよく、このような構成とすることで、オレンジ、プラムを取りこぼした際に、リールの表示態様が多様化するばかりでなく、同じチャンス目が入賞ラインに揃う表示態様であっても、オレンジ、プラムが単独で当選している場合においてオレンジ、プラムを取りこぼした際に移行する可能性のあるＲＴと、オレンジ＋１枚（１）、プラム＋１枚（２）が当選している場合においてオレンジ、プラムを取りこぼした際に移行する可能性のあるＲＴと、で有利度を変化させることができる。
【０７７１】
（１４）  前述した実施の形態において、ビッグボーナスであるかレギュラーボーナスであるかに応じた準備モードやＲＴに制御されるように構成してもよい。たとえば、ビッグボーナス（１）が終了したときには、ビッグボーナス（２）が終了したときに制御される準備モードよりも有利な状態（たとえば、転落リプレイの当選率が低いなど）に制御されるように構成してもよい。また、ビッグボーナス（１）が終了したとき制御される準備モードから制御されるＲＴは、ビッグボーナス（２）が終了したとき制御される準備モードから制御されるＲＴよりも有利な状態（たとえば、リプレイの当選率が高いなど）に制御されるように構成してもよい。この場合、準備モードやＲＴへの制御の契機となるボーナスの組合せは、左リール・中リール・右リール毎に異なる図柄から構成されるものであってもよい。たとえば、ビッグボーナス（１）が「赤７−ブドウ−メロン」、ビッグボーナス（２）が「ブドウ−白７−ＢＡＲ」、レギュラーボーナスが「メロン−イチゴ−スイカ」等であってもよい。これにより、ボーナス入賞したときに、いずれのボーナスに入賞したのかを分かりにくくすることができる。その結果、どの種類のＲＴに制御されるかに制御されるのかを分かりにくくすることができる。
【０７７２】
また、このように構成した場合、ボーナス演出は、ボーナスの種類に関わらず同一内容の演出を行なうことにより、制御されているボーナスの種類を遊技者が特定できないようにしてもよい。これにより、ゲーム終了時の図柄の組合せから、ボーナスの種類が遊技者にとって識別しづらくなり、どの種類のボーナスに制御されているか遊技者に気付かせにくくすることができる。このため、ボーナス終了後に制御される準備モードやＲＴの種類を特定困難にすることができる。
【０７７３】
また、このように構成した場合、液晶表示器５１の表示画面を、可変表示装置２の透視窓３の領域よりも大きく、かつ遊技者の目線の高さに近くして可変表示装置２の透視窓３よりも視認しやすい位置に設置してもよい。そして、液晶表示器５１の表示画面において、可変表示装置２の表示状態に対応させて図柄をスクロール表示させる仮想リールを表示させ、かつ可変表示装置２の表示結果に対応する演出用図柄を変動表示させる仮想リールの入賞ライン上に表示させるように構成してもよい。具体的に、可変表示装置２においてブドウの組合せが導出されたときには、液晶表示器５１の表示画面における入賞ライン上に「ブドウ−ブドウ−ブドウ」が停止表示されるように構成してもよい。これにより、遊技者は、仮想リールの表示によって可変表示装置２をほとんど見なくてもゲームを進められるようになる。このようなスロットマシンにおいて、上記の準備モードやＲＴへの制御の契機となるボーナスのいずれかが入賞したときには、入賞したボーナスの種類に関わらず、液晶表示器５１の表示画面における入賞ライン上に共通の「７−７−７」が停止表示されるように構成してもよい。これにより、液晶表示器５１を視認してゲームを進行する遊技者にとっては、どの種類のボーナスに入賞したのか特定困難となる。その結果、どの種類の準備モードやＲＴに制御されるかを分かりにくくすることができる。
【０７７４】
また、前述した実施の形態における遊技者にとって有利なＲＴは、予め定められたゲーム数消化するか、あるいはビッグボーナスまたはレギュラーボーナスに入賞することにより終了する（ビッグボーナスまたはレギュラーボーナスに当選することにより終了しない）ように構成してもよい。これにより、予め定められたゲーム数消化するまでにビッグボーナスやレギュラーボーナスに当選してしまったためＲＴが終了してしまうことにより遊技者に対して損失感を与えてしまうことを回避することができる。また、ボーナスの当選フラグは、入賞するまで次ゲーム以降に持ち越されるため、予め定められたゲーム数に到達することによってＲＴが終了した後に、その間に当選したボーナスを入賞させることが可能となるので、ＲＴの終了時にボーナスの当選に対する遊技者の期待感を高めることができる。
【０７７５】
前述したＲＴのリプレイ当選確率は、獲得するメダルが少なくなる可能性が高いＲＴ、すなわち１ゲームあたりに獲得するメダル数の期待値が賭数の設定に用いたメダル数よりも小さくなるＲＴとなるように設定されているものであってもよい。１ゲームあたりに獲得するメダル数の期待値とは、たとえば、ある遊技状態において所定回数（たとえば、１万回、１０万回）ゲームを行なったときに獲得するメダル枚数を、前記所定回数からリプレイ入賞する回数を差引いた回数で除した値（理論値）をいう。このように構成した場合であって、さらにＡＴに制御されてＡＲＴとなった場合には、ナビ演出にしたがって当選した小役を取りこぼさずに入賞させることにより、１ゲームあたりに獲得するメダル数の期待値を賭数設定に用いるメダル数よりも大きくして、遊技者所有のメダル数が増加するように構成してもよい。
【０７７６】
（１５）  前述した実施の形態におけるＲＴの終了条件としては、ボーナスに当選すること、転落リプレイに入賞することにより成立する例について説明した。しかし、ＲＴの終了条件としては、これに限らず、さらに、規定ゲーム数消化すること、所定の終了抽選において当選することにより成立するように構成してもよい。また、準備モードの終了条件としては、ボーナス当選、転落リプレイ入賞、特殊出目停止などにより成立する例について説明した。しかし、準備モードの終了条件としては、これに限らず、さらに、規定ゲーム数消化、所定の終了抽選において当選することにより成立するように構成してもよい。これにより、ＲＴや準備モードが終了するタイミングの種類を豊富にすることができ、遊技の興趣を向上させることができる。
【０７７７】
（１６）  上記の実施の形態では、賭数の設定や入賞に伴う遊技用価値の付与に用いる遊技媒体としてメダルを適用したスロットマシンを例として説明した。しかしながら、本発明を具現化するスロットマシンは、パチンコ遊技機で用いられている遊技球を遊技媒体として適用したスロットマシン（いわゆるパロット）であってもよい。遊技球を遊技媒体として用いる場合は、たとえば、メダル１枚分を遊技球５個分に対応させることができ、上記の実施の形態で賭数として３を設定する場合は、１５個の遊技球を用いて賭数を設定するものに相当する。
【０７７８】
（１７）  上記の実施の形態では、メダル並びにクレジットを用いて賭数を設定するスロットマシンを用いているが、本発明はこれに限定されるものではなく、遊技球を用いて賭数を設定するスロットマシンや、クレジットのみを使用して賭数を設定する完全クレジット式のスロットマシンであってもよい。
【０７７９】
さらに、流路切替ソレノイド３０や投入メダルセンサ３１など、メダルの投入機構に加えて、遊技球の取込を行なう球取込装置、球取込装置により取り込まれた遊技球を検出する取込球検出スイッチを設けるとともに、ホッパーモータ３４ｂや払出センサ３４ｃなど、メダルの払出機構に加えて、遊技球の払出を行なう球払出装置、球払出装置により払い出された遊技球を検出する払出球検出スイッチを設け、メダルおよび遊技球の双方を用いて賭数を設定してゲームを行なうことが可能であり、かつ入賞の発生によってメダルおよび遊技球が払い出されるスロットマシンに適用してもよい。
【０７８０】
（１８）  前述した実施の形態の図１７、図１８においては、報知期間を開始させるか否かに関与する報知条件として、（ア）ナビストック数が１以上に決定されたことを条件としてＡＴに制御するスロットマシンにおいてＡＴに制御すると決定する割合を例示した。しかし、報知期間を開始させるか否かに関与する報知条件として、（イ）準備モードあるいはＲＴにおける非ＡＴにおいて消化したゲーム数が予め決定された到達ゲーム数に到達したことを条件としてＡＴに制御するスロットマシンにおいてＡＴへの制御を開始するまでの到達ゲーム数を決定する割合、（ウ）準備モードあるいはＲＴにおける非ＡＴにおいて当選した転落リプレイの入賞を回避させた回避回数が決定された到達回数に到達したことを条件として報知期間に制御するスロットマシンにおいてＡＴへの制御を開始するまでの到達回数を決定する割合、などであってもよい。
【０７８１】
また、前述した実施の形態においては、上記（ア）の場合、付与ポイント総数が多い（遊技者にとって有利度合いが高い）程、高い割合でＡＴに制御すると決定するテーブルを用いることにより、遊技者にとって有利となるようにＡＴ抽選する例について説明した。しかし、上記（イ）の場合も同様に、付与ポイント総数が多い（遊技者にとって有利度合いが高い）程、より少ない到達ゲーム数を高い割合で決定されるように当選率が設定されたテーブルを用いることにより、遊技者にとって有利となるようにＡＴ抽選するように構成してもよい。また、上記（ウ）の場合も同様に、付与ポイント総数が多い（遊技者にとって有利度合いが高い）程、より少ない到達回数を高い割合で決定されるように当選率が設定されたテーブルを用いることにより、遊技者にとって有利となるようにＡＴ抽選するように構成してもよい。
【０７８２】
前述した実施の形態の図１７、図１８においては、報知期間に制御する期間に関与する報知条件として、（エ）ＡＴにおいて消化したゲーム数が獲得したナビストック数に応じた終了ゲーム数に到達したことを条件としてＡＴへの制御を終了するスロットマシンにおいてナビストック数を決定する割合、すなわち終了ゲーム数を決定する割合を例示した。しかし、報知期間に制御する期間に関与する報知条件として、（オ）ＡＴにおいて予め決定された終了確率にしたがい所定の終了抽選を実行し、該終了抽選で当選したことを条件としてＡＴへの制御を終了するスロットマシンにおいて終了確率を決定する割合、（カ）ＡＴにおいて転落リプレイに当選してナビ演出が実行された回数が規定回数に到達したことを条件としてＡＴへの制御を終了するスロットマシンにおいて規定回数を決定する割合、などであってもよい。
【０７８３】
また、前述した実施の形態においては、上記（エ）の場合、付与ポイント総数が多い（遊技者にとって有利度合いが高い）程、より多いナビストック数、すなわちより多い終了ゲーム数を高い割合で決定するテーブルを用いることにより、遊技者にとって有利となるようにＡＴ抽選する例について説明した。しかし、上記（オ）の場合も同様に、付与ポイント総数が多い（遊技者にとって有利度合いが高い）程、より低い終了確率を高い割合で決定されるように当選率が設定されたテーブルを用いることにより、遊技者にとって有利となるようにＡＴ抽選するように構成してもよい。また、上記（カ）の場合も同様に、付与ポイント総数が多い（遊技者にとって有利度合いが高い）程、より多い規定回数を高い割合で決定されるように当選率が設定されたテーブルを用いることにより、遊技者にとって有利となるようにＡＴ抽選するように構成してもよい。
【０７８４】
また、報知条件は、たとえば、（キ）ＡＴにおいて転落リプレイ当選時にナビ演出を実行するか否かを抽選し、当選したときにナビ演出を実行するスロットマシンにおいて、当選確率を決定する割合、などであってもよい。上記（キ）の場合も同様に、付与ポイント総数が多い（遊技者にとって有利度合いが高い）程、より高い当選確率を高い割合で決定されるように当選率が設定されたテーブルを用いることにより、遊技者にとって有利となるようにＡＴ抽選するように構成してもよい。
【０７８５】
また、報知条件は、上記（ア）〜（キ）のいずれであってもよく、また上記（ア）〜（キ）のうち選択的に組合されたものであってもよい。報知条件が上記（ア）〜（キ）のいずれか、また（ア）〜（キ）のうち選択的に組合されたものであっても、前述した実施の形態と同様の効果を奏する。
【０７８６】
（１９）  上記（１８）で示したように、報知期間を開始させるか否かに関与する報知条件として、少なくとも（イ）準備モードあるいはＲＴにおける非ＡＴにおいて消化したゲーム数が予め決定された到達ゲーム数に到達したことを条件としてＡＴに制御するスロットマシンにおいてＡＴへの制御を開始するまでの到達ゲーム数を決定する割合、（ウ）準備モードあるいはＲＴにおける非ＡＴにおいて当選した転落リプレイの入賞を回避させた回避回数が決定された到達回数に到達したことを条件として報知期間に制御するスロットマシンにおいてＡＴへの制御を開始するまでの到達回数を決定する割合、などを採用するスロットマシンにおいては、報知期間に制御されるまでの準備モードあるいはＲＴにおける非ＡＴにおいて、転落リプレイ当選時において当選したリプレイの種類を特定可能にするナビ演出を実行する期間外報知可能期間に制御する手段と、期間外報知可能期間であることを条件として転落リプレイ当選時において当選したリプレイの種類を特定可能にするナビ演出を実行する手段とを備えるものであってもよい。この場合、報知期間を開始させるか否かに関与する報知条件としては、さらに、（ク）期間外報知可能期間において消化したゲーム数が予め決定された期間外終了ゲーム数に到達したことを条件として当該期間外報知可能期間への制御を終了するスロットマシンにおいて期間外終了ゲームを決定する割合、（ケ）期間外報知可能期間において予め決定された期間外終了確率にしたがい所定の期間外終了抽選を実行し、該期間外終了抽選で当選したことを条件として当該期間外報知可能期間への制御を終了するスロットマシンにおいて期間外終了確率を決定する割合、（コ）期間外報知可能期間において転落リプレイに当選してナビ演出が実行された回数が期間外規定回数に到達したことを条件として当該期間外報知可能期間への制御を終了するスロットマシンにおいて期間外規定回数を決定する割合、などであってもよい。
【０７８７】
また、上記（ク）の場合、付与ポイント総数が多い（遊技者にとって有利度合いが高い）程、より多い期間外終了ゲーム数を高い割合で決定するテーブルを用いることにより、遊技者にとって有利となるように期間外報知可能期間に関わる抽選を含むＡＴ抽選するように構成してもよい。また、上記（ケ）の場合、付与ポイント総数が多い（遊技者にとって有利度合いが高い）程、より低い期間外終了確率を高い割合で決定するテーブルを用いることにより、遊技者にとって有利となるように期間外報知可能期間に関わる抽選を含むＡＴ抽選するように構成してもよい。上記（コ）の場合、付与ポイント総数が多い（遊技者にとって有利度合いが高い）程、より多い期間外規定回数を高い割合で決定するテーブルを用いることにより、遊技者にとって有利となるように期間外報知可能期間に関わる抽選を含むＡＴ抽選するように構成してもよい。
【０７８８】
また、報知条件は、たとえば、（サ）期間外報知可能期間において転落リプレイ当選時にナビ演出を実行するか否かを抽選し、当選したときにナビ演出を実行するスロットマシンにおいて、当選確率を決定する割合、などであってもよい。上記（サ）の場合も同様に、付与ポイント総数が多い（遊技者にとって有利度合いが高い）程、より高い当選確率を高い割合で決定するテーブルを用いることにより、遊技者にとって有利となるように期間外報知可能期間に関わる抽選を含むＡＴ抽選するように構成してもよい。
【０７８９】
また、上記スロットマシンにおける報知条件としては、上記（ア）〜（キ）および上記（ク）〜（サ）のいずれであってもよく、また上記（ア）〜（キ）および上記（ク）〜（サ）のうち選択的に組合されたものであってもよい。報知条件が上記（ア）〜（キ）および上記（ク）〜（サ）のいずれか、また選択的に組合されたものであっても、有利状態に制御されている期間のうち報知期間以外においては、通常状態であるときよりも遊技者にとって有利となるように報知条件が設定されるため、遊技者は期待感を抱きながら遊技を進行させることができ、遊技の興趣を向上させることができる。
【０７９０】
（２０）  前述した実施の形態においては、図２５（ｄ）などで示したように、非ＡＴであるときに、所定期間として５ゲーム消化する期間経過する度に、抽選条件が成立して第２ＡＴ抽選が行なわれる例について説明した。しかし、所定期間としては、所定回数ゲーム消化する期間に限らず、特定の入賞役（たとえばメロン）に所定回数当選または入賞するまでの期間、転落リプレイに所定回数当選するまでの期間、所定時間経過する期間などであってもよい。これにより、非ＡＴであるときに、所定期間経過するか否かに遊技者を注目させることができ、遊技の興趣を向上させることができる。
【０７９１】
（２１）  前述した実施の形態の図２５においては、報知期間を開始させるか否かに関与する報知条件として、（ア）ナビストック数が１以上に決定されたことを条件としてＡＴに制御するスロットマシンにおいてＡＴに制御すると決定する割合を例示した。しかし、報知期間を開始させるか否かに関与する報知条件として、（イ）準備モードあるいはＲＴにおける非ＡＴにおいて消化したゲーム数が予め決定された到達ゲーム数に到達したことを条件としてＡＴに制御するスロットマシンにおいてＡＴへの制御を開始するまでの到達ゲーム数を決定する割合、（ウ）準備モードあるいはＲＴにおける非ＡＴにおいて当選した転落リプレイの入賞を回避させた回避回数が決定された到達回数に到達したことを条件として報知期間に制御するスロットマシンにおいてＡＴへの制御を開始するまでの到達回数を決定する割合、などであってもよい。
【０７９２】
また、前述した実施の形態においては、上記（ア）の場合、非ＡＴ準備モードあるいは非ＡＲＴにおいては、通常遊技状態であるときよりも、高い割合でＡＴに制御すると決定するテーブル（図２５（ａ）のテーブルと（ｄ）のテーブル参照）を用いることにより、遊技者にとって有利となるようにＡＴ抽選する例について説明した。しかし、上記（イ）の場合も同様に、非ＡＴ準備モードあるいは非ＡＲＴにおいては、通常遊技状態であるときよりも、より少ない到達ゲーム数を高い割合で決定されるように当選率が設定されたテーブルを用いることにより、遊技者にとって有利となるようにＡＴ抽選するように構成してもよい。また、上記（ウ）の場合も同様に、非ＡＴ準備モードあるいは非ＡＲＴにおいては、通常遊技状態であるときよりも、より少ない到達回数を高い割合で決定されるように当選率が設定されたテーブルを用いることにより、遊技者にとって有利となるようにＡＴ抽選するように構成してもよい。
【０７９３】
前述した実施の形態の図２５においては、報知期間に制御する期間に関与する報知条件として、（エ）ＡＴにおいて消化したゲーム数が獲得したナビストック数に応じた終了ゲーム数に到達したことを条件としてＡＴへの制御を終了するスロットマシンにおいてナビストック数を決定する割合、すなわち終了ゲーム数を決定する割合を例示した。しかし、報知期間に制御する期間に関与する報知条件として、（オ）ＡＴにおいて予め決定された終了確率にしたがい所定の終了抽選を実行し、該終了抽選で当選したことを条件としてＡＴへの制御を終了するスロットマシンにおいて終了確率を決定する割合、（カ）ＡＴにおいて転落リプレイに当選してナビ演出が実行された回数が規定回数に到達したことを条件としてＡＴへの制御を終了するスロットマシンにおいて規定回数を決定する割合、などであってもよい。
【０７９４】
また、前述した実施の形態においては、上記（エ）の場合、非ＡＴ準備モードあるいは非ＡＲＴにおいては、通常遊技状態であるときよりも、より多いナビストック数、すなわちより多い終了ゲーム数を高い割合で決定するテーブル（図２５（ａ）のテーブルと、図２５（ｄ）の３０Ｇ消化時テーブル、ボーナス当選時テーブル参照）を用いることにより、遊技者にとって有利となるようにＡＴ抽選する例について説明した。しかし、上記（オ）の場合も同様に、非ＡＴ準備モードあるいは非ＡＲＴにおいては、通常遊技状態であるときよりも、より低い終了確率を高い割合で決定されるように当選率が設定されたテーブルを用いることにより、遊技者にとって有利となるようにＡＴ抽選するように構成してもよい。また、上記（カ）の場合も同様に、非ＡＴ準備モードあるいは非ＡＲＴにおいては、通常遊技状態であるときよりも、より多い規定回数を高い割合で決定されるように当選率が設定されたテーブルを用いることにより、遊技者にとって有利となるようにＡＴ抽選するように構成してもよい。
【０７９５】
また、報知条件は、たとえば、（キ）ＡＴにおいて転落リプレイ当選時にナビ演出を実行するか否かを抽選し、当選したときにナビ演出を実行するスロットマシンにおいて、当選確率を決定する割合、などであってもよい。上記（キ）の場合も同様に、非ＡＴ準備モードあるいは非ＡＲＴにおいては、通常遊技状態であるときよりも、より高い当選確率を高い割合で決定されるように当選率が設定されたテーブルを用いることにより、遊技者にとって有利となるようにＡＴ抽選するように構成してもよい。
【０７９６】
また、報知条件は、上記（ア）〜（キ）のいずれであってもよく、また上記（ア）〜（キ）のうち選択的に組合されたものであってもよい。報知条件が上記（ア）〜（キ）のいずれか、また（ア）〜（キ）のうち選択的に組合されたものであっても、前述した実施の形態と同様の効果を奏する。
【０７９７】
（２２）  上記（２１）で示したように、報知期間を開始させるか否かに関与する報知条件として、少なくとも（イ）準備モードあるいはＲＴにおける非ＡＴにおいて消化したゲーム数が予め決定された到達ゲーム数に到達したことを条件としてＡＴに制御するスロットマシンにおいてＡＴへの制御を開始するまでの到達ゲーム数を決定する割合、（ウ）準備モードあるいはＲＴにおける非ＡＴにおいて当選した転落リプレイの入賞を回避させた回避回数が決定された到達回数に到達したことを条件として報知期間に制御するスロットマシンにおいてＡＴへの制御を開始するまでの到達回数を決定する割合、などを採用するスロットマシンにおいては、報知期間に制御されるまでの準備モードあるいはＲＴにおける非ＡＴにおいて、転落リプレイ当選時において当選したリプレイの種類を特定可能にするナビ演出を実行する期間外報知可能期間に制御する手段と、期間外報知可能期間であることを条件として転落リプレイ当選時において当選したリプレイの種類を特定可能にするナビ演出を実行する手段とを備えるものであってもよい。この場合、報知期間を開始させるか否かに関与する報知条件としては、さらに、（ク）期間外報知可能期間において消化したゲーム数が予め決定された期間外終了ゲーム数に到達したことを条件として当該期間外報知可能期間への制御を終了するスロットマシンにおいて期間外終了ゲームを決定する割合、（ケ）期間外報知可能期間において予め決定された期間外終了確率にしたがい所定の期間外終了抽選を実行し、該期間外終了抽選で当選したことを条件として当該期間外報知可能期間への制御を終了するスロットマシンにおいて期間外終了確率を決定する割合、（コ）期間外報知可能期間において転落リプレイに当選してナビ演出が実行された回数が期間外規定回数に到達したことを条件として当該期間外報知可能期間への制御を終了するスロットマシンにおいて期間外規定回数を決定する割合、などであってもよい。
【０７９８】
また、上記（ク）の場合、非ＡＴ準備モードあるいは非ＡＲＴにおいては、通常遊技状態であるときよりも、より多い期間外終了ゲーム数を高い割合で決定するテーブルを用いることにより、遊技者にとって有利となるように期間外報知可能期間に関わる抽選を含むＡＴ抽選するように構成してもよい。また、上記（ケ）の場合、非ＡＴ準備モードあるいは非ＡＲＴにおいては、通常遊技状態であるときよりも、より低い期間外終了確率を高い割合で決定するテーブルを用いることにより、遊技者にとって有利となるように期間外報知可能期間に関わる抽選を含むＡＴ抽選するように構成してもよい。上記（コ）の場合、非ＡＴ準備モードあるいは非ＡＲＴにおいては、通常遊技状態であるときよりも、より多い期間外規定回数を高い割合で決定するテーブルを用いることにより、遊技者にとって有利となるように期間外報知可能期間に関わる抽選を含むＡＴ抽選するように構成してもよい。
【０７９９】
また、報知条件は、たとえば、（サ）期間外報知可能期間において転落リプレイ当選時にナビ演出を実行するか否かを抽選し、当選したときにナビ演出を実行するスロットマシンにおいて、当選確率を決定する割合、などであってもよい。上記（サ）の場合も同様に、非ＡＴ準備モードあるいは非ＡＲＴにおいては、通常遊技状態であるときよりも、より高い当選確率を高い割合で決定するテーブルを用いることにより、遊技者にとって有利となるように期間外報知可能期間に関わる抽選を含むＡＴ抽選するように構成してもよい。
【０８００】
また、上記スロットマシンにおける報知条件としては、上記（ア）〜（キ）および上記（ク）〜（サ）のいずれであってもよく、また上記（ア）〜（キ）および上記（ク）〜（サ）のうち選択的に組合されたものであってもよい。報知条件が上記（ア）〜（キ）および上記（ク）〜（サ）のいずれか、また選択的に組合されたものであっても、有利状態に制御されている期間のうち報知期間以外においては、通常状態であるときよりも遊技者にとって有利となるように報知条件が設定されるため、遊技者は期待感を抱きながら遊技を進行させることができ、遊技の興趣を向上させることができる。
【０８０１】
（２３）  前述した実施の形態においては、報知期間が終了するまでに消化することを期待できるゲーム数であるゲーム数の期待値として、（ｉ）ＡＴにおいて消化したゲーム数が獲得したナビストック数に応じた終了ゲーム数に到達したことを条件としてＡＴへの制御を終了するスロットマシンにおいて当該ナビストック数を例示した。しかし、報知期間が終了するまでに消化することを期待できるゲーム数であるゲーム数の期待値、（ｉｉ）予め決定された継続確率（ＡＴ継続率）にしたがい所定のＡＴ継続抽選を実行し、該ＡＴ継続抽選で当選したことを条件としてＡＴへの制御を継続するスロットマシンにおいて当該継続確率、（ｉｉｉ）ＡＴにおいて転落リプレイに当選してナビ演出が実行された回数が規定回数に到達したことを条件としてＡＴへの制御を終了するスロットマシンにおいて当該規定回数（ナビ演出可能回数）、などであってもよい。
【０８０２】
（２４）  前述した実施の形態において、報知期間が終了するまでに消化することを期待できるゲーム数であるゲーム数の期待値に応じて異なる割合に基づいて実行される特定演出として、図２８で示した報知態様Ａ〜Ｃのうち報知態様ＢあるいはＣでの９枚役のナビ演出、図３２で示したＡＲＴ演出の背景が昼から夕方あるいは夜に変更される演出などを例示した。しかし、特定演出は、これに限らず、遊技者が他の演出と区別できる態様で実行される演出であれば、どのようなものであってもよい。たとえば、ポイント付与演出の態様として特定態様を含む複数種類の態様が設けられており、ポイント報知に際して、報知期間が終了するまでに消化することを期待できるゲーム数であるゲーム数の期待値に応じて異なる割合に基づいて、ポイント付与演出の態様として特定態様が決定されるように、ポイント付与演出の態様を決定する場合、特定態様でのポイント付与演出が特定演出に該当するといえる。この場合においても、ポイント付与演出の態様に遊技者を注目させることができ、かつポイント付与演出が特定態様で実行される頻度からゲーム数の期待値を推測することができる。
【０８０３】
（２５）  前述した実施の形態における回転前フリーズは、図１１のＳ３０において１ゲームタイマにより所定時間以上計時された後に、フリーズの種類に応じた時間に亘り発生させる例について説明した。これにより、１ゲームタイマによるウェイトと、フリーズとを同時に発生させることを防止することができる。
【０８０４】
なお、回転前フリーズは、スタートスイッチ７への操作が有効に受付けられてから、フリーズの種類に応じた時間に亘り発生させるように構成してもよい。たとえば、図１１のＳ３０においてＮＯと判断された場合においても、Ｓ３１〜Ｓ３３と同様の処理を行ない、回転前フリーズカウンタを減算するように構成してもよい。これにより、スタートスイッチ７が操作された後にフリーズが発生した場合に、回転前フリーズであるのか、１ゲームタイマによるフリーズであるのかを不明にすることができ、遊技者に期待感を抱かせる機会を増大させることができる。
【０８０５】
（２６）  前述した実施の形態においては、回転後フリーズの一例として、ストップスイッチ８Ｌ〜８Ｒ各々が有効化されるタイミングを遅延させる例を示した。しかし、回転後フリーズは、リール回転開始後において、ストップスイッチが有効化されるタイミングを遅延させるものであればよく、たとえば、所定の停止操作（たとえば、第１停止操作、第２停止操作など）が行なわれたときに、未だ回転中のリールに対応するストップスイッチをフリーズの種類に対応する時間に亘り無効化した後、再び有効化するものであってもよい。
【０８０６】
また、回転後フリーズとしては、フリーズが発生するタイミングが異なるように複数種類設けられているものであってもよい。たとえば、第３フリーズとしては、回転前フリーズを発生させるとともに、リール回転開始後に回転後フリーズを発生させる第３ａフリーズと、第１停止操作後に回転後フリーズを発生させる第３ｂフリーズと、第２停止操作後に回転後フリーズを発生させる第３ｃフリーズとが設けられているものであってもよい。この場合、フリーズ抽選により、フリーズを実行するか否か、およびフリーズを実行する場合の種類を第１、第２、第３ａ、第３ｂ、第３ｃのいずれにするかを決定するように構成してもよい。これにより、回転後フリーズが発生するタイミングがランダムになるため、より一層遊技者に対し意外性を抱かせることができる。
【０８０７】
（２７）  前述した実施の形態においては、第１フリーズが発生した場合よりも、第２フリーズあるいは第３フリーズが発生した場合の方が高い割合で、遊技者にとって有利度合いを高くする例として、図１０（ｂ）で示したようにレギュラーボーナスよりも長い期間ボーナスに制御されるビッグボーナスに当選している可能性を高めることにより払出されるメダル枚数が直接的に多くなり、かつ、図２５（ｂ）および（ｃ）で示したようにＡＴに制御される期間を左右するナビストック数としてより多いナビストック数を獲得する可能性を高めることにより払出されるメダル枚数が間接的に多くなる例について説明した。しかし、遊技者にとって有利度合いを高くする手法としては、図１０（ｂ）のみを採用して、払出されるメダル枚数が直接的にのみ多くなるように構成してもよく、または、図２５（ｂ）および（ｃ）のみを採用して、払出されるメダル枚数が間接的にのみ多くなるように構成してもよい。
【０８０８】
（２８）  なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０８０９】
１  スロットマシン、２Ｌ，２Ｃ，２Ｒ  リール、８Ｌ，８Ｃ，８Ｒ  ストップスイッチ、４０  遊技制御基板、４１  メイン制御部、４１ａ  メインＣＰＵ、４１ｂ  ＲＯＭ、４１ｃ  ＲＡＭ、４２  乱数発生回路、４３  サンプリング回路、５１  液晶表示器、９０  演出制御基板、９１  サブ制御部、９１ａ  サブＣＰＵ、９１ｂ  ＲＯＭ、９１ｃ  ＲＡＭ、９２  表示制御回路、１４１  ＶＤＰ、１４２  ＣＧＲＯＭ、１５５  一時記憶メモリ、１５６  フレームバッファメモリ。
【図１】
2010268850.tif 000003
【図２】
2010268850.tif 000004
【図３】
2010268850.tif 000005
【図４】
2010268850.tif 000006
【図５】
2010268850.tif 000007
【図６】
2010268850.tif 000008
【図７】
2010268850.tif 000009
【図８】
2010268850.tif 000010
【図９】
2010268850.tif 000011
【図１０】
2010268850.tif 000012
【図１１】
2010268850.tif 000013
【図１２】
2010268850.tif 000014
【図１３】
2010268850.tif 000015
【図１４】
2010268850.tif 000016
【図１５】
2010268850.tif 000017
【図１６】
2010268850.tif 000018
【図１７】
2010268850.tif 000019
【図１８】
2010268850.tif 000020
【図１９】
2010268850.tif 000021
【図２０】
2010268850.tif 000022
【図２１】
2010268850.tif 000023
【図２２】
2010268850.tif 000024
【図２３】
2010268850.tif 000025
【図２４】
2010268850.tif 000026
【図２５】
2010268850.tif 000027
【図２６】
2010268850.tif 000028
【図２７】
2010268850.tif 000029
【図２８】
2010268850.tif 000030
【図２９】
2010268850.tif 000031
【図３０】
2010268850.tif 000032
【図３１】
2010268850.tif 000033
【図３２】
2010268850.tif 000034
【図３３】
2010268850.tif 000035
【図３４】
2010268850.tif 000036
【図３５】
2010268850.tif 000037